(57)【要約】【課題】受信側で反復検波を行ったときのデータの受信品質を向上に寄与する送信方法を提供する。【解決手段】送信装置は、それぞれ振幅および位相を偏移させる方式の２種類の変調方式を交互に選択し、選択された変調方式に応じた信号点にマッピングを行い、マッピングされた変調信号を送信する。【選択図】図１２
2020156094.tif 000002
【特許請求の範囲】
【請求項１】
緊急警報を送信する送信方法であって、
前記緊急警報の内容を説明するメッセージ及び前記緊急警報の詳細コンテンツの取得先を示すＵＲＬ（Ｕｎｉｆｏｒｍ  Ｒｅｓｏｕｒｃｅ  Ｌｏｃａｔｏｒ）を生成し、
前記メッセージ及び前記ＵＲＬを前記緊急警報内に格納し、
送信データが緊急警報であることを示す識別子を付加した前記緊急警報を放送で送信し、
更に、前記緊急警報の対象地域が前記放送の放送地域の一部である場合、前記対象地域を示す地域情報を生成して前記緊急警報内に格納しており、
前記地域情報を含まない緊急警報は、前記緊急警報の対象地域が前記放送地域全体であることを示している
送信方法。
【請求項２】
緊急警報を送信する送信システムであって、
前記緊急警報の内容を説明するメッセージ及び前記緊急警報の詳細コンテンツの取得先を示すＵＲＬ（Ｕｎｉｆｏｒｍ  Ｒｅｓｏｕｒｃｅ  Ｌｏｃａｔｏｒ）を生成し、前記メッセージ及び前記ＵＲＬを前記緊急警報に格納する、生成部と
送信データが緊急警報であることを示す識別子を付加した前記緊急警報を放送で送信する送信部と、を備え、
前記生成部は、前記緊急警報の対象地域が前記放送の放送地域の一部である場合、前記対象地域を示す地域情報を生成して前記緊急警報内に格納し、
前記地域情報を含まない緊急警報は、前記緊急警報の対象地域が前記放送地域全体であることを示している
送信システム。
【発明の詳細な説明】
【技術分野】
【０００１】
本発明は、信号の送信方法に関する。
【背景技術】
【０００２】
従来から、非特許文献１では、QAM（Quadrature Amplitude Modulation）に対し、ビットのラベリングの態様を変更することによりBICM-ID（Bit Interleaved Coded  Modulation - Iterative Detection）のためのデータの受信品質を改善させる検討が行われている。
【先行技術文献】
【特許文献】
【０００３】
【特許文献１】特開2013-16953号公報
【非特許文献】
【０００４】
【非特許文献１】“Design, analysis, and performance evaluation for BICM-ID with square QAM constellations in Rayleigh fading channels" IEEE Journal on selected areas in communication, vol.19, no.5, May 2001, pp.944-957
【発明の概要】
【発明が解決しようとする課題】
【０００５】
もっとも、PAPR（Peak-to-Average power ratio）（ピーク電力対平均送信電力）の制
約などから、通信・放送システムに対し、例えば、APSK（Amplitude Phase Shift Keying）変調のようなQAM以外の変調方式を採用することもあり、通信・放送システムに対し、QAMのラベリングに関する非特許文献１の技術の適用が難しい場合もある。
本発明は、例えば、通信・放送システムにおいて、受信側で反復検波を行ったときのデータの受信品質の向上に寄与する送信方法を提供すること目的とする。
なお、本開示では、上記の課題に限らず、本願発明が見出した複数の課題のそれぞれに対して、当該課題を解決するための手段を開示している。それらの課題を解決するための手段のそれぞれが、他の課題を解決するための手段と組み合わせて用いられてもよいし、個別に用いられてもよいことは言うまでもない。
【課題を解決するための手段】
【０００６】
本発明に係る送信方法は、振幅および位相を偏移させる変調方式によりデータを送信する送信装置であって、信号点配置および各信号点へのビットの割り付けが互いに相異なる第１変調方式と第２変調方式とを、シンボル毎に交互に選択する選択部と、選択された変調方式に応じた信号点にマッピングを行うマッピング部と、マッピングされた変調信号を送信する送信部とを備え、前記第１変調方式は、ＩＱ平面において、内円の円周上には４点の信号点が配置され、外円の円周上に１２点の信号点が配置され、前記内円と外円とは同心円の関係にある１６ＡＰＳＫ変調であって、１６点の信号点を、内円の円周上の１点の信号点と前記ＩＱ平面の原点から当該信号点に向けた方面にある外円の円周上の３点の信号点とからなる４つのグループに区分けした場合において、同一グループ内における外円の円周上における隣接する信号点の組、および同一グループ内における外円の円周上の両端の信号点のいずれかと内円の信号点の組、のビットの割り付けの違いが１ビットであり、異なるグループ間における、ＩＱ平面上で最短となる、外円の円周上の信号点の組および内円の円周上の信号点の組、のビットの割り付けの違いが１ビットであり、前記第２変調方式は、ＩＱ平面において、内円の円周上には８点の信号点が配置され、外円の円周上に８点の信号点が配置され、前記内円と外円とは同心円の関係にある１６ＡＰＳＫ変調であって、１６点の信号点を、内円の円周上の８点の信号点からなる第１グループ、外円の円周上の８点の信号点からなる第２グループに区分けした場合において、同一グループ内における円周上で隣接する信号点の組、のビットの割り付けの違いが１ビットである。
【発明の効果】
【０００７】
本発明に係る送信方法によれば、特に、LDPC（Low Density Parity Check）符号やDuo-binary Turbo符号を例とするターボ符号等の高い誤り訂正能力をもつ誤り訂正符号を通信・放送システムに適用し、受信側で、初期の検波の時点において、または、反復検波を行ったときにおいて、データの受信品質の向上に寄与できる。
【図面の簡単な説明】
【０００８】
【図１】送信装置に搭載する電力増幅器の入出力特性の例
【図２】BICM-ID方式を使用した通信システムの構成例
【図３】送信装置の符号化器の入出力の一例
【図４】送信装置のbit-reduction encoderの一例
【図５】受信装置のbit-reduction decoderの一例
【図６】bit-reduction decoderのXOR部の入出力の例
【図７】送信装置の構成図
【図８】(12,4)16APSKの信号点配置図
【図９】(8,8)16APSKの信号点配置図
【図１０】変調信号の生成に関するブロック図
【図１１】変調信号のフレーム構成
【図１２】データシンボルの例
【図１３】パイロットシンボルの例
【図１４】(12,4)16APSKのラベリングの例
【図１５】(12,4)16APSKのラベリングの例
【図１６】(8,8)16APSKのラベリングの例
【図１７】(8,8)16APSKの信号点配置の例
【図１８】高度広帯域衛星デジタル放送における送信信号のフレーム構成のイメージ
【図１９】受信装置の構成図
【図２０】変調方式の並びの例
【図２１】変調方式の並びの例
【図２２】ストリーム種別／相対ストリーム情報の構成例
【図２３】変調方式の並びの例
【図２４】シンボルの配置の例
【図２５】32APSKの信号点配置の例
【図２６】NU-16QAMの信号点配置とラベリングの例
【図２７】広帯域衛星デジタル放送のイメージ
【図２８】リング比決定に関するブロック線図
【図２９】帯域制限フィルタを説明するための図
【図３０】(4,8,4)16APSKの信号点の例
【図３１】(4,8,4)16APSKの信号点の例
【図３２】(4,8,4)16APSKの信号点の例
【図３３】シンボルの配置例
【図３４】シンボルの配置例
【図３５】シンボルの配置例
【図３６】シンボルの配置例
【図３７】変調方式の並びの例
【図３８】変調方式の並びの例
【図３９】送信局の構成の例
【図４０】受信装置の構成の例
【図４１】送信局の構成の例
【図４２】送信局の構成の例
【図４３】送信局の構成の例
【図４４】各信号の周波数配置の例
【図４５】衛星の構成の例
【図４６】衛星の構成の例
【図４７】拡張情報の構成の例
【図４８】シグナリングの例
【図４９】シグナリングの例
【図５０】シグナリングの例
【図５１】シグナリングの例
【図５２】シグナリングの例
【図５３】シグナリングの例
【図５４】シグナリングの例
【図５５】シグナリングの例
【図５６】シグナリングの例
【図５７】シグナリングの例
【図５８】(4,12,16)32APSKの信号点配置の例
【図５９】シグナリングの例
【図６０】シグナリングの例
【図６１】シグナリングの例
【図６２】シグナリングの例
【図６３】シグナリングの例
【図６４】シグナリングの例
【図６５】シグナリングの例
【図６６】シグナリングの例
【図６７】シグナリングの例
【図６８】シグナリングの例
【図６９】ＴＭＣＣ信号の構成の例
【図７０】ＴＭＣＣ情報の構成の例
【図７１】送信局におけるチャネル部分の構成の例
【図７２】フレームの変化の例
【図７３】ロールオフ率が切り替わるときの時間軸における変化の例
【図７４】ロールオフ率が切り替わるときの時間軸における変化の例
【図７５】受信装置の構成の例
【図７６】「緊急警報（緊急速報）」に関連する制御情報の構成
【図７７】「緊急警報（緊急速報）」を行う場合のフレーム構成例
【図７８】受信装置の構成の例
【図７９】「緊急警報（緊急速報）」を行う場合のフレーム構成例
【図８０】「緊急警報（緊急速報）」を行う場合のフレーム構成例
【図８１】「緊急警報（緊急速報）」を行う場合のフレーム構成例
【図８２】「緊急警報（緊急速報）」を行う場合のフレーム構成例
【図８３】「緊急警報（緊急速報）」を行う場合のフレーム構成例
【図８４】受信装置の構成の例
【図８５】受信装置の構成の例
【図８６】受信装置の構成の例
【図８７】音声出力方法に関する設定画面例
【図８８】受信装置の構成の例
【図８９】音声出力方法に関する設定画面例
【図９０】受信装置の構成の例
【図９１】音声出力方法に関する設定画面例
【図９２】画面の表示例
【図９３】画面の表示例
【図９４】画面の表示例
【図９５】画面の表示例
【図９６】受信装置の構成の例
【図９７】音声出力方法に関する設定画面例
【図９８】フレームの送信状態の例
【図９９】フレームの送信状態の例
【図１００】フレームの送信状態の例
【図１０１】ＴＭＣＣの生成方法の例
【図１０２】ＴＭＣＣ構成部の構成例
【図１０３】ＴＭＣＣ構成部の構成例
【図１０４】受信装置におけるＴＭＣＣ推定部の構成例
【図１０５】受信装置と他の機器との関係を示すシステム図
【図１０６】受信装置の構成例
【図１０７】受信装置と他の機器との関係を示すシステム図
【図１０８】受信装置の構成例
【図１０９】受信装置とリモコンとの関係を示す図
【発明を実施するための形態】
【０００９】
（本発明に係る一形態を得るに至った経緯）
一般的に、通信・放送システムでは、送信系の増幅器の消費電力を低減、および、受信機で、データの誤りを少なくするために、PAPR（Peak-to-Average power ratio）（ピー
ク電力対平均送信電力）が小さく、データの受信品質が高い変調方式が望まれる。
特に、衛星放送では、送信系の増幅器の消費電力を小さくするために、PAPRを小さい変調方式を使用することが望まれ、I-Q（In Phase-Quadrature Phase）平面に16個の信号点が存在する変調方式として、(12,4)の16APSK（16 Amplitude and Phase Shift Keying）
変調が適用されていることが多い。なお、(12,4)の16APSK変調のI-Q平面における信号点
配置については、後述で詳しく説明する。
【００１０】
しかし、通信・放送システムにおいて、(12,4)の16APSKを用いた場合、受信機のデータの受信品質を犠牲にしており、この点から、PAPRが小さく、かつ、データの受信品質がよい変調方式・送信方法を衛星放送に使用したいという要望がある。
受信品質の向上のため、良好なBER（Bit Error Ratio）特性を有する変調方式を用いることが考えられる。もっとも、いかなるケースにおいても、BER特性の点で優れた変調方
式の採用が最良解とも限らない。この点について以下で説明する。
【００１１】
例えば、変調方式＃Ｂを使用したときのBER=10-5を得るためのSNR（Signal-to-Noise power Ratio）を10.0dB、変調方式＃Ａを使用したとき、BER=10-5を得るためのSNRを9.5dBとする。
このとき、送信装置が変調方式＃Ａ，＃Ｂのいずれを用いたときも平均送信電力を等しくした場合、変調方式＃Ｂを用いることで、受信装置は0.5（=10.0-9.5）dBのゲインを得ることができる。
【００１２】
ところで、衛星に送信装置を搭載する場合、PAPRが問題となる。送信装置に搭載する電力増幅器の入出力特性を図１に示す。
ここで、変調方式＃Ａを使用したときのPAPRを7.0dB、変調方式＃Ｂを使用したときのPAPRを8.0dBであるものとする。
このとき、変調方式＃Ｂを用いたときの平均送信電力は、変調方式＃Ａを用いたときの平均送信電力より1.0(=8.0-7.0)dB小さくなる。
【００１３】
したがって、変調方式＃Ｂを用いると、0.5-1.0=0.5となり、よって、変調方式＃Ａを
用いた方が、受信装置は0.5dBのゲインを得ることになる。
以上のように、このようなケースでは、BER特性の点で優れた変調方式を用いた方がよ
い、ということにはならない。本実施の形態は、上記の点を考慮したものである。
このため、本実施の形態は、PAPRが小さく、かつ、データの受信品質がよい変調方式・送信方法の提供を図る。
【００１４】
また、非特許文献１では、QAMに対し、ビットをどのようにラベリングするか、によりBICM-ID時のデータの受信品質の改善の検討が行われている。しかし、LDPC（Low-Density Parity-Check code）符号やDuo-binary Turbo符号等のターボ符号等の高い誤り訂正能力
を持つ誤り訂正符号に対し、上記の非特許文献１と同様のアプローチ（つまり、QAMに対
し、ビットをどのようにラベリングするか）では、効果を得るのが困難な場合もある。
【００１５】
このため、本実施の形態は、LDPC符号やターボ符号等の高い誤り訂正能力をもつ誤り訂正符号を適用し、受信側で反復検波（または、検波）を行ったときに高いデータ受信品質を得るための送信方法の提供を図る。
以下、本発明の実施の形態について図面を参照して詳細に説明する。
（実施の形態１）
本実施の形態の送信方法、送信装置、受信方法、受信装置について詳しく説明する。
【００１６】
本説明を行う前に、受信側でBICM-ID方式を使用した通信システムの概要について説明
する。
＜BICM-ID＞
図２は、BICM-ID方式を使用した通信システムの構成例を示す図である。
なお、以下では、bit-reduction encoder２０３、bit-reduction decoder２１５を有した場合のBICM-IDについて説明するが、bit-reduction encoder２０３、bit-reduction decoder２１５を有さない場合でも、同様に、反復検波（Iterative Detection）を実施することができる。
【００１７】
送信装置２００は、符号化部２０１、インターリーバ２０２、bit-reduction encoder
２０３、マッピング部２０４、変調部２０５、送信ＲＦ（Ｒａｄｉｏ Ｆｒｅｑｕｅｎｃ
ｙ）部２０６、送信アンテナ２０７を備える。
受信装置２１０は、受信アンテナ２１１、受信ＲＦ部２１２、復調部２１３、デマッピング部２１４、bit-reduction decoder２１５、デインターリーバ２１６、復号部２１７
、インターリーバ２１８を備える。
【００１８】
図３に、送信装置２００の符号化部２０１の入出力の一例を示す。
符号化部２０１は、符号化率Ｒ１の符号化を行うものであり、ビット数Ｎinfoの情報ビットが入力されると、ビット数Ｎinfo／Ｒ１の符号化ビットを出力する。
図４に、送信装置２００のbit-reduction encoder２０３の一例を示す。
本例のbit-reduction encoder２０３、インターリーバ２０２から８ビットのビット列
ｂ（ｂ0〜ｂ7）が入力されると、ビット数の削減を伴う変換を施して、４ビットのビット列ｍ（ｍ0〜ｍ3）をマッピング部２０４へ出力する。なお、図中の［＋］は、ＸＯＲ（exclusive-or、排他的論理和）部を示す。
【００１９】
すなわち、本例のbit-reduction encoder２０３は、ビットｂ0の入力部とビットｍ０の出力部とをＸＯＲ部により接続した系と、ビットｂ1、ｂ2の入力部とビットｍ１の出力部とをＸＯＲ部により接続した系と、ビットｂ3、ｂ4の入力部とビットｍ２の出力部とをＸＯＲ部により接続した系と、ビットｂ5、ｂ6、ｂ7の入力部とビットｍ３の出力部とをＸ
ＯＲ部により接続した系を有する。
【００２０】
図５に、受信装置２１０のbit-reduction decoder２１５の一例を示す。
本例のbit-reduction decoder２１５は、デマッピング部２１４から４ビットのビット
列ｍ（ｍ0〜ｍ3）のＬＬＲ（Log Likelihood Ratio、対数尤度比）であるＬ（ｍ0）〜Ｌ
（ｍ3）を入力とし、ビット数の復元を伴う変換を施して、８ビットのビット列ｂ（ｂ0〜ｂ7）のＬＬＲであるＬ（ｂ0）〜Ｌ（ｂ7）を出力し、８ビットのビット列ｂ（ｂ0〜ｂ7
）のＬＬＲであるＬ（ｂ0）〜Ｌ（ｂ7）は、デインターリーバ２１６を経て、復号部２１７に入力される。
【００２１】
また、bit-reduction decoder２１５は、復号部２１７からインターリーバ２１８を経
た８ビットのビット列ｂ（ｂ0〜ｂ7）のＬＬＲであるＬ（ｂ0）〜Ｌ（ｂ7）を入力としたとき、ビット数の削減を伴う変換を施して、４ビットのビット列ｍ（ｍ0〜ｍ3）のＬＬＲであるＬ（ｍ0）〜Ｌ（ｍ3）をデマッピング部２１４へ出力する。
なお、図中の［＋］は、ＸＯＲ部を示す。すなわち、本例のbit-reduction decoder２
１５は、Ｌ（ｂ0）の入出力部とＬ（ｍ0）の入出力部とをＸＯＲ部により接続した系と、Ｌ（ｂ1）、Ｌ（ｂ2）の入出力部とＬ（ｍ1）の入出力部とをＸＯＲ部により接続した系
と、Ｌ（ｂ3）、Ｌ（ｂ4）の入出力部とＬ（ｍ2）の入出力部とをＸＯＲ部により接続し
た系と、Ｌ（ｂ5）、Ｌ（ｂ6）、Ｌ（ｂ7）の入出力部とＬ（ｍ3）の入出力部とをＸＯＲ部により接続した系を有する。
【００２２】
ここで、本例では、ビット数削減前の８ビットのビット列ｂ（ｂ0〜ｂ7）について、ビットｂ0をＬＳＢ（Least Significant Bit、最下位ビット）とし、ビットｂ7をＭＳＢ（Most Significant Bit、最上位ビット）としている。また、ビット数削減後の４ビットのビット列ｍ（ｍ0〜ｍ3）について、ビットｍ0をＬＳＢとし、ビットｍ3をＭＳＢとしている。
【００２３】
図６に、bit-reduction decoder２１５の動作を説明するためのＸＯＲ（ｅｘｃｌｕｓ
ｉｖｅ−ｏｒ）部の入出力を示す。
図６では、ビットｕ1、ｕ2とビットｕ3とをＸＯＲ部により接続している。また、各ビ
ットｕ1、ｕ2、ｕ3のＬＬＲであるＬ（ｕ1）、Ｌ（ｕ2）、Ｌ（ｕ3）を併せて示す。Ｌ（ｕ1）、Ｌ（ｕ2）、Ｌ（ｕ3）の関係については後述する。
【００２４】
次に、図２〜図６を参照しつつ、処理の流れを説明する。
送信装置２００側では、送信ビットを符号化部２０１は送信ビットを入力とし、（誤り訂正）符号化を行う。ここで、例えば、図３に示したように、符号化部２０１で使用する誤り訂正符号の符号化率をＲ１とした場合、ビット数Ｎinfoの情報ビットを符号化部２０１に入力すると、符号化部２０１からの出力ビット数はＮinfo／Ｒ１となる。
【００２５】
符号化部２０１により符号化された信号（データ）は、インターリーバ２０２によりインターリーブ処理（データの並び換え）された後、bit-reduction encoder２０３に入力
される。そして、図３を参照して説明したように、bit-reduction encoder２０３により
ビット数の削減処理が行われる。なお、ビット数の削減処理を実施しなくてもよい。
ビット数の削減処理が施された信号（データ）は、マッピング部２０４において、マッピング処理が実施される。変調部２０５は、マッピング処理された信号を、デジタル信号からアナログ信号への変換、帯域制限、直交変調、（ＯＦＤＭ（Orthogonal Frequency Division Multiplexing）等のマルチキャリア化を実施してもよい）等の処理を行う。この信号処理をされた信号は、送信処理を行う送信ＲＦ（Radio Frequency）処理（２０６）を介して、例えば、送信アンテナ２０７から無線により送信される。
【００２６】
受信装置２１０側において、受信ＲＦ（２１２）は、受信アンテナ２１１で受信した信号（送信側からの無線信号）に対し、周波数変換、直交復調等の処理を施し、ベースバン
ド信号を生成し、復調部２１３へ出力する。復調部２１３は、チャネル推定、復調等の処理を施し、復調後の信号を生成し、マッピング部２１４へ出力する。デマッピング部２１４は、復調部２１３からの入力された受信信号とこの受信信号に含まれる雑音電力とbit-reduction decoder２１５から得られる事前情報に基づいて、ビット毎のＬＬＲ（対数尤度比）を算出する。
【００２７】
ここで、デマッピング部２１４は、マッピング部２０４にてマッピングされた信号に対して処理を行うものである。つまり、デマッピング部２１４は、送信側でビット数の削減処理が施された後のビット列（図４及び図５のビット列ｍに相当）に対するＬＬＲを算出することになる。
これに対し、後段（復号部２１７）の復号処理では、符号化された全てのビット（図４及び図５のビット列ｂに相当）に対して処理を行うため、ビット削減後のＬＬＲ（デマッピング部２１４の処理に係るＬＬＲ）とビット数削減前のＬＬＲ（復号部２１７の処理に係るＬＬＲ）との変換が必要となる。
【００２８】
そこで、bit-reduction decoder２１５では、デマッピング部２１４から入力されるビ
ット数削減後のＬＬＲをビット数削減前の時点（図４及び図５のビット列ｂに相当）のＬＬＲに変換する。処理の詳細については後述する。
bit-reduction decoder２１５で算出されたＬＬＲは、デインターリーバ２１６により
デインタリーブ処理された後に、復号部２１７に入力される。復号部２１７では、入力されるＬＬＲを基に復号処理を行い、これにより再度ＬＬＲを算出する。復号部２１７で算出されたＬＬＲは、インターリーバ２１８によりインターリーブ処理された後に、bit-reduction decoder２１５にフィードバックされる。bit-reduction decoder２１５では、復号部２１７からフィードバックされたＬＬＲをビット数削減後のＬＬＲに変換し、デマッピング部２１４に入力する。デマッピング部２１４では、再び、受信信号と受信信号に含まれる雑音電力とbit-reduction decoder２１５から得られる事前情報に基づいて、ビット毎のＬＬＲを算出する。
【００２９】
なお、送信側で、ビット数の削減処理を行わない場合、bit-reduction decoder２１５
における特別な処理を行わないことになる。
以上の処理を繰返し行うことで、最終的に良好な復号結果を得ることができる。
ここで、デマッピング部２１４におけるＬＬＲ算出処理について説明する。
ビット数Ｎ（Ｎは１又は２以上の整数）のビット列ｂ（ｂ0，ｂ1，・・・，ｂN-1）を
Ｍ（Ｍは１又は２以上の整数）個のシンボル点Ｓｋ（Ｓ0，Ｓ1，・・・，ＳM-1）に割り
当てたときにデマッピング部２１４から出力されるＬＬＲについて考える。
【００３０】
受信信号をｙとし、ｉ（ｉ＝０，１，・・・，Ｎ−１（ｉは０以上Ｎ−１以下の整数））番目のビットをｂiとし、ｂiに対するＬＬＲをＬ（ｂｉ)とすると、式（１）が成り立つ。
【００３１】
【数１】
2020156094.tif 000003
【００３２】
ここで、後述するように、式（１）の最後の右辺の第１項は、ｉ番目のビット以外から得られるＬＬＲとなり、これを外部情報Ｌe（ｂi）とおく。また、式（１）の最後の右辺の第２項は、ｉ番目のビットの事前確率に基づいて得られるＬＬＲであり、これを事前情報Ｌa（ｂi）とおく。
すると、式（１）は、式（２）となり、式（３）へ変形することができる。
【００３３】
【数２】
2020156094.tif 000004
【００３４】
【数３】
2020156094.tif 000005
【００３５】
デマッピング部２１４は、式（３）の処理結果をＬＬＲとして出力する。
ここで、式（１）の最後の右辺の第１項の分子ｐ（ｙ｜ｂi＝０）について考える。
ｐ（ｙ｜ｂi＝０）とは、ｂi＝０と分かった時に受信信号がｙとなる確率であり、これは、「ｂi＝０と分かった時にｂi＝０であるシンボル点Ｓｋとなる確率ｐ（Ｓk｜ｂi＝０）」と「Ｓkが分かった時にｙとなる確率ｐ（ｙ｜Ｓk）」との積ｐ（ｙ｜Ｓk）ｐ（Ｓk｜ｂi＝０）で表される。全てのシンボル点について考えると、式（４）が成り立つ。
【００３６】
【数４】
2020156094.tif 000006
【００３７】
同様に、式（１）の最後の右辺の第１項の分母ｐ（ｙ｜ｂi＝１）について、式（５）
が成り立つ。
従って、式（１）の最後の右辺の第１項は、式（６）となる。
【００３８】
【数５】
2020156094.tif 000007
【００３９】
【数６】
2020156094.tif 000008
【００４０】
式（６）のｐ（ｙ｜Ｓk）について、シンボル点Ｓｋを伝送して受信信号ｙになる過程
で分散σ２のガウス雑音が加算されたとすると、式（７）で表すことができる。
【００４１】
【数７】
2020156094.tif 000009
【００４２】
また、式（６）のｐ（Ｓk｜ｂi＝０）は、ｂi＝０であると分かった時にシンボル点Ｓ
ｋとなる確率であり、シンボル点Ｓｋを構成するビットでｂｉ以外のビットの事前確率の積で表される。シンボル点Ｓｋのｊ（ｊ＝０，１，・・・，Ｎ−１（ｊは０以上Ｎ−１以下の整数））番目のビットをＳk（ｂj）とすると、式（８）が成り立つ。
【００４３】
【数８】
2020156094.tif 000010
【００４４】
ここで、ｐ（ｂj＝Ｓk（ｂj））について考える。
事前情報として、Ｌa（ｂj）が与えられたとすると、式（１）の最後の右辺の第２項より、式（９）であり、式（１０）となる。
【００４５】
【数９】
2020156094.tif 000011
【００４６】
【数１０】
2020156094.tif 000012
【００４７】
更に、ｐ（ｂj＝０）＋ｐ（ｂj＝１）＝１という関係から、式（１１）、式（１２）が成り立つ。
【００４８】
【数１１】
2020156094.tif 000013
【００４９】
【数１２】
2020156094.tif 000014
【００５０】
これを用いると、式（１３）となり、式（８）は式（１４）となる。
【００５１】
【数１３】
2020156094.tif 000015
【００５２】
【数１４】
2020156094.tif 000016
【００５３】
ここで、式（１４）と同様な式が、ｐ（Ｓk｜ｂi＝１）についても成り立つ。
式（７）、式（１４）より、式（６）は式（１５）となる。なお、Σの条件にあるように、分子のＳk（ｂi）は０となり、分母のＳk（ｂi）は１となる。
【００５４】
【数１５】
2020156094.tif 000017
【００５５】
以上のことから、ＢＩＣＭ−ＩＤにおける繰り返し処理を行うにあたり、デマッピング部２１４では、シンボル点とその点に割り当てられるビット毎にエクスポネンシャル（ｅｘｐｏｎｅｎｔｉａｌ）演算と総和演算を行い、それらを分母・分子それぞれで求め、更にそれを対数演算することになる。
次に、bit-reduction decoder２１５における処理について説明する。
【００５６】
bit-reduction decoder２１５は、デマッピング部２１４で算出したビット数削減後の
ＬＬＲを復号部２１７で必要とするビット数削減前のＬＬＲに変換する処理と、復号部２１７で算出したビット数削減前のＬＬＲをデマッピング部２１４で必要とするビット数削減後のＬＬＲに変換する処理を行うことになる。
bit-reduction decoder２１５において、ビット削減前後のＬＬＲに変換する処理は、
図５の［＋］毎（ＸＯＲ部毎）に行うものであり、その［＋］に接続されているビットによって演算を行う。
【００５７】
ここで、図６に示すような構成において、各ビットをｕ1、ｕ2、ｕ3とし、各ビットの
ＬＬＲをＬ（ｕ1）、Ｌ（ｕ2）、Ｌ（ｕ3）として、Ｌ（ｕ1）とＬ（ｕ2）が与えられた
時のＬ（ｕ3）について考える。
まず、ｕ1について考える。
Ｌ（ｕ1）が与えられたとすると、式（１１）、式（１２）より、式（１６）、式（１
７）が成り立つ。
【００５８】
【数１６】
2020156094.tif 000018
【００５９】
【数１７】
2020156094.tif 000019
【００６０】
ｕ1＝０の場合は「＋１」、ｕ1＝１の場合は「−１」と対応付けると、ｕ1の期待値Ｅ
［ｕ1］は、式（１８）となる。
【００６１】
【数１８】
2020156094.tif 000020
【００６２】
図６において、ｕ3＝ｕ1［＋］ｕ2であり、Ｅ［ｕ3］＝Ｅ［ｕ1］Ｅ［ｕ2］となるため、式（１８）を代入すると、式（１９）となり、式（２０）となる。
【００６３】
【数１９】
2020156094.tif 000021
【００６４】
【数２０】
2020156094.tif 000022
【００６５】
以上では、ビットｕ1、ｕ2、ｕ3について考えたが、ｊ個の信号が接続されている場合
で一般化すると、式（２１）となり、例えば、図５において、Ｌ（ｂ7）を求める場合は
、Ｌ（ｍ3）、Ｌ（ｂ6）、Ｌ（ｂ5）を用いて、式（２２）となる。
【００６６】
【数２１】
2020156094.tif 000023
【００６７】
【数２２】
2020156094.tif 000024
【００６８】
なお、送信側で、ビット数の削減処理を行わない場合、上述の特別な処理を行わないことになる。
上述では、BICM-IDの動作について説明したが、反復検波を必ずしも実施しなければな
らない、ということではなく、検波を１回だけ行う、信号処理であってもよい。
＜送信装置＞
図７は、送信装置の構成図である。
【００６９】
送信装置７００は、誤り訂正符号化部７０２、制御情報生成部７０４、インターリーブ部７０６、マッピング部７０８、変調部７１０、無線部７１２を備える。
誤り訂正符号化部７０２は、制御信号、情報ビットを入力とし、制御信号に基づき、例えば、誤り訂正符号の符号長（ブロック長）、誤り訂正符号の符号化率を決定し、情報ビットに対して、決定した誤り訂正符号化方法に基づき、誤り訂正符号化を行い、誤り訂正符号化後のビットをインターリーブ部７０６へと出力する。
【００７０】
インターリーブ部７０６は、制御信号、符号化後のビットを入力とし、制御信号に基づき、インターリーブ方法を決定し、符号化後のビットをインターリーブ（並び替え）し、並び替え後のデータをマッピング部７０８へと出力する。
制御情報生成およびマッピング部７０４は、制御信号を入力とし、制御信号に基づき、受信装置が動作するための制御情報（例えば、送信装置が用いた誤り訂正方式、変調方式等の物理層に関する情報や、物理層以外の制御情報等）を生成し、この情報にマッピングを行い、制御情報信号を出力する。
【００７１】
マッピング部７０８は、制御信号、並び替え後のデータを入力とし、制御信号に基づき、マッピング方法を決定し、並び替え後のデータに対し、決定したマッピング方法でマッピングを行い、ベースバンド信号同相成分Ｉ、直交成分Ｑを出力する。マッピング部７０８が対応可能な変調方式としては、例えば、π／２シフトBPSK、QPSK、8PSK、(12,4)16APSK、(8,8)16APSK、32APSKがあるものとする。
【００７２】
なお、(12,4)16APSK、(8,8)16APSKの詳細、および、本実施の形態の特徴となるマッピ
ング方法の詳細については、後で詳しく説明する。
変調部７１０は、制御信号、制御情報信号、パイロット信号、ベースバンド信号を入力とし、制御信号に基づきフレーム構成を決定し、制御情報信号、パイロット信号、ベースバンド信号から、フレーム構成にしたがった変調信号を生成し、出力する。
【００７３】
無線部７１２は、変調信号を入力とし、例えば、ルートロールオフフィルタを用いた帯域制限、直交変調、周波数変換、増幅等の処理を行い、送信信号を生成し、送信信号は、アンテナから送信される。
＜信号点配置＞
次に、本実施の形態で重要となるマッピング部７０８が行う(12,4)16APSK、(8,8)16APSKのマッピングの信号点配置と各信号点へのビットの割り付け（ラベリング）について説明する。
【００７４】
図８に示すように、(12,4)16APSKマッピングの信号点は、ＩＱ平面において半径（振幅成分）の異なる２つの同心円に配置されている。本明細書では、これら同心円のうち、半径Ｒ2の大きい方の円を「外円」、半径Ｒ1の小さい方の円を「内円」と呼ぶ。半径Ｒ2と
半径Ｒ1の比を「半径比」（または「リング比」）と呼ぶ。なお、Ｒ1は実数、Ｒ2は実数
とし、Ｒ1＞０、Ｒ2＞０とする。また、Ｒ1＜Ｒ2となる。
【００７５】
また、外円の円周上に12個の信号点、内円の円周上に4個の信号点が配置されている。(12,4)16APSKの(12,4)は、外円、内円の順にそれぞれ12個、4個の信号点があることを意味する。
(12,4)16APSK の各信号点のIQ平面上の座標は次の通りである。
信号点1-1[0000]・・・（R2cos(π/4),R2sin(π/4)）
信号点1-2[1000]・・・（R2cos(5π/12),R2sin(5π/12)）
信号点1-3[1100]・・・（R1cos(π/4),R1sin(π/4)）
信号点1-4[0100]・・・（R2cos(π/12),R2sin(π/12)）
信号点2-1[0010]・・・（R2cos(3π/4),R2sin(3π/4)）
信号点2-2[1010]・・・（R2cos(7π/12),R2sin(7π/12)）
信号点2-3[1110]・・・（R1cos(3π/4),R1sin(3π/4)）
信号点2-4[0110]・・・（R2cos(11π/12),R2sin(11π/12)）
信号点3-1[0011]・・・（R2cos(-3π/4),R2sin(-3π/4)）
信号点3-2[1011]・・・（R2cos(-7π/12),R2sin(-7π/12)）
信号点3-3[1111]・・・（R1cos(-3π/4),R1sin(-3π/4)）
信号点3-4[0111]・・・（R2cos(-11π/12),R2sin(-11π/12)）
信号点4-1[0001]・・・（R2cos(-π/4),R2sin(-π/4)）
信号点4-2[1001]・・・（R2cos(-5π/12),R2sin(-5π/12)）
信号点4-3[1101]・・・（R1cos(-π/4),R1sin(-π/4)）
信号点4-4[0101]・・・（R2cos(-π/12),R2sin(-π/12)）
なお、位相について、単位はラジアンを用いている。したがって、例えば、R2cos(π/4)
において、π/4の単位はラジアンである。以降についても、位相の単位はラジアンとする。
【００７６】
また、例えば、上記で、
信号点1-1[0000]・・・（R2cos(π/4),R2sin(π/4)）
と記載しているが、マッピング部７０８の入力となるデータにおいて、４つのビット[b3b2b1b0]＝[0000]のとき、マッピング後のベースバンド信号の同相成分I、直交成分Qが、（I,Q）= （R2cos(π/4),R2sin(π/4)）となることを意味している。もう一つの例で、
信号点4-4[0101]・・・（R2cos(-π/12),R2sin(-π/12)）
と記載しているが、マッピング部７０８の入力となるデータにおいて、４つのビット[b3b2b1b0]＝[0101]のとき、マッピング後のベースバンド信号の同相成分I、直交成分Qが、（I,Q）= （R2cos(-π/12),R2sin(-π/12)）となることを意味している。
【００７７】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
図９に示すように、(8,8)16APSKマッピングの信号点は、ＩＱ平面において半径（振幅
成分）の異なる２つの同心円に配置されている。外円の円周上に8個の信号点、内円の円
周上に8個の信号点が配置されている。(8,8)16APSKの(8,8)は、外円、内円の順にそれぞ
れ8個ずつの信号点があることを意味する。また、(12,4)16APSKのときと同様に、同心円
のうち、半径Ｒ2の大きい方の円を「外円」、半径Ｒ1の小さい方の円を「内円」と呼ぶ。半径Ｒ2と半径Ｒ1の比を「半径比」（または「リング比」）と呼ぶ。なお、Ｒ1は実数、
Ｒ2は実数とし、Ｒ1＞０、Ｒ2＞０とする。Ｒ1＜Ｒ2となる。
【００７８】
(8,8)16APSK の各信号点のIQ平面上の座標は次の通りである。
信号点1-1[0000]・・・（R1cos(π/8),R1sin(π/8)）
信号点1-2[0010]・・・（R1cos(3π/8),R1sin(3π/8)）
信号点1-3[0110]・・・（R1cos(5π/8),R1sin(5π/8)）
信号点1-4[0100]・・・（R1cos(7π/8),R1sin(7π/8)）
信号点1-5[1100]・・・（R1cos(-7π/8),R1sin(-7π/8)）
信号点1-6[1110]・・・（R1cos(-5π/8),R1sin(-5π/8)）
信号点1-7[1010]・・・（R1cos(-3π/8),R1sin(-3π/8)）
信号点1-8[1000]・・・（R1cos(-π/8),R1sin(-π/8)）
信号点2-1[0001]・・・（R2cos(π/8),R2sin(π/8)）
信号点2-2[0011]・・・（R2cos(3π/8),R2sin(3π/8)）
信号点2-3[0111]・・・（R2cos(5π/8),R2sin(5π/8)）
信号点2-4[0101]・・・（R2cos(7π/8),R2sin(7π/8)）
信号点2-5[1101]・・・（R2cos(-7π/8),R2sin(-7π/8)）
信号点2-6[1111]・・・（R2cos(-5π/8),R2sin(-5π/8)）
信号点2-7[1011]・・・（R2cos(-3π/8),R2sin(-3π/8)）
信号点2-8[1001]・・・（R2cos(-π/8),R2sin(-π/8)）
なお、例えば、上記で、
信号点1-1[0000]・・・（R1cos(π/8),R1sin(π/8)）
と記載しているが、マッピング部７０８の入力となるデータにおいて、４つのビット[b3b2b1b0]＝[0000]のとき、マッピング後のベースバンド信号の同相成分I、直交成分Qが、（I,Q）= （R1cos(π/8),R1sin(π/8)）となることを意味している。もう一つの例で、
信号点2-8[1001]・・・（R2cos(-π/8),R2sin(-π/8)）
と記載しているが、マッピング部７０８の入力となるデータにおいて、４つのビット[b3b2b1b0]＝[1001]のとき、マッピング後のベースバンド信号の同相成分I、直交成分Qが、（I,Q）= （R2cos(-π/8),R2sin(-π/8)）となることを意味している。
【００７９】
この点については、信号点1-1、信号点1-2、信号点1-3、信号点1-4、信号点1-5、信号
点1-6、信号点1-7、信号点1-8、信号点2-1、信号点2-2、信号点2-3、信号点2-4、信号点2-5、信号点2-6、信号点2-7、信号点2-8についてすべて同様となる。
＜送信出力＞
上述した２種類の変調方式における送信出力を同一にするために、次のような正規化係数を用いることがある。
【００８０】
【数２３】
2020156094.tif 000025
【００８１】
【数２４】
2020156094.tif 000026
【００８２】
なお、a(12,4)は(12,4)16APSKの正規化係数であり、a(8,8)は(8,8)16APSKの係数である。
正規化前のベースバンド信号の同相成分をIb、直交成分をQbとする。そして、正規化後のベースバンド信号の同相成分をIn、直交成分をQnとする。すると、変調方式が(12,4)16APSKのとき、（In, Qn）=（a(12,4)×Ib, a(12,4)×Qb）が成立し、変調方式が(8,8)16APSKのとき、（In, Qn）=（a(8,8)×Ib, a(8,8)×Qb）が成立する。
【００８３】
なお、(12,4)16APSKのとき、正規化前のベースバンド信号の同相成分をIb、直交成分をQbは、図８に基づきマッピングすることにより得られたマッピング後のベースバンド信号の同相成分I、直交成分Qとなる。したがって、(12,4)16APSKのとき、以下の関係が成立する。
信号点1-1[0000]・・・（In, Qn）=（a(12,4)×R2×cos(π/4), a(12,4)×R2×sin(π/4)）
信号点1-2[1000]・・・（In, Qn）=（a(12,4)×R2×cos(5π/12), a(12,4)×R2×sin(5π/12)）
信号点1-3[1100]・・・（In, Qn）=（a(12,4)×R1×cos(π/4), a(12,4)×R1×sin(π/4)）
信号点1-4[0100]・・・（In, Qn）=（a(12,4)×R2×cos(π/12), a(12,4)×R2×sin(π/12)）
信号点2-1[0010]・・・（In, Qn）=（a(12,4)×R2×cos(3π/4), a(12,4)×R2×sin(3
π/4)）
信号点2-2[1010]・・・（In, Qn）=（a(12,4)×R2×cos(7π/12), a(12,4)×R2×sin(7π/12)）
信号点2-3[1110]・・・（In, Qn）=（a(12,4)×R1×cos(3π/4), a(12,4)×R1×sin(3
π/4)）
信号点2-4[0110]・・・（In, Qn）=（a(12,4)×R2×cos(11π/12), a(12,4)×R2×sin(11π/12)）
信号点3-1[0011]・・・（In, Qn）=（a(12,4)×R2×cos(-3π/4), a(12,4)×R2×sin(-3π/4)）
信号点3-2[1011]・・・（In, Qn）=（a(12,4)×R2×cos(-7π/12), a(12,4)×R2×sin(-7π/12)）
信号点3-3[1111]・・・（In, Qn）=（a(12,4)×R1×cos(-3π/4), a(12,4)×R1×sin(-3π/4)）
信号点3-4[0111]・・・（In, Qn）=（a(12,4)×R2×cos(-11π/12), a(12,4)×R2×sin(-11π/12)）
信号点4-1[0001]・・・（In, Qn）=（a(12,4)×R2×cos(-π/4), a(12,4)×R2×sin(-
π/4)）
信号点4-2[1001]・・・（In, Qn）=（a(12,4)×R2×cos(-5π/12), a(12,4)×R2×sin(-5π/12)）
信号点4-3[1101]・・・（In, Qn）=（a(12,4)×R1×cos(-π/4), a(12,4)×R1×sin(-
π/4)）
信号点4-4[0101]・・・（In, Qn）=（a(12,4)×R2×cos(-π/12), a(12,4)×R2×sin(-π/12)）
また、例えば、上記で、
信号点1-1[0000]・・・（In, Qn）=（a(12,4)×R2×cos(π/4), a(12,4)×R2×sin(π/4)）
と記載しているが、マッピング部７０８の入力となるデータにおいて、４つのビット[b3b2b1b0]＝[0000]のとき、（In, Qn）=（a(12,4)×R2×cos(π/4), a(12,4)×R2×sin(π/4)）となることを意味している。もう一つの例で、
信号点4-4[0101]・・・（In, Qn）=（a(12,4)×R2×cos(-π/12), a(12,4)×R2×sin(-π/12)）
と記載しているが、マッピング部７０８の入力となるデータにおいて、４つのビット[b3b2b1b0]＝[0101]のとき、（In, Qn）=（a(12,4)×R2×cos(-π/12), a(12,4)×R2×sin(-
π/12)）となることを意味している。
【００８４】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
そして、マッピング部７０８は、上述で説明したIn、Qnをベースバンド信号同相成分、直交成分として出力することになる。
同様に、(8,8)16APSKのとき、正規化前のベースバンド信号の同相成分をIb、直交成分
をQbは、図９に基づきマッピングすることにより得られたマッピング後のベースバンド信号の同相成分I、直交成分Qとなる。したがって、(8,8)16APSKのとき、以下の関係が成立
する。
【００８５】
信号点1-1[0000]・・・（In, Qn）=（a(8,8)×R1×cos(π/8), a(8,8)×R1×sin(π/8)）
信号点1-2[0010]・・・（In, Qn）=（a(8,8)×R1×cos(3π/8), a(8,8)×R1×sin(3π/8)）
信号点1-3[0110]・・・（In, Qn）=（a(8,8)×R1×cos(5π/8), a(8,8)×R1×sin(5π/8)）
信号点1-4[0100]・・・（In, Qn）=（a(8,8)×R1×cos(7π/8), a(8,8)×R1×sin(7π/8)）
信号点1-5[1100]・・・（In, Qn）=（a(8,8)×R1×cos(-7π/8), a(8,8)×R1×sin(-7
π/8)）
信号点1-6[1110]・・・（In, Qn）=（a(8,8)×R1×cos(-5π/8), a(8,8)×R1×sin(-5
π/8)）
信号点1-7[1010]・・・（In, Qn）=（a(8,8)×R1×cos(-3π/8), a(8,8)×R1×sin(-3
π/8)）
信号点1-8[1000]・・・（In, Qn）=（a(8,8)×R1×cos(-π/8), a(8,8)×R1×sin(-π/8)）
信号点2-1[0001]・・・（In, Qn）=（a(8,8)×R2×cos(π/8), a(8,8)×R2×sin(π/8)）
信号点2-2[0011]・・・（In, Qn）=（a(8,8)×R2×cos(3π/8), a(8,8)×R2×sin(3π/8)）
信号点2-3[0111]・・・（In, Qn）=（a(8,8)×R2×cos(5π/8), a(8,8)×R2×sin(5π/8)）
信号点2-4[0101]・・・（In, Qn）=（a(8,8)×R2×cos(7π/8), a(8,8)×R2×sin(7π/8)）
信号点2-5[1101]・・・（In, Qn）=（a(8,8)×R2×cos(-7π/8), a(8,8)×R2×sin(-7
π/8)）
信号点2-6[1111]・・・（In, Qn）=（a(8,8)×R2×cos(-5π/8), a(8,8)×R2×sin(-5
π/8)）
信号点2-7[1011]・・・（In, Qn）=（a(8,8)×R2×cos(-3π/8), a(8,8)×R2×sin(-3
π/8)）
信号点2-8[1001]・・・（In, Qn）=（a(8,8)×R2×cos(-π/8), a(8,8)×R2×sin(-π/8)）
なお、例えば、上記で、
信号点1-1[0000]・・・（In, Qn）=（a(8,8)×R1×cos(π/8), a(8,8)×R1×sin(π/8)）
と記載しているが、マッピング部７０８の入力となるデータにおいて、４つのビット[b3b2b1b0]＝[0000]のとき、（In, Qn）=（a(8,8)×R1×cos(π/8), a(8,8)×R1×sin(π/8)
）となることを意味している。もう一つの例で、
信号点2-8[1001]・・・（In, Qn）=（a(8,8)×R2×cos(-π/8), a(8,8)×R2×sin(-π/8)）
と記載しているが、マッピング部７０８の入力となるデータにおいて、４つのビット[b3b2b1b0]＝[1001]のとき、（In, Qn）=（a(8,8)×R2×cos(-π/8), a(8,8)×R2×sin(-π/8)）となることを意味している。
【００８６】
この点については、信号点1-1、信号点1-2、信号点1-3、信号点1-4、信号点1-5、信号
点1-6、信号点1-7、信号点1-8、信号点2-1、信号点2-2、信号点2-3、信号点2-4、信号点2-5、信号点2-6、信号点2-7、信号点2-8についてすべて同様となる。
そして、マッピング部７０８は、上述で説明したIn、Qnをベースバンド信号同相成分、直交成分として出力することになる。
＜変調信号のフレーム構成＞
次に、高度広帯域衛星デジタル放送に本実施の形態を適用した場合の変調信号のフレーム構成について説明する。
【００８７】
図１０は、変調信号の生成に関するブロック図である。図１１は、変調信号のフレーム構成である。
なお、図１０の変調信号生成に関するブロックは、図７の誤り訂正符号化部７０２、制御情報生成およびマッピング部７０４、インターリーブ部７０６、マッピング部７０８を統合して、描き直したものである。
【００８８】
ＴＭＣＣ（Transmission and Multiplexing Configuration Control）信号は、複数の
伝送モード(変調方式・誤り訂正符号化率)など伝送や多重に関する制御を行う制御信号である。また、ＴＭＣＣ信号は、各シンボル（または複数のシンボルにより構成されるスロット）毎の変調方式の割り当てを示す。
図１０の選択部１００１は、変調波出力のシンボル列が、図１１に示す並びとなるよう、接点１および接点２を切り替える。具体的には、以下に列挙するように切り換える。
【００８９】
同期送出時：接点1=d,接点2=e
パイロット送出時：接点1=c,接点2=スロット（またはシンボル）に割り当てられた変調方式によりa~e 選択（なお、本発明の重要な点として、特にシンボル毎にb1,b2を交互に
選択する場合がある。この点については、後で詳しく説明する。）
ＴＭＣＣ送出時：接点1=b,接点2=e
データ送出時：接点1=a,接点2=スロット（またはシンボル）に割り当てられた変調方式によりa~e 選択（なお、本発明の重要な点として、特にシンボル毎にb1,b2を交互に（あ
るいは、規則的に）選択する場合がある。この点については、後で詳しく説明する。）
なお、図１１に示す並びとなるようにするための情報は、図１０の制御信号に含まれているものとする。
【００９０】
インターリーブ部７０６は、制御信号の情報に基づき、ビットインターリーブ（ビットの並び替え）を行う。
マッピング部７０８は、制御信号の情報に基づき、選択部１００１により選択された方式によりマッピングを行う。
変調部７１０は、制御信号の情報に基づき、時分割多重・直交変調、ルートロールオフフィルタに依る帯域制限等の処理を行い、変調波を出力する。
【００９１】
＜本発明に関するデータシンボルの例＞
上述で説明したように、高度広帯域衛星デジタル放送では、同相Ｉ―直交Q平面におい
て、１６個の信号点、つまり、１シンボルにより、４ビットを伝送する変調方式として、(12,4)16APSKを採用している。その理由の一つとして、(12,4)16APSKのPAPRが、例えば、16QAMのPAPR, (8,8)16APSKのPAPRより小さく、放送局、つまり、衛星から送信する電波の平均送信電力を大きくすることができるという利点があるからである。よって、(12,4)16APSKは、16QAM、(8,8)16APSKより、BER特性が悪いが、平均送信電力を大きく設定できる点を考慮すると、受信可能なエリアを広く確保できる可能性が高い。
（この点については、上述で説明したとおりである。）
したがって、同相Ｉ―直交Q平面において、１６個の信号点をもつ変調方式（または、
送信方法）として、PAPRが小さく、BER特性がよいものであれば、受信可能なエリアを広
く確保できる可能性が高い。本発明は、この点に基づく発明である。（なお、「BER特性
がよい」とは、あるSNRにおいて、より小さいBERとなることに相当する。）
本発明の一つであるデータシンボルの構成方法の骨子は以下のとおりである。
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
」
（ただし、以下で、この変形例について説明しているように、これを満たさない方法でも、上記のシンボル配置例と同様の効果を得ることができる送信方法はある。）
なお、この点について以下で具体的な例を説明する。
図１１で示したData#7855の136シンボルは、図１１で示しているように、時間軸方向に「第１番目のシンボル」「第２番目のシンボル」、「第３番目のシンボル」、・・・、「第１３５番目のシンボル」、「第１３６番目のシンボル」と並んでいるものとする。
【００９２】
このとき、奇数番目のシンボルは(12,4)16APSK、偶数番目のシンボルは(8,8)16APSKと
いう変調方式となるような構成をとるものとする。
この場合のデータシンボルの例を図１２に示す。図１２は、136シンボルのうちの6シンボル（「第51番目のシンボル」から「第56番目のシンボル」）を示している。図１２に示すように、(12,4)16APSK、(8,8)16APSK、(12,4)16APSK、(8,8)16APSK、(12,4)16APSK、(8,8)16APSKと隣接するシンボル間で２種類の変調方式が交互に用いられていることがわかる。
【００９３】
なお、図１２では、以下のとおりである。
「第51番目のシンボル」で伝送する４ビット[b3b2b1b0]＝[1100]であり、図１２に示すように●の信号点に相当するベースバンド信号の同相成分および直交成分を送信装置は送信する。（変調方式：(12,4)16APSK）
「第52番目のシンボル」で伝送する４ビット[b3b2b1b0]＝[0101]であり、図１２に示すように●の信号点に相当するベースバンド信号の同相成分および直交成分を送信装置は送信する。（変調方式：(8,8)16APSK）
「第53番目のシンボル」で伝送する４ビット[b3b2b1b0]＝[0011]であり、図１２に示すように●の信号点に相当するベースバンド信号の同相成分および直交成分を送信装置は送信する。（変調方式：(12,4)16APSK）
「第54番目のシンボル」で伝送する４ビット[b3b2b1b0]＝[0110]であり、図１２に示すように●の信号点に相当するベースバンド信号の同相成分および直交成分を送信装置は送信する。（変調方式：(8,8)16APSK）
「第55番目のシンボル」で伝送する４ビット[b3b2b1b0]＝[1001]であり、図１２に示すように●の信号点に相当するベースバンド信号の同相成分および直交成分を送信装置は送信する。（変調方式：(12,4)16APSK）
「第56番目のシンボル」で伝送する４ビット[b3b2b1b0]＝[0010]であり、図１２に示すように●の信号点に相当するベースバンド信号の同相成分および直交成分を送信装置は送信する。（変調方式：(8,8)16APSK）
なお、上述の例では、「奇数番目のシンボルは(12,4)16APSK、偶数番目のシンボルは(8,8)16APSKという変調方式となるような構成」で説明したが、「奇数番目のシンボルは(8,8)16APSK、偶数番目のシンボルは(12,4)16APSKという変調方式となるような構成」であってもよい。
【００９４】
これにより、PAPRが小さく、かつ、BER特性のよい、送信方法となり、平均送信電力を
大きく設定することができ、かつ、BER特性がよいので、受信可能なエリアを広く確保で
きる可能性が高い。
＜異なる変調方式のシンボルを交互に配置することの利点＞
本発明では、Ｉ−Ｑ平面において、１６個の信号点をもつ変調方式の中でも、特に、PAPRの小さい(12,4)16APSKとPAPRが若干大きい(8,8)16APSKにおいて、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
」ようにしている。
【００９５】
連続して(8,8)16APSKシンボルを配置した場合、 (8,8)16APSKシンボルが連続している
が故にPAPRが大きくなってしまう。しかし、連続しないようにするために、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
」とすると、(8,8)16APSKに関連する信号点が連続することがなくなるため、PAPRの小さ
い(12,4)16APSKの影響を受け、PAPRが抑圧されるという効果を得ることができる。
【００９６】
また、BER特性の点では、(12,4)16APSKが連続した場合、BICM（またはBICM-ID）の際、BER特性が悪いが、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
」とすることで、(8,8)16APSKのシンボル影響を受け、BER特性が改善するという効果も得ることができる。
【００９７】
特に、上記の小さいPAPRを得るためには、(12,4)16APSKのリング比、(8,8)16APSKのリ
ング比の設定が重要となる。
(12,4)16APSKのＩ−Ｑ平面における信号点をあらわすのに用いたＲ1とＲ2より、(12,4)16APSKのリング比Ｒ(12,4)をＲ(12,4)＝Ｒ2／Ｒ1とあらわすものとする。
同様に、(8,8)16APSKのＩ−Ｑ平面における信号点をあらわすのに用いたＲ1とＲ2より
、(8,8)16APSKのリング比Ｒ(8,8)をＲ(8,8)＝Ｒ2／Ｒ1とあらわすものとする。
【００９８】
このとき、「Ｒ(8,8)＜Ｒ(12,4)が成立すると、よりPAPRを小さくすることができる可
能性が高くなる」という効果を得ることができる。
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない
。」とした場合、ピーク電力を支配する可能性の高い変調方式は、(8,8)16APSKとなる。
このとき、(8,8)16APSKで発生するピーク電力は、Ｒ(8,8)が大きくなるにつれ、大きくなる可能性が高い。したがって、ピーク電力を大きくしないためには、Ｒ(8,8)を小さく設
定するとよいことになり、一方、(12,4)16APSKのＲ(12,4)は、BER特性がよくなる値に設
定すればよく自由度が高い。このため、Ｒ(8,8)＜Ｒ(12,4)という関係があるとよい可能
性が高くなる。
ただし、Ｒ(8,8)＞Ｒ(12,4)であっても、(8,8)16APSKのPAPRより小さくできるという効果は得られる。したがって、BER特性を良くすることに着眼した場合に、Ｒ(8,8)＞Ｒ(12,4)がよい場合もある。
上記、リング比の関係については、以下で説明する変形例（＜変調方式等の切換のパタ
ーン＞）の場合においても、同様である。
以上のように説明した実施の形態によれば、異なる変調方式のシンボルを交互に配置することで、PAPRが小さく、かつ、良好なデータの受信品質の提供に寄与することができる。
本発明の骨子は前述のように、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボル連続がする部分が存在しない。
」
である。以下では、受信装置が高いデータの受信品質を得ることができる可能性が高くなるための、(12,4)16APSKのラベリングと信号点配置、および、(8,8)16APSKのラベリング
と信号点配置について説明する。
＜(12,4)16APSKのラベリングと信号点配置について＞
［(12,4)16APSKのラベリングについて］
ここでは、(12,4)16APSKのラベリングについて説明を行う。なお、ラベリングとは、入力となる4ビット[b3b2b1b0]と同相Ｉ―直交Ｑ平面における信号点の配置の関係のことで
ある。図８に(12,4)16APSKのラベリングの例を示したが、以下の＜条件１＞かつ＜条件２＞を満たすラベリングであれば構わない。
【００９９】
説明のために、以下の定義を行う。
伝送する4ビットが[ba3ba2ba1ba0]のとき、同相Ｉ―直交Ｑ平面において信号点Aを与えるものとし、伝送する4ビットが[bb3bb2bb1bb0]のとき、同相Ｉ―直交Ｑ平面において信
号点Bを与えるものとする。このとき、
「ba3＝bb3かつba2＝bb2かつba1＝bb1かつba0＝bb0」のときラベリングの異なるビット数を０と定義する。
【０１００】
また、以下のように定義する。
「ba3≠bb3かつba2＝bb2かつba1＝bb1かつba0＝bb0」のときラベリングの異なるビット数を１と定義する。
「ba3＝bb3かつba2≠bb2かつba1＝bb1かつba0＝bb0」のときラベリングの異なるビット数を１と定義する。
【０１０１】
「ba3＝bb3かつba2＝bb2かつba1≠bb1かつba0＝bb0」のときラベリングの異なるビット数を１と定義する。
「ba3＝bb3かつba2＝bb2かつba1＝bb1かつba0≠bb0」のときラベリングの異なるビット数を１と定義する。
「ba3≠bb3かつba2≠bb2かつba1＝bb1かつba0＝bb0」のときラベリングの異なるビット数を２と定義する。
【０１０２】
「ba3≠bb3かつba2＝bb2かつba1≠bb1かつba0＝bb0」のときラベリングの異なるビット数を２と定義する。
「ba3≠bb3かつba2＝bb2かつba1＝bb1かつba0≠bb0」のときラベリングの異なるビット数を２と定義する。
「ba3＝bb3かつba2≠bb2かつba1≠bb1かつba0＝bb0」のときラベリングの異なるビット数を２と定義する。
【０１０３】
「ba3＝bb3かつba2≠bb2かつba1＝bb1かつba0≠bb0」のときラベリングの異なるビット
数を２と定義する。
「ba3＝bb3かつba2＝bb2かつba1≠bb1かつba0≠bb0」のときラベリングの異なるビット数を２と定義する。
「ba3＝bb3かつba2≠bb2かつba1≠bb1かつba0≠bb0」のときラベリングの異なるビット数を３と定義する。
【０１０４】
「ba3≠bb3かつba2＝bb2かつba1≠bb1かつba0≠bb0」のときラベリングの異なるビット数を３と定義する。
「ba3≠bb3かつba2≠bb2かつba1＝bb1かつba0≠bb0」のときラベリングの異なるビット数を３と定義する。
「ba3≠bb3かつba2≠bb2かつba1≠bb1かつba0＝bb0」のときラベリングの異なるビット数を３と定義する。
【０１０５】
「ba3≠bb3かつba2≠bb2かつba1≠bb1かつba0≠bb0」のときラベリングの異なるビット数を４と定義する。
そして、グループの定義を行う。図８の同相Ｉ―直交Ｑ平面における(12,4)16APSKのラベリングと信号点配置において、「信号点1-1、信号点1-2、信号点1-3、信号点1-4をグループ1」と定義する。同様に、「信号点2-1、信号点2-2、信号点2-3、信号点2-4をグループ2」、「信号点3-1、信号点3-2、信号点3-3、信号点3-4をグループ3」、「信号点4-1、信号点4-2、信号点4-3、信号点4-4をグループ4」と定義する。
【０１０６】
そして、以下の２つの条件を与える。
＜条件１＞：
Xは1,2,3,4であり、これを満たす、すべてのXで以下が成立する。
信号点X-1と信号点X-2のラベリングの異なるビット数は１
信号点X-2と信号点X-3のラベリングの異なるビット数は１
信号点X-3と信号点X-4のラベリングの異なるビット数は１
信号点X-4と信号点X-1のラベリングの異なるビット数は１
＜条件２＞：
外円については、
信号点1-2と信号点2-2のラベリングの異なるビット数は１
信号点3-2と信号点4-2のラベリングの異なるビット数は１
信号点1-4と信号点4-4のラベリングの異なるビット数は１
信号点2-4と信号点3-4のラベリングの異なるビット数は１
が成立し、内円については、
信号点1-3と信号点2-3のラベリングの異なるビット数は１
信号点2-3と信号点3-3のラベリングの異なるビット数は１
信号点3-3と信号点4-3のラベリングの異なるビット数は１
信号点4-3と信号点1-3のラベリングの異なるビット数は１
が成立する。
【０１０７】
以上をみたすことで、同相Ｉ―直交Q平面において、各信号点にとって近い距離にある
信号点とのラベリングの異なるビット数が小さいため、受信装置は高いデータの受信品質を得ることができる可能性が高くなる。そして、これにより、受信装置が反復検波を行った際、高いデータの受信品質を得ることができる可能性が高くなる。
［(12,4)16APSKの信号点配置について］
上述では、図１４の同相Ｉ―直交Ｑ平面における信号点配置とラベリングについて説明したが、同相Ｉ―直交Ｑ平面における信号点配置とラベリングの方法はこれに限ったものではない。例えば、(12,4)16APSK の各信号点のIQ平面上の座標、ラベリングとして、以
下のものを考える。
【０１０８】
信号点1-1のIQ平面上の座標：（cosθ×R2×cos(π/4)-sinθ×R2×sin(π/4), sinθ
×R2×cos(π/4)+ cosθ×R2×sin(π/4) ）
信号点1-2のIQ平面上の座標：（cosθ×R2×cos(5π/12)-sinθ×R2×sin(5π/12), sinθ×R2×cos(5π/12)+ cosθ×R2×sin(5π/12) ）
信号点1-3のIQ平面上の座標：（cosθ×R1×cos(π/4)-sinθ×R1×sin(π/4), sinθ
×R1×cos(π/4)+ cosθ×R1×sin(π/4) ）
信号点1-4のIQ平面上の座標：（cosθ×R2×cos(π/12)-sinθ×R2×sin(π/12), sin
θ×R2×cos(π/12)+ cosθ×R2×sin(π/12) ）
信号点2-1のIQ平面上の座標：（cosθ×R2×cos(3π/4)-sinθ×R2×sin(3π/4), sin
θ×R2×cos(3π/4)+ cosθ× R2×sin(3π/4)）
信号点2-2のIQ平面上の座標：（cosθR2×cos(7π/12)×-sinθ×R2×sin(7π/12), sinθ×R2×cos(7π/12)+ cosθ× R2×sin(7π/12)）
信号点2-3のIQ平面上の座標：（cosθ×R1×cos(3π/4)-sinθ×R1×sin(3π/4), sin
θ×R1×cos(3π/4)+ cosθ× R1×sin(3π/4)）
信号点2-4のIQ平面上の座標：（cosθ×R2×cos(11π/12)-sinθ×R2×sin(11π/12), sinθ×R2×cos(11π/12)+ cosθ×R2×sin(11π/12) ）
信号点3-1のIQ平面上の座標：（cosθ×R2×cos(-3π/4)-sinθ×R2×sin(-3π/4), sinθ×R2×cos(-3π/4)+ cosθ×R2×sin(-3π/4) ）
信号点3-2のIQ平面上の座標：（cosθ×R2×cos(-7π/12)-sinθ×R2×sin(-7π/12), sinθ×R2×cos(-7π/12)+ cosθ×R2×sin(-7π/12) ）
信号点3-3のIQ平面上の座標：（cosθ×R1×cos(-3π/4)-sinθ×R1×sin(-3π/4), sinθ×R1×cos(-3π/4)+ cosθ×R1×sin(-3π/4) ）
信号点3-4のIQ平面上の座標：（cosθ×R2×cos(-11π/12)-sinθ×R2×sin(-11π/12), sinθ×R2×cos(-11π/12)+ cosθ×R2×sin(-11π/12) ）
信号点4-1のIQ平面上の座標：（cosθ×R2×cos(-π/4)-sinθ×R2×sin(-π/4), sin
θ×R2×cos(-π/4)+ cosθ× R2×sin(-π/4)）
信号点4-2のIQ平面上の座標：（cosθ×R2×cos(-5π/12)-sinθ×R2×sin(-5π/12), sinθ×R2×cos(-5π/12)+ cosθ×R2×sin(-5π/12) ）
信号点4-3のIQ平面上の座標：（cosθ×R1×cos(-π/4)-sinθ×R1×sin(-π/4), sin
θ×R1×cos(-π/4)+ cosθ× R1×sin(-π/4)）
信号点4-4のIQ平面上の座標：（cosθ×R2×cos(-π/12)-sinθ×R2×sin(-π/12), sinθ×R2×cos(-π/12)+ cosθ× R2×sin(-π/12)）
なお、位相について、単位はラジアンを用いている。したがって、正規化後のベースバンド信号の同相成分をIn、直交成分をQnは以下のようにあらわされる。
【０１０９】
信号点1-1のIQ平面上の座標：（In, Qn）=（a(12,4)×cosθ×R2×cos(π/4)- a(12,4)×sinθ×R2×sin(π/4), a(12,4)×sinθ×R2×cos(π/4)+ a(12,4)×cosθ×R2×sin(
π/4) ）
信号点1-2のIQ平面上の座標：（In, Qn）=（a(12,4)×cosθ×R2×cos(5π/12)- a(12,4)×sinθ×R2×sin(5π/12), a(12,4)×sinθ×R2×cos(5π/12)+ a(12,4)×cosθ×R2
×sin(5π/12) ）
信号点1-3のIQ平面上の座標：（In, Qn）=（a(12,4)×cosθ×R1×cos(π/4)- a(12,4)×sinθ×R1×sin(π/4), a(12,4)×sinθ×R1×cos(π/4)+ a(12,4)×cosθ×R1×sin(
π/4) ）
信号点1-4のIQ平面上の座標：（In, Qn）=（a(12,4)×cosθ×R2×cos(π/12)- a(12,4
)×sinθ×R2×sin(π/12), a(12,4)×sinθ×R2×cos(π/12)+ a(12,4)× cosθ×R2×sin(π/12) ）
信号点2-1のIQ平面上の座標：（In, Qn）=（a(12,4)×cosθ×R2×cos(3π/4)- a(12,4)×sinθ×R2×sin(3π/4), a(12,4)×sinθ×R2×cos(3π/4)+ a(12,4)×cosθ× R2×sin(3π/4)）
信号点2-2のIQ平面上の座標：（In, Qn）=（a(12,4)×cosθR2×cos(7π/12)×- a(12,4)×sinθ×R2×sin(7π/12), a(12,4)×sinθ×R2×cos(7π/12)+ a(12,4)×cosθ× R2×sin(7π/12)）
信号点2-3のIQ平面上の座標：（In, Qn）=（a(12,4)×cosθ×R1×cos(3π/4)- a(12,4)×sinθ×R1×sin(3π/4), a(12,4)×sinθ×R1×cos(3π/4)+ a(12,4)×cosθ× R1×sin(3π/4)）
信号点2-4のIQ平面上の座標：（In, Qn）=（a(12,4)×cosθ×R2×cos(11π/12)- a(12,4)×sinθ×R2×sin(11π/12), a(12,4)×sinθ×R2×cos(11π/12)+ a(12,4)×cosθ×R2×sin(11π/12) ）
信号点3-1のIQ平面上の座標：（In, Qn）=（a(12,4)×cosθ×R2×cos(-3π/4)- a(12,4)×sinθ×R2×sin(-3π/4), a(12,4)×sinθ×R2×cos(-3π/4)+ a(12,4)×cosθ×R2
×sin(-3π/4) ）
信号点3-2のIQ平面上の座標：（In, Qn）=（a(12,4)×cosθ×R2×cos(-7π/12)- a(12,4)×sinθ×R2×sin(-7π/12), a(12,4)×sinθ×R2×cos(-7π/12)+ a(12,4)×cosθ×R2×sin(-7π/12) ）
信号点3-3のIQ平面上の座標：（In, Qn）=（a(12,4)×cosθ×R1×cos(-3π/4)- a(12,4)×sinθ×R1×sin(-3π/4), a(12,4)×sinθ×R1×cos(-3π/4)+ a(12,4)×cosθ×R1
×sin(-3π/4) ）
信号点3-4のIQ平面上の座標：（In, Qn）=（a(12,4)×cosθ×R2×cos(-11π/12)- a(12,4)×sinθ×R2×sin(-11π/12), a(12,4)×sinθ×R2×cos(-11π/12)+ a(12,4)×cos
θ×R2×sin(-11π/12) ）
信号点4-1のIQ平面上の座標：（In, Qn）=（a(12,4)×cosθ×R2×cos(-π/4)- a(12,4)×sinθ×R2×sin(-π/4), a(12,4)×sinθ×R2×cos(-π/4)+ a(12,4)×cosθ× R2×sin(-π/4)）
信号点4-2のIQ平面上の座標：（In, Qn）=（a(12,4)×cosθ×R2×cos(-5π/12)- a(12,4)×sinθ×R2×sin(-5π/12), a(12,4)×sinθ×R2×cos(-5π/12)+ a(12,4)×cosθ×R2×sin(-5π/12) ）
信号点4-3のIQ平面上の座標：（In, Qn）=（a(12,4)×cosθ×R1×cos(-π/4)- a(12,4)×sinθ×R1×sin(-π/4), a(12,4)×sinθ×R1×cos(-π/4)+ a(12,4)× cosθ× R1×sin(-π/4)）
信号点4-4のIQ平面上の座標：（In, Qn）=（a(12,4)×cosθ×R2×cos(-π/12)- a(12,4)×sinθ×R2×sin(-π/12), a(12,4)×sinθ×R2×cos(-π/12)+ a(12,4)×cosθ× R2×sin(-π/12)）
なお、θは、同相Ｉ―直交Ｑ平面上で与える位相であり、a(12,4)は式（２３）に示し
たとおりである。そして、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない
。」方式において、(12,4)16APSK の各信号点のIQ平面上の座標が上述で与えられ、かつ
、＜条件１＞および＜条件２＞を満たす(12,4)16APSKであってもよい。
【０１１０】
上記を満たす、一例として、(12,4)16APSKの信号点配置およびラベリングの例を図１５に示す。図１５は、図１４に対して、すべての信号点をπ／６ラジアン回転したものであり、θ＝π／６ラジアンとなる。
＜(8,8)16APSKのラベリングと信号点配置について＞
［(8,8)16APSKのラベリングについて］
ここでは、(8,8)16APSKのラベリングについて説明を行う。図９に(8,8)16APSKのラベリングの例を示したが、以下の＜条件３＞かつ＜条件４＞を満たすラベリングであれば構わない。
【０１１１】
説明のために、以下の定義を行う。
図１６に示すように、内円の円周上の８点の信号点「信号点1-1、信号点1-2、信号点1-3、信号点1-4、信号点1-5、信号点1-6、信号点1-7、信号点1-8」をグループ１と定義する。そして、外円の円周上の８点の信号点「信号点2-1、信号点2-2、信号点2-3、信号点2-4、信号点2-5、信号点2-6、信号点2-7、信号点2-8」をグループ２と定義する。
【０１１２】
そして、以下の２つの条件を与える。
＜条件３＞：
Xは1,2であり、これを満たす、すべてのXで以下が成立する。
信号点X-1と信号点X-2のラベリングの異なるビット数は１
信号点X-2と信号点X-3のラベリングの異なるビット数は１
信号点X-3と信号点X-4のラベリングの異なるビット数は１
信号点X-4と信号点X-5のラベリングの異なるビット数は１
信号点X-5と信号点X-6のラベリングの異なるビット数は１
信号点X-6と信号点X-7のラベリングの異なるビット数は１
信号点X-7と信号点X-8のラベリングの異なるビット数は１
信号点X-8と信号点X-1のラベリングの異なるビット数は１
なお、ラベリングの異なるビット数の定義については、上述で説明したとおりである。
＜条件４＞：
Zは1,2,3,4,5,6,7,8であり、これを満たす、すべてのZで以下が成立する。
信号点1-Zと信号点2-Zのラベリングの異なるビット数は１
以上をみたすことで、同相Ｉ―直交Q平面において、各信号点にとって近い距離にある
信号点とのラベリングの異なるビット数が小さいため、受信装置は高いデータの受信品質を得ることができる可能性が高くなる。そして、これにより、受信装置が反復検波を行った際、高いデータの受信品質を得ることができる可能性が高くなる。
［(8,8)16APSKの信号点配置について］
上述では、図１６の同相Ｉ―直交Ｑ平面における信号点配置とラベリングについて説明したが、同相Ｉ―直交Ｑ平面における信号点配置とラベリングの方法はこれに限ったものではない。例えば、(8,8)16APSK の各信号点のIQ平面上の座標、ラベリングとして、以下のものを考える。
【０１１３】
信号点1-1のIQ平面上の座標：（cosθ×R1×cos(π/8)-sinθ×R1×sin(π/8), sinθ
×R1×cos(π/8)+ cosθ×R1×sin(π/8)）
信号点1-2のIQ平面上の座標：（cosθ×R1×cos(3π/8)-sinθ×R1×sin(3π/8), sin
θ×R1×cos(3π/8)+ cosθ×R1×sin(3π/8)）
信号点1-3のIQ平面上の座標：（cosθ×R1×cos(5π/8)-sinθ×R1×sin(5π/8), sin
θ×R1×cos(5π/8)+ cosθ×R1×sin(5π/8)）
信号点1-4のIQ平面上の座標：（cosθ×R1×cos(7π/8)-sinθ×R1×sin(7π/8), sin
θ×R1×cos(7π/8)+ cosθ×R1×sin(7π/8)）
信号点1-5のIQ平面上の座標：（cosθ×R1×cos(-7π/8)-sinθ×R1×sin(-7π/8), sinθ×R1×cos(-7π/8)+ cosθ×R1×sin(-7π/8)）
信号点1-6のIQ平面上の座標：（cosθ×R1×cos(-5π/8)-sinθ×R1×sin(-5π/8), sinθ×R1×cos(-5π/8)+ cosθ×R1×sin(-5π/8)）
信号点1-7のIQ平面上の座標：（cosθ×R1×cos(-3π/8)-sinθ×R1×sin(-3π/8), sinθ×R1×cos(-3π/8)+ cosθ×R1×sin(-3π/8)）
信号点1-8のIQ平面上の座標：（cosθ×R1×cos(-π/8)-sinθ×R1×sin(-π/8), sin
θ×R1×cos(-π/8)+ cosθ×R1×sin(-π/8)）
信号点2-1のIQ平面上の座標：（cosθ×R2×cos(π/8)-sinθ×R2×sin(π/8), sinθ
×R2×cos(π/8)+ cosθ×R2×sin(π/8)）
信号点2-2のIQ平面上の座標：（cosθ×R2×cos(3π/8)-sinθ×R2×sin(3π/8), sin
θ×R2×cos(3π/8)+ cosθ×R2×sin(3π/8)）
信号点2-3のIQ平面上の座標：（cosθ×R2×cos(5π/8)-sinθ×R2×sin(5π/8), sin
θ×R2×cos(5π/8)+ cosθ×R2×sin(5π/8)）
信号点2-4のIQ平面上の座標：（cosθ×R2×cos(7π/8)-sinθ×R2×sin(7π/8), sin
θ×R2×cos(7π/8)+ cosθ×R2×sin(7π/8)）
信号点2-5のIQ平面上の座標：（cosθ×R2×cos(-7π/8)-sinθ×R2×sin(-7π/8), sinθ×R2×cos(-7π/8)+ cosθ×R2×sin(-7π/8)）
信号点2-6のIQ平面上の座標：（cosθ×R2×cos(-5π/8)-sinθ×R2×sin(-5π/8), sinθ×R2×cos(-5π/8)+ cosθ×R2×sin(-5π/8)）
信号点2-7のIQ平面上の座標：（cosθ×R2×cos(-3π/8)-sinθ×R2×sin(-3π/8), sinθ×R2×cos(-3π/8)+ cosθ×R2×sin(-3π/8)）
信号点2-8のIQ平面上の座標：（cosθ×R2×cos(-π/8)-sinθ×R2×sin(-π/8), sin
θ×R2×cos(-π/8)+ cosθ×R2×sin(-π/8)）
なお、位相について、単位はラジアンを用いている。したがって、正規化後のベースバンド信号の同相成分をIn、直交成分をQnは以下のようにあらわされる。
【０１１４】
信号点1-1のIQ平面上の座標：（In, Qn）=（a(8,8)×cosθ×R1×cos(π/8)- a(8,8)×sinθ×R1×sin(π/8), a(8,8)×sinθ×R1×cos(π/8)+ a(8,8)×cosθ×R1×sin(π/8)）
信号点1-2のIQ平面上の座標：（In, Qn）=（a(8,8)×cosθ×R1×cos(3π/8)- a(8,8)
×sinθ×R1×sin(3π/8), a(8,8)×sinθ×R1×cos(3π/8)+a(8,8)×cosθ×R1×sin(3
π/8)）
信号点1-3のIQ平面上の座標：（In, Qn）=（a(8,8)×cosθ×R1×cos(5π/8)- a(8,8)
×sinθ×R1×sin(5π/8), a(8,8)×sinθ×R1×cos(5π/8)+ a(8,8)×cosθ×R1×sin(5π/8)）
信号点1-4のIQ平面上の座標：（In, Qn）=（a(8,8)×cosθ×R1×cos(7π/8)- a(8,8)
×sinθ×R1×sin(7π/8), a(8,8)×sinθ×R1×cos(7π/8)+ a(8,8)×cosθ×R1×sin(7π/8)）
信号点1-5のIQ平面上の座標：（In, Qn）=（a(8,8)×cosθ×R1×cos(-7π/8)- a(8,8)×sinθ×R1×sin(-7π/8), a(8,8)×sinθ×R1×cos(-7π/8)+ a(8,8)×cosθ×R1×sin(-7π/8)）
信号点1-6のIQ平面上の座標：（In, Qn）=（a(8,8)×cosθ×R1×cos(-5π/8)- a(8,8)×sinθ×R1×sin(-5π/8), a(8,8)×sinθ×R1×cos(-5π/8)+ a(8,8)×cosθ×R1×sin(-5π/8)）
信号点1-7のIQ平面上の座標：（In, Qn）=（a(8,8)×cosθ×R1×cos(-3π/8)- a(8,8)×sinθ×R1×sin(-3π/8), a(8,8)×sinθ×R1×cos(-3π/8)+ a(8,8)×cosθ×R1×sin(-3π/8)）
信号点1-8のIQ平面上の座標：（In, Qn）=（a(8,8)×cosθ×R1×cos(-π/8)- a(8,8)
×sinθ×R1×sin(-π/8), a(8,8)×sinθ×R1×cos(-π/8)+ a(8,8)×cosθ×R1×sin(-π/8)）
信号点2-1のIQ平面上の座標：（In, Qn）=（a(8,8)×cosθ×R2×cos(π/8)- a(8,8)×sinθ×R2×sin(π/8), a(8,8)×sinθ×R2×cos(π/8)+ a(8,8)×cosθ×R2×sin(π/8)）
信号点2-2のIQ平面上の座標：（In, Qn）=（a(8,8)×cosθ×R2×cos(3π/8)- a(8,8)
×sinθ×R2×sin(3π/8), a(8,8)×sinθ×R2×cos(3π/8)+ a(8,8)×cosθ×R2×sin(3π/8)）
信号点2-3のIQ平面上の座標：（In, Qn）=（a(8,8)×cosθ×R2×cos(5π/8)- a(8,8)
×sinθ×R2×sin(5π/8), a(8,8)×sinθ×R2×cos(5π/8)+ a(8,8)×cosθ×R2×sin(5π/8)）
信号点2-4のIQ平面上の座標：（In, Qn）=（a(8,8)×cosθ×R2×cos(7π/8)- a(8,8)
×sinθ×R2×sin(7π/8), a(8,8)×sinθ×R2×cos(7π/8)+ a(8,8)×cosθ×R2×sin(7π/8)）
信号点2-5のIQ平面上の座標：（In, Qn）=（a(8,8)×cosθ×R2×cos(-7π/8)- a(8,8)×sinθ×R2×sin(-7π/8), a(8,8)×sinθ×R2×cos(-7π/8)+ a(8,8)×cosθ×R2×sin(-7π/8)）
信号点2-6のIQ平面上の座標：（In, Qn）=（a(8,8)×cosθ×R2×cos(-5π/8)- a(8,8)×sinθ×R2×sin(-5π/8), a(8,8)×sinθ×R2×cos(-5π/8)+ a(8,8)×cosθ×R2×sin(-5π/8)）
信号点2-7のIQ平面上の座標：（In, Qn）=（a(8,8)×cosθ×R2×cos(-3π/8)- a(8,8)×sinθ×R2×sin(-3π/8), a(8,8)×sinθ×R2×cos(-3π/8)+ a(8,8)×cosθ×R2×sin(-3π/8)）
信号点2-8のIQ平面上の座標：（In, Qn）=（a(8,8)×cosθ×R2×cos(-π/8)- a(8,8)
×sinθ×R2×sin(-π/8), a(8,8)×sinθ×R2×cos(-π/8)+ a(8,8)×cosθ×R2×sin(-π/8)）
なお、θは、同相Ｉ―直交Ｑ平面上で与える位相であり、a(8,8)は式（２４）に示したとおりである。そして、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
」方式において、(8,8)16APSKの各信号点のIQ平面上の座標が上述で与えられ、かつ、＜
条件３＞および＜条件４＞を満たす(8,8)16APSKであってもよい。
また、例えば、「変調方式が(12,4)16APSKまたは(8,8)16APSKのいずれかであるシンボ
ルが、3シンボル以上（または、４シンボル以上）連続するシンボル群において、(12,4)16APSKのシンボルが連続する部分が存在せず、かつ、(8,8)16APSKのシンボルが連続する部分が存在しない。」方式において、上述の説明において、(12,4)16APSKのθをθ＝（N×π）／２ラジアン（Nは整数）とし、(8,8)16APSKのθをθ＝π／８＋（N×π）／４ラジアン（Nは整数）とすると若干ＰＡＰＲが小さくなる可能性がある。なお、図１７は、θ＝π／８ラジアンのときの信号点配置およびラベリングの例である。
＜変調方式等の切換のパターン＞
図１２の例では、(12,4)16APSKのシンボルと(8,8)16APSKのシンボルとを交互に切り換
える（(12,4)16APSKのシンボルが連続することがなく、かつ、(8,8)16APSKのシンボルが
連続することがない）例を説明した。以下では、上記方式の変形例について説明する。
【０１１５】
図２３、図２４は変形例に関連する図である。変形例の特徴は、以下のとおりである。
・１周期は連続するＭ個のシンボルで構成されている。なお、以降の説明のために、１周期を構成する連続するＭ個のシンボルのことを「周期Ｍのシンボル群」と名付ける（定義する）。なお、以降で、図２３を用いて説明する。
・連続するシンボルがＭ＋１シンボル以上の場合、「周期Ｍのシンボル群」を複数個並べることになる。なお、この点については、図２４を用いて以降で説明する。
図２３に、「周期Ｍ＝５のシンボル群」の場合のシンボル群の構成の一例を示す。図２３における特徴は以下の２つを満たすことである。
・「周期Ｍ＝５のシンボル群」において、(8,8)16APSKのシンボル数は、(12,4)16APSKの
シンボル数より１多い、つまり、(12,4)16APSKのシンボル数は２であり、(8,8)16APSKの
シンボル数は３となる。
・「周期Ｍ＝５のシンボル群」において、(8,8)16APSKのシンボルが2シンボル連続するところがない、または、(8,8)16APSKのシンボルが2シンボル連続するところが1箇所存在す
る。（よって、(8,8)16APSKのシンボルが3シンボル以上連続するところは存在しない。）
以上の２つを満たす場合、「周期Ｍ＝５のシンボル群」を構成する方法としては、図２３の（ａ）（ｂ）（ｃ）（ｄ）（ｅ）の５とおりがある。なお、図２３において、横軸は時間となる。
【０１１６】
図２３（ａ）のように「周期Ｍ＝５のシンボル群」を構成した場合、「周期Ｍ＝５のシンボル群」を(8,8)16APSKのシンボル、(12,4)16APSKのシンボル、(8,8)16APSKのシンボル、(12,4)16APSKのシンボル、(8,8)16APSKのシンボルの順にシンボルを配置することになる。そして、このように構成した「周期Ｍ＝５のシンボル群」を繰り返し配置することになる。
【０１１７】
図２３（ｂ）のように「周期Ｍ＝５のシンボル群」を構成した場合、「周期Ｍ＝５のシンボル群」を(12,4)16APSKのシンボル、(8,8)16APSKのシンボル、(12,4)16APSKのシンボ
ル、(8,8)16APSKのシンボル、(8,8)16APSKのシンボルの順にシンボルを配置することになる。そして、このように構成した「周期Ｍ＝５のシンボル群」を繰り返し配置することになる。
【０１１８】
図２３（ｃ）のように「周期Ｍ＝５のシンボル群」を構成した場合、「周期Ｍ＝５のシンボル群」を (8,8)16APSKのシンボル、(12,4)16APSKのシンボル、(8,8)16APSKのシンボ
ル、(8,8)16APSKのシンボル、(12,4)16APSKのシンボルの順にシンボルを配置することに
なる。そして、このように構成した「周期Ｍ＝５のシンボル群」を繰り返し配置することになる。
【０１１９】
図２３（ｄ）のように「周期Ｍ＝５のシンボル群」を構成した場合、「周期Ｍ＝５のシンボル群」を (12,4)16APSKのシンボル、(8,8)16APSKのシンボル、(8,8)16APSKのシンボ
ル、(12,4)16APSKのシンボル、(8,8)16APSKのシンボルの順にシンボルを配置することに
なる。そして、このように構成した「周期Ｍ＝５のシンボル群」を繰り返し配置することになる。
【０１２０】
図２３（ｅ）のように「周期Ｍ＝５のシンボル群」を構成した場合、「周期Ｍ＝５のシンボル群」を (8,8)16APSKのシンボル、(8,8)16APSKのシンボル、(12,4)16APSKのシンボ
ル、(8,8)16APSKのシンボル、(12,4)16APSKのシンボルの順にシンボルを配置することに
なる。そして、このように構成した「周期Ｍ＝５のシンボル群」を繰り返し配置することになる。
【０１２１】
なお、図２３では、「周期Ｍ＝５のシンボル群」を構成する方法について説明したが、
周期Ｍは５に限ったものではなく、以下のように構成するとよい。
・「周期Ｍのシンボル群」において、(8,8)16APSKのシンボル数は、(12,4)16APSKのシン
ボル数より１多い、つまり、(12,4)16APSKのシンボル数はＮであり、(8,8)16APSKのシン
ボル数はＮ＋１となる。なお、Ｎは自然数となる。
・「周期Ｍのシンボル群」において、(8,8)16APSKのシンボルが2シンボル連続するところがない、または、(8,8)16APSKのシンボルが2シンボル連続するところが1箇所存在する。
（よって、(8,8)16APSKのシンボルが3シンボル以上連続するところは存在しない。）
したがって、「周期Ｍのシンボル群」の周期Ｍは３以上の奇数となるが、変調方式を(12,4)16APSKとしたときのPAPRからの増加分を考慮すると周期Ｍは５以上の奇数とすると好適であるが、周期Ｍを３としても(8,8)16APSKのPAPRより小さくすることができるという利点はある。
【０１２２】
上述の説明では「周期Ｍのシンボル群」による構成を説明したが、周期的な構成を採用しない場合、以下の特徴をもつとよい。
・データシンボルが(12,4)16APSKのシンボル、(8,8)16APSKのシンボルのいずれかである
場合、連続するデータシンボル群において、(8,8)16APSKのシンボルが3シンボル以上連続するところは存在しない。
【０１２３】
なお、(12,4)16APSK、(8,8)16APSKの信号点配置、ラベリング、リング比については、
上述で説明したとおりであると同時に、上述で説明した条件を満たすと、同様な効果を得ることが可能である。
上述のようにした場合、(8,8)16APSKのシンボルが2個連続する場合があるが、(8,8)16APSKのPAPRよりPAPRを小さくすることができるという効果を得ることができ、また、(12,4)16APSKより、データの受信品質を向上させることができるという効果を得ることができる。
次に、図２４を用いて、(12,4)16APSKのシンボルまたは(8,8)16APSKのシンボルで構成
される連続したシンボルにその他のシンボルが挿入された場合のシンボルの構成方法について補足説明を行う。
【０１２４】
図２４（ａ）において、２４００、２４０９はその他のシンボル群（ただし、連続したシンボルであってもよいし、シンボル数が１であってもよい。）である。なお、その他のシンボル群は、変調方式、誤り訂正符号化方式等の送信方法等を伝送するため制御シンボルであってもよいし、受信装置がチャネル推定・周波数同期・時間同期を行うためのパイロットシンボル、リファレンスシンボルであってもよいし、(12,4)16APSK、(8,8)16APSK
を除く変調方式で変調されたデータシンボルであってもよい。つまり、その他のシンボル群は、変調方式が(12,4)16APSK、(8,8)16APSKを除く変調方式のシンボルであるものとす
る。
【０１２５】
図２４（ａ）において、２４０１、２４０４、２４０７、２４１０は「周期Ｍのシンボル群」の最初のシンボルである（「周期Ｍのシンボル群」において、周期のはじまりのシンボルである）。２４０３、２４０６、２４１２は「周期Ｍのシンボル群」の最後のシンボルである（「周期Ｍのシンボル群」において、周期の最後のシンボルである）。
２４０２、２４０５、２４０８、２４１１は「周期Ｍのシンボル群」の中間シンボル群である（「周期Ｍのシンボル群」において、最初のシンボルと最後のシンボルを除くシンボル群である）。
【０１２６】
図２４（ａ）は横軸時間のシンボルの配置の例を示している。図２４（ａ）において、「その他のシンボル群」２４００の直後には、「周期Ｍのシンボル群」の最初のシンボル
２４０１が配置されている。その後、「周期Ｍのシンボル群」の中間シンボル群２４０２、「周期Ｍのシンボル群」の最後のシンボル２４０３と配置されている。したがって、「その他のシンボル群」２４００の直後には「第１番目の周期Ｍのシンボル群」が配置されている。
【０１２７】
「第１番目の周期Ｍのシンボル群」の直後には、「周期Ｍのシンボル群」の最初のシンボル２４０４、「周期Ｍのシンボル群」の中間シンボル群２４０５、「周期Ｍのシンボル群」の最後のシンボル２４０６で構成される「第２番目の周期Ｍのシンボル群」が配置される。
「第２番目の周期Ｍのシンボル群」のあとに、「周期Ｍのシンボル群」の最初のシンボル２４０７が配置され、そのあとに、「周期Ｍのシンボル群」の中間シンボル群の一部２４０８が配置される。
【０１２８】
「周期Ｍのシンボル群」の中間シンボル群の一部２４０８のあとには「その他のシンボル群」２４０９が配置される。
図２４（ａ）の特徴的な点は、「その他のシンボル群」２４０９の後に、「周期Ｍのシンボル群」の最初のシンボル２４１０、「周期Ｍのシンボル群」の中間シンボル群２４１１、「周期Ｍのシンボル群」の最後のシンボル２４１２で構成される「周期Ｍのシンボル群」が配置される点である。
【０１２９】
図２４（ｂ）は横軸時間のシンボルの配置の例を示している。図２４（ｂ）において、「その他のシンボル群」２４００の直後には、「周期Ｍのシンボル群」の最初のシンボル２４０１が配置されている。その後、「周期Ｍのシンボル群」の中間シンボル群２４０２、「周期Ｍのシンボル群」の最後のシンボル２４０３と配置されている。したがって、「その他のシンボル群」２４００の直後には「第１番目の周期Ｍのシンボル群」が配置されている。
【０１３０】
「第１番目の周期Ｍのシンボル群」の直後には、「周期Ｍのシンボル群」の最初のシンボル２４０４、「周期Ｍのシンボル群」の中間シンボル群２４０５、「周期Ｍのシンボル群」の最後のシンボル２４０６で構成される「第２番目の周期Ｍのシンボル群」が配置される。
「第２番目の周期Ｍのシンボル群」のあとに、「周期Ｍのシンボル群」の最初のシンボル２４０７が配置され、そのあとに、「周期Ｍのシンボル群」の中間シンボル群の一部２４０８が配置される。
【０１３１】
「周期Ｍのシンボル群」の中間シンボル群の一部２４０８のあとには「その他のシンボル群」２４０９が配置される。
図２４（ｂ）の特徴的な点は、「その他のシンボル群」２４０９の後に、「周期Ｍのシンボル群」の中間シンボル群の残りの一部２４０８−２、そのあとに、「周期Ｍのシンボル群」の最後のシンボル２４１３を配置する点である。なお、「周期Ｍのシンボル群」の最初のシンボル２４０７、「周期Ｍのシンボル群」の中間シンボル群の一部２４０８、「周期Ｍのシンボル群」の中間シンボル群の残りの一部２４０８−２、「周期Ｍのシンボル群」の最後のシンボル２４１３により、「周期Ｍのシンボル群」を形成することになる。
「周期Ｍのシンボル群」の最後のシンボル２４１３の後に、「周期Ｍのシンボル群」の最初のシンボル２４１４、「周期Ｍのシンボル群」の中間シンボル群２４１５、「周期Ｍのシンボル群」の最後のシンボル２４１６で構成される「周期Ｍのシンボル群」が配置される。
図２４において、「周期Ｍのシンボル群」の構成は、図２３を例にして説明した上述の「周期Ｍのシンボル群」の構成であってもよいし、「変調方式が(12,4)16APSKまたは(8,8
)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。」構成であってもよい。
【０１３２】
なお、(12,4)16APSK、(8,8)16APSKの信号点配置、ラベリング、リング比については、
上述で説明したとおりであると同時に、上述で説明した条件を満たすと、同様な効果を得ることが可能である。
これまで説明した例では、切換に用いる変調方式として16APSKを例に挙げたが、32APSK、64APSKのときも同様に実施することができる。
【０１３３】
連続するシンボルの構成方法は、上述で説明した
・同相Ｉ−直交Ｑ平面において第１の信号点配置の第１の変調方式のシンボルおよび同相Ｉ−直交Ｑ平面において第２の信号点配置の第２の変調方式のシンボルで「周期Ｍのシンボル群」で構成する。（ただし、第１の変調方式の同相Ｉ−直交Ｑ平面における信号点の数と第２の変調方式の同相Ｉ−直交Ｑ平面における信号点の数は等しい。）
・同相Ｉ−直交Ｑ平面において第１の信号点配置の第１の変調方式または同相Ｉ−直交Ｑ平面において第２の信号点配置の第２の変調方式のいずれかであるシンボルが、3シンボ
ル以上（または、４シンボル以上）連続するシンボル群において、第１の変調方式のシンボルが連続する部分が存在せず、かつ、第２の変調方式のシンボル連続する部分が存在しない。」構成する（ただし、第１の変調方式の同相Ｉ−直交Ｑ平面における信号点の数と第２の変調方式の同相Ｉ−直交Ｑ平面における信号点の数は等しい。）
とする。
上記の２種類の連続するシンボルの構成方法において、同相Ｉ−直交Ｑ平面における信号点の数が32の二つの32APSKの方式の同相Ｉ−直交Ｑ平面における信号点配置を図２５に示す。
【０１３４】
図２５（ａ）は、(4,12,16)32APSKの同相Ｉ−直交Ｑ平面における信号点配置である。
原点を中心とした、半径Ｒ1の円に信号点がa=4個、半径Ｒ2の円に信号点がb=12個、半径
Ｒ3の円に信号点がc=16個存在する。したがって、(a,b,c)=(4,12,16)となるので(4,12,16)32APSKと記載する。（なお、Ｒ1＜Ｒ2＜Ｒ3とする。）
図２５（ｂ）は、(8,8,16)32APSKの同相Ｉ−直交Ｑ平面における信号点配置である。原点を中心とした、半径Ｒ1の円に信号点がa=8個、半径Ｒ2の円に信号点がb=8個、半径Ｒ3
の円に信号点がc=16個存在する。したがって、(a,b,c)=(8,8,16)となるので(8,8,16)32APSKと記載する。（なお、Ｒ1＜Ｒ2＜Ｒ3とする。）
そして、図２５（ａ）の(4,12,16)32APSK、図２５（ｂ）(8,8,16)32APSKにより、上記
の２種類の連続するシンボルの構成方法を実現してもよい。（つまり、上記の２種類の連続するシンボルの構成方法において、第１の変調方式、第２の変調方式は(4,12,16)32APSKと(8,8,16)32APSKとなる。）
また、原点を中心とした、半径Ｒ1の円に信号点がa=16個、半径Ｒ2の円に信号点がb=16個存在する (a,b)=(16,16)となるので(16,16)32APSKと記載する。（なお、Ｒ1＜Ｒ2とす
る。）
そして、図２５（ａ）の(4,12,16)32APSK、(16,16)32APSKにより、上記の２種類の連続するシンボルの構成方法を実現してもよい。（つまり、上記の２種類の連続するシンボルの構成方法において、第１の変調方式、第２の変調方式は(4,12,16)32APSKと(16,16)32APSKとなる。）
加えて、(4,12,16)32APSK、(8,8,16)32APSK、(16,16)32APSKと信号点配置の異なるγ方式の32APSKを考える。そして、図２５（ａ）の(4,12,16)32APSK、γ方式の32APSKにより
、上記の２種類の連続するシンボルの構成方法を実現してもよい。（つまり、上記の２種類の連続するシンボルの構成方法において、第１の変調方式、第２の変調方式は(4,12,16
)32APSKとγ方式の32APSKとなる。）
なお、(12,4)16APSKの同相Ｉ―直交Ｑ平面における信号点配置に対するラベリング方法、および、(8,8)16APSKのラベリングの同相Ｉ―直交Ｑ平面における信号点配置に対するラベリング方法について本実施の形態で説明したが、本実施の形態とは異なる同相Ｉ―直交Ｑ平面における信号点配置に対するラベリング方法を適用してもよい。（本実施の形態と同様の効果を得ることができる可能性がある。）
（実施の形態２）
＜パイロットシンボルの例＞
本実施の形態では、上記の実施の形態１で説明した送信方式におけるパイロットシンボルの構成例について説明する。
【０１３５】
なお、本実施の形態における送信装置の構成は、実施の形態１で説明したものと同様であるためその説明を省略する。
送信装置の電力増幅器の非線形性から、変調信号は、符号間（シンボル間）干渉が発生する。受信装置では、この符号間干渉を低減させることで、高いデータの受信品質を得ることができる。
【０１３６】
本パイロットシンボルの構成例では、受信装置で、符号間（シンボル間）干渉を低減するために、送信装置が、データシンボルにおいて、
「変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない
。」
が成立する場合、(12,4)16APSKが取り得る同相Ｉ―直交Ｑ平面のすべての信号点に相当するベースバンド信号（つまり、伝送する４ビット[b3b2b1b0]が[0000]から[1111]の16個の信号点に相当するベースバンド信号）、および、(8,8)16APSKが取り得る同相Ｉ―直交Ｑ
平面のすべての信号点に相当するベースバンド信号（つまり、伝送する４ビット[b3b2b1b0]が[0000]から[1111]の16個の信号点に相当するベースバンド信号）を発生させ、パイロットシンボルとして送信する方法を提案する。これにより、受信装置は、(12,4)16APSKが取り得る同相Ｉ―直交Ｑ平面のすべての信号点、および、(8,8)16APSKが取り得る同相Ｉ―直交Ｑ平面のすべての信号点における符号間干渉を推定することができるので、高いデータの受信品質を得ることができる可能性が高い。
【０１３７】
図１３の例では、順に、
(12,4)16APSKの[b3b2b1b0]=[0000]に対応する信号点（ベースバンド信号）のシンボル、(8,8)16APSKの[b3b2b1b0]=[0000]に対応する信号点（ベースバンド信号）のシンボル、
(12,4)16APSKの[b3b2b1b0]=[0001]に対応する信号点（ベースバンド信号）のシンボル、(8,8)16APSKの[b3b2b1b0]=[0001]に対応する信号点（ベースバンド信号）のシンボル、
(12,4)16APSKの[b3b2b1b0]=[0010]に対応する信号点（ベースバンド信号）のシンボル、(8,8)16APSKの[b3b2b1b0]=[0010]に対応する信号点（ベースバンド信号）のシンボル、
(12,4)16APSKの[b3b2b1b0]=[0011]に対応する信号点（ベースバンド信号）のシンボル、(8,8)16APSKの[b3b2b1b0]=[0011]に対応する信号点（ベースバンド信号）のシンボル、
(12,4)16APSKの[b3b2b1b0]=[0100]に対応する信号点（ベースバンド信号）のシンボル、(8,8)16APSKの[b3b2b1b0]=[0100]に対応する信号点（ベースバンド信号）のシンボル、
(12,4)16APSKの[b3b2b1b0]=[0101]に対応する信号点（ベースバンド信号）のシンボル、(8,8)16APSKの[b3b2b1b0]=[0101]に対応する信号点（ベースバンド信号）のシンボル、
(12,4)16APSKの[b3b2b1b0]=[0110]に対応する信号点（ベースバンド信号）のシンボル、(8,8)16APSKの[b3b2b1b0]=[0110]に対応する信号点（ベースバンド信号）のシンボル、
(12,4)16APSKの[b3b2b1b0]=[0111]に対応する信号点（ベースバンド信号）のシンボル、(8,8)16APSKの[b3b2b1b0]=[0111]に対応する信号点（ベースバンド信号）のシンボル、
(12,4)16APSKの[b3b2b1b0]=[1000]に対応する信号点（ベースバンド信号）のシンボル、(8,8)16APSKの[b3b2b1b0]=[1000]に対応する信号点（ベースバンド信号）のシンボル、
(12,4)16APSKの[b3b2b1b0]=[1001]に対応する信号点（ベースバンド信号）のシンボル、(8,8)16APSKの[b3b2b1b0]=[1001]に対応する信号点（ベースバンド信号）のシンボル、
(12,4)16APSKの[b3b2b1b0]=[1010]に対応する信号点（ベースバンド信号）のシンボル、(8,8)16APSKの[b3b2b1b0]=[1010]に対応する信号点（ベースバンド信号）のシンボル、
(12,4)16APSKの[b3b2b1b0]=[1011]に対応する信号点（ベースバンド信号）のシンボル、(8,8)16APSKの[b3b2b1b0]=[1011]に対応する信号点（ベースバンド信号）のシンボル、
(12,4)16APSKの[b3b2b1b0]=[1100]に対応する信号点（ベースバンド信号）のシンボル、(8,8)16APSKの[b3b2b1b0]=[1100]に対応する信号点（ベースバンド信号）のシンボル、
(12,4)16APSKの[b3b2b1b0]=[1101]に対応する信号点（ベースバンド信号）のシンボル、(8,8)16APSKの[b3b2b1b0]=[1101]に対応する信号点（ベースバンド信号）のシンボル、
(12,4)16APSKの[b3b2b1b0]=[1110]に対応する信号点（ベースバンド信号）のシンボル、(8,8)16APSKの[b3b2b1b0]=[1110]に対応する信号点（ベースバンド信号）のシンボル、
(12,4)16APSKの[b3b2b1b0]=[1111]に対応する信号点（ベースバンド信号）のシンボル、(8,8)16APSKの[b3b2b1b0]=[1111]に対応する信号点（ベースバンド信号）のシンボル、
をパイロットシンボルとして送信する。
【０１３８】
なお、上記の特徴は、
＜１＞(12,4)16APSKが取り得る同相Ｉ―直交Ｑ平面のすべての信号点に相当するシンボル、つまり、
(12,4)16APSKの[b3b2b1b0]=[0000]に対応する信号点（ベースバンド信号）のシンボル、
(12,4)16APSKの[b3b2b1b0]=[0001]に対応する信号点（ベースバンド信号）のシンボル、
(12,4)16APSKの[b3b2b1b0]=[0010]に対応する信号点（ベースバンド信号）のシンボル、
(12,4)16APSKの[b3b2b1b0]=[0011]に対応する信号点（ベースバンド信号）のシンボル、
(12,4)16APSKの[b3b2b1b0]=[0100]に対応する信号点（ベースバンド信号）のシンボル、
(12,4)16APSKの[b3b2b1b0]=[0101]に対応する信号点（ベースバンド信号）のシンボル、
(12,4)16APSKの[b3b2b1b0]=[0110]に対応する信号点（ベースバンド信号）のシンボル、
(12,4)16APSKの[b3b2b1b0]=[0111]に対応する信号点（ベースバンド信号）のシンボル、
(12,4)16APSKの[b3b2b1b0]=[1000]に対応する信号点（ベースバンド信号）のシンボル、
(12,4)16APSKの[b3b2b1b0]=[1001]に対応する信号点（ベースバンド信号）のシンボル、
(12,4)16APSKの[b3b2b1b0]=[1010]に対応する信号点（ベースバンド信号）のシンボル、
(12,4)16APSKの[b3b2b1b0]=[1011]に対応する信号点（ベースバンド信号）のシンボル、
(12,4)16APSKの[b3b2b1b0]=[1100]に対応する信号点（ベースバンド信号）のシンボル、
(12,4)16APSKの[b3b2b1b0]=[1101]に対応する信号点（ベースバンド信号）のシンボル、
(12,4)16APSKの[b3b2b1b0]=[1110]に対応する信号点（ベースバンド信号）のシンボル、
(12,4)16APSKの[b3b2b1b0]=[1111]に対応する信号点（ベースバンド信号）のシンボル、
を送信するとともに、
(8,8)16APSKが取り得る同相Ｉ―直交Ｑ平面のすべての信号点に相当するシンボル、つま
り、
(8,8)16APSKの[b3b2b1b0]=[0000]に対応する信号点（ベースバンド信号）のシンボル、
(8,8)16APSKの[b3b2b1b0]=[0001]に対応する信号点（ベースバンド信号）のシンボル、
(8,8)16APSKの[b3b2b1b0]=[0010]に対応する信号点（ベースバンド信号）のシンボル、
(8,8)16APSKの[b3b2b1b0]=[0011]に対応する信号点（ベースバンド信号）のシンボル、
(8,8)16APSKの[b3b2b1b0]=[0100]に対応する信号点（ベースバンド信号）のシンボル、
(8,8)16APSKの[b3b2b1b0]=[0101]に対応する信号点（ベースバンド信号）のシンボル、
(8,8)16APSKの[b3b2b1b0]=[0110]に対応する信号点（ベースバンド信号）のシンボル、
(8,8)16APSKの[b3b2b1b0]=[0111]に対応する信号点（ベースバンド信号）のシンボル、
(8,8)16APSKの[b3b2b1b0]=[1000]に対応する信号点（ベースバンド信号）のシンボル、
(8,8)16APSKの[b3b2b1b0]=[1001]に対応する信号点（ベースバンド信号）のシンボル、
(8,8)16APSKの[b3b2b1b0]=[1010]に対応する信号点（ベースバンド信号）のシンボル、
(8,8)16APSKの[b3b2b1b0]=[1011]に対応する信号点（ベースバンド信号）のシンボル、
(8,8)16APSKの[b3b2b1b0]=[1100]に対応する信号点（ベースバンド信号）のシンボル、
(8,8)16APSKの[b3b2b1b0]=[1101]に対応する信号点（ベースバンド信号）のシンボル、
(8,8)16APSKの[b3b2b1b0]=[1110]に対応する信号点（ベースバンド信号）のシンボル、
(8,8)16APSKの[b3b2b1b0]=[1111]に対応する信号点（ベースバンド信号）のシンボル、
を送信する。
＜２＞連続するパイロットシンボルで構成されるシンボル群において、(12,4)16APSKのシンボルが連続する部分が存在せず、かつ、(8,8)16APSKのシンボル連続する部分が存在し
ない、となる。上述の＜１＞により、受信装置は、高精度の符号間干渉を推定することができるため、高いデータの受信品質を得ることができる。そして、上述の＜２＞により、PAPRを小さくすることができるという効果を得ることができる。
【０１３９】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定、時間同期を行ってもよい。
受信装置の動作について、図２を用いて説明する。
【０１４０】
図２において２１０は受信装置の構成である。図２のデマッピング部２１４は、送信装置が用いた変調方式のマッピングに対し、デマッピングを行い、例えば、各ビットの対数尤度比を求め、出力する。このとき、図２には図示していないが、デマッピングを精度良く行うためには、符号間干渉の推定、送信装置と受信装置間の電波の伝搬環境の推定（チャネル推定）、送受信機間の時間同期・周波数オフセットの推定をするとよい。
【０１４１】
図２には図示していないが、受信装置は、符号間干渉推定部、チャネル推定部、時間同期部、周波数オフセット推定部を具備していることになる。これらの推定部は、受信信号のうち、例えば、パイロットシンボルの部分を抽出し、それぞれ、符号間干渉の推定、送信装置と受信装置間の電波の伝搬環境の推定（チャネル推定）、送受信機間の時間同期・周波数オフセットの推定を行う。そして、図２のデマッピング部２１４は、これらの推定信号を入力とし、これらの推定信号に基づき、デマッピングを行うことで、例えば、対数尤度比の計算を行うことになる。
また、パイロットシンボルの送信方法は、図１３の例に限ったものではなく、上述で説明した＜１＞＜２＞の両者を満たすような送信方法であればよい。例えば、図１３の第１番目のシンボルの変調方式を(8,8)16APSKとしてもよいし、[b3b2b1b0]の送信の順番はど
のような順番であってもよい。そして、パイロットシンボルは、32シンボルで構成しているが、これに限ったものではないが、＜１＞＜２＞を満たすとよい。したがって、32×N
（ただし、Nは自然数）シンボルで構成すると
(12,4)16APSKの[b3b2b1b0]=[0000]に対応する信号点（ベースバンド信号）のシンボル、
(12,4)16APSKの[b3b2b1b0]=[0001]に対応する信号点（ベースバンド信号）のシンボル、
(12,4)16APSKの[b3b2b1b0]=[0010]に対応する信号点（ベースバンド信号）のシンボル、
(12,4)16APSKの[b3b2b1b0]=[0011]に対応する信号点（ベースバンド信号）のシンボル、
(12,4)16APSKの[b3b2b1b0]=[0100]に対応する信号点（ベースバンド信号）のシンボル、
(12,4)16APSKの[b3b2b1b0]=[0101]に対応する信号点（ベースバンド信号）のシンボル、
(12,4)16APSKの[b3b2b1b0]=[0110]に対応する信号点（ベースバンド信号）のシンボル、
(12,4)16APSKの[b3b2b1b0]=[0111]に対応する信号点（ベースバンド信号）のシンボル、
(12,4)16APSKの[b3b2b1b0]=[1000]に対応する信号点（ベースバンド信号）のシンボル、
(12,4)16APSKの[b3b2b1b0]=[1001]に対応する信号点（ベースバンド信号）のシンボル、
(12,4)16APSKの[b3b2b1b0]=[1010]に対応する信号点（ベースバンド信号）のシンボル、
(12,4)16APSKの[b3b2b1b0]=[1011]に対応する信号点（ベースバンド信号）のシンボル、
(12,4)16APSKの[b3b2b1b0]=[1100]に対応する信号点（ベースバンド信号）のシンボル、
(12,4)16APSKの[b3b2b1b0]=[1101]に対応する信号点（ベースバンド信号）のシンボル、
(12,4)16APSKの[b3b2b1b0]=[1110]に対応する信号点（ベースバンド信号）のシンボル、
(12,4)16APSKの[b3b2b1b0]=[1111]に対応する信号点（ベースバンド信号）のシンボル、
(8,8)16APSKの[b3b2b1b0]=[0000]に対応する信号点（ベースバンド信号）のシンボル、
(8,8)16APSKの[b3b2b1b0]=[0001]に対応する信号点（ベースバンド信号）のシンボル、
(8,8)16APSKの[b3b2b1b0]=[0010]に対応する信号点（ベースバンド信号）のシンボル、
(8,8)16APSKの[b3b2b1b0]=[0011]に対応する信号点（ベースバンド信号）のシンボル、
(8,8)16APSKの[b3b2b1b0]=[0100]に対応する信号点（ベースバンド信号）のシンボル、
(8,8)16APSKの[b3b2b1b0]=[0101]に対応する信号点（ベースバンド信号）のシンボル、
(8,8)16APSKの[b3b2b1b0]=[0110]に対応する信号点（ベースバンド信号）のシンボル、
(8,8)16APSKの[b3b2b1b0]=[0111]に対応する信号点（ベースバンド信号）のシンボル、
(8,8)16APSKの[b3b2b1b0]=[1000]に対応する信号点（ベースバンド信号）のシンボル、
(8,8)16APSKの[b3b2b1b0]=[1001]に対応する信号点（ベースバンド信号）のシンボル、
(8,8)16APSKの[b3b2b1b0]=[1010]に対応する信号点（ベースバンド信号）のシンボル、
(8,8)16APSKの[b3b2b1b0]=[1011]に対応する信号点（ベースバンド信号）のシンボル、
(8,8)16APSKの[b3b2b1b0]=[1100]に対応する信号点（ベースバンド信号）のシンボル、
(8,8)16APSKの[b3b2b1b0]=[1101]に対応する信号点（ベースバンド信号）のシンボル、
(8,8)16APSKの[b3b2b1b0]=[1110]に対応する信号点（ベースバンド信号）のシンボル、
(8,8)16APSKの[b3b2b1b0]=[1111]に対応する信号点（ベースバンド信号）のシンボル、
の各シンボルの出現回数を等しくすることができるという利点がある。
（実施の形態３）
＜シグナリング＞
本実施の形態では、上記の実施の形態１及び２で説明した送信方式を用いた送信信号を、受信装置側において円滑に受信できるようにするために、ＴＭＣＣ情報としてシグナリングされる様々な情報の構成例について説明する。
【０１４２】
なお、本実施の形態における送信装置の構成は、実施の形態１で説明したものと同様であるためその説明を省略する。
図１８は、高度広帯域衛星デジタル放送における送信信号のフレーム構成のイメージ図を示している。（ただし、高度広帯域衛星デジタル放送のフレーム構成を正確に図示したものではない。）
図１８（ａ）は、横軸時間におけるフレーム構成を示しており、「＃１のシンボル群」、「＃２のシンボル群」、「＃３のシンボル群」、・・・、と並んでいるものとする。このとき、「＃１のシンボル群」、「＃２のシンボル群」、「＃３のシンボル群」、・・・の各シンボル群は、図１８（ａ）に示すように、「同期シンボル群」「パイロットシンボル群」「ＴＭＣＣ情報シンボル群」「データシンボル群で構成されるスロット」で構成されているものとする。「同期シンボル群」は、例えば、受信装置が、時間同期・周波数同期を行うためのシンボルであり、「パイロットシンボル群」については、上記で説明したような処理のために、受信装置は、「パイロットシンボル群」を用いることになる。
【０１４３】
「データシンボル群で構成されるスロット」はデータシンボルで構成される。そして、データシンボルを生成するために使用する誤り訂正符号、符号化率、符号長、変調方式等の送信方法は切り替え可能であるとする。データシンボルを生成するために使用する誤り訂正符号、符号化率、符号長、変調方式等の送信方法に関する情報は、「ＴＭＣＣ情報シンボル群」により、受信装置に伝送されることになる。
図１８（ｂ）は、「ＴＭＣＣ情報シンボル群」の構成の一例を示している。以下では、本実施の形態で、特に関係する「ＴＭＣＣ情報シンボル群」の「伝送モード／スロット情報」の構成について説明する。
【０１４４】
図１８（ｃ）は「ＴＭＣＣ情報シンボル群」の「伝送モード／スロット情報」の構成を示している。図１８（ｃ）は、「伝送モード１」から「伝送モード８」まで存在しているが、「＃１のシンボル群のデータシンボル群で構成されるスロット」、「＃２のシンボル群のデータシンボル群で構成されるスロット」、「＃３のシンボル群のデータシンボル群で構成されるスロット」、・・・、は、「伝送モード１」から「伝送モード８」のいずれかに属することになる。
【０１４５】
したがって、図１８（ｃ）の各伝送モードの変調方式を伝送するためのシンボル、（図１８（ｃ）では、「伝送モード１の変調方式」、・・・、「伝送モード８の変調方式」と記述されている。）により、「データシンボル群で構成されるスロット」のシンボルを生成するための変調方式の情報が伝送される。
また、図１８（ｃ）の各伝送モードの符号化率を伝送するためのシンボル、（図１８（ｃ）では、「伝送モード１の符号化率」、・・・、「伝送モード８の符号化率」と記述されている。）により、「データシンボル群で構成されるスロット」のシンボルを生成するための誤り訂正符号の符号化率の情報が伝送される。
【０１４６】
表１に変調方式の情報の構成を示している。表１において、例えば、「ＴＭＣＣ情報シンボル群」の「伝送モード／スロット情報」の伝送モードの変調方式を伝送するためのシンボルで伝送する４ビットが「0001」のとき、「データシンボル群で構成されるスロット」のシンボルを生成するための変調方式はπ／２シフトBPSK（Binary Phase Shift Keying）となる。
【０１４７】
「ＴＭＣＣ情報シンボル群」の「伝送モード／スロット情報」の伝送モードの変調方式を伝送するためのシンボルで伝送する４ビットが「0010」のとき、「データシンボル群で構成されるスロット」のシンボルを生成するための変調方式はQPSK（Quadrature Phase Shift Keying）となる。
「ＴＭＣＣ情報シンボル群」の「伝送モード／スロット情報」の伝送モードの変調方式を伝送するためのシンボルで伝送する４ビットが「0011」のとき、「データシンボル群で構成されるスロット」のシンボルを生成するための変調方式は8PSK（8 Phase Shift Keying）となる。
【０１４８】
「ＴＭＣＣ情報シンボル群」の「伝送モード／スロット情報」の伝送モードの変調方式を伝送するためのシンボルで伝送する４ビットが「0100」のとき、「データシンボル群で構成されるスロット」のシンボルを生成するための変調方式は(12,4)16APSKとなる。
「ＴＭＣＣ情報シンボル群」の「伝送モード／スロット情報」の伝送モードの変調方式を伝送するためのシンボルで伝送する４ビットが「0101」のとき、「データシンボル群で構成されるスロット」のシンボルを生成するための変調方式は(8,8)16APSKとなる。
【０１４９】
「ＴＭＣＣ情報シンボル群」の「伝送モード／スロット情報」の伝送モードの変調方式を伝送するためのシンボルで伝送する４ビットが「0110」のとき、「データシンボル群で
構成されるスロット」のシンボルを生成するための変調方式は32APSK（32 Amplitude Phase Shift Keying）となる。
「ＴＭＣＣ情報シンボル群」の「伝送モード／スロット情報」の伝送モードの変調方式を伝送するためのシンボルで伝送する４ビットが「0111」のとき、「データシンボル群で構成されるスロット」のシンボルを生成するための変調方式は「(12,4)16APSKのシンボルと(8,8)16APSKのシンボルが混在する送信方法」（例えば実施の形態１で説明した送信
方法となるが、本明細書では、これ以外の送信方法（例えば実施の形態４など）についても説明している。）となる。
・・・
【０１５０】
【表１】
2020156094.tif 000027
【０１５１】
表２に変調方式が(12,4)16APSKのときの誤り訂正符号の符号化率とリング比の関係を示す。なお、上述ように(12,4)16APSKのＩ−Ｑ平面における信号点をあらわすのに用いたＲ1とＲ2より、(12,4)16APSKのリング比Ｒ(12,4)をＲ(12,4)＝Ｒ2／Ｒ1とあらわすものとする。表２において、例えば、「ＴＭＣＣ情報シンボル群」の「伝送モード／スロット情報」の伝送モードの符号化率を伝送するためのシンボルで伝送する４ビットが「0000」のとき、「データシンボル群で構成されるスロット」のシンボルを生成するための誤り訂正符号の符号化率が41/120（≒1/3）であり、伝送モードの変調方式を伝送するためのシンボ
ルが(12,4)16APSKであることを示している場合、(12,4)16APSKのリング比Ｒ(12,4)＝3.09となる、ことを意味することになる。
「ＴＭＣＣ情報シンボル群」の「伝送モード／スロット情報」の伝送モードの符号化率を伝送するためのシンボルで伝送する４ビットが「0001」のとき、「データシンボル群で構成されるスロット」のシンボルを生成するための誤り訂正符号の符号化率が49/120（≒2/5）であり、伝送モードの変調方式を伝送するためのシンボルが(12,4)16APSKであるこ
とを示している場合、(12,4)16APSKのリング比Ｒ(12,4)＝2.97となる、ことを意味することになる。
「ＴＭＣＣ情報シンボル群」の「伝送モード／スロット情報」の伝送モードの符号化率を伝送するためのシンボルで伝送する４ビットが「0010」のとき、「データシンボル群で構成されるスロット」のシンボルを生成するための誤り訂正符号の符号化率が61/120（≒1/2）であり、伝送モードの変調方式を伝送するためのシンボルが(12,4)16APSKであるこ
とを示している場合、(12,4)16APSKのリング比Ｒ(12,4)＝3.93となる、ことを意味することになる。
・・・
【０１５２】
【表２】
2020156094.tif 000028
【０１５３】
表３に変調方式が(8,8)16APSKのときの誤り訂正符号の符号化率とリング比の関係を示
す。なお、上述ように(8,8)16APSKのＩ−Ｑ平面における信号点をあらわすのに用いたＲ1とＲ2より、(8,8)16APSKのリング比Ｒ(8,8)をＲ(8,8)＝Ｒ2／Ｒ1とあらわすものとする。表３において、例えば、「ＴＭＣＣ情報シンボル群」の「伝送モード／スロット情報」の伝送モードの符号化率を伝送するためのシンボルで伝送する４ビットが「0000」のとき、「データシンボル群で構成されるスロット」のシンボルを生成するための誤り訂正符号の符号化率が41/120（≒1/3）であり、伝送モードの変調方式を伝送するためのシンボルが(8,8)16APSKであることを示している場合、(8,8)16APSKのリング比Ｒ(8,8)＝2.70となる、ことを意味することになる。
【０１５４】
「ＴＭＣＣ情報シンボル群」の「伝送モード／スロット情報」の伝送モードの符号化率を伝送するためのシンボルで伝送する４ビットが「0001」のとき、「データシンボル群で構成されるスロット」のシンボルを生成するための誤り訂正符号の符号化率が49/120（≒2/5）であり、伝送モードの変調方式を伝送するためのシンボルが(8,8)16APSKであることを示している場合、(8,8)16APSKのリング比Ｒ(8,8)＝2.60となる、ことを意味することになる。
「ＴＭＣＣ情報シンボル群」の「伝送モード／スロット情報」の伝送モードの符号化率を伝送するためのシンボルで伝送する４ビットが「0010」のとき、「データシンボル群で構成されるスロット」のシンボルを生成するための誤り訂正符号の符号化率が61/120（≒1/2）であり、伝送モードの変調方式を伝送するためのシンボルが(8,8)16APSKであることを示している場合、(8,8)16APSKのリング比Ｒ(8,8)＝2.50となる、ことを意味することになる。
・・・
【０１５５】
【表３】
2020156094.tif 000029
【０１５６】
表４に(12,4)16APSKのシンボルと(8,8)16APSKのシンボルが混在する送信方法のときの
誤り訂正符号の符号化率とリング比の関係を示す。
表４において、例えば、「ＴＭＣＣ情報シンボル群」の「伝送モード／スロット情報」の伝送モードの符号化率を伝送するためのシンボルで伝送する４ビットが「0000」のとき、「データシンボル群で構成されるスロット」のシンボルを生成するための誤り訂正符号の符号化率が41/120（≒1/3）であり、伝送モードの変調方式を伝送するためのシンボルが(12,4)16APSKのシンボルと(8,8)16APSKのシンボルが混在する送信方法であることを示している場合、(12,4)16APSKのリング比Ｒ(12,4)＝4.20 、(8,8)16APSKのリング比Ｒ(8,8)＝2.70となる、ことを意味することになる。
「ＴＭＣＣ情報シンボル群」の「伝送モード／スロット情報」の伝送モードの符号化率を伝送するためのシンボルで伝送する４ビットが「0001」のとき、「データシンボル群で構成されるスロット」のシンボルを生成するための誤り訂正符号の符号化率が49/120（≒2/5）であり、伝送モードの変調方式を伝送するためのシンボルが(12,4)16APSKのシンボ
ルと(8,8)16APSKのシンボルが混在する送信方法であることを示している場合、(12,4)16APSKのリング比Ｒ(12,4)＝4.10 、(8,8)16APSKのリング比Ｒ(8,8)＝2.60となる、ことを意味することになる。
「ＴＭＣＣ情報シンボル群」の「伝送モード／スロット情報」の伝送モードの符号化率を伝送するためのシンボルで伝送する４ビットが「0010」のとき、「データシンボル群で構成されるスロット」のシンボルを生成するための誤り訂正符号の符号化率が61/120（≒1/2）であり、伝送モードの変調方式を伝送するためのシンボルが(12,4)16APSKのシンボ
ルと(8,8)16APSKのシンボルが混在する送信方法であることを示している場合、(12,4)16APSKのリング比Ｒ(12,4)＝4.00 、(8,8)16APSKのリング比Ｒ(8,8)＝2.50となる、ことを意味することになる。
・・・
【０１５７】
【表４】
2020156094.tif 000030
【０１５８】
また、図２２のように、「ＴＭＣＣ情報シンボル群」の「ストリーム種別／相対ストリーム情報」で以下のような伝送が行われる
図２２（ａ）は、「ストリーム種別／相対ストリーム情報」の構成を示している。図２２（ａ）では一例としてストリーム０からストリーム１５のそれぞれのストリーム種別情報を伝送する構成をとっている。図２２（ａ）の「相対ストリーム０のストリーム種別」とは、ストリーム０のストリーム種別情報であることを示している。
【０１５９】
同様に、「相対ストリーム１のストリーム種別」とは、ストリーム１のストリーム種別情報であることを示している。
「相対ストリーム２のストリーム種別」とは、ストリーム２のストリーム種別情報であることを示している。
・・・
「相対ストリーム１５のストリーム種別」とは、ストリーム１５のストリーム種別情報であることを示している。
なお、各ストリームのストリーム種別情報は８ビットで構成されているものとする。（ただし、あくまでも例である。）
図２２（ｂ）は、８ビットのストリーム種別情報とその割り当ての例を示したものである。
【０１６０】
８ビットのストリーム種別情報が「00000000」は未定義である。
８ビットのストリーム種別情報が「00000001」のとき、ストリームがMPEG-2TS（Moving
Picture Experts Group - 2 Transport Stream）であることを意味している。
８ビットのストリーム種別情報が「00000010」のとき、ストリームがTLV（Type Length
Value）であることを意味している。
８ビットのストリーム種別情報が「00000011」のとき、ストリームが水平約4k（例えば3840）×垂直約2k（例えば2160）の画素数の映像（動画）であることを意味している。なお、映像符号化の情報を含んでいてもよい。
８ビットのストリーム種別情報が「00000100」のとき、ストリームが水平約8k（例えば7680）×垂直約4k（例えば4320）の画素数の映像（動画）であることを意味している。なお、映像符号化の情報を含んでいてもよい。
８ビットのストリーム種別情報が「00000101」のとき、ストリームが、水平約4k（例えば3840）×垂直約2k（例えば2160）の画素数の映像（動画）から水平約8k（例えば7680）×垂直約4k（例えば4320）の画素数の映像（動画）を生成するための差分情報であることを意味している。なお、映像符号化の情報を含んでいてもよい。また、この情報について
は、後で説明を付加する。
・・・
８ビットのストリーム種別情報が「11111111」は割り当て種別がない。
次に、８ビットのストリーム種別情報「00000101」の使用方法について説明する。
映像＃Ａのストリームが水平約4k（例えば3840）×垂直約2k（例えば2160）の画素数の映像（動画）で、送信装置は伝送するものとする。このとき、送信装置は８ビットのストリーム種別情報「00000011」を送信する。
これに加え、送信装置は、映像＃Ａの水平約4k（例えば3840）×垂直約2k（例えば2160）の画素数の映像（動画）から水平約8k（例えば7680）×垂直約4k（例えば4320）の画素数の映像（動画）を生成するための差分情報を送信するものとする。このとき、送信装置は８ビットのストリーム種別情報「00000101」を送信する。
受信装置は、ストリーム種別情報「00000011」を得、この情報から、ストリームが水平約4k（例えば3840）×垂直約2k（例えば2160）の画素数の映像（動画）であると判断し、水平約4k（例えば3840）×垂直約2k（例えば2160）の画素数の映像＃Ａを得ることができる。
また、受信装置は、ストリーム種別情報「00000011」を得、この情報から、ストリームが水平約4k（例えば3840）×垂直約2k（例えば2160）の画素数の映像（動画）であると判断し、加えて、ストリーム種別情報「00000101」を得、この情報から、ストリームが水平約4k（例えば3840）×垂直約2k（例えば2160）の画素数の映像（動画）から水平約8k（例えば7680）×垂直約4k（例えば4320）の画素数の映像（動画）を生成するための差分情報であると判断する。そして、受信装置は、この両者のストリームから、映像＃Ａの水平約8k（例えば7680）×垂直約4k（例えば4320）の画素数の映像（動画）を得ることができる。
【０１６１】
なお、これらのストリームを伝送するために、送信装置は、例えば、実施の形態１、実施の形態２で説明した送信方法を用いることになる。また、実施の形態１、実施の形態２で説明したように、送信装置が、これらのストリームを(12,4)16APSK、(8,8)16APSKの両
者の変調方式を用いて送信した場合、実施の形態１、実施の形態２で説明した効果を得ることができる。
＜受信装置＞
次に、送信装置７００が送信した無線信号を受信する受信装置の動作について、図１９の受信装置の構成図を用いて説明する。
【０１６２】
図１９の受信装置１９００は、送信装置７００が送信した無線信号を、アンテナ１９０１で受信する。受信ＲＦ１９０２は、受信した無線信号に対し、周波数変換、直交復調等の処理を施し、ベースバンド信号を出力する。
復調部１９０４は、ルートロールオフフィルタの処理等の処理を施し、フィルタ後のベースバンド信号を出力する。
同期・チャネル推定部１９１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
制御情報推定部１９１６は、フィルタ後のベースバンド信号を入力とし、「ＴＭＣＣ情報シンボル群」のような制御情報を含むシンボルを抽出し、復調・復号を行い、制御信号を出力する。なお、本実施の形態で重要になることは、「ＴＭＣＣ情報シンボル群」の伝送モード／スロット情報の「伝送モードの変調方式」の情報を伝送するシンボル、「伝送モードの符号化率」を伝送するシンボルを、受信装置は、復調・復号し、表１、表２、表３、表４に基づき、「データシンボル群で構成されるスロット」が使用している変調方式（または、送信方法）の情報、誤り訂正符号の方式（例えば、誤り訂正符号の符号化率等）の情報、また、「データシンボル群で構成されるスロット」が使用している変調方式（または、送信方法）が、(12,4)16APSK、(8,8)16APSK、32APSK、(12,4)16APSKのシンボルと(8,8)16APSKのシンボルが混在する送信方法のいずれかであった場合はリング比の情報を生成し、制御信号の一部として、制御情報推定部１９１６は出力する。
【０１６３】
デマッピング部１９０６は、フィルタ後のベースバンド信号、制御信号、推定信号を入力とし、制御信号に基づき、「データシンボル群で構成されるスロット」が使用している変調方式（または、送信方法）を判断し（この場合、リング比がある場合は、リング比についても判断を行う。）、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
デインターリーブ部１９０８は、対数尤度比を入力とし、蓄積し、送信装置が用いたインターリーブに対応するデインターリーブ（データの並び換え）を行い、デインターリーブ後の対数尤度比を出力する。
【０１６４】
誤り訂正復号部１９１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。
以上が、反復検波を行わないときの動作となる。以下では、反復検波を行う場合についての動作について補足的に説明する。なお、受信装置は、必ずしも反復検波を実施する必要があるということではなく、以降で記載する反復検波に関連する部分を、受信装置が具備せずに、初期検波、および、誤り訂正復号を行う受信装置であってもよい。
反復検波を実施する場合、誤り訂正復号部１９１２は、復号後の各ビットの対数尤度比を出力することになる。（なお、初期検波しか実施しない場合は、復号後の各ビットの対数尤度比を出力しなくてもよいことになる。）
インターリーブ部１９１０は、復号後の各ビットの対数尤度比をインターリーブし（並び替えを行い）、インターリーブ後の対数尤度比を出力する。
【０１６５】
デマッピング部１９０６は、インターリーブ後の対数尤度比、フィルタ後のベースバンド信号、推定信号を用いて、反復的な検波を行い、反復的な検波後の各ビットの対数尤度比を出力する。
その後、インタ−リーブ、誤り訂正復号の動作を行うことになる。そして、これらの操作を反復的に行うことになる。これにより、最終的に良好な復号結果を得ることができる可能性が高くなる。
上述の説明では、「ＴＭＣＣ情報シンボル群」の「伝送モード／スロット情報」の伝送モードの変調方式を伝送するためのシンボルおよび「ＴＭＣＣ情報シンボル群」の「伝送モード／スロット情報」の伝送モードの符号化率を伝送するためのシンボルを受信装置は得ることで、変調方式、誤り訂正符号の符号化率、および、変調方式が16APSK, 32APSK, (12,4)16APSKのシンボルと(8,8)16APSKのシンボルが混在する送信方法である場合はリン
グ比を推定し、復調・復号動作が可能となることを特徴としている。
なお、上述の説明では図１８のフレーム構成で、説明を行ったが、本発明の適用されるフレーム構成はこれに限ったものではなく、複数のデータシンボルが存在し、このデータシンボルを生成するのに用いられている、変調方式に関する情報を伝送するためのシンボル、誤り訂正方式（例えば、使用している誤り訂正符号、誤り訂正符号の符号長、誤り訂正符号の符号化率等）に関する情報を伝送するためのシンボルが存在した場合、データシンボル、変調方式に関する情報を伝送するためのシンボル、誤り訂正方式に関する情報を伝送するためのシンボルはフレームに対し、どのように配置してもよい。また、これらの
シンボル以外のシンボル、例えば、プリアンブル、同期のためのシンボル、パイロットシンボル、リファレンスシンボル等のシンボルがフレームの中に存在していてもよい。
【０１６６】
加えて、上述の説明とは異なる方法として、リング比に関する情報を伝送するシンボルが存在し、送信装置はこのシンボルを送信してもよい。リング比に関する情報を伝送するシンボルの例を以下に示す。
【０１６７】
【表５】
2020156094.tif 000031
【０１６８】
表５において、リング比に関する情報を伝送するシンボルにより、「00000」が伝送さ
れた場合、データシンボルは「(12,4)16APSKリング比4.00」のシンボルとなる。
また、以下のようになる。
リング比に関する情報を伝送するシンボルにより、「00001」が伝送された場合、データ
シンボルは「(12,4)16APSKリング比4.10」のシンボルとなる。
リング比に関する情報を伝送するシンボルにより、「00010」が伝送された場合、データ
シンボルは「(12,4)16APSKリング比4.20」のシンボルとなる。
リング比に関する情報を伝送するシンボルにより、「00011」が伝送された場合、データ
シンボルは「(12,4)16APSKリング比4.30」のシンボルとなる。
リング比に関する情報を伝送するシンボルにより、「00100」が伝送された場合、データ
シンボルは「(8,8)16APSKリング比2.50」のシンボルとなる。
リング比に関する情報を伝送するシンボルにより、「00101」が伝送された場合、データ
シンボルは「(8,8)16APSKリング比2.60」のシンボルとなる。
リング比に関する情報を伝送するシンボルにより、「00110」が伝送された場合、データ
シンボルは「(8,8)16APSKリング比2.70」のシンボルとなる。
リング比に関する情報を伝送するシンボルにより、「00111」が伝送された場合、データ
シンボルは「(8,8)16APSKリング比2.80」のシンボルとなる。
リング比に関する情報を伝送するシンボルにより、「01000」が伝送された場合、データ
シンボルは「(12,4)16APSKのシンボルと(8,8)16APSKのシンボルが混在する送信方法、(12,4)16APSKリング比4.00、(8,8)16APSKリング比2.50」のシンボルとなる。
リング比に関する情報を伝送するシンボルにより、「01001」が伝送された場合、データ
シンボルは「(12,4)16APSKのシンボルと(8,8)16APSKのシンボルが混在する送信方法、(12,4)16APSKリング比4.00、(8,8)16APSKリング比2.60」のシンボルとなる。
リング比に関する情報を伝送するシンボルにより、「01010」が伝送された場合、データ
シンボルは「(12,4)16APSKのシンボルと(8,8)16APSKのシンボルが混在する送信方法、(12,4)16APSKリング比4.00、(8,8)16APSKリング比2.70」のシンボルとなる。
リング比に関する情報を伝送するシンボルにより、「01011」が伝送された場合、データ
シンボルは「(12,4)16APSKのシンボルと(8,8)16APSKのシンボルが混在する送信方法、(12,4)16APSKリング比4.00、(8,8)16APSKリング比2.80」のシンボルとなる。
リング比に関する情報を伝送するシンボルにより、「01100」が伝送された場合、データ
シンボルは「(12,4)16APSKのシンボルと(8,8)16APSKのシンボルが混在する送信方法、(12,4)16APSKリング比4.10、(8,8)16APSKリング比2.50」のシンボルとなる。
リング比に関する情報を伝送するシンボルにより、「01101」が伝送された場合、データ
シンボルは「(12,4)16APSKのシンボルと(8,8)16APSKのシンボルが混在する送信方法、(12,4)16APSKリング比4.10、(8,8)16APSKリング比2.60」のシンボルとなる。
リング比に関する情報を伝送するシンボルにより、「01110」が伝送された場合、データ
シンボルは「(12,4)16APSKのシンボルと(8,8)16APSKのシンボルが混在する送信方法、(12,4)16APSKリング比4.10、(8,8)16APSKリング比2.70」のシンボルとなる。
リング比に関する情報を伝送するシンボルにより、「01111」が伝送された場合、データ
シンボルは「(12,4)16APSKのシンボルと(8,8)16APSKのシンボルが混在する送信方法、(12,4)16APSKリング比4.10、(8,8)16APSKリング比2.80」のシンボルとなる。
・・・・
そして、受信装置は、リング比に関する情報を伝送するシンボルを得ることで、データシンボルで使用されているリング比を推定することができ、これにより、データシンボルの復調・復号が可能となる。
また、変調方式を伝送するためのシンボルにおいて、リング比の情報を含んでいてもよい。例を以下に示す。
【０１６９】
【表６】
2020156094.tif 000032
【０１７０】
表６において、変調方式の情報を伝送するシンボルにより、「00000」が伝送された場
合、データシンボルは「(12,4)16APSKリング比4.00」のシンボルとなる。
また、以下のようになる。
変調方式の情報を伝送するシンボルにより、「00001」が伝送された場合、データシンボ
ルは「(12,4)16APSKリング比4.10」のシンボルとなる。
変調方式の情報を伝送するシンボルにより、「00010」が伝送された場合、データシンボ
ルは「(12,4)16APSKリング比4.20」のシンボルとなる。
変調方式の情報を伝送するシンボルにより、「00011」が伝送された場合、データシンボ
ルは「(12,4)16APSKリング比4.30」のシンボルとなる。
変調方式の情報を伝送するシンボルにより、「00100」が伝送された場合、データシンボ
ルは「(8,8)16APSKリング比2.50」のシンボルとなる。
変調方式の情報を伝送するシンボルにより、「00101」が伝送された場合、データシンボ
ルは「(8,8)16APSKリング比2.60」のシンボルとなる。
変調方式の情報を伝送するシンボルにより、「00110」が伝送された場合、データシンボ
ルは「(8,8)16APSKリング比2.70」のシンボルとなる。
変調方式の情報を伝送するシンボルにより、「00111」が伝送された場合、データシンボ
ルは「(8,8)16APSKリング比2.80」のシンボルとなる。
変調方式の情報を伝送するシンボルにより、「01000」が伝送された場合、データシンボ
ルは「(12,4)16APSKのシンボルと(8,8)16APSKのシンボルが混在する送信方法、(12,4)16APSKリング比4.00、(8,8)16APSKリング比2.50」のシンボルとなる。
変調方式の情報を伝送するシンボルにより、「01001」が伝送された場合、データシンボ
ルは「(12,4)16APSKのシンボルと(8,8)16APSKのシンボルが混在する送信方法、(12,4)16APSKリング比4.00、(8,8)16APSKリング比2.60」のシンボルとなる。
変調方式の情報を伝送するシンボルにより、「01010」が伝送された場合、データシンボ
ルは「(12,4)16APSKのシンボルと(8,8)16APSKのシンボルが混在する送信方法、(12,4)16APSKリング比4.00、(8,8)16APSKリング比2.70」のシンボルとなる。
変調方式の情報を伝送するシンボルにより、「01011」が伝送された場合、データシンボ
ルは「(12,4)16APSKのシンボルと(8,8)16APSKのシンボルが混在する送信方法、(12,4)16APSKリング比4.00、(8,8)16APSKリング比2.80」のシンボルとなる。
変調方式の情報を伝送するシンボルにより、「01100」が伝送された場合、データシンボ
ルは「(12,4)16APSKのシンボルと(8,8)16APSKのシンボルが混在する送信方法、(12,4)16APSKリング比4.10、(8,8)16APSKリング比2.50」のシンボルとなる。
変調方式の情報を伝送するシンボルにより、「01101」が伝送された場合、データシンボ
ルは「(12,4)16APSKのシンボルと(8,8)16APSKのシンボルが混在する送信方法、(12,4)16APSKリング比4.10、(8,8)16APSKリング比2.60」のシンボルとなる。
変調方式の情報を伝送するシンボルにより、「01110」が伝送された場合、データシンボ
ルは「(12,4)16APSKのシンボルと(8,8)16APSKのシンボルが混在する送信方法、(12,4)16APSKリング比4.10、(8,8)16APSKリング比2.70」のシンボルとなる。
変調方式の情報を伝送するシンボルにより、「01111」が伝送された場合、データシンボ
ルは「(12,4)16APSKのシンボルと(8,8)16APSKのシンボルが混在する送信方法、(12,4)16APSKリング比4.10、(8,8)16APSKリング比2.80」のシンボルとなる。
・・・・
変調方式の情報を伝送するシンボルにより、「11101」が伝送された場合、データシンボ
ルは「8PSK」のシンボルとなる。
変調方式の情報を伝送するシンボルにより、「11110」が伝送された場合、データシンボ
ルは「QPSK」のシンボルとなる。
変調方式の情報を伝送するシンボルにより、「11111」が伝送された場合、データシンボ
ルは「π／２シフトBPSK」のシンボルとなる。
そして、受信装置は、変調方式の情報を伝送するシンボルを得ることで、データシンボ
ルで使用されている変調方式、および、リング比を推定することができ、これにより、データシンボルの復調・復号が可能となる。
なお、上述の説明で、選択可能な変調方式（送信方法）として、「(12,4)16APSKのシンボルと(8,8)16APSKのシンボルが混在する送信方法、(12,4)16APSKリング比4.10、(8,8)16APSKリング比2.80」、「(12,4)16APSK」「(8,8)16APSK」を含んでいる例で説明したがこれに限ったものではない。例えば、選択可能な変調方式（送信方法）として、「(12,4)16APSKのシンボルと(8,8)16APSKのシンボルが混在する送信方法、(12,4)16APSKリング比4.10、(8,8)16APSKリング比2.80」が含まれている、または、選択可能な変調方式（送信方法）として、「(12,4)16APSKのシンボルと(8,8)16APSKのシンボルが混在する送信方法、(12,4)16APSKリング比4.10、(8,8)16APSKリング比2.80」、「(12,4)16APSK」が含まれている、または、選択可能な変調方式（送信方法）として、「(12,4)16APSKのシンボルと(8,8)16APSKのシンボルが混在する送信方法、(12,4)16APSKリング比4.10、(8,8)16APSKリング比2.80」、「(8,8)16APSK」が含まれている、としてもよい。このとき、選択可能な変調方式の中にリング比の設定が可能な変調方式が含まれていた場合、その変調方式のリング比に関する情報、または、リング比を推定可能な制御シンボルを送信装置は送信することになり、これにより、受信装置はデータシンボルの変調方式、および、リング比を推定することができ、データシンボルの復調・復号が可能となる。
（実施の形態４）
本実施の形態では、データシンボルの生成の順番について説明する。
【０１７１】
図１８（ａ）に、フレーム構成のイメージ図を示した。図１８（ａ）において、「＃１のシンボル群」、「＃２のシンボル群」、「＃３のシンボル群」、・・・、と並んでいるものとする。このとき、「＃１のシンボル群」、「＃２のシンボル群」、「＃３のシンボル群」、・・・の各シンボル群は、図１８（ａ）に示すように、「同期シンボル群」「パイロットシンボル群」「ＴＭＣＣ情報シンボル群」「データシンボル群で構成されるスロット」で構成されているものとした。
ここでは、例えば、「＃１のシンボル群」、「＃２のシンボル群」、「＃３のシンボル群」、・・・「＃Ｎ−１のシンボル群」「＃Ｎのシンボル群」のＮ個のシンボル群における「データシンボル群で構成されるスロット」を集めたデータシンボル群の構成方法について説明する。
【０１７２】
「＃（β×Ｎ＋１）のシンボル群」から「＃（β×Ｎ＋Ｎ）のシンボル群」のＮ個のシンボル群における「データシンボル群で構成されるスロット」で集めたデータシンボル群の生成に対し、規則を設ける。その規則について、図２０を用いて説明する。
図２０において、「(8,8)16APSKのシンボルと(12,4)16APSKのシンボルが混在」と記載
しているが、「(8,8)16APSKのシンボルと(12,4)16APSKのシンボルが混在」とは、実施の
形態１で説明した
・変調方式が(12,4)16APSKまたは(8,8)16APSKのいずれかであるシンボルが、3シンボル以上（または、４シンボル以上）連続するシンボル群において、(12,4)16APSKのシンボルが連続する部分が存在せず、かつ、(8,8)16APSKのシンボルが連続する部分が存在しない。
・図２３を例とする、データシンボルが(12,4)16APSKのシンボル、(8,8)16APSKのシンボ
ルのいずれかである場合、連続するデータシンボル群において、(8,8)16APSKのシンボル
が3シンボル以上連続するところは存在しない。
のいずれかの送信方法によって生成されたシンボル群であることを意味する。
そして、図２０の「(8,8)16APSKのシンボルと(12,4)16APSKのシンボルが混在」は、図
２０（ａ）から図２０（ｆ）の特徴を満たすことになる。なお、図２０において、横軸は
シンボルである。
図２０（ａ）：
32APSKのデータシンボルが存在し、(8,8)16APSKのデータシンボルが存在しない場合、
図２０（ａ）に示すように、「32APSKのデータシンボル」のあとに「(8,8)16APSKのシン
ボルと(12,4)16APSKのシンボルが混在」のシンボルが存在する。
図２０（ｂ）：
(8,8)16APSKのデータシンボルが存在する場合、図２０（ｂ）に示すように、「(8,8)16APSKのデータシンボル」のあとに「(8,8)16APSKのシンボルと(12,4)16APSKのシンボルが混在」のシンボルが存在する。
図２０（ｃ）：
(12,4)16APSKのデータシンボルが存在する場合、図２０（ｃ）に示すように、「(8,8)16APSKのシンボルと(12,4)16APSKのシンボルが混在」のシンボルのあとに「(12,4)16APSK
のデータシンボル」が存在する。
図２０（ｄ）：
8PSKのデータシンボルが存在し、(12,4)16APSKのデータシンボルが存在しない場合、図２０（ｄ）に示すように、「(8,8)16APSKのシンボルと(12,4)16APSKのシンボルが混在」
のシンボルのあとに「8PSKのデータシンボル」が存在する。
図２０（ｅ）：
QPSKのデータシンボルが存在し、8PSKのデータシンボルが存在せず、また、(12,4)16APSKのデータシンボルが存在しない場合、図２０（ｅ）に示すように、「(8,8)16APSKのシンボルと(12,4)16APSKのシンボルが混在」のシンボルのあとに「QPSKのデータシンボル」が存在する。
図２０（ｆ）：
π／２シフトBPSKのデータシンボルが存在し、QPSKのデータシンボルが存在せず、また、8PSKのデータシンボルが存在せず、また、(12,4)16APSKのデータシンボルが存在しない場合、図２０（ｆ）に示すように、「(8,8)16APSKのシンボルと(12,4)16APSKのシンボルが混在」のシンボルのあとに「π／２シフトBPSKのデータシンボル」が存在する。
以上のようにシンボルを配置した場合、ピーク電力の大きい変調方式（送信方法）の信号順にならぶため、受信装置はAGC（Automatic Gain Control）の制御が行いやすいとい
う利点がある。
図２１に、上述で説明した「(8,8)16APSKのシンボルと(12,4)16APSKのシンボルが混在
」のシンボルの構成方法の例を示す。
誤り訂正符号の符号化率Ｘの「(8,8)16APSKのシンボルと(12,4)16APSKのシンボルが混在
」のシンボルと誤り訂正符号の符号化率Ｙの「(8,8)16APSKのシンボルと(12,4)16APSKの
シンボルが混在」のシンボルとが存在するものとする。そして、Ｘ＞Ｙの関係が成立するものとする。
このとき、誤り訂正符号の符号化率Ｘの「(8,8)16APSKのシンボルと(12,4)16APSKのシ
ンボルが混在」のシンボルのあとに誤り訂正符号の符号化率Ｙの「(8,8)16APSKのシンボ
ルと(12,4)16APSKのシンボルが混在」のシンボルを配置する。
図２１のように、誤り訂正符号の符号化率１／２の「(8,8)16APSKのシンボルと(12,4)16APSKのシンボルが混在」のシンボル、誤り訂正符号の符号化率２／３の「(8,8)16APSKのシンボルと(12,4)16APSKのシンボルが混在」のシンボル、誤り訂正符号の符号化率３／４の「(8,8)16APSKのシンボルと(12,4)16APSKのシンボルが混在」のシンボルが存在するものとする。すると、上述の説明から、図２１のように、誤り訂正符号の符号化率３／４の「(8,8)16APSKのシンボルと(12,4)16APSKのシンボルが混在」のシンボル、誤り訂正符号の符号化率２／３の「(8,8)16APSKのシンボルと(12,4)16APSKのシンボルが混在」のシンボル、誤り訂正符号の符号化率１／２の「(8,8)16APSKのシンボルと(12,4)16APSKのシンボルが混在」のシンボルの順にシンボルが配置されることになる。
（実施の形態５）
実施の形態１から実施の形態４では、送信フレームにおいて、(12,4)16APSKのシンボルと(8,8)16APSKのシンボルを切り替える方法、および、それに伴う、パイロットシンボル
の構成方法、TMCCを含む制御情報の構成方法等について説明した。
実施の形態１から実施の形態４と同様な効果を得る方法としては、送信フレームにおいて、(12,4)16APSKのシンボルと(8,8)16APSKのシンボルを用いる方法に限ったものではな
く、(12,4)16APSKのシンボルとNU（Non-Uniform）-16QAMのシンボルを用いる方法でも、
実施の形態１から実施の形態４と同様の効果を得ることができる。つまり、実施の形態１から実施の形態４において、(8,8)16APSKのシンボルのかわりにNU-16QAMのシンボルのシ
ンボルを用いればよいことになる（併用して用いる変調方式は(12,4)16APSKである。）。したがって、本実施の形態では、(8,8)16APSKのシンボルのかわりに用いるNU-16QAMのシ
ンボルの構成を中心に説明を行う。
＜信号点配置＞
図７のマッピング部７０８が行うNU-16QAMの信号点配置と各信号点へのビットの割り付け（ラベリング）について説明する。
【０１７３】
図２６に同相Ｉ―直交Ｑ平面におけるNU-16QAMの信号点配置とラベリングの例を示す。なお、実施の形態１から実施の形態４において、リング比を用いて説明したが、リング比の代わりに「振幅比」を定義する。図２６のようにＲ1、Ｒ2を定義したとき（なお、Ｒ1
は実数であり、Ｒ1＞０とし、また、Ｒ2は実数であり、Ｒ2＞０とする。また、Ｒ1＜Ｒ2
となる。）、振幅比Ａr＝Ｒ2／Ｒ1と定義する。そして、実施の形態１から実施の形態４
において、(8,8)16APSKのリング比にかわって、NU-16QAMの振幅比を適用することになる
。
【０１７４】
NU-16QAMの各信号点のIQ平面上の座標は次の通りである。
信号点1-1[0000]・・・（R2,R2）
信号点1-2[0001]・・・（R2,R1）
信号点1-3[0101]・・・（R2,-R1）
信号点1-4[0100]・・・（R2,-R2）
信号点2-1[0010]・・・（R1,R2）
信号点2-2[0011]・・・（R1,R1）
信号点2-3[0111]・・・（R1,-R1）
信号点2-4[0110]・・・（R1,-R2）
信号点3-1[1010]・・・（-R1,R2）
信号点3-2[1011]・・・（-R1,R1）
信号点3-3[1111]・・・（-R1,-R1）
信号点3-4[1110]・・・（-R1,-R2）
信号点4-1[1000]・・・（-R2,R2）
信号点4-2[1001]・・・（-R2,R1）
信号点4-3[1101]・・・（-R2,-R1）
信号点4-4[1100]・・・（-R2,-R2）
また、例えば、上記で、
信号点1-1[0000]・・・（R2,R2）
と記載しているが、マッピング部７０８の入力となるデータにおいて、４つのビット[b3b2b1b0]＝[0000]のとき、マッピング後のベースバンド信号の同相成分I、直交成分Qが、（I,Q）= （R2,R2）となることを意味している。もう一つの例で、
信号点4-4[1100]・・・（-R2,-R2）
と記載しているが、マッピング部７０８の入力となるデータにおいて、４つのビット[b3b2b1b0]＝[1100]のとき、マッピング後のベースバンド信号の同相成分I、直交成分Qが、（I,Q）= （-R2,-R2）となることを意味している。
【０１７５】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
＜送信出力＞
(12,4)16APSKのシンボルとNU-16QAMのシンボルにおける送信出力を同一にするために、次のような正規化係数を用いることがある。(12,4)16APSKのシンボルの正規化係数については、実施の形態１で説明したとおりである。NU-16QAMのシンボルの正規化係数は、次式で定義する。
【０１７６】
【数２５】
2020156094.tif 000033
【０１７７】
正規化前のベースバンド信号の同相成分をIb、直交成分をQbとする。そして、正規化後のベースバンド信号の同相成分をIn、直交成分をQnとする。すると、変調方式がNU-16QAMのとき、（In, Qn）=（aNU-16QAM×Ib, aNU-16QAM×Qb）が成立する。
なお、NU-16QAMのとき、正規化前のベースバンド信号の同相成分をIb、直交成分をQbは、図２６に基づきマッピングすることにより得られたマッピング後のベースバンド信号の同相成分I、直交成分Qとなる。したがって、NU-16QAMのとき、以下の関係が成立する。
【０１７８】
信号点1-1[0000]・・・（In, Qn）=（aNU-16QAM×R2, aNU-16QAM×R2）
信号点1-2[0001]・・・（In, Qn）=（aNU-16QAM×R2, aNU-16QAM×R1）
信号点1-3[0101]・・・（In, Qn）=（aNU-16QAM×R2,- aNU-16QAM×R1）
信号点1-4[0100]・・・（In, Qn）=（aNU-16QAM×R2,- aNU-16QAM×R2）
信号点2-1[0010]・・・（In, Qn）=（aNU-16QAM×R1, aNU-16QAM×R2）
信号点2-2[0011]・・・（In, Qn）=（aNU-16QAM×R1, aNU-16QAM×R1）
信号点2-3[0111]・・・（In, Qn）=（aNU-16QAM×R1,- aNU-16QAM×R1）
信号点2-4[0110]・・・（In, Qn）=（aNU-16QAM×R1,- aNU-16QAM×R2）
信号点3-1[1010]・・・（In, Qn）=（- aNU-16QAM×R1, aNU-16QAM×R2）
信号点3-2[1011]・・・（In, Qn）=（- aNU-16QAM×R1, aNU-16QAM×R1）
信号点3-3[1111]・・・（In, Qn）=（- aNU-16QAM×R1,- aNU-16QAM×R1）
信号点3-4[1110]・・・（In, Qn）=（- aNU-16QAM×R1,- aNU-16QAM×R2）
信号点4-1[1000]・・・（In, Qn）=（- aNU-16QAM×R2, aNU-16QAM×R2）
信号点4-2[1001]・・・（In, Qn）=（- aNU-16QAM×R2, aNU-16QAM×R1）
信号点4-3[1101]・・・（In, Qn）=（- aNU-16QAM×R2,- aNU-16QAM×R1）
信号点4-4[1100]・・・（In, Qn）=（- aNU-16QAM×R2,- aNU-16QAM×R2）
また、例えば、上記で、
信号点1-1[0000]・・・（In, Qn）=（aNU-16QAM×R2, aNU-16QAM×R2）
と記載しているが、マッピング部７０８の入力となるデータにおいて、４つのビット[b3b2b1b0]＝[0000]のとき、（In, Qn）=（aNU-16QAM×R2, aNU-16QAM×R2）となることを意
味している。もう一つの例で、
信号点4-4[1100]・・・（In, Qn）=（- aNU-16QAM×R2,- aNU-16QAM×R2）
と記載しているが、マッピング部７０８の入力となるデータにおいて、４つのビット[b3b2b1b0]＝[1100]のとき、（In, Qn）=（- aNU-16QAM×R2,- aNU-16QAM×R2）となることを意味している。
【０１７９】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
そして、マッピング部７０８は、上述で説明したIn、Qnをベースバンド信号同相成分、直交成分として出力することになる。
(12,4)16APSKのＩ−Ｑ平面における信号点をあらわすのに用いたＲ1とＲ2より、(12,4)16APSKのリング比Ｒ(12,4)をＲ(12,4)＝Ｒ2／Ｒ1とあらわすものとする。
【０１８０】
図２６のようにＲ1、Ｒ2を定義したとき、NU-16QAMの振幅比Ａr＝Ｒ2／Ｒ1と定義する
。
このとき、「Ａr＜Ｒ(12,4)が成立すると、よりPAPRを小さくすることができる可能性
が高くなる」という効果を得ることができる。
これは、ピーク電力を支配する可能性の高い変調方式は、NU-16QAMであるからである。このとき、NU-16QAMで発生するピーク電力は、Ａrが大きくなるにつれ、大きくなる可能
性が高い。したがって、ピーク電力を大きくしないためには、Ａrを小さく設定するとよ
いことになり、一方、(12,4)16APSKのＲ(12,4)は、BER特性がよくなる値に設定すればよ
く自由度が高い。このため、Ａr＜Ｒ(12,4)という関係があるとよりPAPRを小さくするこ
とができる可能性が高くなる。
ただし、Ａr＞Ｒ(12,4)であっても、NU-16QAMのPAPRより小さくできるという効果は得
られる。したがって、BER特性を良くすることに着眼した場合に、Ａr＞Ｒ(12,4)がよい場合もある。
＜NU-16QAMのラベリングと信号点配置について＞
［NU-16QAMのラベリングについて］
ここでは、NU-16QAMのラベリングについて説明を行う。なお、ラベリングとは、入力となる4ビット[b3b2b1b0]と同相Ｉ―直交Ｑ平面における信号点の配置の関係のことである
。図２６にNU-16QAMのラベリングの例を示したが、
以下の＜条件５＞かつ＜条件６＞を満たすラベリングであれば構わない。
【０１８１】
説明のために、以下の定義を行う。
伝送する4ビットが[ba3ba2ba1ba0]のとき、同相Ｉ―直交Ｑ平面において信号点Aを与えるものとし、伝送する4ビットが[bb3bb2bb1bb0]のとき、同相Ｉ―直交Ｑ平面において信号点Bを与えるものとする。このとき、
「ba3＝bb3かつba2＝bb2かつba1＝bb1かつba0＝bb0」のときラベリングの異なるビット数を０と定義する。
【０１８２】
また、以下のように定義する。
「ba3≠bb3かつba2＝bb2かつba1＝bb1かつba0＝bb0」のときラベリングの異なるビット数を１と定義する。
「ba3＝bb3かつba2≠bb2かつba1＝bb1かつba0＝bb0」のときラベリングの異なるビット数を１と定義する。
【０１８３】
「ba3＝bb3かつba2＝bb2かつba1≠bb1かつba0＝bb0」のときラベリングの異なるビット数を１と定義する。
「ba3＝bb3かつba2＝bb2かつba1＝bb1かつba0≠bb0」のときラベリングの異なるビット数を１と定義する。
「ba3≠bb3かつba2≠bb2かつba1＝bb1かつba0＝bb0」のときラベリングの異なるビット数を２と定義する。
【０１８４】
「ba3≠bb3かつba2＝bb2かつba1≠bb1かつba0＝bb0」のときラベリングの異なるビット数を２と定義する。
「ba3≠bb3かつba2＝bb2かつba1＝bb1かつba0≠bb0」のときラベリングの異なるビット数を２と定義する。
「ba3＝bb3かつba2≠bb2かつba1≠bb1かつba0＝bb0」のときラベリングの異なるビット数を２と定義する。
【０１８５】
「ba3＝bb3かつba2≠bb2かつba1＝bb1かつba0≠bb0」のときラベリングの異なるビット数を２と定義する。
「ba3＝bb3かつba2＝bb2かつba1≠bb1かつba0≠bb0」のときラベリングの異なるビット数を２と定義する。
「ba3＝bb3かつba2≠bb2かつba1≠bb1かつba0≠bb0」のときラベリングの異なるビット数を３と定義する。
【０１８６】
「ba3≠bb3かつba2＝bb2かつba1≠bb1かつba0≠bb0」のときラベリングの異なるビット数を３と定義する。
「ba3≠bb3かつba2≠bb2かつba1＝bb1かつba0≠bb0」のときラベリングの異なるビット数を３と定義する。
「ba3≠bb3かつba2≠bb2かつba1≠bb1かつba0＝bb0」のときラベリングの異なるビット数を３と定義する。
【０１８７】
「ba3≠bb3かつba2≠bb2かつba1≠bb1かつba0≠bb0」のときラベリングの異なるビット数を４と定義する。
そして、グループの定義を行う。上述のNU-16QAMの説明における、信号点1-1、信号点1-2、信号点1-3、信号点1-4、信号点2-1、信号点2-2、信号点2-3、信号点2-4、信号点3-1
、信号点3-2、信号点3-3、信号点3-4、信号点4-1、信号点4-2、信号点4-3、信号点4-4に
おいて、「信号点1-1、信号点1-2、信号点1-3、信号点1-4をグループ1」と定義する。同
様に、「信号点2-1、信号点2-2、信号点2-3、信号点2-4をグループ2」、「信号点3-1、信号点3-2、信号点3-3、信号点3-4をグループ3」、「信号点4-1、信号点4-2、信号点4-3、
信号点4-4をグループ4」と定義する。
【０１８８】
そして、以下の２つの条件を与える。
＜条件５＞：
Xは1,2,3,4であり、これを満たす、すべてのXで以下が成立する。
信号点X-1と信号点X-2のラベリングの異なるビット数は１
信号点X-2と信号点X-3のラベリングの異なるビット数は１
信号点X-3と信号点X-4のラベリングの異なるビット数は１
＜条件６＞：
uは1,2,3であり、vは1,2,3,4であり、これを満たす、すべてのu、すべてのvで以下が成立する。
信号点u-vと信号点(u+1)-vのラベリングの異なるビット数は１
以上をみたすことで、同相Ｉ―直交Q平面において、各信号点にとって近い距離にある
信号点とのラベリングの異なるビット数が小さいため、受信装置は高いデータの受信品質を得ることができる可能性が高くなる。そして、これにより、受信装置が反復検波を行った際、高いデータの受信品質を得ることができる可能性が高くなる。
なお、上記を例とするNU-16QAMと(12,4)16APSKによりシンボルを形成する場合、実施の形態１と同様に実施すると、以下のいずれかの送信方法が考えられる。
・変調方式が(12,4)16APSKまたはNU-16QAMのいずれかであるシンボルが、3シンボル以上
（または、４シンボル以上）連続するシンボル群において、(12,4)16APSKのシンボルが連続する部分が存在せず、かつ、NU-16QAMのシンボルが連続する部分が存在しない。
・「周期Ｍのシンボル群」において、NU-16QAMのシンボル数は、(12,4)16APSKのシンボル数より１多い、つまり、(12,4)16APSKのシンボル数をＮであり、NU-16QAMのシンボル数はＮ＋１となる。（なお、Ｎは自然数となる。）そして、「周期Ｍのシンボル群」において、NU-16QAMのシンボルが2シンボル連続するところがない、または、NU-16QAMのシンボルが2シンボル連続するところが1箇所存在する。（よって、NU-16QAMのシンボルが3シンボル以上連続するところは存在しない。）
・データシンボルが(12,4)16APSKのシンボル、NU-16QAMのシンボルのいずれかである場合、連続するデータシンボル群において、NU-16QAMのシンボルが3シンボル以上連続するところは存在しない。
【０１８９】
そして、実施の形態１から実施の形態４において、(12,4)16APSKのシンボルと(8,8)16APSKのシンボルで説明した部分（例えば、送信方法、パイロットシンボルの構成方法、受信装置の構成、TMCCを含む制御情報の構成等）のところで、(8,8)16APSKのシンボルに関する説明をNU-16QAMに置き換えて考えることで、(12,4)16APSKのシンボルとNU-16QAMのシンボルを用いた送信方法においても、実施の形態１から実施の形態４を同様に実施することができる。
（実施の形態６）
本実施の形態では、広帯域衛星デジタル放送に、実施の形態１から実施の形態５で説明した送信方法・送信装置、受信方法・受信装置を適用する場合の実施例を説明する。
【０１９０】
図２７は広帯域衛星デジタル放送のイメージ図を示している。実施の形態１から実施の形態５で説明した送信方法を用いて、図２７の衛星２７０２は送信信号を送信する。この送信信号を地上の受信装置は受信することになる。
一方、衛星２７０２が送信する変調信号で伝送するためのデータは、図２７の地上局２７０１が送信することになる。したがって、地上局２７０１は、衛星が送信するためのデータを含む変調信号を送信することになる。そして、衛星２７０２は、地上局２７０１が送信した変調信号を受信し、この変調信号に含まれるデータを実施の形態１から実施の形態５で説明した送信方法を用いて、送信することになる。
（実施の形態７）
本実施の形態では、実施の形態１、実施の形態２、実施の形態５等で説明した送信方法を用いた送信装置を受信側において、円滑に受信できるようにするためのＴＭＣＣ情報としてシグナリングされる様々な情報の構成例について説明する。
【０１９１】
図７の送信装置における無線部７１２が具備する電力増幅器により発生する歪みを低減するために、電力増幅器の歪みを補償する、または、バックオフ（無変調信号の飽和点出力に対する、変調信号の動作点出力の差分値）を確保する方法がある。
広帯域衛星デジタル放送では、電力増幅器の歪みに関連して、TMCC情報において、「衛星出力バックオフ」の情報を送信装置が送信している。
【０１９２】
本実施の形態では、さらに、電力増幅器の歪みに関連する高度な情報の伝送方法、および、それに伴う、ＴＭＣＣ情報の構成について説明する。以下で説明をする情報を伝送することで、受信装置は、歪みの少ない変調信号を受信することができるので、データの受信品質が向上するという効果を得ることができる。
新たに、TMCCの情報として、「電力増幅器の歪み補償を行ったかどうか」の情報、および、「電力増幅器の歪み補償の効果の程度をあらわす指標」の情報を伝送することを提案する。
【０１９３】
【表７】
2020156094.tif 000034
【０１９４】
表７に、電力増幅器の歪み補償に関する情報の構成の具体例を示す。表７のように、送信装置が、電力増幅器の歪み補償をOFFにする場合「0」、電力増幅器の歪み補償をONにする場合「1」を、例えば、TMCC情報の一部（制御情報の一部）として送信する。
【０１９５】
【表８】
2020156094.tif 000035
【０１９６】
表８に、電力増幅器の歪み補償の効果の程度をあらわす指標に関する情報の構成の具体例を示す。符号間（シンボル間）干渉が大きくなる場合、送信装置は「00」を送信する。符号間（シンボル間）干渉が中程度であれば、送信装置は「01」を送信する。符号間干渉はが小さい場合、送信装置は「10」を送信する。
実施の形態３の表２、表３、表４では、誤り訂正符号の符号化率が決定するとリング比が決定する構成としている。
【０１９７】
本実施の形態では、これとは異なる方法として、電力増幅器の歪み補償に関する情報・、および（または）、電力増幅器の歪み補償の効果の程度をあらわす指標に関する情報、および（または）、「衛星出力バックオフ」の情報に基づいて、リング比を決定し、誤り訂正符号の符号化率をＡと設定しても（ある値に設定しても）、送信装置は、リング比を複数個候補の中から選択する方法を提案する。このとき、TMCCの情報として、表１の「変調方式の情報」、および（または）、表５の「リング比に関する情報」、および（または）、表６の「変調方式の情報」を用いることで、送信装置は、受信装置に、変調方式の情報とリング比の情報を通知することができる。
【０１９８】
図２８に上述に関連するリング比決定に関するブロック線図を示す。図２８のリング比決定部２８０１は「変調方式情報」「誤り訂正符号の符号化率の情報」「衛星出力バックオフの情報」「電力増幅器の歪み補償に関する情報（ON/OFFの情報）」「電力増幅器の歪み補償の効果の程度をあらわす指標」を入力とし、これらの情報のすべて、または、これらの情報の一部を使用し、リング比の設定が必要な変調方式（または、送信方法）の場合（例えば、(8,8)16APSK、または、(12,4)APSK、または、(8,8)16APSKと(12,4)APSKを併用した送信方法の場合）、リング比を決定し、決定リング比の情報を出力する。そして、この決定リング比の情報に基づき、送信装置のマッピング部は、マッピングを行い、また、このリング比の情報は、例えば、表５、表６のようにして、制御情報として、受信装置に、送信装置は送信することになる。
【０１９９】
なお、特徴的な点は、変調方式Ａ、符号化率Ｂが選択されている際、リング比を複数の候補から設定できるという点である。
例えば、変調方式が(12,4)16APSK、誤り訂正符号の符号化率が61/129（近似値1/2）の
とき、リング比の候補として、C、D、Eの3種類があったとする。そして、バックオフの状況、電力増幅器の歪み補償に関する情報（ON/OFFの情報）により、どの値のリング比を使用するか、を決定するとよい。例えば、電力増幅器の歪み補償がONの場合、受信装置のデータの受信品質が良くなるようなリング比を選択すればよく、また、電力増幅器の歪み補償がOFF、バックオフが小さいとき、PAPRが小さくなるリング比を選択すればよい。（他の符号化率のときも、同様にして、リング比を決定すればよい。）なお、このような選択方法は、変調方式が(8,8)16APSK、および、実施の形態１で述べた(8,8)16APSKと(12,4)APSKを併用した送信方法の場合についても、同様に、適用することができる。
【０２００】
以上のように動作することで、受信装置のデータの受信品質を向上させることができるとともに、送信電力増幅器の負荷を軽減することができるという効果を得ることができる。
（実施の形態８）
実施の形態７では、実施の形態１から実施の形態４において、(8,8)16APSKのシンボル
のかわりにNU-16QAMのシンボルを用いる場合について説明した。本実施の形態では、NU-16QAMの拡張として(4,8,4)16APSKを提案し（NU-16QAMは(4,8,4)16APSKの一つの例である。）、実施の形態１から実施の形態４において、(8,8)16APSKのシンボルのかわりに(4,8,4)16APSKのシンボルを用いる場合について説明する。
【０２０１】
実施の形態１から実施の形態４では、送信フレームにおいて、(12,4)16APSKのシンボルと(8,8)16APSKのシンボルを切り替える方法、および、それに伴う、パイロットシンボル
の構成方法、TMCCを含む制御情報の構成方法等について説明した。
実施の形態１から実施の形態４と同様な効果を得る方法としては、送信フレームにおいて、(12,4)16APSKのシンボルと(8,8)16APSKのシンボルを用いる方法に限ったものではな
く、(12,4)16APSKのシンボルと(4,8,4)16APSKのシンボルを用いる方法でも、実施の形態
１から実施の形態４と同様の効果を得ることができる。つまり、実施の形態１から実施の形態４において、(8,8)16APSKのシンボルのかわりに(4,8,4)16APSKのシンボルを用いればよいことになる（併用して用いる変調方式は(12,4)16APSKである。）。
【０２０２】
したがって、本実施の形態では、(8,8)16APSKのシンボルのかわりに用いる(4,8,4)16APSKのシンボルの構成を中心に説明を行う。
＜信号点配置＞
図３０に示すように、(4,8,4)16APSKマッピングの信号点は、同相Ｉ―直交Ｑ平面にお
いて半径（振幅成分）の異なる３つの同心円に配置される。本明細書では、これらの同心円のうち、半径のＲ３の最も大きい円を「外円」、半径のＲ２の中間の大きさの円を「中円」、半径のＲ１の最も小さい円を「内円」と呼ぶ。なお、図３０のようにＲ１、Ｒ２、Ｒ３を定義したとき（なお、Ｒ１は実数であり、Ｒ１＞０とし、Ｒ２は実数であり、Ｒ２＞０、Ｒ３は実数であり、Ｒ３＞０、とする。また、Ｒ１＜Ｒ２＜Ｒ３とする。）
また、外円の円周上に４個の信号点、中円の円周上に８個の信号点、内円の円周上に4
個の信号点が配置されている。(4,8,4)16APSKの(4,8,4)は、外円、中円、内円の順にそれぞれ４個、12個、4個の信号点があることを意味する。
【０２０３】
次に、図７のマッピング部７０８が行う(4,8,4)16APSKの信号点配置と各信号点へのビ
ットの割り付け（ラベリング）について説明する。
図３０に同相Ｉ―直交Ｑ平面における(4,8,4)16APSKの信号点配置とラベリングの例を
示す。なお、実施の形態１から実施の形態４において、リング比を用いて説明したが、(4,8,4)16APSKの場合、２つのリング比を定義することになる。一つ目のリング比ｒ１＝Ｒ２／Ｒ１、もう一つのリング比はｒ２＝Ｒ３／Ｒ１となる。そして、実施の形態１から実施の形態４において、(8,8)16APSKのリング比にかわって、(4,8,4)16APSKの２つのリング比ｒ１＝Ｒ２／Ｒ１、ｒ２＝Ｒ３／Ｒ１を適用することになる。
【０２０４】
(4,8,4)16APSKの各信号点のIQ平面上の座標は次の通りである。
信号点1-1[0000]・・・（R3cos(π/4),R3sin(π/4)）
信号点1-2[0001]・・・（R2cosλ,R2sinλ）
信号点1-3[0101]・・・（R2cos(−λ),R2sin(−λ)）
信号点1-4[0100]・・・（R3cos(-π/4),R3sin(-π/4)）
信号点2-1[0010]・・・（R2cos(−λ＋π／２),R2sin(−λ＋π／２)）
信号点2-2[0011]・・・（R1cos(π/4),R1sin(π/4)）
信号点2-3[0111]・・・（R1cos(-π/4),R1sin(-π/4)）
信号点2-4[0110]・・・（R2cos(λ−π／２),R2sin(λ−π／２)）
信号点3-1[1010]・・・（R2cos(λ＋π／２),R2sin(λ＋π／２)）
信号点3-2[1011]・・・（R1cos(3π/4),R1sin(3π/4)）
信号点3-3[1111]・・・（R1cos(-3π/4),R1sin(-3π/4)）
信号点3-4[1110]・・・（R2cos(−λ−π／２),R2sin(−λ−π／２)）
信号点4-1[1000]・・・（R3cos(3π/4),R3sin(3π/4)）
信号点4-2[1001]・・・（R2cos(π−λ),R2sin(π−λ)）
信号点4-3[1101]・・・（R2cos(−π＋λ),R2sin(−π＋λ)）
信号点4-4[1100]・・・（R3cos(-3π/4),R3sin(-3π/4)）
なお、位相について、単位はラジアンを用いている。したがって、例えば、R3cos(π/4
)において、π/4の単位はラジアンである。以降についても、位相の単位はラジアンとす
る。また、λは０（ゼロ）ラジアンより大きくπ/4より小さいものとする（０ラジアン＜λ＜π/4ラジアン）。
【０２０５】
また、例えば、上記で、
信号点1-1[0000]・・・（R3cos(π/4),R3sin(π/4)）
と記載しているが、マッピング部７０８の入力となるデータにおいて、４つのビット[b3b2b1b0]＝[0000]のとき、マッピング後のベースバンド信号の同相成分I、直交成分Qが、（I,Q）= （R3cos(π/4),R3sin(π/4)）となることを意味している。
【０２０６】
もう一つの例で、
信号点4-4[1100]・・・（R3cos(-3π/4),R3sin(-3π/4)）
と記載しているが、マッピング部７０８の入力となるデータにおいて、４つのビット[b3b2b1b0]＝[1100]のとき、マッピング後のベースバンド信号の同相成分I、直交成分Qが、（I,Q）= （R3cos(-3π/4),R3sin(-3π/4)）となることを意味している。
【０２０７】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
＜送信出力＞
(12,4)16APSKのシンボルと(4,8,4)16APSKのシンボルにおける送信出力を同一にするた
めに、次のような正規化係数を用いることがある。(12,4)16APSKのシンボルの正規化係数については、実施の形態１で説明したとおりである。(4,8,4)16APSKのシンボルの正規化
係数は、次式で定義する。
【０２０８】
【数２６】
2020156094.tif 000036
【０２０９】
正規化前のベースバンド信号の同相成分をIb、直交成分をQbとする。そして、正規化後のベースバンド信号の同相成分をIn、直交成分をQnとする。すると、変調方式が(4,8,4)16APSKのとき、（In, Qn）=（a(4,8,4)×Ib, a(4,8,4)×Qb）が成立する。
なお、(4,8,4)16APSKのとき、正規化前のベースバンド信号の同相成分をIb、直交成分
をQbは、図３０に基づきマッピングすることにより得られたマッピング後のベースバンド信号の同相成分I、直交成分Qとなる。したがって、(4,8,4)16APSKのとき、以下の関係が
成立する。
【０２１０】
信号点1-1[0000]・・・（In, Qn）=（a(4,8,4)×R3cos(π/4), a(4,8,4)×R3sin(π/4)）
信号点1-2[0001]・・・（In, Qn）=（a(4,8,4)×R2cosλ, a(4,8,4)×R2sinλ）
信号点1-3[0101]・・・（In, Qn）=（a(4,8,4)×R2cos(−λ), a(4,8,4)×R2sin(−λ)）
信号点1-4[0100]・・・（In, Qn）=（a(4,8,4)×R3cos(-π/4), a(4,8,4)×R3sin(-π/4)）
信号点2-1[0010]・・・（In, Qn）=（a(4,8,4)×R2cos(−λ＋π／２), a(4,8,4)×R2sin(−λ＋π／２)）
信号点2-2[0011]・・・（In, Qn）=（a(4,8,4)×R1cos(π/4), a(4,8,4)×R1sin(π/4)）
信号点2-3[0111]・・・（In, Qn）=（a(4,8,4)×R1cos(-π/4), a(4,8,4)×R1sin(-π/4)）
信号点2-4[0110]・・・（In, Qn）=（a(4,8,4)×R2cos(λ−π／２), a(4,8,4)×R2sin(λ−π／２)）
信号点3-1[1010]・・・（In, Qn）=（a(4,8,4)×R2cos(λ＋π／２), a(4,8,4)×R2sin(λ＋π／２)）
信号点3-2[1011]・・・（In, Qn）=（a(4,8,4)×R1cos(3π/4), a(4,8,4)×R1sin(3π/4)）
信号点3-3[1111]・・・（In, Qn）=（a(4,8,4)×R1cos(-3π/4), a(4,8,4)×R1sin(-3
π/4)）
信号点3-4[1110]・・・（In, Qn）=（a(4,8,4)×R2cos(−λ−π／２), a(4,8,4)×R2sin(−λ−π／２)）
信号点4-1[1000]・・・（In, Qn）=（a(4,8,4)×R3cos(3π/4), a(4,8,4)×R3sin(3π/4)）
信号点4-2[1001]・・・（In, Qn）=（a(4,8,4)×R2cos(π−λ), a(4,8,4)×R2sin(π
−λ)）
信号点4-3[1101]・・・（In, Qn）=（a(4,8,4)×R2cos(−π＋λ), a(4,8,4)×R2sin(
−π＋λ)）
信号点4-4[1100]・・・（In, Qn）=（a(4,8,4)×R3cos(-3π/4), a(4,8,4)×R3sin(-3
π/4)）
また、例えば、上記で、
信号点1-1[0000]・・・（In, Qn）=（a(4,8,4)×R3cos(π/4), a(4,8,4)×R3sin(π/4)）
と記載しているが、マッピング部７０８の入力となるデータにおいて、４つのビット[b3b2b1b0]＝[0000]のとき、（In, Qn）=（a(4,8,4)×R3cos(π/4), a(4,8,4)×R3sin(π/4)
）となることを意味している。もう一つの例で、
信号点4-4[1100]・・・（In, Qn）=（a(4,8,4)×R3cos(-3π/4), a(4,8,4)×R3sin(-3
π/4)）
と記載しているが、マッピング部７０８の入力となるデータにおいて、４つのビット[b3b2b1b0]＝[1100]のとき、（In, Qn）=（a(4,8,4)×R3cos(-3π/4), a(4,8,4)×R3sin(-3π/4)）となることを意味している。
【０２１１】
この点については、信号点1-1、信号点1-2、信号点1-3、信号点1-4、信号点2-1、信号
点2-2、信号点2-3、信号点2-4、信号点3-1、信号点3-2、信号点3-3、信号点3-4、信号点4-1、信号点4-2、信号点4-3、信号点4-4についてすべて同様となる。
そして、マッピング部７０８は、上述で説明したIn、Qnをベースバンド信号同相成分、直交成分として出力することになる。
【０２１２】
＜(4,8,4)16APSKのラベリングと信号点配置について＞
［(4,8,4)16APSKのラベリングについて］
ここでは、(4,8,4)16APSKのラベリングについて説明を行う。なお、ラベリングとは、
入力となる4ビット[b3b2b1b0]と同相Ｉ―直交Ｑ平面における信号点の配置の関係のこと
である。図３０に(4,8,4)16APSKのラベリングの例を示したが、
以下の＜条件７＞かつ＜条件８＞を満たすラベリングであれば構わない。
【０２１３】
説明のために、以下の定義を行う。
伝送する4ビットが[ba3ba2ba1ba0]のとき、同相Ｉ―直交Ｑ平面において信号点Aを与えるものとし、伝送する4ビットが[bb3bb2bb1bb0]のとき、同相Ｉ―直交Ｑ平面において信
号点Bを与えるものとする。このとき、
「ba3＝bb3かつba2＝bb2かつba1＝bb1かつba0＝bb0」のときラベリングの異なるビット数を０と定義する。
【０２１４】
また、以下のように定義する。
「ba3≠bb3かつba2＝bb2かつba1＝bb1かつba0＝bb0」のときラベリングの異なるビット数を１と定義する。
「ba3＝bb3かつba2≠bb2かつba1＝bb1かつba0＝bb0」のときラベリングの異なるビット数を１と定義する。
【０２１５】
「ba3＝bb3かつba2＝bb2かつba1≠bb1かつba0＝bb0」のときラベリングの異なるビット数を１と定義する。
「ba3＝bb3かつba2＝bb2かつba1＝bb1かつba0≠bb0」のときラベリングの異なるビット数を１と定義する。
「ba3≠bb3かつba2≠bb2かつba1＝bb1かつba0＝bb0」のときラベリングの異なるビット数を２と定義する。
【０２１６】
「ba3≠bb3かつba2＝bb2かつba1≠bb1かつba0＝bb0」のときラベリングの異なるビット数を２と定義する。
「ba3≠bb3かつba2＝bb2かつba1＝bb1かつba0≠bb0」のときラベリングの異なるビット数を２と定義する。
「ba3＝bb3かつba2≠bb2かつba1≠bb1かつba0＝bb0」のときラベリングの異なるビット数を２と定義する。
【０２１７】
「ba3＝bb3かつba2≠bb2かつba1＝bb1かつba0≠bb0」のときラベリングの異なるビット数を２と定義する。
「ba3＝bb3かつba2＝bb2かつba1≠bb1かつba0≠bb0」のときラベリングの異なるビット数を２と定義する。
「ba3＝bb3かつba2≠bb2かつba1≠bb1かつba0≠bb0」のときラベリングの異なるビット数を３と定義する。
【０２１８】
「ba3≠bb3かつba2＝bb2かつba1≠bb1かつba0≠bb0」のときラベリングの異なるビット数を３と定義する。
「ba3≠bb3かつba2≠bb2かつba1＝bb1かつba0≠bb0」のときラベリングの異なるビット数を３と定義する。
「ba3≠bb3かつba2≠bb2かつba1≠bb1かつba0＝bb0」のときラベリングの異なるビット数を３と定義する。
【０２１９】
「ba3≠bb3かつba2≠bb2かつba1≠bb1かつba0≠bb0」のときラベリングの異なるビット数を４と定義する。
そして、グループの定義を行う。上述の(4,8,4)16APSKの説明における、信号点1-1、信号点1-2、信号点1-3、信号点1-4、信号点2-1、信号点2-2、信号点2-3、信号点2-4、信号
点3-1、信号点3-2、信号点3-3、信号点3-4、信号点4-1、信号点4-2、信号点4-3、信号点4-4において、「信号点1-1、信号点1-2、信号点1-3、信号点1-4をグループ1」と定義する
。同様に、「信号点2-1、信号点2-2、信号点2-3、信号点2-4をグループ2」、「信号点3-1、信号点3-2、信号点3-3、信号点3-4をグループ3」、「信号点4-1、信号点4-2、信号点4-3、信号点4-4をグループ4」と定義する。
【０２２０】
そして、以下の２つの条件を与える。
＜条件７＞：
Xは1,2,3,4であり、これを満たす、すべてのXで以下が成立する。
信号点X-1と信号点X-2のラベリングの異なるビット数は１
信号点X-2と信号点X-3のラベリングの異なるビット数は１
信号点X-3と信号点X-4のラベリングの異なるビット数は１
＜条件８＞：
uは1,2,3であり、vは1,2,3,4であり、これを満たす、すべてのu、すべてのvで以下が成立する。
信号点u-vと信号点(u+1)-vのラベリングの異なるビット数は１
以上をみたすことで、同相Ｉ―直交Q平面において、各信号点にとって近い距離にある
信号点とのラベリングの異なるビット数が小さいため、受信装置は高いデータの受信品質を得ることができる可能性が高くなる。そして、これにより、受信装置が反復検波を行った際、高いデータの受信品質を得ることができる可能性が高くなる。
【０２２１】
［(4,8,4)16APSKの信号点配置について］
上述では、図３０の同相Ｉ―直交Ｑ平面における信号点配置とラベリングについて説明したが、同相Ｉ―直交Ｑ平面における信号点配置とラベリングの方法はこれに限ったものではない。例えば、(4,8,4)16APSKの各信号点のIQ平面上の座標、ラベリングとして、以
下のものを考える。
【０２２２】
信号点1-1[0000] のIQ平面上の座標：（cosθ×R3×cos(π/4)-sinθ×R3×sin(π/4),
sinθ×R3×cos(π/4)+ cosθ×R3×sin(π/4)）
信号点1-2[0001] のIQ平面上の座標：（cosθ×R2×cosλ-sinθ×R2×sinλ, sinθ×R2×cosλ+ cosθ×R2×sinλ）
信号点1-3[0101] のIQ平面上の座標：（cosθ×R2×cos(−λ)-sinθ×R2×sin(−λ),
sinθ×R2×cos(−λ)+ cosθ×R2×sin(−λ)）
信号点1-4[0100] のIQ平面上の座標：（cosθ×R3×cos(-π/4)-sinθ×R3×sin(-π/4), sinθ×R3×cos(-π/4)+ cosθ×R3×sin(-π/4)）
信号点2-1[0010] のIQ平面上の座標：（cosθ×R2×cos(−λ＋π／２)-sinθ×R2×sin(−λ＋π／２), sinθ×R2×cos(−λ＋π／２)+ cosθ×R2×sin(−λ＋π／２)）
信号点2-2[0011] のIQ平面上の座標：（cosθ×R1×cos(π/4)-sinθ×R1×sin(π/4),
sinθ×R1×cos(π/4)+ cosθ×R1×sin(π/4)）
信号点2-3[0111] のIQ平面上の座標：（cosθ×R1×cos(-π/4)-sinθ×R1×sin(-π/4
), sinθ×R1×cos(-π/4)+ cosθ×R1×sin(-π/4)）
信号点2-4[0110] のIQ平面上の座標：（cosθ×R2×cos(λ−π／２)-sinθ×R2×sin(λ−π／２), sinθ×R2×cos(λ−π／２)+ cosθ×R2×sin(λ−π／２)）
信号点3-1[1010] のIQ平面上の座標：（cosθ×R2×cos(λ＋π／２)-sinθ×R2×sin(λ＋π／２), sinθ×R2×cos(λ＋π／２)+ cosθ×R2×sin(λ＋π／２)）
信号点3-2[1011] のIQ平面上の座標：（cosθ×R1×cos(3π/4)-sinθ×R1×sin(3π/4), sinθ×R1×cos(3π/4)+ cosθ×R1×sin(3π/4)）
信号点3-3[1111] のIQ平面上の座標：（cosθ×R1×cos(-3π/4)-sinθ×R1×sin(-3π/4), sinθ×R1×cos(-3π/4)+ cosθ×R1×sin(-3π/4)）
信号点3-4[1110] のIQ平面上の座標：（cosθ×R2×cos(−λ−π／２)-sinθ×R2×sin(−λ−π／２), sinθ×R2×cos(−λ−π／２)+ cosθ×R2×sin(−λ−π／２)）
信号点4-1[1000] のIQ平面上の座標：（cosθ×R3×cos(3π/4)-sinθ×R3×sin(3π/4), sinθ×R3×cos(3π/4)+ cosθ×R3×sin(3π/4)）
信号点4-2[1001] のIQ平面上の座標：（cosθ×R2×cos(π−λ)-sinθ×R2×sin(π−λ), sinθ×R2×cos(π−λ)+ cosθ×R2×sin(π−λ)）
信号点4-3[1101] のIQ平面上の座標：（cosθ×R2×cos(−π＋λ)-sinθ×R2×sin(−π＋λ), sinθ×R2×cos(−π＋λ)+ cosθ×R2×sin(−π＋λ)）
信号点4-4[1100] のIQ平面上の座標：（cosθ×R3×cos(-3π/4)-sinθ×R3×sin(-3π/4), sinθ×R3×cos(-3π/4)+ cosθ×R3×sin(-3π/4)）
なお、位相について、単位はラジアンを用いている。したがって、正規化後のベースバンド信号の同相成分をIn、直交成分をQnは以下のようにあらわされる。
【０２２３】
信号点1-1[0000] のIQ平面上の座標：（In, Qn）=（a(4,8,4)×cosθ×R3×cos(π/4)-
a(4,8,4)×sinθ×R3×sin(π/4), a(4,8,4)×sinθ×R3×cos(π/4)+ a(4,8,4)×cosθ×R3×sin(π/4)）
信号点1-2[0001] のIQ平面上の座標：（In, Qn）=（a(4,8,4)×cosθ×R2×cosλ- a(4,8,4)×sinθ×R2×sinλ, a(4,8,4)×sinθ×R2×cosλ+ a(4,8,4)×cosθ×R2×sinλ
）
信号点1-3[0101] のIQ平面上の座標：（In, Qn）=（a(4,8,4)×cosθ×R2×cos(−λ)-
a(4,8,4)×sinθ×R2×sin(−λ), a(4,8,4)×sinθ×R2×cos(−λ)+ a(4,8,4)×cosθ×R2×sin(−λ)）
信号点1-4[0100] のIQ平面上の座標：（In, Qn）=（a(4,8,4)×cosθ×R3×cos(-π/4)- a(4,8,4)×sinθ×R3×sin(-π/4), a(4,8,4)×sinθ×R3×cos(-π/4)+ a(4,8,4)×cosθ×R3×sin(-π/4)）
信号点2-1[0010] のIQ平面上の座標：（In, Qn）=（a(4,8,4)×cosθ×R2×cos(−λ＋π／２)- a(4,8,4)×sinθ×R2×sin(−λ＋π／２), a(4,8,4)×sinθ×R2×cos(−λ＋π／２)+ a(4,8,4)×cosθ×R2×sin(−λ＋π／２)）
信号点2-2[0011] のIQ平面上の座標：（In, Qn）=（a(4,8,4)×cosθ×R1×cos(π/4)-
a(4,8,4)×sinθ×R1×sin(π/4), a(4,8,4)×sinθ×R1×cos(π/4)+ a(4,8,4)×cosθ×R1×sin(π/4)）
信号点2-3[0111] のIQ平面上の座標：（In, Qn）=（a(4,8,4)×cosθ×R1×cos(-π/4)- a(4,8,4)×sinθ×R1×sin(-π/4), a(4,8,4)×sinθ×R1×cos(-π/4)+ a(4,8,4)×cosθ×R1×sin(-π/4)）
信号点2-4[0110] のIQ平面上の座標：（In, Qn）=（a(4,8,4)×cosθ×R2×cos(λ−π／２)- a(4,8,4)×sinθ×R2×sin(λ−π／２), a(4,8,4)×sinθ×R2×cos(λ−π／２
)+ a(4,8,4)×cosθ×R2×sin(λ−π／２)）
信号点3-1[1010] のIQ平面上の座標：（In, Qn）=（a(4,8,4)×cosθ×R2×cos(λ＋π／２)- a(4,8,4)×sinθ×R2×sin(λ＋π／２), a(4,8,4)×sinθ×R2×cos(λ＋π／２)+ a(4,8,4)× cosθ×R2×sin(λ＋π／２)）
信号点3-2[1011] のIQ平面上の座標：（In, Qn）=（a(4,8,4)×cosθ×R1×cos(3π/4)- a(4,8,4)×sinθ×R1×sin(3π/4), a(4,8,4)×sinθ×R1×cos(3π/4)+ a(4,8,4)×cosθ×R1×sin(3π/4)）
信号点3-3[1111] のIQ平面上の座標：（In, Qn）=（a(4,8,4)×cosθ×R1×cos(-3π/4)- a(4,8,4)×sinθ×R1×sin(-3π/4), a(4,8,4)×sinθ×R1×cos(-3π/4)+ a(4,8,4)
×cosθ×R1×sin(-3π/4)）
信号点3-4[1110] のIQ平面上の座標：（In, Qn）=（a(4,8,4)×cosθ×R2×cos(−λ−π／２)- a(4,8,4)×sinθ×R2×sin(−λ−π／２), a(4,8,4)×sinθ×R2×cos(−λ−π／２)+ a(4,8,4)×cosθ×R2×sin(−λ−π／２)）
信号点4-1[1000] のIQ平面上の座標：（In, Qn）=（a(4,8,4)×cosθ×R3×cos(3π/4)- a(4,8,4)×sinθ×R3×sin(3π/4), a(4,8,4)×sinθ×R3×cos(3π/4)+ a(4,8,4)×cosθ×R3×sin(3π/4)）
信号点4-2[1001] のIQ平面上の座標：（In, Qn）=（a(4,8,4)×cosθ×R2×cos(π−λ)- a(4,8,4)×sinθ×R2×sin(π−λ), a(4,8,4)×sinθ×R2×cos(π−λ)+ a(4,8,4)
×cosθ×R2×sin(π−λ)）
信号点4-3[1101] のIQ平面上の座標：（In, Qn）=（a(4,8,4)×cosθ×R2×cos(−π＋λ)- a(4,8,4)×sinθ×R2×sin(−π＋λ), a(4,8,4)×sinθ×R2×cos(−π＋λ)+ a(4,8,4)×cosθ×R2×sin(−π＋λ)）
信号点4-4[1100] のIQ平面上の座標：（In, Qn）=（a(4,8,4)×cosθ×R3×cos(-3π/4)- a(4,8,4)×sinθ×R3×sin(-3π/4), a(4,8,4)×sinθ×R3×cos(-3π/4)+ a(4,8,4)
×cosθ×R3×sin(-3π/4)）
なお、θは、同相Ｉ―直交Ｑ平面上で与える位相であり、a(4,8,4)は式（２６）に示したとおりである。
【０２２４】
なお、上記を例とする(4,8,4)16APSKと(12,4)16APSKによりシンボルを形成する場合、
実施の形態１と同様に実施すると、以下のいずれかの送信方法が考えられる。
・変調方式が(12,4)16APSKまたは(4,8,4)16APSKのいずれかであるシンボルが、3シンボル以上（または、４シンボル以上）連続するシンボル群において、(12,4)16APSKのシンボルが連続する部分が存在せず、かつ、(4,8,4)16APSKのシンボルが連続する部分が存在しな
い。
・「周期Ｍのシンボル群」において、(4,8,4)16APSKのシンボル数は、(12,4)16APSKのシ
ンボル数より１多い、つまり、(12,4)16APSKのシンボル数をＮであり、(4,8,4)16APSKの
シンボル数はＮ＋１となる。（なお、Ｎは自然数となる。）そして、「周期Ｍのシンボル群」において、(4,8,4)16APSKのシンボルが2シンボル連続するところがない、または、(4,8,4)16APSKのシンボルが2シンボル連続するところが1箇所存在する。（よって、(4,8,4)16APSKのシンボルが3シンボル以上連続するところは存在しない。）
・データシンボルが(12,4)16APSKのシンボル、(4,8,4)16APSKのシンボルのいずれかであ
る場合、連続するデータシンボル群において、(4,8,4)16APSKのシンボルが3シンボル以上連続するところは存在しない。
【０２２５】
そして、実施の形態１から実施の形態４において、(12,4)16APSKのシンボルと(8,8)16A
PSKのシンボルで説明した部分（例えば、送信方法、パイロットシンボルの構成方法（実
施の形態２）、受信装置の構成、TMCCを含む制御情報の構成等）のところで、(8,8)16APSKのシンボルに関する説明を(4,8,4)16APSKに置き換えて考えることで、(12,4)16APSKのシンボルと(4,8,4)16APSKのシンボルを用いた送信方法においても、実施の形態１から実施の形態４を同様に実施することができる。
【０２２６】
（実施の形態９）
実施の形態８では、実施の形態１から実施の形態４において、(8,8)16APSKのシンボル
のかわりに(4,8,4)16APSKのシンボルを用いる場合について説明した。本実施の形態では
、実施の形態９で説明した(4,8,4)16APSK において、データの受信品質を向上させるための信号点配置に関する条件を説明する。
【０２２７】
実施の形態８で述べたように、図３０は、同相Ｉ−直交Ｑ平面における(4,8,4)16APSK
の１６個の信号点の配置例を示している。このとき、Ｑ＝０かつＩ≧０の半直線とＱ＝（ｔａｎλ）×ＩかつＱ≧０の半直線が形成する位相をλ（ラジアン）とする（ただし、０ラジアン＜λ＜π／４ラジアンとする。）
図３０では、λ＜π／８ラジアンとして、(4,8,4)16APSKの１６個の信号点を描いてい
る。
【０２２８】
図３１では、λ≧π／８ラジアンとして、(4,8,4)16APSKの１６個の信号点を描いてい
る。
まず、半径のＲ２の中間の大きさの円を、「中円」に存在する８個の信号点、つまり、信号点１−２、信号点１−３、信号点２−１、信号点２−４、信号点３−１、信号点３−４、信号点４−２、信号点４−３が存在する。この８個の信号点に着目し、高い受信品質を得るためには、８PSKと同様の信号点配置となるようにλをπ／８ラジアンにする設定
する方法が考えられる。
【０２２９】
しかし、半径のＲ３の最も大きい円の「外円」に４個の信号点、つまり、信号点１−１、信号点１−４、信号点４−１、信号点４−４が存在する。また、半径のＲ１の最も小さい円の「内円」に４個の信号点、つまり、信号点２−２、信号点２−３、信号点３−２、信号点３−３が存在する。これらの信号点と「中円」に存在する８個の信号点ぼ関係に注目すると、
＜条件９＞
λ＜π／８ラジアン
であるとよい（高いデータの受信品質を得るための一つの条件となる）。
【０２３０】
この点について、図３０、図３１を用いて説明する。図３０、図３１において、第１象限の、「中円」に存在する、信号点１−２、信号点２−１、「外円」に存在する、信号点１−１、「内円」に存在する、信号点２−２に着目する。なお、第１象限の信号点１−２、信号点２−１、信号点１−１、信号点２−２に着目しているが、この信号点４点に着目して議論すれば、第２象限に存在する信号点４点、第３象限に存在する信号点４点、第４象限に存在する信号点４点、いずれにおいても同様の議論を行ったことになる。
【０２３１】
図３１からわかるように、λ≧π／８ラジアンとした場合、「中円」に存在する、信号点１−２、信号点２−１は、「外円」に存在する、信号点１−１との距離が短くなる。このため、雑音に対する耐性が低下するため、受信装置におけるデータの受信品質が低下する。
なお、図３１の場合、「外円」に存在する、信号点１−１に着目したが、Ｒ１、Ｒ２、Ｒ３の値によっては、「内円」に存在する信号点２−２に着目する必要があり、このときも同様に、λ≧π／８ラジアンとした場合、「中円」に存在する、信号点１−２、信号点２−１は、「内円」に存在する信号点２−２との距離が短くなる。このため、雑音に対する耐性が低下するため、受信装置におけるデータの受信品質が低下する。
【０２３２】
一方、図３０のようにλ＜π／８ラジアンに設定すると、信号点１−１と信号点１−２の距離、信号点１−１と信号点２−１の距離、信号点２−２と信号点１−２の距離、信号点２−２と信号点２−１の距離、いずれも、大きく設定することができ、したがって、高いデータの受信品質を得るための一つの条件となる。
以上の点から、受信装置が高いデータの受信品質を得るためには、＜条件９＞が重要な条件の一つとなる。
【０２３３】
次に、受信装置が高いデータの受信品質を得るための、さらなる条件について説明する。
図３２において、第１象限の信号点１−２、信号点２−２に着目する。なお、第１象限の信号点１−２、信号点２−２に着目しているが、これにより、第２象限の信号点３−２、信号点４−２、第３象限の信号点３−３、信号点４−３、第４象限の信号点１−３、信号点２−３に着目したことにもなる。
【０２３４】
信号点１−２の座標は、（R2cosλ,R2sinλ）であり、信号点２−２の座標は（R1cos(
π/4),R1sin(π/4)）である。このとき、受信装置が高いデータの受信品質を得ることが
できる可能性を高くするために、以下の条件を与える。
＜条件１０＞
R1sin(π/4)＜R2sinλ
「内円」に存在する４個の信号点のうち、最小のユークリッド距離をαとする。（信号点２−２と信号点２−３のユークリッド距離、信号点２−３と信号点３−３のユークリッド距離、信号点３−３と信号点３−２のユークリッド距離、信号点３−２と信号点２−２の距離はαとなる。）
「中円」の８個の信号点のうち、信号点１−２と信号点１−３のユークリッド距離をβとする。なお、信号点２−１と信号点３−１のユークリッド距離、信号点４−２と信号点４−３のユークリッド距離、信号点３−４と信号点２−４のユークリッド距離もβとなる。
【０２３５】
＜条件１０＞が成立する場合、α＜βが成立することになる。
以上の点を考慮すると、＜条件９＞と＜条件１０＞の両者が成立すると、１６個の信号点のうち異なる２個の信号点を抽出することでできるユークリッド距離を考えたとき、いずれの異なる２個の信号点を抽出してもユークリッド距離を大きくなり、これにより、受信装置は、高いデータの受信品質を得ることができる可能性が高くなる。
【０２３６】
ただし、＜条件９＞と＜条件１０＞の両者を満たさなくても、受信装置で、高いデータの受信品質を得られる可能性はある。これは、図７に示した送信装置における無線部７１２に含まれる送信系の電力増幅器の歪み特性（例えば、図１参照）により、好適な条件が異なる可能性があるからである。
【０２３７】
この場合、実施の形態８で述べた同相Ｉ―直交Ｑの(4,8,4)16APSKの信号点の配置（信
号点の座標）を考えた場合、＜条件１０＞に加え、以下の条件を与える。
信号点１−２の座標は、（R2cosλ,R2sinλ）であり、信号点２−２の座標は（R1cos(
π/4),R1sin(π/4)）である。そして、以下の条件を与える。
＜条件１１＞
R1sin(π/4)≠R2sinλ
信号点１−１の座標は、（R3cos(π/4),R3sin(π/4)）であり、信号点１−２の座標は
（R2cosλ,R2sinλ）である。そして、以下の条件を与える。
＜条件１２＞
R2cosλ≠R3cos(π/4)
そして、以下の９つの(4,8,4)16APSKを考える。
［１］ 実施の形態８で述べた同相Ｉ―直交Ｑの(4,8,4)16APSKの信号点の配置（信号点の座標）に対し、＜条件１０＞を満たす。（ただし、Ｒ１＜Ｒ２＜Ｒ３）
［２］ 実施の形態８で述べた同相Ｉ―直交Ｑの(4,8,4)16APSKの信号点の配置（信号点の座標）に対し、＜条件１１＞を満たす。（ただし、Ｒ１＜Ｒ２＜Ｒ３）
［３］ 実施の形態８で述べた同相Ｉ―直交Ｑの(4,8,4)16APSKの信号点の配置（信号点の座標）に対し、＜条件１２＞を満たす。（ただし、Ｒ１＜Ｒ２＜Ｒ３）
［４］ 実施の形態８で述べた同相Ｉ―直交Ｑの(4,8,4)16APSKの信号点の配置（信号点の座標）に対し、＜条件９＞および＜条件１０＞を満たす。（ただし、Ｒ１＜Ｒ２＜Ｒ３）［５］実施の形態８で述べた同相Ｉ―直交Ｑの(4,8,4)16APSKの信号点の配置（信号点の
座標）に対し、＜条件９＞および＜条件１１＞を満たす。（ただし、Ｒ１＜Ｒ２＜Ｒ３）［６］ 実施の形態８で述べた同相Ｉ―直交Ｑの(4,8,4)16APSKの信号点の配置（信号点の座標）に対し、＜条件９＞および＜条件１２＞を満たす。（ただし、Ｒ１＜Ｒ２＜Ｒ３）
［７］ 実施の形態８で述べた同相Ｉ―直交Ｑの(4,8,4)16APSKの信号点の配置（信号点の座標）に対し、＜条件１０＞を満たし、λ＝π／１２ラジアンとする。（ただし、Ｒ１＜Ｒ２＜Ｒ３）
［８］実施の形態８で述べた同相Ｉ―直交Ｑの(4,8,4)16APSKの信号点の配置（信号点の
座標）に対し、＜条件１１＞を満たし、λ＝π／１２ラジアンとする。（ただし、Ｒ１＜Ｒ２＜Ｒ３）
［９］ 実施の形態８で述べた同相Ｉ―直交Ｑの(4,8,4)16APSKの信号点の配置（信号点の座標）に対し、＜条件１２＞を満たし、λ＝π／１２ラジアンとする。（ただし、Ｒ１＜Ｒ２＜Ｒ３）
これらの９つの(4,8,4)16APSKの同相Ｉ―直交Ｑの信号点配置（信号点の座標）は、実
施の形態７で述べたNU-16QAMの同相Ｉ―直交Ｑの信号点配置（信号点の座標）とは異なる信号点配置となり、本実施の形態特有の信号点配置となる。
【０２３８】
さらに、以下の９つの(4,8,4)16APSKを考える。
［１０］ 実施の形態８で述べた同相Ｉ―直交Ｑの(4,8,4)16APSKの信号点の配置（信号点の座標）に対し、＜条件１０＞を満たし、かつ、＜条件７＞および＜条件８＞を満たす。（ただし、Ｒ１＜Ｒ２＜Ｒ３）
［１１］ 実施の形態８で述べた同相Ｉ―直交Ｑの(4,8,4)16APSKの信号点の配置（信号点の座標）に対し、＜条件１１＞を満たし、かつ、＜条件７＞および＜条件８＞を満たす。
（ただし、Ｒ１＜Ｒ２＜Ｒ３）
［１２］ 実施の形態８で述べた同相Ｉ―直交Ｑの(4,8,4)16APSKの信号点の配置（信号点の座標）に対し、＜条件１２＞を満たし、かつ、＜条件７＞および＜条件８＞を満たす。（ただし、Ｒ１＜Ｒ２＜Ｒ３）
［１３］ 実施の形態８で述べた同相Ｉ―直交Ｑの(4,8,4)16APSKの信号点の配置（信号点の座標）に対し、＜条件９＞および＜条件１０＞を満たし、かつ、＜条件７＞および＜条件８＞を満たす。（ただし、Ｒ１＜Ｒ２＜Ｒ３）
［１４］実施の形態８で述べた同相Ｉ―直交Ｑの(4,8,4)16APSKの信号点の配置（信号点
の座標）に対し、＜条件９＞および＜条件１１＞を満たし、かつ、＜条件７＞および＜条件８＞を満たす。（ただし、Ｒ１＜Ｒ２＜Ｒ３）
［１５］ 実施の形態８で述べた同相Ｉ―直交Ｑの(4,8,4)16APSKの信号点の配置（信号点の座標）に対し、＜条件９＞および＜条件１２＞を満たし、かつ、＜条件７＞および＜条件８＞を満たす。（ただし、Ｒ１＜Ｒ２＜Ｒ３）
［１６］ 実施の形態８で述べた同相Ｉ―直交Ｑの(4,8,4)16APSKの信号点の配置（信号点の座標）に対し、＜条件１０＞を満たし、λ＝π／１２ラジアンとし、かつ、＜条件７＞および＜条件８＞を満たす。（ただし、Ｒ１＜Ｒ２＜Ｒ３）
［１７］実施の形態８で述べた同相Ｉ―直交Ｑの(4,8,4)16APSKの信号点の配置（信号点
の座標）に対し、＜条件１１＞を満たし、λ＝π／１２ラジアンとし、かつ、＜条件７＞および＜条件８＞を満たす。（ただし、Ｒ１＜Ｒ２＜Ｒ３）
［１８］ 実施の形態８で述べた同相Ｉ―直交Ｑの(4,8,4)16APSKの信号点の配置（信号点の座標）に対し、＜条件１２＞を満たし、λ＝π／１２ラジアンとし、かつ、＜条件７＞および＜条件８＞を満たす。（ただし、Ｒ１＜Ｒ２＜Ｒ３）
以上により、同相Ｉ―直交Q平面において、各信号点にとって近い距離にある信号点と
のラベリングの異なるビット数が小さいため、受信装置は高いデータの受信品質を得ることができる可能性が高くなる。そして、これにより、受信装置が反復検波を行った際、高いデータの受信品質を得ることができる可能性が高くなる。
【０２３９】
（実施の形態１０）
実施の形態１から実施の形態４では、送信フレームにおいて、(12,4)16APSKのシンボルと(8,8)16APSKのシンボルを切り替える方法、および、それに伴う、パイロットシンボル
の構成方法、TMCCを含む制御情報の構成方法等について説明した。そして、実施の形態７では、実施の形態１から実施の形態４に対し、(8,8)16APSKの代わりにNU-16QAMを用いる
方法、そして、実施の形態８では、実施の形態１から実施の形態４に対し、(8,8)16APSK
の代わりに(4,8,4)16APSKを用いる方法について説明した。
実施の形態９では、実施の形態１から実施の形態４に対し、(8,8)16APSKの代わりに(4,8,4)16APSKを用いる方法において、受信装置が良好なデータの受信品質を得るための(4,8,4)16APSKの信号点配置について説明した。
【０２４０】
例えば、衛星放送のような、図７に示した送信装置における無線部７１２に含まれる送信系の電力増幅器の歪み特性が厳しい状況において、変調方式として、(4,8,4)16APSKを
（単独で）用いても、PAPRが小さいため、符号間干渉が発生しづらく、また、(12,4)16APSKに比べて、(4,8,4)16APSKは、信号点配置とラベリングが好適化しているため、受信装置において、高いデータの受信品質を得ることができる可能性が高い。
本実施の形態では、この点、つまり、データシンボルの変調方式として、(4,8,4)16APSKを指定することができる送信方法について説明する。
【０２４１】
例えば、図１１のような変調信号のフレーム構成の場合、Data #1からData#7920の変調方式として(4,8,4)16APSKを指定できるものとする。
したがって、図１１において、横軸時間として、「第１番目のシンボル、第２番目のシンボル、第３番目のシンボル、・・・、第１３５番目のシンボル、第１３６番目のシンボル」と並んでいるとき、「第１番目のシンボル、第２番目のシンボル、第３番目のシンボル、・・・、第１３５番目のシンボル、第１３６番目のシンボル」の変調方式として、(4,8,4)16APSKを指定することができるものとする。
【０２４２】
このときの特徴の一つとしては、「(4,8,4)16APSKのシンボルが２シンボル以上連続し
ている」ということなる。なお、２シンボル以上連続する(4,8,4)16APSKのシンボルは、
例えば、シングルキャリア伝送方式を用いている場合、時間軸方向に連続することになる。（図３３参照）また、OFDM（Orthogonal Frequency Division Multiplexing）方式を例とするマルチキャリアの伝送方式を用いている場合、２シンボル以上連続する(4,8,4)16APSKのシンボルは、時間軸方向で連続していてもよいし（図３３参照）、周波数軸方向
で連続していてもよい（図３４参照）。
【０２４３】
図３３は、横軸時間としたときのシンボルの配置例を示しており、時間＃１に(4,8,4)16APSKのシンボル、時間＃２に(4,8,4)16APSKのシンボル、時間＃３に(4,8,4)16APSKのシ
ンボル、・・・を配置している。
図３４は、横軸周波数としたときのシンボルの配置例を示しており、キャリア＃１に(4,8,4)16APSKのシンボル、キャリア＃２に(4,8,4)16APSKのシンボル、キャリア＃３に(4,8,4)16APSKのシンボル、・・・を配置している。
【０２４４】
さらに、図３５、図３６に「(4,8,4)16APSKのシンボルが２シンボル以上連続している
」例を示す。
図３５は、横軸時間としたときのシンボルの配置例を示しており、時間＃１はその他のシンボル、時間＃２に(4,8,4)16APSKのシンボル、時間＃３に(4,8,4)16APSKのシンボル、時間＃４に(4,8,4)16APSKのシンボル、時間＃５はその他のシンボル、・・・を配置して
いる。なお、その他のシンボルは、パイロットシンボル、制御情報を伝送するシンボル、リファレンスシンボル、周波数または時間同期のためのシンボル等のどのようなシンボルであってもよい。
【０２４５】
図３６は、横軸周波数としたときのシンボルの配置例を示しており、キャリア＃１はその他のシンボル、キャリア＃２に(4,8,4)16APSKのシンボル、キャリア＃３に(4,8,4)16APSKのシンボル、キャリア＃４に(4,8,4)16APSKのシンボル、キャリア＃５はその他のシンボル、・・・を配置している。なお、その他のシンボルは、パイロットシンボル、制御情報を伝送するシンボル、リファレンスシンボル、周波数または時間同期のためのシンボル等のどのようなシンボルであってもよい。
【０２４６】
なお、(4,8,4)16APSKのシンボルは、データを伝送するためのシンボルであってもよい
し、実施の形態２で説明したパイロットシンボルであってもよい。
データを伝送するためのシンボルのとき、4ビットのデータb3, b2, b1, b0から、実施
の形態８で説明した(4,8,4)16APSKのマッピングを行い、ベースバンド信号の同相成分と
直交成分を得ることになる。
【０２４７】
以上のように、データシンボルの変調方式を(4,8,4)16APSKとしても、PAPRが小さいた
め、符号間干渉が発生しづらく、また、(12,4)16APSKに比べて、(4,8,4)16APSKは、信号
点配置とラベリングが好適化しているため、受信装置において、高いデータの受信品質を得ることができる可能性が高い。
【０２４８】
このとき、(4,8,4)16APSKに対し、実施の形態９で述べた信号点配置とすることで、よ
り高いデータの受信品質を得ることができる可能性が高くなる。具体的な例は、以下のとおりである。
［１］ 実施の形態８で述べた同相Ｉ―直交Ｑの(4,8,4)16APSKの信号点の配置（信号点の座標）に対し、＜条件１０＞を満たす。（ただし、Ｒ１＜Ｒ２＜Ｒ３）
［２］ 実施の形態８で述べた同相Ｉ―直交Ｑの(4,8,4)16APSKの信号点の配置（信号点の座標）に対し、＜条件１１＞を満たす。（ただし、Ｒ１＜Ｒ２＜Ｒ３）
［３］ 実施の形態８で述べた同相Ｉ―直交Ｑの(4,8,4)16APSKの信号点の配置（信号点の座標）に対し、＜条件１２＞を満たす。（ただし、Ｒ１＜Ｒ２＜Ｒ３）
［４］ 実施の形態８で述べた同相Ｉ―直交Ｑの(4,8,4)16APSKの信号点の配置（信号点の座標）に対し、＜条件９＞および＜条件１０＞を満たす。（ただし、Ｒ１＜Ｒ２＜Ｒ３）［５］実施の形態８で述べた同相Ｉ―直交Ｑの(4,8,4)16APSKの信号点の配置（信号点の
座標）に対し、＜条件９＞および＜条件１１＞を満たす。（ただし、Ｒ１＜Ｒ２＜Ｒ３）［６］ 実施の形態８で述べた同相Ｉ―直交Ｑの(4,8,4)16APSKの信号点の配置（信号点の座標）に対し、＜条件９＞および＜条件１２＞を満たす。（ただし、Ｒ１＜Ｒ２＜Ｒ３）
［７］ 実施の形態８で述べた同相Ｉ―直交Ｑの(4,8,4)16APSKの信号点の配置（信号点の座標）に対し、＜条件１０＞を満たし、λ＝π／１２ラジアンとする。（ただし、Ｒ１＜Ｒ２＜Ｒ３）
［８］実施の形態８で述べた同相Ｉ―直交Ｑの(4,8,4)16APSKの信号点の配置（信号点の
座標）に対し、＜条件１１＞を満たし、λ＝π／１２ラジアンとする。（ただし、Ｒ１＜Ｒ２＜Ｒ３）
［９］ 実施の形態８で述べた同相Ｉ―直交Ｑの(4,8,4)16APSKの信号点の配置（信号点の座標）に対し、＜条件１２＞を満たし、λ＝π／１２ラジアンとする。（ただし、Ｒ１＜Ｒ２＜Ｒ３）
［１０］ 実施の形態８で述べた同相Ｉ―直交Ｑの(4,8,4)16APSKの信号点の配置（信号点の座標）に対し、＜条件１０＞を満たし、かつ、＜条件７＞および＜条件８＞を満たす。（ただし、Ｒ１＜Ｒ２＜Ｒ３）
［１１］ 実施の形態８で述べた同相Ｉ―直交Ｑの(4,8,4)16APSKの信号点の配置（信号点の座標）に対し、＜条件１１＞を満たし、かつ、＜条件７＞および＜条件８＞を満たす。（ただし、Ｒ１＜Ｒ２＜Ｒ３）
［１２］ 実施の形態８で述べた同相Ｉ―直交Ｑの(4,8,4)16APSKの信号点の配置（信号点の座標）に対し、＜条件１２＞を満たし、かつ、＜条件７＞および＜条件８＞を満たす。（ただし、Ｒ１＜Ｒ２＜Ｒ３）
［１３］ 実施の形態８で述べた同相Ｉ―直交Ｑの(4,8,4)16APSKの信号点の配置（信号点の座標）に対し、＜条件９＞および＜条件１０＞を満たし、かつ、＜条件７＞および＜条件８＞を満たす。（ただし、Ｒ１＜Ｒ２＜Ｒ３）
［１４］実施の形態８で述べた同相Ｉ―直交Ｑの(4,8,4)16APSKの信号点の配置（信号点
の座標）に対し、＜条件９＞および＜条件１１＞を満たし、かつ、＜条件７＞および＜条件８＞を満たす。（ただし、Ｒ１＜Ｒ２＜Ｒ３）
［１５］ 実施の形態８で述べた同相Ｉ―直交Ｑの(4,8,4)16APSKの信号点の配置（信号点の座標）に対し、＜条件９＞および＜条件１２＞を満たし、かつ、＜条件７＞および＜条件８＞を満たす。（ただし、Ｒ１＜Ｒ２＜Ｒ３）
［１６］ 実施の形態８で述べた同相Ｉ―直交Ｑの(4,8,4)16APSKの信号点の配置（信号点の座標）に対し、＜条件１０＞を満たし、λ＝π／１２ラジアンとし、かつ、＜条件７＞
および＜条件８＞を満たす。（ただし、Ｒ１＜Ｒ２＜Ｒ３）
［１７］実施の形態８で述べた同相Ｉ―直交Ｑの(4,8,4)16APSKの信号点の配置（信号点
の座標）に対し、＜条件１１＞を満たし、λ＝π／１２ラジアンとし、かつ、＜条件７＞および＜条件８＞を満たす。（ただし、Ｒ１＜Ｒ２＜Ｒ３）
［１８］ 実施の形態８で述べた同相Ｉ―直交Ｑの(4,8,4)16APSKの信号点の配置（信号点の座標）に対し、＜条件１２＞を満たし、λ＝π／１２ラジアンとし、かつ、＜条件７＞および＜条件８＞を満たす。（ただし、Ｒ１＜Ｒ２＜Ｒ３）
［１９］ 実施の形態８で述べた同相Ｉ―直交Ｑの(4,8,4)16APSKの信号点の配置（信号点の座標）に対し、＜条件９＞および＜条件１０＞を満たす。（ただし、Ｒ１＜Ｒ２＜Ｒ３）
［２０］ 実施の形態８で述べた同相Ｉ―直交Ｑの(4,8,4)16APSKの信号点の配置（信号点の座標）に対し、＜条件９＞および＜条件１０＞を満たし、かつ、＜条件７＞および＜条件８＞を満たす。（ただし、Ｒ１＜Ｒ２＜Ｒ３）
（実施の形態１１）
＜パイロットシンボルの例＞
本実施の形態では、上記の実施の形態１０で説明した送信方式（データシンボルの変調方式が(4,8,4)16APSK）におけるパイロットシンボルの構成例について説明する。
【０２４９】
なお、本実施の形態における送信装置の構成は、実施の形態１で説明したものと同様であるためその説明を省略する。（ただし、(8,8)16APSKの代わりに(4,8,4)16APSKを用いることになる。）
送信装置の電力増幅器の非線形性から、変調信号は、符号間干渉が発生する。受信装置では、この符号間干渉を低減させることで、高いデータの受信品質を得ることができる。
【０２５０】
本パイロットシンボルの構成例では、受信装置で、符号間干渉を低減するために、送信装置が、データシンボルにおいて、
「(4,8,4)16APSKのシンボルが２シンボル以上連続している」
が成立する場合、(4,8,4)16APSKが取り得る同相Ｉ―直交Ｑ平面のすべての信号点に相当
するベースバンド信号（つまり、伝送する４ビット[b3b2b1b0]が[0000]から[1111]の16個の信号点に相当するベースバンド信号）、を発生させ、パイロットシンボルとして送信する方法を提案する。これにより、受信装置は、(4,8,4)16APSKが取り得る同相Ｉ―直交Ｑ
平面のすべての信号点における符号間干渉を推定することができるので、高いデータの受信品質を得ることができる可能性が高い。
【０２５１】
具体的には、順に、
(4,8,4)16APSK 16APSKの[b3b2b1b0]=[0000]に対応する信号点（ベースバンド信号）のシ
ンボル、
(4,8,4)16APSK 16APSKの[b3b2b1b0]=[0001]に対応する信号点（ベースバンド信号）のシ
ンボル、
(4,8,4)16APSK 16APSKの[b3b2b1b0]=[0010]に対応する信号点（ベースバンド信号）のシ
ンボル、
(4,8,4)16APSK 16APSKの[b3b2b1b0]=[0011]に対応する信号点（ベースバンド信号）のシ
ンボル、
(4,8,4)16APSK 16APSKの[b3b2b1b0]=[0100]に対応する信号点（ベースバンド信号）のシ
ンボル、
(4,8,4)16APSK 16APSKの[b3b2b1b0]=[0101]に対応する信号点（ベースバンド信号）のシ
ンボル、
(4,8,4)16APSK 16APSKの[b3b2b1b0]=[0110]に対応する信号点（ベースバンド信号）のシ
ンボル、
(4,8,4)16APSK 16APSKの[b3b2b1b0]=[0111]に対応する信号点（ベースバンド信号）のシ
ンボル、
(4,8,4)16APSK 16APSKの[b3b2b1b0]=[1000]に対応する信号点（ベースバンド信号）のシ
ンボル、
(4,8,4)16APSK 16APSKの[b3b2b1b0]=[1001]に対応する信号点（ベースバンド信号）のシ
ンボル、
(4,8,4)16APSK 16APSKの[b3b2b1b0]=[1010]に対応する信号点（ベースバンド信号）のシ
ンボル、
(4,8,4)16APSK 16APSKの[b3b2b1b0]=[1011]に対応する信号点（ベースバンド信号）のシ
ンボル、
(4,8,4)16APSK 16APSKの[b3b2b1b0]=[1100]に対応する信号点（ベースバンド信号）のシ
ンボル、
(4,8,4)16APSK 16APSKの[b3b2b1b0]=[1101]に対応する信号点（ベースバンド信号）のシ
ンボル、
(4,8,4)16APSK 16APSKの[b3b2b1b0]=[1110]に対応する信号点（ベースバンド信号）のシ
ンボル、
(4,8,4)16APSK 16APSKの[b3b2b1b0]=[1111]に対応する信号点（ベースバンド信号）のシ
ンボル、
をパイロットシンボル（リファレンスシンボル）として送信する。
【０２５２】
なお、上記の特徴は、
＜１＞((4,8,4)16APSKが取り得る同相Ｉ―直交Ｑ平面のすべての信号点に相当するシンボル、つまり、
(4,8,4)16APSK 16APSKの[b3b2b1b0]=[0000]に対応する信号点（ベースバンド信号）のシ
ンボル、
(4,8,4)16APSK 16APSKの[b3b2b1b0]=[0001]に対応する信号点（ベースバンド信号）のシ
ンボル、
(4,8,4)16APSK 16APSKの[b3b2b1b0]=[0010]に対応する信号点（ベースバンド信号）のシ
ンボル、
(4,8,4)16APSK 16APSKの[b3b2b1b0]=[0011]に対応する信号点（ベースバンド信号）のシ
ンボル、
(4,8,4)16APSK 16APSKの[b3b2b1b0]=[0100]に対応する信号点（ベースバンド信号）のシ
ンボル、
(4,8,4)16APSK 16APSKの[b3b2b1b0]=[0101]に対応する信号点（ベースバンド信号）のシ
ンボル、
(4,8,4)16APSK 16APSKの[b3b2b1b0]=[0110]に対応する信号点（ベースバンド信号）のシ
ンボル、
(4,8,4)16APSK 16APSKの[b3b2b1b0]=[0111]に対応する信号点（ベースバンド信号）のシ
ンボル、
(4,8,4)16APSK 16APSKの[b3b2b1b0]=[1000]に対応する信号点（ベースバンド信号）のシ
ンボル、
(4,8,4)16APSK 16APSKの[b3b2b1b0]=[1001]に対応する信号点（ベースバンド信号）のシ
ンボル、
(4,8,4)16APSK 16APSKの[b3b2b1b0]=[1010]に対応する信号点（ベースバンド信号）のシ
ンボル、
(4,8,4)16APSK 16APSKの[b3b2b1b0]=[1011]に対応する信号点（ベースバンド信号）のシ
ンボル、
(4,8,4)16APSK 16APSKの[b3b2b1b0]=[1100]に対応する信号点（ベースバンド信号）のシ
ンボル、
(4,8,4)16APSK 16APSKの[b3b2b1b0]=[1101]に対応する信号点（ベースバンド信号）のシ
ンボル、
(4,8,4)16APSK 16APSKの[b3b2b1b0]=[1110]に対応する信号点（ベースバンド信号）のシ
ンボル、
(4,8,4)16APSK 16APSKの[b3b2b1b0]=[1111]に対応する信号点（ベースバンド信号）のシ
ンボル、
を送信することであり、送信する順番は、どのような順番であってもよい。
【０２５３】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定を行ってもよい。
また、パイロットシンボルの送信方法は、上述の例限ったものではない。上述では、パイロットシンボルは、16シンボルで構成しているが、例えば、16×N（ただし、Nは自然数）シンボルで構成すると
(4,8,4)16APSK 16APSKの[b3b2b1b0]=[0000]に対応する信号点（ベースバンド信号）のシ
ンボル、
(4,8,4)16APSK 16APSKの[b3b2b1b0]=[0001]に対応する信号点（ベースバンド信号）のシ
ンボル、
(4,8,4)16APSK 16APSKの[b3b2b1b0]=[0010]に対応する信号点（ベースバンド信号）のシ
ンボル、
(4,8,4)16APSK 16APSKの[b3b2b1b0]=[0011]に対応する信号点（ベースバンド信号）のシ
ンボル、
(4,8,4)16APSK 16APSKの[b3b2b1b0]=[0100]に対応する信号点（ベースバンド信号）のシ
ンボル、
(4,8,4)16APSK 16APSKの[b3b2b1b0]=[0101]に対応する信号点（ベースバンド信号）のシ
ンボル、
(4,8,4)16APSK 16APSKの[b3b2b1b0]=[0110]に対応する信号点（ベースバンド信号）のシ
ンボル、
(4,8,4)16APSK 16APSKの[b3b2b1b0]=[0111]に対応する信号点（ベースバンド信号）のシ
ンボル、
(4,8,4)16APSK 16APSKの[b3b2b1b0]=[1000]に対応する信号点（ベースバンド信号）のシ
ンボル、
(4,8,4)16APSK 16APSKの[b3b2b1b0]=[1001]に対応する信号点（ベースバンド信号）のシ
ンボル、
(4,8,4)16APSK 16APSKの[b3b2b1b0]=[1010]に対応する信号点（ベースバンド信号）のシ
ンボル、
(4,8,4)16APSK 16APSKの[b3b2b1b0]=[1011]に対応する信号点（ベースバンド信号）のシ
ンボル、
(4,8,4)16APSK 16APSKの[b3b2b1b0]=[1100]に対応する信号点（ベースバンド信号）のシ
ンボル、
(4,8,4)16APSK 16APSKの[b3b2b1b0]=[1101]に対応する信号点（ベースバンド信号）のシ
ンボル、
(4,8,4)16APSK 16APSKの[b3b2b1b0]=[1110]に対応する信号点（ベースバンド信号）のシ
ンボル、
(4,8,4)16APSK 16APSKの[b3b2b1b0]=[1111]に対応する信号点（ベースバンド信号）のシ
ンボル、
の各シンボルの出現回数を等しくすることができるという利点がある。
【０２５４】
（実施の形態１２）
＜シグナリング＞
本実施の形態では、上記の実施の形態１０で説明した送信方式を用いた送信信号を、受信装置側において円滑に受信できるようにするために、ＴＭＣＣ情報としてシグナリングされる様々な情報の構成例について説明する。
【０２５５】
なお、本実施の形態における送信装置の構成は、実施の形態１で説明したものと同様であるためその説明を省略する。（ただし、(8,8)16APSKの代わりに(4,8,4)16APSKを用いることになる。）
図１８は、高度広帯域衛星デジタル放送における送信信号のフレーム構成のイメージ図を示している。（ただし、高度広帯域衛星デジタル放送のフレーム構成を正確に図示したものではない。）なお、詳細については実施の形態３で説明したので、ここでは説明を省略する。
【０２５６】
表９に変調方式の情報の構成を示している。表９において、例えば、「ＴＭＣＣ情報シンボル群」の「伝送モード／スロット情報」の伝送モードの変調方式を伝送するためのシンボルで伝送する４ビットが「0001」のとき、「データシンボル群で構成されるスロット」のシンボルを生成するための変調方式はπ／２シフトBPSK（Binary Phase Shift Keying）となる。
【０２５７】
「ＴＭＣＣ情報シンボル群」の「伝送モード／スロット情報」の伝送モードの変調方式を伝送するためのシンボルで伝送する４ビットが「0010」のとき、「データシンボル群で構成されるスロット」のシンボルを生成するための変調方式はQPSK（Quadrature Phase Shift Keying）となる。
「ＴＭＣＣ情報シンボル群」の「伝送モード／スロット情報」の伝送モードの変調方式を伝送するためのシンボルで伝送する４ビットが「0011」のとき、「データシンボル群で構成されるスロット」のシンボルを生成するための変調方式は8PSK（8 Phase Shift Keying）となる。
【０２５８】
「ＴＭＣＣ情報シンボル群」の「伝送モード／スロット情報」の伝送モードの変調方式を伝送するためのシンボルで伝送する４ビットが「0100」のとき、「データシンボル群で構成されるスロット」のシンボルを生成するための変調方式は(12,4)16APSKとなる。
「ＴＭＣＣ情報シンボル群」の「伝送モード／スロット情報」の伝送モードの変調方式を伝送するためのシンボルで伝送する４ビットが「0101」のとき、「データシンボル群で構成されるスロット」のシンボルを生成するための変調方式は(4,8,4)16APSKとなる。
【０２５９】
「ＴＭＣＣ情報シンボル群」の「伝送モード／スロット情報」の伝送モードの変調方式を伝送するためのシンボルで伝送する４ビットが「0110」のとき、「データシンボル群で構成されるスロット」のシンボルを生成するための変調方式は32APSK（32 Amplitude Pha
se Shift Keying）となる。
・・・
【０２６０】
【表９】
2020156094.tif 000037
【０２６１】
表１０に変調方式が(12,4)16APSKのときの誤り訂正符号の符号化率とリング比の関係を示す。なお、上述ように(12,4)16APSKのＩ−Ｑ平面における信号点をあらわすのに用いたＲ１とＲ２より、(12,4)16APSKのリング比Ｒ(12,4)をＲ(12,4)＝Ｒ２／Ｒ１とあらわすものとする。表１０において、例えば、「ＴＭＣＣ情報シンボル群」の「伝送モード／スロット情報」の伝送モードの符号化率を伝送するためのシンボルで伝送する４ビットが「0000」のとき、「データシンボル群で構成されるスロット」のシンボルを生成するための誤り訂正符号の符号化率が41/120（≒1/3）であり、伝送モードの変調方式を伝送するためのシンボルが(12,4)16APSKであることを示している場合、(12,4)16APSKのリング比Ｒ(12,4)＝3.09となる、ことを意味することになる。
【０２６２】
「ＴＭＣＣ情報シンボル群」の「伝送モード／スロット情報」の伝送モードの符号化率を伝送するためのシンボルで伝送する４ビットが「0001」のとき、「データシンボル群で構成されるスロット」のシンボルを生成するための誤り訂正符号の符号化率が49/120（≒2/5）であり、伝送モードの変調方式を伝送するためのシンボルが(12,4)16APSKであるこ
とを示している場合、(12,4)16APSKのリング比Ｒ(12,4)＝2.97となる、ことを意味することになる。
【０２６３】
「ＴＭＣＣ情報シンボル群」の「伝送モード／スロット情報」の伝送モードの符号化率を伝送するためのシンボルで伝送する４ビットが「0010」のとき、「データシンボル群で構成されるスロット」のシンボルを生成するための誤り訂正符号の符号化率が61/120（≒1/2）であり、伝送モードの変調方式を伝送するためのシンボルが(12,4)16APSKであるこ
とを示している場合、(12,4)16APSKのリング比Ｒ(12,4)＝3.93となる、ことを意味することになる。
・・・
【０２６４】
【表１０】
2020156094.tif 000038
【０２６５】
表１１に変調方式が(4,8,4)16APSKのときの誤り訂正符号の符号化率と半径・位相の関
係を示す。
表１１において、例えば、「ＴＭＣＣ情報シンボル群」の「伝送モード／スロット情報」の伝送モードの符号化率を伝送するためのシンボルで伝送する４ビットが「0000」のとき、「データシンボル群で構成されるスロット」のシンボルを生成するための誤り訂正符号の符号化率が41/120（≒1/3）であり、伝送モードの変調方式を伝送するためのシンボルが(4,8,4)16APSKであることを示している場合、(4,8,4)16APSKの半径Ｒ１＝1.00、半径Ｒ２＝2.00、半径Ｒ３＝2.20、位相λ＝π／12ラジアンとなる、ことを意味することになる。
【０２６６】
「ＴＭＣＣ情報シンボル群」の「伝送モード／スロット情報」の伝送モードの符号化率を伝送するためのシンボルで伝送する４ビットが「0001」のとき、「データシンボル群で構成されるスロット」のシンボルを生成するための誤り訂正符号の符号化率が49/120（≒2/5）であり、伝送モードの変調方式を伝送するためのシンボルが(4,8,4)16APSKであることを示している場合、(4,8,4)16APSKの半径Ｒ１＝1.00、半径Ｒ２＝2.10、半径Ｒ３＝2.20、位相λ＝π／12ラジアンとなる、ことを意味することになる。
【０２６７】
「ＴＭＣＣ情報シンボル群」の「伝送モード／スロット情報」の伝送モードの符号化率を伝送するためのシンボルで伝送する４ビットが「00１0」のとき、「データシンボル群
で構成されるスロット」のシンボルを生成するための誤り訂正符号の符号化率が61/120（≒1/2）であり、伝送モードの変調方式を伝送するためのシンボルが(4,8,4)16APSKであることを示している場合、4,8,4)16APSKの半径Ｒ１＝1.00、半径Ｒ２＝2.20、半径Ｒ３＝2.30、位相λ＝π／10ラジアンとなる、ことを意味することになる。
・・・
【０２６８】
【表１１】
2020156094.tif 000039
【０２６９】
＜受信装置＞
次に、送信装置７００が送信した無線信号を受信する受信装置の動作について、図１９の受信装置の構成図を用いて説明する。
図１９の受信装置１９００は、送信装置７００が送信した無線信号を、アンテナ１９０１で受信する。受信ＲＦ１９０２は、受信した無線信号に対し、周波数変換、直交復調等の処理を施し、ベースバンド信号を出力する。
復調部１９０４は、ルートロールオフフィルタの処理等の処理を施し、フィルタ後のベースバンド信号を出力する。
同期・チャネル推定部１９１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
制御情報推定部１９１６は、フィルタ後のベースバンド信号を入力とし、「ＴＭＣＣ情報シンボル群」のような制御情報を含むシンボルを抽出し、復調・復号を行い、制御信号を出力する。
【０２７０】
なお、本実施の形態で重要になることは、「ＴＭＣＣ情報シンボル群」の伝送モード／スロット情報の「伝送モードの変調方式」の情報を伝送するシンボル、「伝送モードの符号化率」を伝送するシンボルを、受信装置は、復調・復号し、表９、表１０、表１１に基づき、「データシンボル群で構成されるスロット」が使用している変調方式の情報、誤り訂正符号の方式（例えば、誤り訂正符号の符号化率等）の情報、また、「データシンボル群で構成されるスロット」が使用している変調方式が、(12,4)16APSK、(4,8,4)16APSK、32APSKのいずれかであった場合はリング比や半径・位相の情報を生成し、制御信号の一部として、制御情報推定部１９１６は出力する。
【０２７１】
デマッピング部１９０６は、フィルタ後のベースバンド信号、制御信号、推定信号を入力とし、制御信号に基づき、「データシンボル群で構成されるスロット」が使用している変調方式（または、送信方法）を判断し（この場合、リング比や半径・位相がある場合は、リング比や半径・位相についても判断を行う。）、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
デインターリーブ部１９０８は、対数尤度比を入力とし、蓄積し、送信装置が用いたインターリーブに対応するデインターリーブ（データの並び換え）を行い、デインターリー
ブ後の対数尤度比を出力する。
【０２７２】
誤り訂正復号部１９１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。
【０２７３】
以上が、反復検波を行わないときの動作となる。以下では、反復検波を行う場合についての動作について補足的に説明する。なお、受信装置は、必ずしも反復検波を実施する必要があるということではなく、以降で記載する反復検波に関連する部分を、受信装置が具備せずに、初期検波、および、誤り訂正復号を行う受信装置であってもよい。
【０２７４】
反復検波を実施する場合、誤り訂正復号部１９１２は、復号後の各ビットの対数尤度比を出力することになる。（なお、初期検波しか実施しない場合は、復号後の各ビットの対数尤度比を出力しなくてもよいことになる。）
インターリーブ部１９１０は、復号後の各ビットの対数尤度比をインターリーブし（並び替えを行い）、インターリーブ後の対数尤度比を出力する。
【０２７５】
デマッピング部１９０６は、インターリーブ後の対数尤度比、フィルタ後のベースバンド信号、推定信号を用いて、反復的な検波を行い、反復的な検波後の各ビットの対数尤度比を出力する。
その後、インタ−リーブ、誤り訂正復号の動作を行うことになる。そして、これらの操作を反復的に行うことになる。これにより、最終的に良好な復号結果を得ることができる可能性が高くなる。
【０２７６】
上述の説明では、「ＴＭＣＣ情報シンボル群」の「伝送モード／スロット情報」の伝送モードの変調方式を伝送するためのシンボルおよび「ＴＭＣＣ情報シンボル群」の「伝送モード／スロット情報」の伝送モードの符号化率を伝送するためのシンボルを受信装置は得ることで、変調方式、誤り訂正符号の符号化率、および、変調方式が16APSK, 32APSK,
である場合はリング比、半径・位相を推定し、復調・復号動作が可能となることを特徴としている。
【０２７７】
なお、上述の説明では図１８のフレーム構成で、説明を行ったが、本発明の適用されるフレーム構成はこれに限ったものではなく、複数のデータシンボルが存在し、このデータシンボルを生成するのに用いられている、変調方式に関する情報を伝送するためのシンボル、誤り訂正方式（例えば、使用している誤り訂正符号、誤り訂正符号の符号長、誤り訂正符号の符号化率等）に関する情報を伝送するためのシンボルが存在した場合、データシンボル、変調方式に関する情報を伝送するためのシンボル、誤り訂正方式に関する情報を伝送するためのシンボルはフレームに対し、どのように配置してもよい。また、これらのシンボル以外のシンボル、例えば、プリアンブル、同期のためのシンボル、パイロットシンボル、リファレンスシンボル等のシンボルがフレームの中に存在していてもよい。
【０２７８】
加えて、上述の説明とは異なる方法として、リング比、半径・位相に関する情報を伝送
するシンボルが存在し、送信装置はこのシンボルを送信してもよい。リング比、半径・位相に関する情報を伝送するシンボルの例を以下に示す。
【０２７９】
【表１２】
2020156094.tif 000040
【０２８０】
表１２において、リング比、半径・位相に関する情報を伝送するシンボルにより、「00000」が伝送された場合、データシンボルは「(12,4)16APSKリング比4.00」のシンボルとなる。
また、以下のようになる。
リング比、半径・位相に関する情報を伝送するシンボルにより、「00001」が伝送された
場合、データシンボルは「(12,4)16APSKリング比4.10」のシンボルとなる。
リング比、半径・位相に関する情報を伝送するシンボルにより、「00010」が伝送された
場合、データシンボルは「(12,4)16APSKリング比4.20」のシンボルとなる。
リング比、半径・位相に関する情報を伝送するシンボルにより、「00011」が伝送された
場合、データシンボルは「(12,4)16APSKリング比4.30」のシンボルとなる。
【０２８１】
リング比、半径・位相に関する情報を伝送するシンボルにより、「00100」が伝送された
場合、データシンボルは「(4,8,4)16APSK半径Ｒ１＝1.00、半径Ｒ２＝2.00、半径Ｒ３＝2.20、位相λ＝π／12ラジアン」のシンボルとなる。
リング比、半径・位相に関する情報を伝送するシンボルにより、「00101」が伝送された
場合、データシンボルは「(4,8,4)16APSK半径Ｒ１＝1.00 、半径Ｒ２＝2.10、半径Ｒ３＝2.20、位相λ＝π／12ラジアン」のシンボルとなる。
リング比、半径・位相に関する情報を伝送するシンボルにより、「00110」が伝送された
場合、データシンボルは「(4,8,4)16APSK半径Ｒ１＝1.00、半径Ｒ２＝2.20、半径Ｒ３＝2.30、位相λ＝π／10ラジアン」のシンボルとなる。
リング比、半径・位相に関する情報を伝送するシンボルにより、「00111」が伝送された
場合、データシンボルは「(4,8,4)16APSK半径Ｒ１＝1.00、半径Ｒ２＝2.20、半径Ｒ３＝2
.30、位相λ＝π／12ラジアン」のシンボルとなる。
【０２８２】
そして、受信装置は、リング比、半径・位相に関する情報を伝送するシンボルを得ることで、データシンボルで使用されているリング比、半径・位相を推定することができ、これにより、データシンボルの復調・復号が可能となる。
また、変調方式を伝送するためのシンボルにおいて、リング比、半径・位相の情報を含んでいてもよい。例を以下に示す。
【０２８３】
【表１３】
2020156094.tif 000041
【０２８４】
表１３において、変調方式の情報を伝送するシンボルにより、「00000」が伝送された
場合、データシンボルは「(12,4)16APSKリング比4.00」のシンボルとなる。
また、以下のようになる。
変調方式の情報を伝送するシンボルにより、「00001」が伝送された場合、データシンボ
ルは「(12,4)16APSKリング比4.10」のシンボルとなる。
変調方式の情報を伝送するシンボルにより、「00010」が伝送された場合、データシンボ
ルは「(12,4)16APSKリング比4.20」のシンボルとなる。
変調方式の情報を伝送するシンボルにより、「00011」が伝送された場合、データシンボ
ルは「(12,4)16APSKリング比4.30」のシンボルとなる。
【０２８５】
変調方式の情報を伝送するシンボルにより、「00100」が伝送された場合、データシンボ
ルは「(4,8,4)16APSK半径Ｒ１＝1.00、半径Ｒ２＝2.00、半径Ｒ３＝2.20、位相λ＝π／12ラジアン」のシンボルとなる。
変調方式の情報を伝送するシンボルにより、「00101」が伝送された場合、データシンボ
ルは「4,8,4)16APSK半径Ｒ１＝1.00 、半径Ｒ２＝2.10、半径Ｒ３＝2.20、位相λ＝π／12ラジアン」のシンボルとなる。
変調方式の情報を伝送するシンボルにより、「00110」が伝送された場合、データシンボ
ルは「(4,8,4)16APSK半径Ｒ１＝1.00、半径Ｒ２＝2.20、半径Ｒ３＝2.30、位相λ＝π／10ラジアン」のシンボルとなる。
変調方式の情報を伝送するシンボルにより、「00111」が伝送された場合、データシンボ
ルは「(4,8,4)16APSK半径Ｒ１＝1.00、半径Ｒ２＝2.20、半径Ｒ３＝2.30、位相λ＝π／12ラジアン」のシンボルとなる。
変調方式の情報を伝送するシンボルにより、「11101」が伝送された場合、データシンボ
ルは「8PSK」のシンボルとなる。
変調方式の情報を伝送するシンボルにより、「11110」が伝送された場合、データシンボ
ルは「QPSK」のシンボルとなる。
変調方式の情報を伝送するシンボルにより、「11111」が伝送された場合、データシンボ
ルは「π／２シフトBPSK」のシンボルとなる。
【０２８６】
そして、受信装置は、変調方式の情報を伝送するシンボルを得ることで、データシンボルで使用されている変調方式、および、リング比、半径・位相を推定することができ、これにより、データシンボルの復調・復号が可能となる。
なお、上述の説明で、選択可能な変調方式（送信方法）として、「(12,4)16APSK」「(4,8,4)16APSK」を含んでいる例で説明したがこれに限ったものではないつまり、他の変調方式が選択可能であってもよい。
【０２８７】
（実施の形態１３）
本実施の形態では、データシンボルの生成の順番について説明する。
図１８（ａ）に、フレーム構成のイメージ図を示した。図１８（ａ）において、「＃１のシンボル群」、「＃２のシンボル群」、「＃３のシンボル群」、・・・、と並んでいるものとする。このとき、「＃１のシンボル群」、「＃２のシンボル群」、「＃３のシンボル群」、・・・の各シンボル群は、図１８（ａ）に示すように、「同期シンボル群」「パイロットシンボル群」「ＴＭＣＣ情報シンボル群」「データシンボル群で構成されるスロット」で構成されているものとした。
ここでは、例えば、「＃１のシンボル群」、「＃２のシンボル群」、「＃３のシンボル群」、・・・「＃Ｎ−１のシンボル群」「＃Ｎのシンボル群」のＮ個のシンボル群における「データシンボル群で構成されるスロット」を集めたデータシンボル群の構成方法について説明する。
【０２８８】
「＃（β×Ｎ＋１）のシンボル群」から「＃（β×Ｎ＋Ｎ）のシンボル群」のＮ個のシンボル群における「データシンボル群で構成されるスロット」で集めたデータシンボル群の生成に対し、規則を設ける。その規則について、図３７を用いて説明する。
そして、図３７の(4,8,4)16APSKのデータシンボル群は、図３７（ａ）から図３７（ｆ
）の特徴を満たすことになる。なお、図３７において、横軸はシンボルである。
【０２８９】
図３７（ａ）：
32APSKのデータシンボルが存在し、(12,4)16APSKのデータシンボルが存在しない場合、図３７（ａ）に示すように、「32APSKのデータシンボル」のあとに「(4,8,4)16APSKのデ
ータシンボル」が存在する。
図３７（ｂ）：
(12,4)16APSKのデータシンボルが存在する場合、図３７（ｂ）に示すように、「(12,4)16APSKのデータシンボルシンボル」のあとに「(4,8,4)16APSKのデータシンボル」が存在
する。
【０２９０】
図３７（ｃ）：
(12,4)16APSKのデータシンボルが存在する場合、図３７（ｃ）に示すように、「(4,8,4)16APSKのデータシンボル」のあとに「(12,4)16APSKのデータシンボル」が存在する。
図３７（ｂ）、図３７（ｃ）はいずれであってもよい。
【０２９１】
図３７（ｄ）：
8PSKのデータシンボルが存在し、(12,4)16APSKのデータシンボルが存在しない場合、図３７（ｄ）に示すように、「(4,8,4)16APSKのデータシンボル」のあとに「8PSKのデータ
シンボル」が存在する。
図３７（ｅ）：
QPSKのデータシンボルが存在し、8PSKのデータシンボルが存在せず、また、(12,4)16APSKのデータシンボルが存在しない場合、図３７（ｅ）に示すように、「(4,8,4)16APSKのデータシンボル」のあとに「QPSKのデータシンボル」が存在する。
【０２９２】
図３７（ｆ）：
π／２シフトBPSKのデータシンボルが存在し、QPSKのデータシンボルが存在せず、また、8PSKのデータシンボルが存在せず、また、(12,4)16APSKのデータシンボルが存在しない場合、図３７（ｆ）に示すように、「(4,8,4)16APSKのデータシンボル」のあとに「π／２シフトBPSKのデータシンボル」が存在する。
【０２９３】
以上のようにシンボルを配置した場合、ピーク電力の大きい変調方式（送信方法）の信号順にならぶため、受信装置はAGC（Automatic Gain Control）の制御が行いやすいとい
う利点がある。
図３８に、上述で説明した「(4,8,4)16APSKのデータシンボル」の構成方法の例を示す
。
誤り訂正符号の符号化率Ｘの「(4,8,4)16APSKのデータシンボル」と誤り訂正符号の符
号化率Ｙの「(4,8,4)16APSKのデータシンボル」とが存在するものとする。そして、Ｘ＞
Ｙの関係が成立するものとする。
このとき、誤り訂正符号の符号化率Ｘの「(4,8,4)16APSKのデータシンボル」のあとに
誤り訂正符号の符号化率Ｙの「(4,8,4)16APSKのデータシンボル」を配置する。
【０２９４】
図３８のように、誤り訂正符号の符号化率１／２の「(4,8,4)16APSKのデータシンボル」、誤り訂正符号の符号化率２／３の「(4,8,4)16APSKのデータシンボル」、誤り訂正符号の符号化率３／４の「(4,8,4)16APSKのデータシンボル」が存在するものとする。すると、上述の説明から、図３８のように、誤り訂正符号の符号化率３／４の「(4,8,4)16APSKのデータシンボル」、誤り訂正符号の符号化率２／３の「(4,8,4)16APSKのデータシンボル」、誤り訂正符号の符号化率１／２の「(4,8,4)16APSKのデータシンボル」の順にシンボルが配置されることになる。
（実施の形態Ａ）
この実施の形態では、誤り訂正符号の符号化率がある値の符号化率であっても（例えば、符号化率をＫと設定する）、リング比（例えば、(12,4)16APSKのリング比）の選択ができる方式について説明する。この方式は、例えば変調方式などを切り換えるパターンのバリエーションの充実に寄与することができ、これにより、好適なリング比を設定することで、受信装置が高いデータの受信品質を得ることを可能とする。
【０２９５】
なお、リング比（例えば、(12,4)16APSKのリング比）の定義については、本実施の形態以前に定義したものであり、リング比は別の名称として、「半径比」と呼んでもよい。
＜送信局＞
図３９は送信局の例である。
【０２９６】
図３９の送信系Ａ１０１は、それぞれ映像データと音声データとを入力とし、制御信号Ａ１００にしたがって変調信号を生成する。
制御信号Ａ１００は、誤り訂正符号の符号長、符号化率、変調方式、リング比を指定する。
増幅器Ａ１０２は、変調信号を入力とし、入力された変調信号を増幅し、増幅後の送信信号Ａ１０３を出力する。送信信号Ａ１０３はアンテナＡ１０４を介して送信される。
＜リング比の選択＞
表１４に変調方式が(12,4)16APSKのときの誤り訂正符号の符号化率とリング比の例を示す。
【０２９７】
【表１４】
2020156094.tif 000042
【０２９８】
図示しない制御信号生成部は、送信装置における所定の符号化率やリング比の指定にしたがって表１４の値を示すための制御信号Ａ１００を生成する。送信系Ａ１０１では、この制御信号Ａ１００により指定された符号化率やリング比にしたがって変調信号を生成することとなる。
例えば、送信装置において、変調方式として(12,4)16APSK、誤り訂正符号の符号化率を
４１／１２０（≒１／３）と指定し、リング比を２．９９とする場合、リング比に関する４ビットの制御情報を「００００」とする。また、変調方式として(12,4)16APSK、誤り訂正符号の符号化率を４１／１２０（≒１／３）と指定し、リング比を３．０９とする場合、リング比に関する４ビットの制御情報を「０００１」とする。
【０２９９】
このとき、送信装置は、「リング比に関する４ビットの制御情報」を制御情報の一部として送信することになる。
また、表１４の４ビットの値（リング比に関する４ビットの制御情報）を含むデータ（制御情報）を受信した端末側では、この値に示される符号化率・リング比にしたがってデマッピング（例えば、各ビットの対数尤度比を求める）を行い、データの復調などを行うことなる。
【０３００】
なお、この４ビットの値（リング比に関する４ビットの制御情報）の伝送には、「ＴＭＣＣ情報シンボル群」内の「伝送モード／スロット情報」内の４ビットを利用して行うことができる。
この表１４は、「伝送モードの変調方式を伝送するためのシンボルが(12,4)16APSKであることを示している場合において、４ビットの値が「0000」のとき、「データシンボル群で構成されるスロット」のシンボルを生成するための誤り訂正符号の符号化率が41/120（≒1/3）であり、(12,4)16APSKのリング比がＲ(12,4)＝2.99となる」、ことを示す。
【０３０１】
また、「伝送モードの変調方式を伝送するためのシンボルが(12,4)16APSKであることを示している場合において、４ビットの値が「0001」のとき、「データシンボル群で構成されるスロット」のシンボルを生成するための誤り訂正符号の符号化率が41/120（≒1/3）であり、(12,4)16APSKのリング比がＲ(12,4)＝3.09となる」、ことを示す。
さらに、「伝送モードの変調方式を伝送するためのシンボルが(12,4)16APSKであることを示している場合において、４ビットの値が「0010」のとき、「データシンボル群で構成されるスロット」のシンボルを生成するための誤り訂正符号の符号化率が41/120（≒1/3）であり、(12,4)16APSKのリング比がＲ(12,4)＝3.19となる」、ことを示す。
【０３０２】
この表１４では、ある値の符号化率ごとに３種類のリング比が対応付けられているが、これは一例に過ぎない。すなわち、ある値の符号化率ごとに複数種類のリング比を対応付ける態様が考えられる。また、一部の値の符号化率には１種類のリング比を対応付け、残りの値の符号化率には複数種類のリング比を対応付ける態様なども考えられる。
＜受信装置＞
本実施の形態の送信方法に対応する受信装置について説明する。
【０３０３】
図４０の（端末の）受信装置Ａ２００は、図３９の送信局が送信し、送信局が送信した信号を衛星（中継局）が中継した無線信号を、アンテナＡ２０１で受信する。（なお、送信局、中継局、受信装置（端末）の関係については、次の実施の形態で詳しく説明する。）
受信ＲＦＡ２０２は、受信した無線信号に対し、周波数変換、直交復調等の処理を施し、ベースバンド信号を出力する。
【０３０４】
復調部Ａ２０４は、ルートロールオフフィルタの処理等の処理を施し、フィルタ後のベースバンド信号を出力する。
同期・チャネル推定部Ａ２１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
【０３０５】
制御情報推定部Ａ２１６は、フィルタ後のベースバンド信号を入力とし、「ＴＭＣＣ情報シンボル群」のような制御情報を含むシンボルを抽出し、復調・復号を行い、制御信号を出力する。なお、本実施の形態で重要になることは、「ＴＭＣＣ情報シンボル群」の「伝送モード／スロット情報」の情報を伝送するシンボルを、受信装置Ａ２００は、復調・復号する。そして、受信装置Ａ１０では、保持している表１４と同様の表に基づき、復号された４ビットの値（リング比に関する４ビットの制御情報）から符号化率およびリング比を特定する情報を生成し、制御信号の一部として、制御情報推定部Ａ２１６は出力する。
【０３０６】
デマッピング部Ａ２０６は、フィルタ後のベースバンド信号、制御信号、推定信号を入力とし、制御信号に基づき、「データシンボル群で構成されるスロット」が使用している変調方式（または、送信方法）およびリング比を判断し、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
デインターリーブ部Ａ２０８は、対数尤度比、制御信号を入力とし、蓄積し、送信装置が用いたインターリーブに対応するデインターリーブ（データの並び換え）を行い、デインターリーブ後の対数尤度比を出力する。
【０３０７】
誤り訂正復号部Ａ２１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。以上が、反復検波を行わないときの動作となるが、図２の受信装置で説明したような反復検波を行う受信装置であってもよい。
【０３０８】
（実施の形態Ｂ）
この実施の形態では、誤り訂正符号の符号化率がある値に設定されていても（例えば、符号化率をＫと設定する）、チャネルごとに(12,4)16APSKのリング比の選択ができる方式について説明する。以下では、リング比を選択する変調方式として(12,4)16APSKを例に挙げるがこれに限られない。
（これにより、チャネルごとに好適なリング比を設定することで、受信装置が高いデータの受信品質を得ることを可能とする。）
図４１〜図４３は、衛星に向けて送信信号を送信する地上の送信局を示す。図４４は各変調信号の周波数配置を示す。図４５〜図４６は、地上の送信局が送信した信号を受信し、受信した信号を地上の受信端末に向けて変調信号を送信する衛星（中継器）の構成の例を示す。
【０３０９】
なお、リング比（例えば、(12,4)16APSKのリング比）の定義については、本実施の形態以前に定義したものであり、リング比は別の名称として、「半径比」と呼んでもよい。
＜送信局＞
図４１の送信局は、共通増幅する送信局の例である。
【０３１０】
図４１のＮ個の送信系Ｂ１０１＿１〜Ｂ１０１＿Ｎは、それぞれ映像データと音声データと制御信号Ａ１００を入力とする。
制御信号Ａ１００は、誤り訂正符号の符号長、符号化率、変調方式、リング比をチャネルごとに指定する。この変調方式は、例えば、(12,4)16APSKを指定したものとする。
送信系Ｂ１０１＿１〜Ｂ１０１＿Ｎは、制御信号Ａ１００にしたがって変調信号を生成する。
【０３１１】
共通増幅器Ｂ１０２は、変調信号＃１〜＃Ｎを入力とし、入力された変調信号を増幅し、変調信号＃１〜＃Ｎを含む増幅後の送信信号Ｂ１０３を出力する。
この送信信号Ｂ１０３は、変調信号＃１〜＃ＮのＮチャネルの信号で構成され、チャネルごと（変調信号ごと）に「ＴＭＣＣ情報シンボル群」を含み、この「ＴＭＣＣ情報シンボル群」は、誤り訂正符号の符号長、符号化率、変調方式に加えて、リング比の情報を含んでいる。
【０３１２】
具体的には、変調信号＃１は変調信号＃１（チャネル＃１）における「ＴＭＣＣ情報シンボル群」を含み、変調信号＃２は変調信号＃２（チャネル＃２）における「ＴＭＣＣ情報シンボル群」を含み、・・・、変調信号＃Ｎは変調信号＃Ｎ（チャネル＃Ｎ）における「ＴＭＣＣ情報シンボル群」を含んでいる。
そして、送信信号Ｂ１０３はアンテナＢ１０４を介して送信される。
【０３１３】
図４２の送信局は、チャネルの送信系ごとに個別に増幅する送信局の例である。
Ｎ個の増幅器Ｂ２０１＿１〜Ｂ２０１＿Ｎは、それぞれ入力された変調信号を増幅し、送信信号Ｂ２０２＿１〜Ｂ２０２＿Ｎを出力する。送信信号Ｂ２０２＿１〜Ｂ２０２＿ＮはアンテナＢ２０３＿１〜Ｂ２０３＿Ｎを介して送信される。
【０３１４】
図４３の送信局は、チャネルの送信系ごとに個別に増幅するが、混合器で混合した後で送信する送信局の例である。
混合器Ｂ３０１は、増幅器Ｂ２０１＿１〜Ｂ２０１＿Ｎから出力された増幅後の変調信号を混合し、混合後の送信信号Ｂ３０２をアンテナＢ３０３を介して送信する。
＜各変調信号の周波数配置＞
図４４に信号（送信信号または変調信号）Ｂ４０１＿１〜Ｂ４０１＿Ｎの周波数配置の例を示す。図４４において、横軸は周波数、縦軸は、パワーとなる。図４４に示すように、Ｂ４０１＿１は図４１、図４２、図４３の送信信号＃１（変調信号＃１）の周波数軸における位置を示しており、Ｂ４０１＿２は図４１、図４２、図４３の送信信号＃２（変調信号＃２）の周波数軸における位置を示しており、・・・、Ｂ４０１＿Ｎは図４１、図４２、図４３の送信信号＃Ｎ（変調信号＃Ｎ）の周波数軸における位置を示している。
【０３１５】
＜衛星＞
図４５の衛星において、受信アンテナＢ５０１は、送信局が送信した信号を受信し、受信信号Ｂ５０２を出力する。なお、受信信号Ｂ５０２は、図４１、図４２、図４３、図４４における、変調信号＃１から変調信号＃Ｎの成分を含んでいることになる。
図４５のＢ５０３は無線処理部である。無線処理部Ｂ５０３は、無線処理Ｂ５０３＿１〜Ｂ５０３＿Ｎを含んでいるものとする。
無線処理Ｂ５０３＿１は、受信信号Ｂ５０２を入力とし、図４１、図４２、図４３、図４４における、変調信号＃１の成分に対し、増幅、周波数変換等の信号処理を行い、信号処理後の変調信号＃１を出力する。
同様に、無線処理Ｂ５０３＿２は、受信信号Ｂ５０２を入力とし、図４１、図４２、図４３、図４４における、変調信号＃２の成分に対し、増幅、周波数変換等の信号処理を行い、信号処理後の変調信号＃２を出力する。
・・・
無線処理Ｂ５０３＿Ｎは、受信信号Ｂ５０２を入力とし、図４１、図４２、図４３、図４４における、変調信号＃Ｎの成分に対し、増幅、周波数変換等の信号処理を行い、信号処理後の変調信号＃Ｎを出力する。
増幅器Ｂ５０４＿１は、信号処理後の変調信号＃１を入力とし、増幅し、増幅後の変調信号＃１を出力する。
増幅器Ｂ５０４＿２は、信号処理後の変調信号＃２を入力とし、増幅し、増幅後の変調信号＃２を出力する。
・・・
増幅器Ｂ５０４＿Ｎは、信号処理後の変調信号＃２を入力とし、増幅し、増幅後の変調信号＃Ｎを出力する。
【０３１６】
そして、各増幅後の変調信号はアンテナＢ５０５＿１〜Ｂ５０５＿Ｎを介して送信される。（送信された変調信号は、地上にある端末が受信することになる。）
このとき、衛星（中継器）が送信する信号の周波数配置について、図４４を用いて説明する。
前述のように、図４４において、Ｂ４０１＿１は図４１、図４２、図４３の送信信号＃１（変調信号＃１）の周波数軸における位置を示しており、Ｂ４０１＿２は図４１、図４２、図４３の送信信号＃２（変調信号＃２）の周波数軸における位置を示しており、・・・、Ｂ４０１＿Ｎは図４１、図４２、図４３の送信信号＃Ｎ（変調信号＃Ｎ）の周波数軸における位置を示している。このとき、使用している周波数帯は、αＧＨｚ帯であるものとする。
【０３１７】
そして、図４４において、Ｂ４０１＿１は図４５の衛星（中継器）が送信する変調信号＃１の周波数軸における位置を示しており、Ｂ４０１＿２は図４５の衛星（中継器）が送信する変調信号＃２の周波数軸における位置を示しており、・・・、Ｂ４０１＿Ｎは図４５の衛星（中継器）が送信する変調信号＃Ｎの周波数軸における位置を示している。このとき、使用している周波数帯は、βＧＨｚ帯であるものとする。
【０３１８】
図４６の衛星は、図４５とは、混合器Ｂ６０１で混合した後で送信する点が異なる。つまり、混合器Ｂ６０１は、増幅後の変調信号＃１、増幅後の変調信号＃２、・・・、増幅後の変調信号＃Ｎを入力とし、混合後の変調信号を生成する。なお、混合後の変調信号には、変調信号＃１の成分、変調信号＃２の成分、・・・、変調信号＃Ｎの成分を含み、周波数配置は、図４４のとおりであり、βＧＨｚ帯の信号であるものとする。
【０３１９】
＜リング比の選択＞
図４１〜図４６で説明した衛星のシステムにおいて、チャネル＃１からチャネル＃Ｎにおいて、(12,4)16APSKのリング比（半径比）をチャネルごとに選定をする態様を説明する。
【０３２０】
例えば、誤り訂正符号の符号長（ブロック長）がＸビットであり、選択可能な複数の符号化率の中から符号化率Ａ（例えば、３／４）を選択したものとする。
図４５、図４６の衛星のシステムにおいて、増幅器Ｂ５０４＿１，Ｂ５０４＿２，．．．，Ｂ５０４＿Ｎの歪が小さい（入出力の線形性が高い）場合、(12,4)16APSKのリング比（半径比）は一意に定めても、好適な値に定めていれば（地上の）端末（受信装置）は高いデータの受信品質を得ることができる。
【０３２１】
衛星のシステムでは、地球上の端末に対して変調信号を送信しているため、高い出力を得ることができる増幅器を使用することになる。このため、歪が大きい（入出力の線形性
が低い）増幅器を使用することになり、かつ、その歪には増幅器ごとに個体差が大きい可能性が高い（増幅器Ｂ５０４＿１，Ｂ５０４＿２，．．．，Ｂ５０４＿Ｎで歪特性（入出力特性）が異なる。）。
【０３２２】
この場合、各増幅器に好適な(12,4)16APSKのリング比（半径比）を使用する、つまり、各チャネルで好適な(12,4)16APSKのリング比（半径比）に設定すると、端末では各チャネルで高いデータの受信品質を得ることができる。そして、このような設定となるように図４１、図４２、図４３の送信局は制御信号Ａ１００により行う。
したがって、各変調信号（各チャネル）に含まれる、例えば、ＴＭＣＣのような制御情報に、(12,4)16APSKのリング比に関する情報が含まれることになる。（この点については、一つ前の実施の形態で説明したとおりである。）
よって、図４１、図４２、図４３の（地上の）送信局は、変調信号＃１のデータシンボルの変調方式を(12,4)16APSKとした場合、そのときに使用した(12,4)16APSKのリング比の情報を制御情報の一部として送信する。
同様に、図４１、図４２、図４３の（地上の）送信局は、変調信号＃２のデータシンボルの変調方式を(12,4)16APSKとした場合、そのときに使用した(12,4)16APSKのリング比の情報を制御情報の一部として送信する。
・・・
同様に、図４１、図４２、図４３の（地上の）送信局は、変調信号＃Ｎのデータシンボルの変調方式を(12,4)16APSKとした場合、そのときに使用した(12,4)16APSKのリング比の情報を制御情報の一部として送信する。
【０３２３】
なお、変調信号＃１で使用する誤り訂正符号の符号化率、変調信号＃２で使用する誤り訂正符号の符号化率、・・・、変調信号＃Ｎで使用する誤り訂正符号の符号化率は、同一であってもよい。 
＜受信装置＞
本実施の形態の送信方法に対応する受信装置について説明する。
【０３２４】
図４０の（端末の）受信装置Ａ２００は、図４１、図４２の送信局が送信し、送信局が送信した信号を衛星（中継局）が中継した無線信号を、アンテナＡ２０１で受信する。受信ＲＦＡ２０２は、受信した無線信号に対し、周波数変換、直交復調等の処理を施し、ベースバンド信号を出力する。
復調部Ａ２０４は、ルートロールオフフィルタの処理等の処理を施し、フィルタ後のベースバンド信号を出力する。
【０３２５】
同期・チャネル推定部Ａ２１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
制御情報推定部Ａ２１６は、フィルタ後のベースバンド信号を入力とし、「ＴＭＣＣ情報シンボル群」のような制御情報を含むシンボルを抽出し、復調・復号を行い、制御信号を出力する。なお、本実施の形態で重要になることは、「ＴＭＣＣ情報シンボル群」の情報を伝送するシンボルを、受信装置Ａ２００は、復調・復号する。そして、受信装置Ａ１０では、復号された値から誤り訂正符号の符号長、符号化率、変調方式およびチャネルごとのリング比の情報を特定する情報を生成し、制御信号の一部として、制御情報推定部Ａ２１６は出力する。
【０３２６】
デマッピング部Ａ２０６は、フィルタ後のベースバンド信号、制御信号、推定信号を入力とし、制御信号に基づき、「データシンボル群で構成されるスロット」が使用している変調方式（または、送信方法）およびリング比を判断し、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
デインターリーブ部Ａ２０８は、対数尤度比、制御信号を入力とし、蓄積し、送信装置が用いたインターリーブに対応するデインターリーブ（データの並び換え）を行い、デインターリーブ後の対数尤度比を出力する。
【０３２７】
誤り訂正復号部Ａ２１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。以上が、反復検波を行わないときの動作となるが、図２の受信装置で説明したような反復検波を行う受信装置であってもよい。
【０３２８】
なお、制御情報に含まれるリング比の情報の生成方法は、本実施の形態の前で説明した実施の形態に限ったものではなく、リング比に関連する情報をどのように伝送してもよい。
（実施の形態Ｃ）
この実施の形態は、リング比（例えば、(12,4)16APSKのリング比）を端末に通知するためのシグナリング（制御情報の伝送方法）について説明する。
【０３２９】
なお、リング比（例えば、(12,4)16APSKのリング比）の定義については、本実施の形態以前に定義したものであり、リング比は別の名称として、「半径比」と呼んでもよい。
このようなシグナリングは、本明細書中で説明している「ＴＭＣＣ情報シンボル群」に含まれるビットを利用して行うことができる。
【０３３０】
本実施の形態では、「高度広帯域衛星デジタル放送の伝送方式  標準規格  ARIB STD-B44 1.0版」に基づいて、「ＴＭＣＣ情報シンボル群」の構成方法の例を説明する。
リング比に関する情報を、送信局が、衛星（中継器）を介し、端末に通知するために、図１８で説明した「ＴＭＣＣ情報シンボル群」内の「拡張情報」の３６１４ビットの利用を伴うことも考えられる。（この点については、「高度広帯域衛星デジタル放送の伝送方式  標準規格  ARIB STD-B44 1.0版」においても記載されている。）これを図４７に示す。
【０３３１】
図４７の拡張情報は、将来のＴＭＣＣ情報拡張のために使用するフィールドであり、１６ビットの拡張識別と３５９８ビットの拡張領域で構成されている。図４７のＴＭＣＣの「拡張情報」において、「方式Ａ」を採用する場合には、拡張識別をすべて"0"（16ビットすべてがゼロ）とし、拡張領域の３５９８ビットをすべて"1"とする。
また、「方式Ｂ」を採用する場合には、ＴＭＣＣ情報を拡張するときであるとして、拡張識別をすべて"0"以外の値つまり"0000000000000000"以外の値をとるものとする。なお
、方式Ａ，Ｂのいずれの方式を採用するかは例えばユーザ設定により決められる。
【０３３２】
「方式Ａ」は、誤り訂正符号の符号化率がある値に設定されるとリング比が決定する伝送方式（例えば、衛星デジタル放送）である。（使用する誤り訂正符号の符号化率が決定するとリング比が一意に決定する。）
「方式Ｂ」は、誤り訂正符号の符号化率がある値に設定された際、複数のリング比から使用するリング比を選択することができる伝送方式（例えば、衛星デジタル放送）である。
【０３３３】
以下、図４８〜図５２を用いて送信局が行うシグナリングの例を説明するが、すべての例に共通して次のビットをシグナリングに用いる。
ｄ０：衛星放送の方式を示す。
ｃ０ｃ１ｃ２ｃ３：テーブルを示す。
ｂ０ｂ１ｂ２ｂ３：符号化率を示す（リング比も示すことがある）。
ｘ０ｘ１ｘ２ｘ３ｘ４ｘ５：リング比を示す。
ｙ０ｙ１ｙ２ｙ３ｙ４ｙ５：リング比の差分を示す。
上記のビットに関して、詳細については、以降で説明する。
【０３３４】
なお、図４８、図４９、図５０、図５１、図５２に記載している「符号化率」とは、誤り訂正符号の符号化率であり、具体的には、４１／１２０、４９／１２０、６１／１２０、１０９／１２０という数値が記載されているが、これらの数値を近似的にあらわすと、４１／１２０≒１／３、４９／１２０≒２／５、６１／１２０≒１／２、１０９／１２０≒９／１０となる。
【０３３５】
以降では、＜例１＞〜＜例５＞の説明を行う。
図４７の拡張情報において、拡張識別をすべて"0"（16ビットすべてがゼロ）とし、拡
張領域の３５９８ビットをすべて"1"とした場合、上述の「方式Ａ」を選択したことにな
る。
【０３３６】
まず、送信装置（送信局）が、「方式Ａ」を用いて変調信号を送信する場合について説明する。
送信装置（送信局）が、変調方式として(12,4)16APSKが選択した場合、誤り訂正符号の符号化率と(12,4)16APSKのリング比の関係は以下のとおりとなる。
【０３３７】
【表１５】
2020156094.tif 000043
【０３３８】
したがって、ＴＭＣＣの拡張識別をすべて"0"（16ビットすべてがゼロ）とし、ＴＭＣＣの拡張領域の３５９８ビットをすべて"1"とすること（送信装置は、これらの値を送信する）で、「方式Ａ」が選択されていることが、受信装置は判別することができ、また、ＴＭＣＣの一部で、使用している誤り訂正符号の符号化率の情報を伝送する。受信装置は、この情報から、変調方式として(12,4)16APSKを使用しているとき、(12,4)16APSKのリング比を判別することができる。
具体的には、上記で記載したｂ０、ｂ１、ｂ２、ｂ３を使用する。ｂ０、ｂ１、ｂ２、ｂ３と誤り訂正符号の符号化率との関係は以下のとおりである。
【０３３９】
【表１６】
2020156094.tif 000044
【０３４０】
表１６のように、送信装置（送信局）が、誤り訂正符号の符号化率として４１／１２０を使用する場合、（ｂ０ｂ１ｂ２ｂ３）＝（００００）に設定する。また、誤り訂正符号の符号化率として４９／１２０を使用する場合、（ｂ０ｂ１ｂ２ｂ３）＝（０００１）に設定すし、・・・、誤り訂正符号の符号化率として１０９／１２０を使用する場合、（ｂ０ｂ１ｂ２ｂ３）＝（１００１）を設定することになる。そして、ＴＭＣＣの一部として、ｂ０、ｂ１、ｂ２、ｂ３を送信する。
【０３４１】
よって、以下の表（テーブル）を作成することができる。
【０３４２】
【表１７】
2020156094.tif 000045
【０３４３】
表１７からわかるように、
送信装置（送信局）が（ｂ０ｂ１ｂ２ｂ３）＝（００００）と設定した場合、誤り訂正符号の符号化率は４１／１２０であり、(12,4)16APSKを使用していた場合、リング比（半径比）は３．０９となる。
送信装置（送信局）が（ｂ０ｂ１ｂ２ｂ３）＝（０００１）と設定した場合、誤り訂正符号の符号化率は４９／１２０であり、(12,4)16APSKを使用していた場合、リング比（半径比）は２．９７となる。
送信装置（送信局）が（ｂ０ｂ１ｂ２ｂ３）＝（００１０）と設定した場合、誤り訂正符号の符号化率は６１／１２０であり、(12,4)16APSKを使用していた場合、リング比（半径比）は３．９３となる。
送信装置（送信局）が（ｂ０ｂ１ｂ２ｂ３）＝（００１１）と設定した場合、誤り訂正符号の符号化率は７３／１２０であり、(12,4)16APSKを使用していた場合、リング比（半径比）は２．８７となる。
送信装置（送信局）が（ｂ０ｂ１ｂ２ｂ３）＝（０１００）と設定した場合、誤り訂正符号の符号化率は８１／１２０であり、(12,4)16APSKを使用していた場合、リング比（半径比）は２．９２となる。
送信装置（送信局）が（ｂ０ｂ１ｂ２ｂ３）＝（０１０１）と設定した場合、誤り訂正符号の符号化率は８９／１２０であり、(12,4)16APSKを使用していた場合、リング比（半径比）は２．９７となる。
送信装置（送信局）が（ｂ０ｂ１ｂ２ｂ３）＝（０１１０）と設定した場合、誤り訂正符号の符号化率は９７／１２０であり、(12,4)16APSKを使用していた場合、リング比（半径比）は２．７３となる。
送信装置（送信局）が（ｂ０ｂ１ｂ２ｂ３）＝（０１１１）と設定した場合、誤り訂正符号の符号化率は１０１／１２０であり、(12,4)16APSKを使用していた場合、リング比（半径比）は２．６７となる。
送信装置（送信局）が（ｂ０ｂ１ｂ２ｂ３）＝（１０００）と設定した場合、誤り訂正符号の符号化率は１０５／１２０であり、(12,4)16APSKを使用していた場合、リング比（半径比）は２．７６となる。
送信装置（送信局）が（ｂ０ｂ１ｂ２ｂ３）＝（１００１）と設定した場合、誤り訂正符
号の符号化率は１０９／１２０であり、(12,4)16APSKを使用していた場合、リング比（半径比）は２．６９となる。
【０３４４】
よって、送信装置（送信局）は、
・「方式Ａ」を使用していることを通知するために、ＴＭＣＣの拡張識別をすべて"0"（16ビットすべてがゼロ）とし、ＴＭＣＣの拡張領域の３５９８ビットをすべて"1"と設定する。
・誤り訂正符号の符号化率、(12,4)16APSKのリング比を推定可能とするために、ｂ０ｂ１ｂ２ｂ３を送信する。
を実施することになる。
【０３４５】
次に、（送信局の）送信装置が、「方式Ｂ」を用いてデータを伝送する場合について説明する。
上述の説明のように、「方式Ｂ」を採用する場合には、ＴＭＣＣ情報を拡張するときであるとして、拡張識別をすべて"0"以外の値つまり"0000000000000000"以外の値をとるも
のとする。ここでは、一例として、拡張識別として"0000000000000001"を送信した場合、（送信局の）送信装置が、「方式Ｂ」を用いてデータを伝送するものとする。
【０３４６】
なお、拡張識別の16ビットをｄ１５, ｄ１４, ｄ１３, ｄ１２, ｄ１１, ｄ１０, ｄ９, ｄ８, ｄ７, ｄ６, ｄ５, ｄ４, ｄ３, ｄ２, ｄ１, ｄ０であらわしたとき、「方式Ｂ」を採用する場合、（ｄ１５, ｄ１４, ｄ１３, ｄ１２, ｄ１１, ｄ１０, ｄ９, ｄ８, ｄ７, ｄ６, ｄ５, ｄ４, ｄ３, ｄ２, ｄ１, ｄ０）＝（０, ０, ０, ０, ０, ０, ０, ０, ０, ０, ０, ０, ０, ０, ０, １）と設定することになる。（なお、上述のとおり、「方式Ｂ」を採用する場合、（ｄ１５, ｄ１４, ｄ１３, ｄ１２, ｄ１１, ｄ１０, ｄ９, ｄ８, ｄ７, ｄ６, ｄ５, ｄ４, ｄ３, ｄ２, ｄ１, ｄ０）を（０, ０, ０, ０, ０, ０, ０, ０, ０, ０, ０, ０, ０, ０, ０, ０）以外の値に設定すればよいので、（ｄ１５, ｄ１４, ｄ１３, ｄ１２, ｄ１１, ｄ１０, ｄ９, ｄ８, ｄ７, ｄ６, ｄ５, ｄ４, ｄ３, ｄ２, ｄ１, ｄ０）＝（０, ０, ０, ０, ０, ０, ０, ０, ０, ０, ０, ０, ０, ０, ０, １）の例に限ったものではない。）

そして、具体的な例として、＜例１＞〜＜例５＞を以下で説明する。
【０３４７】
＜例１＞
例１では、「方式Ｂ」において、(12,4)16APSKのリング比のテーブルは複数種類用意されることで、ひとつの符号化率に対して異なるリング比が設定可能となっている。
例として、「衛星放送の方式を「方式Ｂ」、符号化率を４１/１２０、(12,4)16APSKの
リング比を4.00」と設定する場合について説明する。（ただし、変調方式としては、(12,4)16APSKを選択していることを前提とする。）
図４８に示すように、テーブル１、テーブル２、・・・、テーブル１６、つまり、テーブル１からテーブル１６の１６種類のテーブルを用意する。
【０３４８】
そして、各テーブルでは、上述で説明した（ｂ０ｂ１ｂ２ｂ３）、誤り訂正符号の符号化率、(12,4)16APSKのリング比が関係付けられている。
例えば、テーブル１では、データシンボルを生成するための誤り訂正符号の符号化率を４１／１２０、(12,4)16APSKのリング比を３．０９とする場合、（ｂ０ｂ１ｂ２ｂ３）＝（００００）と設定することになる。同様に、データシンボルを生成するための誤り訂正符号の符号化率を４９／１２０、(12,4)16APSKのリング比を２．９７とする場合、（ｂ０
ｂ１ｂ２ｂ３）＝（０００１）と設定することになる。・・・データシンボルを生成するための誤り訂正符号の符号化率を１０９／１２０、(12,4)16APSKのリング比を３．０９とする場合、（ｂ０ｂ１ｂ２ｂ３）＝（１００１）と設定することになる。
テーブル２では、データシンボルを生成するための誤り訂正符号の符号化率を４１／１２０、(12,4)16APSKのリング比を４．００とする場合、（ｂ０ｂ１ｂ２ｂ３）＝（００００）と設定することになる。同様に、データシンボルを生成するための誤り訂正符号の符号化率を４９／１２０、(12,4)16APSKのリング比を３．９１とする場合、（ｂ０ｂ１ｂ２ｂ３）＝（０００１）と設定することになる。・・・データシンボルを生成するための誤り訂正符号の符号化率を１０９／１２０、(12,4)16APSKのリング比を３．６０とする場合、（ｂ０ｂ１ｂ２ｂ３）＝（１００１）と設定することになる。
・・・
テーブル１６では、データシンボルを生成するための誤り訂正符号の符号化率を４１／１２０、(12,4)16APSKのリング比を２．５９とする場合、（ｂ０ｂ１ｂ２ｂ３）＝（００００）と設定することになる。同様に、データシンボルを生成するための誤り訂正符号の符号化率を４９／１２０、(12,4)16APSKのリング比を２．５０とする場合、（ｂ０ｂ１ｂ２ｂ３）＝（０００１）と設定することになる。・・・データシンボルを生成するための誤り訂正符号の符号化率を１０９／１２０、(12,4)16APSKのリング比を２．２３とする場合、（ｂ０ｂ１ｂ２ｂ３）＝（１００１）と設定することになる。
【０３４９】
なお、テーブル１からテーブル１６では、上述では記載していないが、誤り訂正符号の符号化率41/120、49/120、61/120、73/120、81/120、89/120、97/120、101/120、105/120、109/120それぞれに対し、ｂ０ｂ１ｂ２ｂ３の値、(12,4)16APSKのリング比の関連づけが行われている。
また、図４８に示すように、ｃ０ｃ１ｃ２ｃ３の値と選択するテーブルについての関連付けが行われているものとする。テーブル１を選択する場合（ｃ０、ｃ１、ｃ２、ｃ３）＝（０，０，０，０）と設定し、テーブル２を選択する場合（ｃ０、ｃ１、ｃ２、ｃ３）＝（０，０，０，１）と設定し、・・・、テーブル１６を選択する場合（ｃ０、ｃ１、ｃ２、ｃ３）＝（１，１，１，１）と設定する。
【０３５０】
次に、例として、「衛星放送の方式を「方式Ｂ」、符号化率を４１/１２０、(12,4)16APSKのリング比を4.00」と設定する方法について説明する。
まず、上述のように、「方式Ｂ」を選択することになるので、ｄ０="1"と設定する。
【０３５１】
また、図４８に示すように、テーブル２の１行目は符号化率４１/１２０および(12,4)16APSKのリング比4.00であるので、ｂ０ｂ１ｂ２ｂ３="0000"とする。
よって、16種類のテーブル１〜１６のうちのテーブル２を示すために値ｃ０ｃ１ｃ２ｃ３="0001"とする。
したがって、送信装置（送信局）は、データシンボルを「衛星放送の方式を「方式Ｂ」、符号化率を４１/１２０、(12,4)16APSKのリング比を4.00」で送信する場合、ｄ０="1"、ｂ０ｂ１ｂ２ｂ３="0000"、ｃ０ｃ１ｃ２ｃ３="0001"とする制御情報（ＴＭＣＣの情報の一部）をデータシンボルとあわせて送信する。ただし、制御情報として、データシンボルの変調方式が(12,4)16APSKであることを示す制御情報を伝送する必要がある。
【０３５２】
つまり、＜例１＞では、
・誤り訂正符号の符号化率41/120、49/120、61/120、73/120、81/120、89/120、97/120、101/120、105/120、109/120それぞれに対し、ｂ０ｂ１ｂ２ｂ３の値、(12,4)16APSKのリ
ング比の関連づけが行われた複数のテーブルを用意する。
・使用したテーブルの情報を示すｃ０ｃ１ｃ２ｃ３を送信装置（送信局）は送信する。
とすることで、送信装置は、データシンボルを生成するのに使用した(12,4)16APSKのリン
グ比の情報を伝送することになる。
【０３５３】
なお、送信装置（送信局）が、「方式Ａ」を用いるときの(12,4)16APSKのリング比の設定方法については、＜例１＞の説明以前に説明したとおりである。
＜例２＞
例２は、＜例１＞の変形例である。
【０３５４】
ここでは、送信装置（送信局）が、「方式Ｂ」を選択する場合について説明する。このときは、送信装置（送信局）は「方式Ｂ」を選択することになるので、図４９に示すように、ｄ０="1"と設定する。
そして、新たに、送信装置（送信局）はｚ０の設定を行う。「方式Ａ」と同様の方法で(12,4)16APSKのリング比を決定する場合、ｚ０＝０と設定する。ｚ０＝０と設定した場合、ｂ０、ｂ１、ｂ２、ｂ３により、表１６に基づき、誤り訂正符号の符号化率を指定し、表１５から、(12,4)16APSKのリング比が決定することになる。（表１７参照）
例１と同様の方法で(12,4)16APSKのリング比を決定する場合、ｚ０＝１と設定する。このとき、表１５に基づいて、(12,4)16APSKのリング比を決定するのではなく、例１と同様の手順で(12,4)16APSKのリング比を決定する。
【０３５５】
例として、「衛星放送の方式を「方式Ｂ」、符号化率を４１/１２０、(12,4)16APSKの
リング比を4.00」と設定する場合について説明する。（ただし、変調方式としては、(12,4)16APSKを選択していることを前提とする。また、ｚ０＝１とする。）
図４９に示すように、テーブル１、テーブル２、・・・、テーブル１６、つまり、テーブル１からテーブル１６の１６種類のテーブルを用意する。
【０３５６】
そして、各テーブルでは、上述で説明した（ｂ０ｂ１ｂ２ｂ３）、誤り訂正符号の符号化率、(12,4)16APSKのリング比が関係付けられている。
例えば、テーブル１では、データシンボルを生成するための誤り訂正符号の符号化率を４１／１２０、(12,4)16APSKのリング比を３．０９とする場合、（ｂ０ｂ１ｂ２ｂ３）＝（００００）と設定することになる。同様に、データシンボルを生成するための誤り訂正符号の符号化率を４９／１２０、(12,4)16APSKのリング比を２．９７とする場合、（ｂ０ｂ１ｂ２ｂ３）＝（０００１）と設定することになる。・・・データシンボルを生成するための誤り訂正符号の符号化率を１０９／１２０、(12,4)16APSKのリング比を３．０９とする場合、（ｂ０ｂ１ｂ２ｂ３）＝（１００１）と設定することになる。
テーブル２では、データシンボルを生成するための誤り訂正符号の符号化率を４１／１２０、(12,4)16APSKのリング比を４．００とする場合、（ｂ０ｂ１ｂ２ｂ３）＝（００００）と設定することになる。同様に、データシンボルを生成するための誤り訂正符号の符号化率を４９／１２０、(12,4)16APSKのリング比を３．９１とする場合、（ｂ０ｂ１ｂ２ｂ３）＝（０００１）と設定することになる。・・・データシンボルを生成するための誤り訂正符号の符号化率を１０９／１２０、(12,4)16APSKのリング比を３．６０とする場合、（ｂ０ｂ１ｂ２ｂ３）＝（１００１）と設定することになる。
・・・
テーブル１６では、データシンボルを生成するための誤り訂正符号の符号化率を４１／１２０、(12,4)16APSKのリング比を２．５９とする場合、（ｂ０ｂ１ｂ２ｂ３）＝（００００）と設定することになる。同様に、データシンボルを生成するための誤り訂正符号の符号化率を４９／１２０、(12,4)16APSKのリング比を２．５０とする場合、（ｂ０ｂ１ｂ２ｂ３）＝（０００１）と設定することになる。・・・データシンボルを生成するための誤り訂正符号の符号化率を１０９／１２０、(12,4)16APSKのリング比を２．２３とする場合、（ｂ０ｂ１ｂ２ｂ３）＝（１００１）と設定することになる。
【０３５７】
なお、テーブル１からテーブル１６では、上述では記載していないが、誤り訂正符号の符号化率41/120、49/120、61/120、73/120、81/120、89/120、97/120、101/120、105/120、109/120それぞれに対し、ｂ０ｂ１ｂ２ｂ３の値、(12,4)16APSKのリング比の関連づけが行われている。
また、図４９に示すように、ｃ０ｃ１ｃ２ｃ３の値と選択するテーブルについての関連付けが行われているものとする。テーブル１を選択する場合（ｃ０、ｃ１、ｃ２、ｃ３）＝（０，０，０，０）と設定し、テーブル２を選択する場合（ｃ０、ｃ１、ｃ２、ｃ３）＝（０，０，０，１）と設定し、・・・、テーブル１６を選択する場合（ｃ０、ｃ１、ｃ２、ｃ３）＝（１，１，１，１）と設定する。
【０３５８】
次に、例として、「衛星放送の方式を「方式Ｂ」、符号化率を４１/１２０、(12,4)16APSKのリング比を4.00」と設定する方法について説明する。
まず、上述のように、「方式Ｂ」を選択することになるので、ｄ０="1"と設定する。また、ｚ０＝１と設定する。
【０３５９】
また、図４９に示すように、テーブル２の１行目は符号化率４１/１２０および(12,4)16APSKのリング比4.00であるので、ｂ０ｂ１ｂ２ｂ３="0000"とする。
よって、16種類のテーブル１〜１６のうちのテーブル２を示すために値ｃ０ｃ１ｃ２ｃ３="0001"とする。
したがって、送信装置（送信局）は、データシンボルを「衛星放送の方式を「方式Ｂ」、符号化率を４１/１２０、(12,4)16APSKのリング比を4.00」で送信する場合、ｄ０="1"、ｚ０＝１、ｂ０ｂ１ｂ２ｂ３="0000"、ｃ０ｃ１ｃ２ｃ３="0001"とする制御情報（ＴＭＣＣの情報の一部）をデータシンボルとあわせて送信する。ただし、制御情報として、データシンボルの変調方式が(12,4)16APSKであることを示す制御情報を伝送する必要がある。
【０３６０】
なお、送信装置（送信局）が、「方式Ａ」を用いるときの(12,4)16APSKのリング比の設定方法については、＜例１＞の説明以前に説明したとおりである。
＜例３＞
例３は、リング比を示す値によりシグナリングを行うものであることを特徴としている。
【０３６１】
まず、＜例１＞＜例２＞と同様に、送信装置（送信局）が、「方式Ｂ」により、変調信号を送信することになるので、ｄ０="1"と設定する。
そして、図５０に示すように、ｘ０ｘ１ｘ２ｘ３ｘ４ｘ５の値と(12,4)16APSKのリング比に関連づけを行う。例えば、図５０に示すように、送信装置（送信局）は、（ｘ０、ｘ１、ｘ２、ｘ３、ｘ４、ｘ５）＝（０，０，０，０，０，０）のとき、(12,4)16APSKのリング比を２．００と設定し、・・・、（ｘ０、ｘ１、ｘ２、ｘ３、ｘ４、ｘ５）＝（１，１，１，１，１，１）のとき、(12,4)16APSKのリング比を４．００と設定することなる。
【０３６２】
例として、「衛星放送の方式を「方式Ｂ」、 (12,4)16APSKのリング比を2.00」と設定
する方法について説明する。
このとき、図５０の「ｘ０ｘ１ｘ２ｘ３ｘ４ｘ５の値と(12,4)16APSKのリング比の関係」から、送信装置（送信局）は、ｘ０ｘ１ｘ２ｘ３ｘ４ｘ５＝"000000"と設定する。
【０３６３】
したがって、送信装置（送信局）は、データシンボルを「衛星放送の方式を「方式Ｂ」、 (12,4)16APSKのリング比を2.00」で送信する場合、ｄ０="1"、ｘ０ｘ１ｘ２ｘ３ｘ４
ｘ５＝"000000"とする制御情報（ＴＭＣＣの情報の一部）をデータシンボルとあわせて送信する。ただし、制御情報として、データシンボルの変調方式が(12,4)16APSKであることを示す制御情報を伝送する必要がある。
【０３６４】
なお、送信装置（送信局）が、「方式Ａ」を用いるときの(12,4)16APSKのリング比の設定方法については、＜例１＞の説明以前に説明したとおりである。
＜例４＞
例４は、メインテーブルにおける誤り訂正符号の符号化率および(12,4)16APSKのリング比を示すｂ０ｂ１ｂ２ｂ３と、リング比の差分を示すｙ０ｙ１ｙ２ｙ３ｙ４ｙ５とにより所望の(12,4)16APSKのリング比のシグナリングを実現するものである。
【０３６５】
例４で重要な点の一つは、図５１に示しているメインテーブルが、表１７のテーブル、つまり、「方式Ａ」のときのｂ０、ｂ１、ｂ２、ｂ３と誤り訂正符号の符号化率、リング比の関係で構成されている点である。
以下では、例４のさらなる特徴的な点について説明する。
図５１に、差分テーブルを示している。差分テーブルは、メインテーブルを用いて設定した(12,4)16APSKのリング比からの差分情報のためのテーブルである。メインテーブルに基づき、例えば、(12,4)16APSKのリング比をｈと設定したものとする。
すると、以下のようになる。
・・・
（ｙ０ｙ１ｙ２ｙ３ｙ４ｙ５）＝（０１１１１０）と送信装置（送信局）が設定した場合、(12,4)16APSKのリング比はｈ＋０．４と設定するものとする。
（ｙ０ｙ１ｙ２ｙ３ｙ４ｙ５）＝（０１１１１１）と送信装置（送信局）が設定した場合、(12,4)16APSKのリング比はｈ＋０．２と設定するものとする。
（ｙ０ｙ１ｙ２ｙ３ｙ４ｙ５）＝（１０００００）と送信装置（送信局）が設定した場合、(12,4)16APSKのリング比はｈ＋０と設定するものとする。
（ｙ０ｙ１ｙ２ｙ３ｙ４ｙ５）＝（１００００１）と送信装置（送信局）が設定した場合、(12,4)16APSKのリング比はｈ−０．２と設定するものとする。
（ｙ０ｙ１ｙ２ｙ３ｙ４ｙ５）＝（１０００１０）と送信装置（送信局）が設定した場合、(12,4)16APSKのリング比はｈ−０．４と設定するものとする。
・・・
したがって、送信装置は、（ｙ０ｙ１ｙ２ｙ３ｙ４ｙ５）を決定することで、メインテーブルにより決定した(12,4)16APSKのリング比ｈに対する補正値ｆが決定し、(12,4)16APSKのリング比をｈ＋ｆに設定する。
【０３６６】
例として、「衛星放送の方式を「方式Ｂ」、符号化率を４１／１２０、(12,4)16APSKのリング比を3.49」と設定する方法について説明する。
まず、送信装置は、「方式Ｂ」を選択しているのでｄ０="1"と設定する。
そして，図５１のメインテーブルから符号化率４１／１２０を選択するため、送信装置は、ｂ０ｂ１ｂ２ｂ３="0000"と設定する。
【０３６７】
メインテーブルにおいて値ｂ０ｂ１ｂ２ｂ３="0000"に対応する(12,4)16APSKのリング
比は3.09のため、設定したいリング比3.49との差分は、3.49-3.09=+0.4となる。
このため、送信装置は、差分テーブルにおいて"+0.4"を示すｙ０ｙ１ｙ２ｙ３ｙ４ｙ５="011110"と設定する。
したがって、送信装置（送信局）は、データシンボルを「衛星放送の方式を「方式Ｂ」、符号化率を４１／１２０、(12,4)16APSKのリング比を3.49」で送信する場合、ｄ０="1"、ｂ０ｂ１ｂ２ｂ３="0000"、ｙ０ｙ１ｙ２ｙ３ｙ４ｙ５="011110"とする制御情報（ＴＭＣＣの情報の一部）をデータシンボルとあわせて送信する。ただし、制御情報として、データシンボルの変調方式が(12,4)16APSKであることを示す制御情報を伝送する必要がある。
【０３６８】
この例４は、「方式Ｂ」の場合においても「方式Ａ」のメインテーブルの一部を利用する点で、「方式Ａ」での仕様の一部を「方式Ｂ」でも流用するときに適している。
なお、送信装置（送信局）が、「方式Ａ」を用いるときの(12,4)16APSKのリング比の設定方法については、＜例１＞の説明以前に説明したとおりである。
【０３６９】
なお、図５１では、一つの差分テーブルを用意しているが、複数の差分テーブルを用意してもよい。例えば、差分テーブル１から差分テーブル１６を用意するものとする。そして、図４８、図４９と同様に、ｃ０ｃ１ｃ２ｃ３により、使用する差分テーブルを選択できるようにする。よって、送信装置は、ｄ０、ｂ０ｂ１ｂ２ｂ３、ｙ０ｙ１ｙ２ｙ３ｙ４ｙ５に加えてｃ０ｃ１ｃ２ｃ３を設定し、ｄ０、ｂ０ｂ１ｂ２ｂ３、ｙ０ｙ１ｙ２ｙ３ｙ４ｙ５に加えてｃ０ｃ１ｃ２ｃ３を制御情報の一部として、データシンボルとあわせて送信する。
【０３７０】
また、使用する差分テーブルにおけるｙ０ｙ１ｙ２ｙ３ｙ４ｙ５の値から、メインテーブルを用いて決定した(12,4)16APSKのリング比ｈからの補正値ｆを求めることになる。
＜例５＞
例５は、メインテーブルにおける誤り訂正符号の符号化率および(12,4)16APSKのリング比を示すｂ０ｂ１ｂ２ｂ３と、リング比の差分を示すｙ０ｙ１ｙ２ｙ３ｙ４ｙ５とにより所望のリング比のシグナリングを実現するものである。
【０３７１】
例５で重要な点の一つは、図５２に示しているメインテーブルが、表１７のテーブル、つまり、「方式Ａ」のときのｂ０、ｂ１、ｂ２、ｂ３と誤り訂正符号の符号化率、リング比の関係で構成されている点である。
以下では、例５のさらなる特徴的な点について説明する。
図５２に、差分テーブルを示している。差分テーブルは、メインテーブルを用いて設定した(12,4)16APSKのリング比からの差分情報のためのテーブルである。メインテーブルに基づき、例えば、(12,4)16APSKのリング比をｈと設定したものとする。
すると、以下のようになる。
・・・
（ｙ０ｙ１ｙ２ｙ３ｙ４ｙ５）＝（０１１１１０）と送信装置（送信局）が設定した場合、(12,4)16APSKのリング比はｈ×１．２と設定するものとする。
（ｙ０ｙ１ｙ２ｙ３ｙ４ｙ５）＝（０１１１１１）と送信装置（送信局）が設定した場合、(12,4)16APSKのリング比はｈ×１．１と設定するものとする。
（ｙ０ｙ１ｙ２ｙ３ｙ４ｙ５）＝（１０００００）と送信装置（送信局）が設定した場合、(12,4)16APSKのリング比はｈ×１．０と設定するものとする。
（ｙ０ｙ１ｙ２ｙ３ｙ４ｙ５）＝（１００００１）と送信装置（送信局）が設定した場合、(12,4)16APSKのリング比はｈ×０．９と設定するものとする。
（ｙ０ｙ１ｙ２ｙ３ｙ４ｙ５）＝（１０００１０）と送信装置（送信局）が設定した場合、(12,4)16APSKのリング比はｈ×０．８と設定するものとする。
・・・
したがって、送信装置は、（ｙ０ｙ１ｙ２ｙ３ｙ４ｙ５）を決定することで、メインテーブルにより決定した(12,4)16APSKのリング比ｈに対する補正係数ｇが決定し、(12,4)16APSKのリング比をｈ×ｇに設定する。
【０３７２】
例として、「衛星放送の方式を「方式Ｂ」、符号化率を４１／１２０、(12,4)16APSKのリング比を2.78」と設定する方法について説明する。
まず、送信装置は、「方式Ｂ」を選択しているのでｄ０="1"と設定する。
そして，図５２のメインテーブルから符号化率４１／１２０を選択するため、送信装置は、ｂ０ｂ１ｂ２ｂ３="0000"と設定する。
【０３７３】
メインテーブルにおいて値ｂ０ｂ１ｂ２ｂ３="0000"に対応する(12,4)16APSKのリング
比は3.09のため、設定したいリング比2.78との乗算の形で示す差分は、2.78/3.09=0.9と
なる。
このため、送信装置は、差分テーブルにおいて"×0.9"を示すｙ０ｙ１ｙ２ｙ３ｙ４ｙ
５="100001"と設定する。
【０３７４】
したがって、送信装置（送信局）は、データシンボルを「衛星放送の方式を「方式Ｂ」、符号化率を４１／１２０、(12,4)16APSKのリング比を2.78」で送信する場合、ｄ０="1"、ｂ０ｂ１ｂ２ｂ３="0000"、ｙ０ｙ１ｙ２ｙ３ｙ４ｙ５="100001"とする制御情報（ＴＭＣＣの情報の一部）をデータシンボルとあわせて送信する。ただし、制御情報として、データシンボルの変調方式が(12,4)16APSKであることを示す制御情報を伝送する必要がある。
【０３７５】
この例５は、「方式Ｂ」の場合においても「方式Ａ」のメインテーブルの一部を利用する点で、「方式Ａ」での仕様の一部を「方式Ｂ」でも流用するときに適している。
なお、送信装置（送信局）が、「方式Ａ」を用いるときの(12,4)16APSKのリング比の設定方法については、＜例１＞の説明以前に説明したとおりである。
【０３７６】
なお、図５２では、一つの差分テーブルを用意しているが、複数の差分テーブルを用意してもよい。例えば、差分テーブル１から差分テーブル１６を用意するものとする。そして、図４８、図４９と同様に、ｃ０ｃ１ｃ２ｃ３により、使用する差分テーブルを選択できるようにする。よって、送信装置は、ｄ０、ｂ０ｂ１ｂ２ｂ３、ｙ０ｙ１ｙ２ｙ３ｙ４ｙ５に加えてｃ０ｃ１ｃ２ｃ３を設定し、ｄ０、ｂ０ｂ１ｂ２ｂ３、ｙ０ｙ１ｙ２ｙ３ｙ４ｙ５に加えてｃ０ｃ１ｃ２ｃ３を制御情報の一部として、データシンボルとあわせて送信する。
【０３７７】
また、使用する差分テーブルにおけるｙ０ｙ１ｙ２ｙ３ｙ４ｙ５の値から、メインテーブルを用いて決定した(12,4)16APSKのリング比ｈからの補正係数ｇを求めることになる。
＜受信装置＞
本実施の形態の送信方法に対応する受信装置について＜例１＞〜＜例５＞に共通する構成について説明した後で各例の具体的な処理について説明する。
【０３７８】
図４０の地上の受信装置（端末）Ａ２００は、図３９の送信局が送信し、衛星（中継局）が中継した無線信号を、アンテナＡ２０１で受信する。受信ＲＦＡ２０２は、受信した無線信号に対し、周波数変換、直交復調等の処理を施し、ベースバンド信号を出力する。
復調部Ａ２０４は、ルートロールオフフィルタの処理等の処理を施し、フィルタ後のベースバンド信号を出力する。
【０３７９】
同期・チャネル推定部Ａ２１４は、フィルタ後のベースバンド信号を入力とし、送信装
置が送信した、例えば、「同期シンボル群」「パイロットシンボル群」を用いて、時間同期、周波数同期、チャネル推定を行い、推定信号を出力する。
制御情報推定部Ａ２１６は、フィルタ後のベースバンド信号を入力とし、「ＴＭＣＣ情報シンボル群」のような制御情報を含むシンボルを抽出し、復調・復号を行い、制御信号を出力する。
なお、本実施の形態で重要になることは、「ＴＭＣＣ情報シンボル群」に含まれる制御情報を制御情報推定部Ａ２１６は推定し、制御信号として出力する点であり、このとき、制御信号には、上述のｄ０、ｚ０、ｃ０ｃ１ｃ２ｃ３、ｂ０ｂ１ｂ２ｂ３、ｘ０ｘ１ｘ２ｘ３ｘ４ｘ５、ｙ０ｙ１ｙ２ｙ３ｙ４ｙ５の情報を含んでいるという点である。
【０３８０】
デマッピング部Ａ２０６は、フィルタ後のベースバンド信号、制御信号、推定信号を入力とし、制御信号に基づき、「データシンボル群で構成されるスロット」が使用している変調方式（または、送信方法）およびリング比を判断し、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
デインターリーブ部Ａ２０８は、対数尤度比、制御信号を入力とし、蓄積し、送信装置が用いたインターリーブに対応するデインターリーブ（データの並び換え）を行い、デインターリーブ後の対数尤度比を出力する。
【０３８１】
誤り訂正復号部Ａ２１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。以上が、反復検波を行わないときの動作となるが、図２の受信装置で説明したような反復検波を行う受信装置であってもよい。
【０３８２】
このような、受信装置側では、上記で説明した＜例１＞〜＜例５＞で示すテーブルと同様のテーブルを保持しており、＜例１＞〜＜例５＞とは逆の手順を行うことで、衛星放送の方式、誤り訂正符号の符号化率および(12,4)16APSKのリング比を推定し、復調・復号の動作を行う。以下、各例に分けて説明する。
なお、以下では、受信装置の制御情報推定部Ａ２１６は、ＴＭＣＣの情報から、データシンボルの変調方式は(12,4)16APSKのシンボルであると判断したことを前提として、記載をすすめる。
【０３８３】
＜＜例１に対応する受信装置＞＞
・送信装置（送信局）が「方式Ａ」で変調信号を送信した場合：
受信装置の制御情報推定部Ａ２１６は、ｄ０="0"と得られた場合、データシンボルは「方式Ａ」で送信されたシンボルであると判断する。そして、ｂ０ｂ１ｂ２ｂ３の値を得ることで、データシンボルが(12,4)16APSKのシンボルであるとき、(12,4)16APSKのリング比を推定することになる。そして、デマッピング部Ａ２０６は、これらの推定情報に基づき、データシンボルの復調を行う。
【０３８４】
・送信装置（送信局）が「方式Ｂ」で変調信号を送信した場合：
図５３に示すように、受信装置の制御情報推定部Ａ２１６は、ｄ０="1"から「方式Ｂ」、ｃ０ｃ１ｃ２ｃ３="0001"およびｂ０ｂ１ｂ２ｂ３="0000"からテーブル２の１行目の誤り訂正符号の符号化率４１/１２０および(12,4)16APSKのリング比4.00と推定する。そし
て、デマッピング部Ａ２０６は、これらの推定情報に基づき、データシンボルの復調を行う。
【０３８５】
＜＜例２に対応する受信装置＞＞
・送信装置（送信局）が「方式Ａ」で変調信号を送信した場合：
受信装置の制御情報推定部Ａ２１６は、ｄ０="0"と得られた場合、データシンボルは「方式Ａ」で送信されたシンボルであると判断する。そして、ｂ０ｂ１ｂ２ｂ３の値を得ることで、データシンボルが(12,4)16APSKのシンボルであるとき、(12,4)16APSKのリング比を推定することになる。そして、デマッピング部Ａ２０６は、これらの推定情報に基づき、データシンボルの復調を行う。
【０３８６】
・送信装置（送信局）が「方式Ｂ」で変調信号を送信した場合：
図５４に示すように、受信装置の制御情報推定部Ａ２１６は、ｄ０="1"、ｚ０＝０と得たとき、「方式Ａのときと同様にリング比が設定されている」と判定し、ｂ０、ｂ１、ｂ２、ｂ３を得、表１７から誤り訂正符号の符号化率と(12,4)16APSKのリング比を推定する。そして、デマッピング部Ａ２０６は、これらの推定情報に基づき、データシンボルの復調を行う。
【０３８７】
また、図５４に示すように、受信装置の制御情報推定部Ａ２１６は、ｄ０="1"、ｚ０＝１から「方式Ｂ」、ｃ０ｃ１ｃ２ｃ３="0001"およびｂ０ｂ１ｂ２ｂ３="0000"からテーブル２の１行目の誤り訂正符号の符号化率４１/１２０および(12,4)16APSKのリング比4.00
と推定する。そして、デマッピング部Ａ２０６は、これらの推定情報に基づき、データシンボルの復調を行う。
【０３８８】
＜＜例３に対応する受信装置＞＞
・送信装置（送信局）が「方式Ａ」で変調信号を送信した場合：
受信装置の制御情報推定部Ａ２１６は、ｄ０="0"と得られた場合、データシンボルは「方式Ａ」で送信されたシンボルであると判断する。そして、ｂ０ｂ１ｂ２ｂ３の値を得ることで、データシンボルが(12,4)16APSKのシンボルであるとき、(12,4)16APSKのリング比を推定することになる。そして、デマッピング部Ａ２０６は、これらの推定情報に基づき、データシンボルの復調を行う。
【０３８９】
・送信装置（送信局）が「方式Ｂ」で変調信号を送信した場合：
図５５に示すように、受信装置の制御情報推定部Ａ２１６は、ｄ０="1"から「方式Ｂ」、ｘ０ｘ１ｘ２ｘ３ｘ４ｘ５＝"000000"から(12,4)16APSKのリング比を2.00と推定する。そして、デマッピング部Ａ２０６は、これらの推定情報に基づき、データシンボルの復調を行う。
【０３９０】
＜＜例４に対応する受信装置＞＞
・送信装置（送信局）が「方式Ａ」で変調信号を送信した場合：
受信装置の制御情報推定部Ａ２１６は、ｄ０="0"と得られた場合、データシンボルは「方式Ａ」で送信されたシンボルであると判断する。そして、ｂ０ｂ１ｂ２ｂ３の値を得ることで、データシンボルが(12,4)16APSKのシンボルであるとき、(12,4)16APSKのリング比を推定することになる。そして、デマッピング部Ａ２０６は、これらの推定情報に基づき、データシンボルの復調を行う。
【０３９１】
・送信装置（送信局）が「方式Ｂ」で変調信号を送信した場合：
図５６に示すように、受信装置の制御情報推定部Ａ２１６は、ｄ０="1"からデータシンボルは「方式Ｂ」のシンボルであると判断する。また、受信装置の制御情報推定部Ａ２１６は、ｙ０ｙ１ｙ２ｙ３ｙ４ｙ５="011110"から差分を+0.4と推定する。また、ｂ０ｂ１
ｂ２ｂ３="0000"を基に、差分を考慮する前の(12,4)16APSKのリング比を3.09と誤り訂正
符号の符号化率を４１/１２０と推定する。そして、両者を加算して3.09+0.4=3.49より(12,4)16APSKのリング比を3.49と推定する。そして、デマッピング部Ａ２０６は、これらの推定情報に基づき、データシンボルの復調を行う。
【０３９２】
＜＜例５に対応する受信装置＞＞
・送信装置（送信局）が「方式Ａ」で変調信号を送信した場合：
受信装置の制御情報推定部Ａ２１６は、ｄ０="0"と得られた場合、データシンボルは「方式Ａ」で送信されたシンボルであると判断する。そして、ｂ０ｂ１ｂ２ｂ３の値を得ることで、データシンボルが(12,4)16APSKのシンボルであるとき、(12,4)16APSKのリング比を推定することになる。そして、デマッピング部Ａ２０６は、これらの推定情報に基づき、データシンボルの復調を行う。
【０３９３】
・送信装置（送信局）が「方式Ｂ」で変調信号を送信した場合：
図５７に示すように、受信装置の制御情報推定部Ａ２１６は、ｄ０="1"からデータシンボルは「方式Ｂ」のシンボルであると判断する。また、受信装置の制御情報推定部Ａ２１６は、ｙ０ｙ１ｙ２ｙ３ｙ４ｙ５="100001"を基に差分を×0.9と推定する。また、ｂ０ｂ１ｂ２ｂ３="0000"を基に、差分を考慮する前の(12,4)16APSKのリング比を3.09と誤り訂
正符号の符号化率を４１/１２０と推定する。そして、両者を乗算して3.09×0.9=2.78よ
り(12,4)16APSKのリング比を2.78と推定する。そして、デマッピング部Ａ２０６は、これらの推定情報に基づき、データシンボルの復調を行う。
【０３９４】
（実施の形態Ｄ）
この実施の形態では、実施の形態Ｃに基づいたパイロットシンボルの送信方法について説明する。
【０３９５】
なお、リング比（例えば、(12,4)16APSKのリング比）の定義については、本実施の形態以前に定義したものであり、リング比は別の名称として、「半径比」と呼んでもよい。
【０３９６】
＜パイロットシンボルの例＞
本実施の形態では、上記の実施の形態Ｃで説明した送信方式（データシンボルの変調方式が(12,4)16APSK）におけるパイロットシンボルの構成例について説明する。
【０３９７】
なお、本実施の形態における送信装置の構成は、実施の形態１で説明したものと同様であるためその説明を省略する。
【０３９８】
送信装置の電力増幅器の非線形性から、変調信号は、符号間（シンボル間）干渉が発生する。受信装置では、この符号間干渉を低減させることで、高いデータの受信品質を得ることができる。
【０３９９】
本パイロットシンボルの構成例では、受信装置で、符号間（シンボル間）干渉を低減するために、送信装置が、データシンボルで使用した変調方式とリング比を用いてパイロットシンボルを送信する点である。
【０４００】
したがって、送信装置（送信局）は、実施の形態Ｃの＜例１＞〜＜例５＞のいずれかの方法で、データシンボルの変調方式とリング比を決定したら、パイロットシンボルについても、データシンボルと同じ変調方式、リング比を用いてパイロットシンボルを生成し、送信することになる。
【０４０１】
以下では、具体的な例を示す。ただし、変調方式は(12,4)16APSKが選択されたことを前
提で説明を続ける。
【０４０２】
実施の形態Ｃの＜例１＞の場合：
送信装置（送信局）は、データシンボルを「衛星放送の方式を「方式Ｂ」、符号化率を４１/１２０、(12,4)16APSKのリング比を4.00」で送信する場合、ｄ0="1"、ｂ0ｂ1ｂ2ｂ3="0000"、ｃ0ｃ1ｃ2ｃ3="0001"とする。そして、「ｄ0="1"、ｂ0ｂ1ｂ2ｂ3="0000"、ｃ0ｃ1ｃ2ｃ3="0001"」に基づき、送信装置（送信局）は、パイロットシンボルの変調方式・リング比をそれぞれ、(12,4)16APSK・リング比を4.00（ただし、(12,4)16APSK）と設定する。
【０４０３】
したがって、送信装置（送信局）は、順に、
(12,4)16APSKリング比4.00の[b3b2b1b0]=[0000]に対応する信号点（ベースバンド信号）
のシンボル、
(12,4)16APSKリング比4.00の[b3b2b1b0]=[0001]に対応する信号点（ベースバンド信号）のシンボル、
(12,4)16APSKリング比4.00の[b3b2b1b0]=[0010]に対応する信号点（ベースバンド信号）のシンボル、
(12,4)16APSKリング比4.00の[b3b2b1b0]=[0011]に対応する信号点（ベースバンド信号）のシンボル、
(12,4)16APSKリング比4.00の[b3b2b1b0]=[0100]に対応する信号点（ベースバンド信号）のシンボル、
(12,4)16APSKリング比4.00の[b3b2b1b0]=[0101]に対応する信号点（ベースバンド信号）のシンボル、
(12,4)16APSKリング比4.00の[b3b2b1b0]=[0110]に対応する信号点（ベースバンド信号）のシンボル、
(12,4)16APSKリング比4.00の[b3b2b1b0]=[0111]に対応する信号点（ベースバンド信号）のシンボル、
(12,4)16APSKリング比4.00の[b3b2b1b0]=[1000]に対応する信号点（ベースバンド信号）のシンボル、
(12,4)16APSKリング比4.00の[b3b2b1b0]=[1001]に対応する信号点（ベースバンド信号）のシンボル、
(12,4)16APSKリング比4.00の[b3b2b1b0]=[1010]に対応する信号点（ベースバンド信号）のシンボル、
(12,4)16APSKリング比4.00の[b3b2b1b0]=[1011]に対応する信号点（ベースバンド信号）のシンボル、
(12,4)16APSKリング比4.00の[b3b2b1b0]=[1100]に対応する信号点（ベースバンド信号）のシンボル、
(12,4)16APSKリング比4.00の[b3b2b1b0]=[1101]に対応する信号点（ベースバンド信号）のシンボル、
(12,4)16APSKリング比4.00の[b3b2b1b0]=[1110]に対応する信号点（ベースバンド信号）のシンボル、
(12,4)16APSKリング比4.00の[b3b2b1b0]=[1111]に対応する信号点（ベースバンド信号）のシンボル、
をパイロットシンボルとして送信する。
【０４０４】
これにより、受信装置は、高精度の符号間干渉を推定することができるため、高いデータの受信品質を得ることができる。
【０４０５】
なお、パイロットシンボルは符号間干渉を推定するためだけのシンボルではなく、パイロットシンボルを用いて、受信装置は、送信装置と受信装置間の電波の伝搬環境の推定（
チャネル推定）を行ってもよいし、また、周波数オフセットの推定、時間同期を行ってもよい。
【０４０６】
なお、送信装置が、データシンボルのリング比を、別の値が設定した場合は、パイロットシンボルについても、データシンボルと同じリング比に変更し（その値をＬとする）、送信装置（送信局）は、順に、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）のシンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）のシンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
をパイロットシンボルとして送信する。
【０４０７】
実施の形態Ｃの＜例２＞の場合：
送信装置（送信局）は、データシンボルを「衛星放送の方式を「方式Ｂ」、符号化率を４１/１２０、(12,4)16APSKのリング比を4.00」で送信する場合、ｄ0="1"、ｚ0＝１、ｂ0ｂ1ｂ2ｂ3="0000"、ｃ0ｃ1ｃ2ｃ3="0001"とする制御情報（ＴＭＣＣの情報の一部）をデータシンボルとあわせて送信する。そして、「ｄ0="1"、ｚ0＝１、ｂ0ｂ1ｂ2ｂ3="0000"、ｃ0ｃ1ｃ2ｃ3="0001"」に基づき、送信装置（送信局）は、パイロットシンボルの変調方式・リング比をそれぞれ、(12,4)16APSK・リング比を4.00（ただし、(12,4)16APSK）と設定する。
【０４０８】
したがって、送信装置（送信局）は、順に、
(12,4)16APSKリング比4.00の[b3b2b1b0]=[0000]に対応する信号点（ベースバンド信号）
のシンボル、
(12,4)16APSKリング比4.00の[b3b2b1b0]=[0001]に対応する信号点（ベースバンド信号）のシンボル、
(12,4)16APSKリング比4.00の[b3b2b1b0]=[0010]に対応する信号点（ベースバンド信号）のシンボル、
(12,4)16APSKリング比4.00の[b3b2b1b0]=[0011]に対応する信号点（ベースバンド信号）のシンボル、
(12,4)16APSKリング比4.00の[b3b2b1b0]=[0100]に対応する信号点（ベースバンド信号）のシンボル、
(12,4)16APSKリング比4.00の[b3b2b1b0]=[0101]に対応する信号点（ベースバンド信号）のシンボル、
(12,4)16APSKリング比4.00の[b3b2b1b0]=[0110]に対応する信号点（ベースバンド信号）のシンボル、
(12,4)16APSKリング比4.00の[b3b2b1b0]=[0111]に対応する信号点（ベースバンド信号）のシンボル、
(12,4)16APSKリング比4.00の[b3b2b1b0]=[1000]に対応する信号点（ベースバンド信号）のシンボル、
(12,4)16APSKリング比4.00の[b3b2b1b0]=[1001]に対応する信号点（ベースバンド信号）のシンボル、
(12,4)16APSKリング比4.00の[b3b2b1b0]=[1010]に対応する信号点（ベースバンド信号）のシンボル、
(12,4)16APSKリング比4.00の[b3b2b1b0]=[1011]に対応する信号点（ベースバンド信号）のシンボル、
(12,4)16APSKリング比4.00の[b3b2b1b0]=[1100]に対応する信号点（ベースバンド信号）のシンボル、
(12,4)16APSKリング比4.00の[b3b2b1b0]=[1101]に対応する信号点（ベースバンド信号）のシンボル、
(12,4)16APSKリング比4.00の[b3b2b1b0]=[1110]に対応する信号点（ベースバンド信号）のシンボル、
(12,4)16APSKリング比4.00の[b3b2b1b0]=[1111]に対応する信号点（ベースバンド信号）のシンボル、
をパイロットシンボルとして送信する。
【０４０９】
これにより、受信装置は、高精度の符号間干渉を推定することができるため、高いデータの受信品質を得ることができる。
【０４１０】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定、時間同期を行ってもよい。
【０４１１】
なお、送信装置が、データシンボルのリング比を、別の値が設定した場合は、パイロットシンボルについても、データシンボルと同じリング比に変更し（その値をＬとする）、送信装置（送信局）は、順に、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）の
シンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）のシンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
をパイロットシンボルとして送信する。
【０４１２】
実施の形態Ｃの＜例３＞の場合：
送信装置（送信局）は、データシンボルを「衛星放送の方式を「方式Ｂ」、 (12,4)16APSKのリング比を2.00」で送信する場合、ｄ0="1"、ｘ0ｘ1ｘ2ｘ3ｘ4ｘ5＝"000000"とする制御情報（ＴＭＣＣの情報の一部）をデータシンボルとあわせて送信する。そして、「ｄ0="1"、ｘ0ｘ1ｘ2ｘ3ｘ4ｘ5＝"000000"」に基づき、送信装置（送信局）は、パイロットシンボルの変調方式・リング比をそれぞれ、(12,4)16APSK・リング比を2.00（ただし、(12,4)16APSK）と設定する。
【０４１３】
したがって、送信装置（送信局）は、順に、
(12,4)16APSKリング比2.00の[b3b2b1b0]=[0000]に対応する信号点（ベースバンド信号）
のシンボル、
(12,4)16APSKリング比2.00の[b3b2b1b0]=[0001]に対応する信号点（ベースバンド信号）のシンボル、
(12,4)16APSKリング比2.00の[b3b2b1b0]=[0010]に対応する信号点（ベースバンド信号）のシンボル、
(12,4)16APSKリング比2.00の[b3b2b1b0]=[0011]に対応する信号点（ベースバンド信号）のシンボル、
(12,4)16APSKリング比2.00の[b3b2b1b0]=[0100]に対応する信号点（ベースバンド信号）のシンボル、
(12,4)16APSKリング比2.00の[b3b2b1b0]=[0101]に対応する信号点（ベースバンド信号）のシンボル、
(12,4)16APSKリング比2.00の[b3b2b1b0]=[0110]に対応する信号点（ベースバンド信号）のシンボル、
(12,4)16APSKリング比2.00の[b3b2b1b0]=[0111]に対応する信号点（ベースバンド信号）のシンボル、
(12,4)16APSKリング比2.00の[b3b2b1b0]=[1000]に対応する信号点（ベースバンド信号）のシンボル、
(12,4)16APSKリング比2.00の[b3b2b1b0]=[1001]に対応する信号点（ベースバンド信号）のシンボル、
(12,4)16APSKリング比2.00の[b3b2b1b0]=[1010]に対応する信号点（ベースバンド信号）のシンボル、
(12,4)16APSKリング比2.00の[b3b2b1b0]=[1011]に対応する信号点（ベースバンド信号）のシンボル、
(12,4)16APSKリング比2.00の[b3b2b1b0]=[1100]に対応する信号点（ベースバンド信号）のシンボル、
(12,4)16APSKリング比2.00の[b3b2b1b0]=[1101]に対応する信号点（ベースバンド信号）のシンボル、
(12,4)16APSKリング比2.00の[b3b2b1b0]=[1110]に対応する信号点（ベースバンド信号）のシンボル、
(12,4)16APSKリング比2.00の[b3b2b1b0]=[1111]に対応する信号点（ベースバンド信号）のシンボル、
をパイロットシンボルとして送信する。
【０４１４】
これにより、受信装置は、高精度の符号間干渉を推定することができるため、高いデータの受信品質を得ることができる。
【０４１５】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定、時間同期を行ってもよい。
【０４１６】
なお、送信装置が、データシンボルのリング比を、別の値が設定した場合は、パイロットシンボルについても、データシンボルと同じリング比に変更し（その値をＬとする）、送信装置（送信局）は、順に、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）のシンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）の
シンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
をパイロットシンボルとして送信する。
【０４１７】
実施の形態Ｃの＜例４＞の場合：
送信装置（送信局）は、データシンボルを「衛星放送の方式を「方式Ｂ」、符号化率を４１／１２０、(12,4)16APSKのリング比を3.49」で送信する場合、ｄ0="1"、ｂ0ｂ1ｂ2ｂ3="0000"、ｙ0ｙ1ｙ2ｙ3ｙ4ｙ5="011110"とする制御情報（ＴＭＣＣの情報の一部）をデータシンボルとあわせて送信する。そして、「ｄ0="1"、ｂ0ｂ1ｂ2ｂ3="0000"、ｙ0ｙ1ｙ2ｙ3ｙ4ｙ5="011110"」に基づき、送信装置（送信局）は、パイロットシンボルの変調方
式・リング比をそれぞれ、(12,4)16APSK・リング比を3.49（ただし、(12,4)16APSK）と設定する。
【０４１８】
したがって、送信装置（送信局）は、順に、
(12,4)16APSKリング比3.49の[b3b2b1b0]=[0000]に対応する信号点（ベースバンド信号）
のシンボル、
(12,4)16APSKリング比3.49の[b3b2b1b0]=[0001]に対応する信号点（ベースバンド信号）のシンボル、
(12,4)16APSKリング比3.49の[b3b2b1b0]=[0010]に対応する信号点（ベースバンド信号）のシンボル、
(12,4)16APSKリング比3.49の[b3b2b1b0]=[0011]に対応する信号点（ベースバンド信号）のシンボル、
(12,4)16APSKリング比3.49の[b3b2b1b0]=[0100]に対応する信号点（ベースバンド信号）のシンボル、
(12,4)16APSKリング比3.49の[b3b2b1b0]=[0101]に対応する信号点（ベースバンド信号）のシンボル、
(12,4)16APSKリング比3.49の[b3b2b1b0]=[0110]に対応する信号点（ベースバンド信号）のシンボル、
(12,4)16APSKリング比3.49の[b3b2b1b0]=[0111]に対応する信号点（ベースバンド信号）のシンボル、
(12,4)16APSKリング比3.49の[b3b2b1b0]=[1000]に対応する信号点（ベースバンド信号）のシンボル、
(12,4)16APSKリング比3.49の[b3b2b1b0]=[1001]に対応する信号点（ベースバンド信号）のシンボル、
(12,4)16APSKリング比3.49の[b3b2b1b0]=[1010]に対応する信号点（ベースバンド信号）のシンボル、
(12,4)16APSKリング比3.49の[b3b2b1b0]=[1011]に対応する信号点（ベースバンド信号）
のシンボル、
(12,4)16APSKリング比3.49の[b3b2b1b0]=[1100]に対応する信号点（ベースバンド信号）のシンボル、
(12,4)16APSKリング比3.49の[b3b2b1b0]=[1101]に対応する信号点（ベースバンド信号）のシンボル、
(12,4)16APSKリング比3.49の[b3b2b1b0]=[1110]に対応する信号点（ベースバンド信号）のシンボル、
(12,4)16APSKリング比3.49の[b3b2b1b0]=[1111]に対応する信号点（ベースバンド信号）のシンボル、
をパイロットシンボルとして送信する。
【０４１９】
これにより、受信装置は、高精度の符号間干渉を推定することができるため、高いデータの受信品質を得ることができる。
【０４２０】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定、時間同期を行ってもよい。
【０４２１】
なお、送信装置が、データシンボルのリング比を、別の値が設定した場合は、パイロットシンボルについても、データシンボルと同じリング比に変更し（その値をＬとする）、送信装置（送信局）は、順に、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）のシンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）のシンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
をパイロットシンボルとして送信する。
【０４２２】
実施の形態Ｃの＜例５＞の場合：
送信装置（送信局）は、データシンボルを「衛星放送の方式を「方式Ｂ」、符号化率を４１／１２０、(12,4)16APSKのリング比を2.78」で送信する場合、ｄ0="1"、ｂ0ｂ1ｂ2ｂ3="0000"、ｙ0ｙ1ｙ2ｙ3ｙ4ｙ5="100001"とする制御情報（ＴＭＣＣの情報の一部）をデータシンボルとあわせて送信する。そして、「ｄ0="1"、ｂ0ｂ1ｂ2ｂ3="0000"、ｙ0ｙ1ｙ2ｙ3ｙ4ｙ5="100001"」に基づき、送信装置（送信局）は、パイロットシンボルの変調方
式・リング比をそれぞれ、(12,4)16APSK・リング比を2.78（ただし、(12,4)16APSK）と設定する。
【０４２３】
したがって、送信装置（送信局）は、順に、
(12,4)16APSKリング比2.78の[b3b2b1b0]=[0000]に対応する信号点（ベースバンド信号）
のシンボル、
(12,4)16APSKリング比2.78の[b3b2b1b0]=[0001]に対応する信号点（ベースバンド信号）のシンボル、
(12,4)16APSKリング比2.78の[b3b2b1b0]=[0010]に対応する信号点（ベースバンド信号）のシンボル、
(12,4)16APSKリング比2.78の[b3b2b1b0]=[0011]に対応する信号点（ベースバンド信号）のシンボル、
(12,4)16APSKリング比2.78の[b3b2b1b0]=[0100]に対応する信号点（ベースバンド信号）のシンボル、
(12,4)16APSKリング比2.78の[b3b2b1b0]=[0101]に対応する信号点（ベースバンド信号）のシンボル、
(12,4)16APSKリング比2.78の[b3b2b1b0]=[0110]に対応する信号点（ベースバンド信号）のシンボル、
(12,4)16APSKリング比2.78の[b3b2b1b0]=[0111]に対応する信号点（ベースバンド信号）のシンボル、
(12,4)16APSKリング比2.78の[b3b2b1b0]=[1000]に対応する信号点（ベースバンド信号）のシンボル、
(12,4)16APSKリング比2.78の[b3b2b1b0]=[1001]に対応する信号点（ベースバンド信号）のシンボル、
(12,4)16APSKリング比2.78の[b3b2b1b0]=[1010]に対応する信号点（ベースバンド信号）のシンボル、
(12,4)16APSKリング比2.78の[b3b2b1b0]=[1011]に対応する信号点（ベースバンド信号）のシンボル、
(12,4)16APSKリング比2.78の[b3b2b1b0]=[1100]に対応する信号点（ベースバンド信号）のシンボル、
(12,4)16APSKリング比2.78の[b3b2b1b0]=[1101]に対応する信号点（ベースバンド信号）のシンボル、
(12,4)16APSKリング比2.78の[b3b2b1b0]=[1110]に対応する信号点（ベースバンド信号）のシンボル、
(12,4)16APSKリング比2.78の[b3b2b1b0]=[1111]に対応する信号点（ベースバンド信号）のシンボル、
をパイロットシンボルとして送信する。
【０４２４】
これにより、受信装置は、高精度の符号間干渉を推定することができるため、高いデータの受信品質を得ることができる。
【０４２５】
なお、パイロットシンボルは符号間干渉を推定するためだけのシンボルではなく、パイロットシンボルを用いて、受信装置は、送信装置と受信装置間の電波の伝搬環境の推定（チャネル推定）を行ってもよいし、また、周波数オフセットの推定、時間同期を行ってもよい。
【０４２６】
なお、送信装置が、データシンボルのリング比を、別の値が設定した場合は、パイロットシンボルについても、データシンボルと同じリング比に変更し（その値をＬとする）、送信装置（送信局）は、順に、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）のシンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）のシンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
をパイロットシンボルとして送信する。
【０４２７】
受信装置の動作について、図２を用いて説明する。
【０４２８】
図２において２１０は受信装置の構成である。図２のデマッピング部２１４は、送信装置が用いた変調方式のマッピングに対し、デマッピングを行い、例えば、各ビットの対数尤度比を求め、出力する。このとき、図２には図示していないが、デマッピングを精度良く行うためには、符号間干渉の推定、送信装置と受信装置間の電波の伝搬環境の推定（チャネル推定）、送受信機間の時間同期・周波数オフセットの推定をするとよい。
【０４２９】
図２には図示していないが、受信装置は、符号間干渉推定部、チャネル推定部、時間同期部、周波数オフセット推定部を具備していることになる。これらの推定部は、受信信号のうち、例えば、パイロットシンボルの部分を抽出し、それぞれ、符号間干渉の推定、送信装置と受信装置間の電波の伝搬環境の推定（チャネル推定）、送受信機間の時間同期・周波数オフセットの推定を行う。そして、図２のデマッピング部２１４は、これらの推定信号を入力とし、これらの推定信号に基づき、デマッピングを行うことで、例えば、対数尤度比の計算を行うことになる。
【０４３０】
なお、データシンボルを生成するのに用いられる変調方式、リング比の情報は、実施の形態Ｃで説明したように、ＴＭＣＣのような制御情報を用いて伝送されている。そして、パイロットシンボルを生成するのに用いられている変調方式・リング比は、データシンボルを生成するのに用いられる変調方式・リング比と同じであるので、したがって、受信装置は、制御情報推定部により、制御情報から変調方式・リング比を推定し、この情報をデマッピング部２１４は入手することにより、パイロットシンボルによる伝搬路の歪みの推定等が行われるとともに、情報シンボルのデマッピングが行われることになる。
【０４３１】
また、パイロットシンボルの送信方法は、上述に限ったものではない。例えば、
送信装置（送信局）は、パイロットシンボルとして、
(12,4)16APSKリング比Ｌの[b3b2b1b0]=[0000]に対応する信号点（ベースバンド信号）の
シンボルを複数回、
(12,4)16APSKリング比Ｌの[b3b2b1b0]=[0001]に対応する信号点（ベースバンド信号）のシンボルを複数回、
(12,4)16APSKリング比Ｌの[b3b2b1b0]=[0010]に対応する信号点（ベースバンド信号）のシンボルを複数回、
(12,4)16APSKリング比Ｌの[b3b2b1b0]=[0011]に対応する信号点（ベースバンド信号）のシンボルを複数回、
(12,4)16APSKリング比Ｌの[b3b2b1b0]=[0100]に対応する信号点（ベースバンド信号）のシンボルを複数回、
(12,4)16APSKリング比Ｌの[b3b2b1b0]=[0101]に対応する信号点（ベースバンド信号）のシンボルを複数回、
(12,4)16APSKリング比Ｌの[b3b2b1b0]=[0110]に対応する信号点（ベースバンド信号）のシンボルを複数回、
(12,4)16APSKリング比Ｌの[b3b2b1b0]=[0111]に対応する信号点（ベースバンド信号）のシンボルを複数回、
(12,4)16APSKリング比Ｌの[b3b2b1b0]=[1000]に対応する信号点（ベースバンド信号）のシンボルを複数回、
(12,4)16APSKリング比Ｌの[b3b2b1b0]=[1001]に対応する信号点（ベースバンド信号）のシンボルを複数回、
(12,4)16APSKリング比Ｌの[b3b2b1b0]=[1010]に対応する信号点（ベースバンド信号）のシンボルを複数回、
(12,4)16APSKリング比Ｌの[b3b2b1b0]=[1011]に対応する信号点（ベースバンド信号）のシンボルを複数回、
(12,4)16APSKリング比Ｌの[b3b2b1b0]=[1100]に対応する信号点（ベースバンド信号）のシンボルを複数回、
(12,4)16APSKリング比Ｌの[b3b2b1b0]=[1101]に対応する信号点（ベースバンド信号）のシンボルを複数回、
(12,4)16APSKリング比Ｌの[b3b2b1b0]=[1110]に対応する信号点（ベースバンド信号）の
シンボルを複数回、
(12,4)16APSKリング比Ｌの[b3b2b1b0]=[1111]に対応する信号点（ベースバンド信号）のシンボルを複数回
送信してもよい。
【０４３２】
このとき、
(12,4)16APSKリング比Ｌの[b3b2b1b0]=[0000]に対応する信号点（ベースバンド信号）の
シンボル、
(12,4)16APSKリング比Ｌの[b3b2b1b0]=[0001]に対応する信号点（ベースバンド信号）のシンボル、
(12,4)16APSKリング比Ｌの[b3b2b1b0]=[0010]に対応する信号点（ベースバンド信号）のシンボル、
(12,4)16APSKリング比Ｌの[b3b2b1b0]=[0011]に対応する信号点（ベースバンド信号）のシンボル、
(12,4)16APSKリング比Ｌの[b3b2b1b0]=[0100]に対応する信号点（ベースバンド信号）のシンボル、
(12,4)16APSKリング比Ｌの[b3b2b1b0]=[0101]に対応する信号点（ベースバンド信号）のシンボル、
(12,4)16APSKリング比Ｌの[b3b2b1b0]=[0110]に対応する信号点（ベースバンド信号）のシンボル、
(12,4)16APSKリング比Ｌの[b3b2b1b0]=[0111]に対応する信号点（ベースバンド信号）のシンボル、
(12,4)16APSKリング比Ｌの[b3b2b1b0]=[1000]に対応する信号点（ベースバンド信号）のシンボル、
(12,4)16APSKリング比Ｌの[b3b2b1b0]=[1001]に対応する信号点（ベースバンド信号）のシンボル、
(12,4)16APSKリング比Ｌの[b3b2b1b0]=[1010]に対応する信号点（ベースバンド信号）のシンボル、
(12,4)16APSKリング比Ｌの[b3b2b1b0]=[1011]に対応する信号点（ベースバンド信号）のシンボル、
(12,4)16APSKリング比Ｌの[b3b2b1b0]=[1100]に対応する信号点（ベースバンド信号）のシンボル、
(12,4)16APSKリング比Ｌの[b3b2b1b0]=[1101]に対応する信号点（ベースバンド信号）のシンボル、
(12,4)16APSKリング比Ｌの[b3b2b1b0]=[1110]に対応する信号点（ベースバンド信号）のシンボル、
(12,4)16APSKリング比Ｌの[b3b2b1b0]=[1111]に対応する信号点（ベースバンド信号）のシンボル、
の各シンボルの送信回数を等しくすると、高精度の伝搬路の歪み推定を、受信装置は行うことができるという利点がある。
【０４３３】
なお、本発明の適用されるフレーム構成は上述の説明に限ったものではなく、複数のデータシンボルが存在し、このデータシンボルを生成するのに用いられている、変調方式に関する情報を伝送するためのシンボル、誤り訂正方式（例えば、使用している誤り訂正符号、誤り訂正符号の符号長、誤り訂正符号の符号化率等）に関する情報を伝送するためのシンボルが存在した場合、データシンボル、変調方式に関する情報を伝送するためのシンボル、誤り訂正方式に関する情報を伝送するためのシンボルはフレームに対し、どのように配置してもよい。また、これらのシンボル以外のシンボル、例えば、プリアンブル、同期のためのシンボル、パイロットシンボル、リファレンスシンボル等のシンボルがフレームの中に存在していてもよい。
【０４３４】
（実施の形態Ｅ）
実施の形態Ｂ、実施の形態Ｃ、実施の形態Ｄでは、(12,4)16APSKのリング比を変更する方法、および、制御情報の伝送方法、パイロットシンボルの送信方法等について説明した。当然であるが、実施の形態Ｂ、実施の形態Ｃ、実施の形態Ｄで説明した内容を他の変調方式に対しても適用することが可能である。
【０４３５】
本実施の形態では、  誤り訂正符号の符号化率がある値に設定されていても（例えば、符号化率をＫと設定する）、チャネルごとに32APSKのリング比の選択ができる方式について説明する。
（これにより、チャネルごとに好適なリング比を設定することで、受信装置が高いデータの受信品質を得ることを可能とする。）
【０４３６】
図４１〜図４３は、衛星に向けて送信信号を送信する地上の送信局を示す。図４４は各変調信号の周波数配置を示す。図４５〜図４６は、地上の送信局が送信した信号を受信し、受信した信号を地上の受信端末に向けて変調信号を送信する衛星（中継器）の構成の例を示す。
【０４３７】
まず、32APSKのリング比（半径比）を定義する。
同相Ｉ−直交Ｑ平面における信号点の数が32の32APSKの方式の同相Ｉ−直交Ｑ平面における信号点配置を図５８に示す。
【０４３８】
図５８は、(4,12,16)32APSKの同相Ｉ−直交Ｑ平面における信号点配置である。原点を中心とした、半径Ｒ1の円に信号点がa=4個、半径Ｒ2の円に信号点がb=12個、半径Ｒ3の円に信号点がc=16個存在する。したがって、(a,b,c)=(4,12,16)となるので(4,12,16)32APSKと記載する。（なお、０＜Ｒ1＜Ｒ2＜Ｒ3とする。）
このとき、第一の半径比（リング比）ｒ1＝Ｒ2／Ｒ1、第二の半径比（リング比）ｒ2＝Ｒ3／Ｒ1を定義することにする。
【０４３９】
＜信号点配置＞
次に、 (4,12,16)32APSKのマッピングの信号点配置と各信号点へのビットの割り付け（ラベリング）について説明する。
【０４４０】
図５８にラベリングの一例を示す。（ただし、図５８は例であり、図５８と異なるラベリングを行ってもよい。）
(4,12,16)32APSK の各信号点のIQ平面上の座標は次の通りである。
【０４４１】
入力ビット[b4b3b2b1b0]＝[00000]・・・（R2cos(π/４),R2sin(π/４)）
入力ビット[b4b3b2b1b0]＝[00001]・・・（R2cos(π/４＋π/６),R2sin(π/４+π/６)
）
入力ビット[b4b3b2b1b0]＝[00010]・・・（R2cos((７×π)／４),R2sin((７×π)／４)）
入力ビット[b4b3b2b1b0]＝[00011]・・・（R2cos((７×π)/4―π/６),R2sin((７×π)/4―π/６)）
入力ビット[b4b3b2b1b0]＝[00100]・・・（R2cos((３×π)／４),R2sin((３×π)／４)）
入力ビット[b4b3b2b1b0]＝[00101]・・・（R2cos((３×π)/4―π/６),R2sin((３×π)/4―π/６)）
入力ビット[b4b3b2b1b0]＝[00110]・・・（R2cos((５×π)／４),R2sin((５×π)／４)）
入力ビット[b4b3b2b1b0]＝[00111]・・・（R2cos((５×π)/4＋π/６),R2sin((５×π)/4＋π/６)）
入力ビット[b4b3b2b1b0]＝[01000]・・・（R3cos(π/８),R3sin(π/８)）
入力ビット[b4b3b2b1b0]＝[01001]・・・（R3cos((３×π)/８),R3sin((３×π)/８)）
入力ビット[b4b3b2b1b0]＝[01010]・・・（R3cos((１４×π)/８),R3sin((１４×π)/
８)）
入力ビット[b4b3b2b1b0]＝[01011]・・・（R3cos((１２×π)/８),R3sin((１２×π)/
８)）
入力ビット[b4b3b2b1b0]＝[01100]・・・（R3cos((６×π)/８),R3sin((６×π)/８)）
入力ビット[b4b3b2b1b0]＝[01101]・・・（R3cos((４×π)/８),R3sin((４×π)/８)）
入力ビット[b4b3b2b1b0]＝[01110]・・・（R3cos((９×π)/８),R3sin((９×π)/８)）
入力ビット[b4b3b2b1b0]＝[01111]・・・（R3cos((１１×π)/８),R3sin((１１×π)/
８)）
【０４４２】
入力ビット[b4b3b2b1b0]＝[10000]・・・（R2cos(π/４―π/６),R2sin(π/４―π/６)）
入力ビット[b4b3b2b1b0]＝[10001]・・・（R1cos(π/４),R1sin(π/４)）
入力ビット[b4b3b2b1b0]＝[10010]・・・（R2cos((７×π)/4＋π/６),R2sin((７×π)/4＋π/６)）
入力ビット[b4b3b2b1b0]＝[10011]・・・（R1cos((７×π)／４),R1sin((７×π)／４)）
入力ビット[b4b3b2b1b0]＝[10100]・・・（R2cos((３×π)/4＋π/６),R2sin((３×π)/4＋π/６)）
入力ビット[b4b3b2b1b0]＝[10101]・・・（R1cos((３×π)／４),R1sin((３×π)／４)）
入力ビット[b4b3b2b1b0]＝[10110]・・・（R2cos((５×π)/4―π/６),R2sin((５×π)/4―π/６)）
入力ビット[b4b3b2b1b0]＝[10111]・・・（R1cos((５×π)／４),R1sin((５×π)／４)）
入力ビット[b4b3b2b1b0]＝[11000]・・・（R3cos((０×π)/８),R3sin((０×π)/８)）
入力ビット[b4b3b2b1b0]＝[11001]・・・（R3cos((２×π)/８),R3sin((２×π)/８)）
入力ビット[b4b3b2b1b0]＝[11010]・・・（R3cos((１５×π)/８),R3sin((１５×π)/
８)）
入力ビット[b4b3b2b1b0]＝[11011]・・・（R3cos((１３×π)/８),R3sin((１３×π)/
８)）
入力ビット[b4b3b2b1b0]＝[11100]・・・（R3cos((７×π)/８),R3sin((７×π)/８)）
入力ビット[b4b3b2b1b0]＝[11101]・・・（R3cos((５×π)/８),R3sin((５×π)/８)）
入力ビット[b4b3b2b1b0]＝[11110]・・・（R3cos((８×π)/８),R3sin((８×π)/８)）
入力ビット[b4b3b2b1b0]＝[11111]・・・（R3cos((１０×π)/８),R3sin((１０×π)/
８)）
【０４４３】
なお、位相について、単位はラジアンを用いている。したがって、例えば、R2cos(π/４)において、π/４の単位はラジアンである。以降についても、位相の単位はラジアンとする。
【０４４４】
また、例えば、上記で、
入力ビット[b4b3b2b1b0]＝[00000]・・・（R2cos(π/４),R2sin(π/４)）
と記載しているが、例えば、マッピング部７０８の入力となるデータにおいて、５つのビット[b4b3b2b1b0]＝[00000]のとき、マッピング後のベースバンド信号の同相成分I、直交成分Qが、（I,Q）= （R2cos(π/４),R2sin(π/４)）となることを意味している。
【０４４５】
もう一つの例で、
入力ビット[b4b3b2b1b0]＝[01000]・・・（R3cos(π/８),R3sin(π/８)）
と記載しているが、例えば、マッピング部７０８の入力となるデータにおいて、５つのビット[b4b3b2b1b0]＝[01000]のとき、マッピング後のベースバンド信号の同相成分I、直交成分Qが、（I,Q）= （R3cos(π/８),R3sin(π/８)）となることを意味している。
【０４４６】
この点については、入力ビット[b4b3b2b1b0]が[00000]から[11111]についてすべて同様となる。
【０４４７】
＜送信出力＞
(4,12,16)32APSKにおいて、他の変調方式と送信出力を同一にするために、次のような
正規化係数を用いることがある。
【０４４８】
【数２７】
2020156094.tif 000046
【０４４９】
正規化前のベースバンド信号の同相成分をIb、直交成分をQbとする。そして、正規化後のベースバンド信号の同相成分をIn、直交成分をQnとする。すると、変調方式が  (4,12,16)32APSKのとき、（In, Qn）=（a(4,12,16)×Ib, a(4,12,16)×Qb）が成立する。
【０４５０】
したがって、(4,12,16)32APSKのとき、正規化前のベースバンド信号の同相成分をIb、直交成分をQbは、図５８に基づきマッピングすることにより得られたマッピング後のベースバンド信号の同相成分I、直交成分Qとなる。したがって、(4,12,16)32APSKのとき、以下の関係が成立する。
【０４５１】
入力ビット[b4b3b2b1b0]＝[00000]・・・（In, Qn）=（a(4,12,16)×R2×cos(π/４), a(4,12,16)×R2×sin(π/４)）
入力ビット[b4b3b2b1b0]＝[00001]・・・（In, Qn）=（a(4,12,16)×R2×cos(π/４＋
π/６), a(4,12,16)×R2×sin(π/４+π/６)）
入力ビット[b4b3b2b1b0]＝[00010]・・・（In, Qn）=（a(4,12,16)×R2×cos((７×π)／４), a(4,12,16)×R2×sin((７×π)／４)）
入力ビット[b4b3b2b1b0]＝[00011]・・・（In, Qn）=（a(4,12,16)×R2×cos((７×π)/4―π/６), a(4,12,16)×R2×sin((７×π)/4―π/６)）
入力ビット[b4b3b2b1b0]＝[00100]・・・（In, Qn）=（a(4,12,16)×R2×cos((３×π)／４), a(4,12,16)×R2×sin((３×π)／４)）
入力ビット[b4b3b2b1b0]＝[00101]・・・（In, Qn）=（a(4,12,16)×R2×cos((３×π)/4―π/６), a(4,12,16)×R2×sin((３×π)/4―π/６)）
入力ビット[b4b3b2b1b0]＝[00110]・・・（In, Qn）=（a(4,12,16)×R2×cos((５×π)／４), a(4,12,16)×R2×sin((５×π)／４)）
入力ビット[b4b3b2b1b0]＝[00111]・・・（In, Qn）=（a(4,12,16)×R2×cos((５×π)/4＋π/６), a(4,12,16)×R2×sin((５×π)/4＋π/６)）
入力ビット[b4b3b2b1b0]＝[01000]・・・（In, Qn）=（a(4,12,16)×R3×cos(π/８), a(4,12,16)×R3×sin(π/８)）
入力ビット[b4b3b2b1b0]＝[01001]・・・（In, Qn）=（a(4,12,16)×R3×cos((３×π)/８), a(4,12,16)×R3×sin((３×π)/８)）
入力ビット[b4b3b2b1b0]＝[01010]・・・（In, Qn）=（a(4,12,16)×R3×cos((１４×
π)/８), a(4,12,16)×R3×sin((１４×π)/８)）
入力ビット[b4b3b2b1b0]＝[01011]・・・（In, Qn）=（a(4,12,16)×R3×cos((１２×
π)/８), a(4,12,16)×R3×sin((１２×π)/８)）
入力ビット[b4b3b2b1b0]＝[01100]・・・（In, Qn）=（a(4,12,16)×R3×cos((６×π)/８), a(4,12,16)×R3×sin((６×π)/８)）
入力ビット[b4b3b2b1b0]＝[01101]・・・（In, Qn）=（a(4,12,16)×R3×cos((４×π)/８), a(4,12,16)×R3×sin((４×π)/８)）
入力ビット[b4b3b2b1b0]＝[01110]・・・（In, Qn）=（a(4,12,16)×R3×cos((９×π)/８), a(4,12,16)×R3×sin((９×π)/８)）
入力ビット[b4b3b2b1b0]＝[01111]・・・（In, Qn）=（a(4,12,16)×R3×cos((１１×
π)/８), a(4,12,16)×R3×sin((１１×π)/８)）
【０４５２】
入力ビット[b4b3b2b1b0]＝[10000]・・・（In, Qn）=（a(4,12,16)×R2×cos(π/４―
π/６), a(4,12,16)×R2×sin(π/４―π/６)）
入力ビット[b4b3b2b1b0]＝[10001]・・・（In, Qn）=（a(4,12,16)×R1×cos(π/４), a(4,12,16)×R1×sin(π/４)）
入力ビット[b4b3b2b1b0]＝[10010]・・・（In, Qn）=（a(4,12,16)×R2×cos((７×π)/4＋π/６), a(4,12,16)×R2×sin((７×π)/4＋π/６)）
入力ビット[b4b3b2b1b0]＝[10011]・・・（In, Qn）=（a(4,12,16)×R1×cos((７×π)／４), a(4,12,16)×R1×sin((７×π)／４)）
入力ビット[b4b3b2b1b0]＝[10100]・・・（In, Qn）=（a(4,12,16)×R2×cos((３×π)/4＋π/６), a(4,12,16)×R2×sin((３×π)/4＋π/６)）
入力ビット[b4b3b2b1b0]＝[10101]・・・（In, Qn）=（a(4,12,16)×R1×cos((３×π)／４), a(4,12,16)×R1×sin((３×π)／４)）
入力ビット[b4b3b2b1b0]＝[10110]・・・（In, Qn）=（a(4,12,16)×R2×cos((５×π)/4―π/６), a(4,12,16)×R2×sin((５×π)/4―π/６)）
入力ビット[b4b3b2b1b0]＝[10111]・・・（In, Qn）=（a(4,12,16)×R1×cos((５×π)／４), a(4,12,16)×R1×sin((５×π)／４)）
入力ビット[b4b3b2b1b0]＝[11000]・・・（In, Qn）=（a(4,12,16)×R3×cos((０×π)/８), a(4,12,16)×R3×sin((０×π)/８)）
入力ビット[b4b3b2b1b0]＝[11001]・・・（In, Qn）=（a(4,12,16)×R3×cos((２×π)/８), a(4,12,16)×R3×sin((２×π)/８)）
入力ビット[b4b3b2b1b0]＝[11010]・・・（In, Qn）=（a(4,12,16)×R3×cos((１５×
π)/８), a(4,12,16)×R3×sin((１５×π)/８)）
入力ビット[b4b3b2b1b0]＝[11011]・・・（In, Qn）=（a(4,12,16)×R3×cos((１３×
π)/８), a(4,12,16)×R3×sin((１３×π)/８)）
入力ビット[b4b3b2b1b0]＝[11100]・・・（In, Qn）=（a(4,12,16)×R3×cos((７×π)/８), a(4,12,16)×R3×sin((７×π)/８)）
入力ビット[b4b3b2b1b0]＝[11101]・・・（In, Qn）=（a(4,12,16)×R3×cos((５×π)/８), a(4,12,16)×R3×sin((５×π)/８)）
入力ビット[b4b3b2b1b0]＝[11110]・・・（In, Qn）=（a(4,12,16)×R3×cos((８×π)/８), a(4,12,16)×R3×sin((８×π)/８)）
入力ビット[b4b3b2b1b0]＝[11111]・・・（In, Qn）=（a(4,12,16)×R3×cos((１０×
π)/８), a(4,12,16)×R3×sin((１０×π)/８)）
【０４５３】
また、例えば、上記で、
入力ビット[b4b3b2b1b0]＝[00000]・・・（In, Qn）=（a(4,12,16)×R2×cos(π/４), a(4,12,16)×R2×sin(π/４)）
と記載しているが、マッピング部７０８の入力となるデータにおいて、５つのビット[b4b3b2b1b0]＝[00000]のとき、（In, Qn）=（a(4,12,16)×R2×cos(π/４), a(4,12,16)×R2
×sin(π/４)）となることを意味している。
【０４５４】
もう一つの例で、
入力ビット[b4b3b2b1b0]＝[01000]・・・（In, Qn）=（a(4,12,16)×R3×cos(π/８), a(4,12,16)×R3×sin(π/８)）
と記載しているが、マッピング部７０８の入力となるデータにおいて、５つのビット[b4b3b2b1b0]＝[01000]のとき、（In, Qn）=（a(4,12,16)×R3×cos(π/８), a(4,12,16)×R3×sin(π/８)）となることを意味している。
【０４５５】
この点については、入力ビット[b4b3b2b1b0]が[00000]から[11111]についてすべて同様となる。
【０４５６】
＜送信局＞
図４１の送信局は、共通増幅する送信局の例である。
【０４５７】
図４１のＮ個の送信系Ｂ１０１＿１〜Ｂ１０１＿Ｎは、それぞれ映像データと音声データと制御信号Ａ１００を入力とする。
【０４５８】
制御信号Ａ１００は、誤り訂正符号の符号長、符号化率、変調方式、リング比をチャネルごとに指定する。この変調方式は、例えば、(4,12,16)32APSKを指定したものとする。
【０４５９】
送信系Ｂ１０１＿１〜Ｂ１０１＿Ｎは、制御信号Ａ１００にしたがって変調信号を生成する。
【０４６０】
共通増幅器Ｂ１０２は、変調信号＃１〜＃Ｎを入力とし、入力された変調信号を増幅し、変調信号＃１〜＃Ｎを含む増幅後の送信信号Ｂ１０３を出力する。
【０４６１】
この送信信号Ｂ１０３は、変調信号＃１〜＃ＮのＮチャネルの信号で構成され、チャネルごと（変調信号ごと）に「ＴＭＣＣ情報シンボル群」を含み、この「ＴＭＣＣ情報シンボル群」は、誤り訂正符号の符号長、符号化率、変調方式に加えて、リング比の情報を含んでいる。
【０４６２】
具体的には、変調信号＃１は変調信号＃１（チャネル＃１）における「ＴＭＣＣ情報シンボル群」を含み、変調信号＃２は変調信号＃２（チャネル＃２）における「ＴＭＣＣ情報シンボル群」を含み、・・・、変調信号＃Ｎは変調信号＃Ｎ（チャネル＃Ｎ）における「ＴＭＣＣ情報シンボル群」を含んでいる。
【０４６３】
そして、送信信号Ｂ１０３はアンテナＢ１０４を介して送信される。
【０４６４】
図４２の送信局は、チャネルの送信系ごとに個別に増幅する送信局の例である。
【０４６５】
Ｎ個の増幅器Ｂ２０１＿１〜Ｂ２０１＿Ｎは、それぞれ入力された変調信号を増幅し、送信信号Ｂ２０２＿１〜Ｂ２０２＿Ｎを出力する。送信信号Ｂ２０２＿１〜Ｂ２０２＿ＮはアンテナＢ２０３＿１〜Ｂ２０３＿Ｎを介して送信される。
【０４６６】
図４３の送信局は、チャネルの送信系ごとに個別に増幅するが、混合器で混合した後で送信する送信局の例である。
【０４６７】
混合器Ｂ３０１は、増幅器Ｂ２０１＿１〜Ｂ２０１＿Ｎから出力された増幅後の変調信号を混合し、混合後の送信信号Ｂ３０２をアンテナＢ３０３を介して送信する。
【０４６８】
＜各変調信号の周波数配置＞
図４４に信号（送信信号または変調信号）Ｂ４０１＿１〜Ｂ４０１＿Ｎの周波数配置の例を示す。図４４において、横軸は周波数、縦軸は、パワーとなる。図４４に示すように、Ｂ４０１＿１は図４１、図４２、図４３の送信信号＃１（変調信号＃１）の周波数軸における位置を示しており、Ｂ４０１＿２は図４１、図４２、図４３の送信信号＃２（変調信号＃２）の周波数軸における位置を示しており、・・・、Ｂ４０１＿Ｎは図４１、図４２、図４３の送信信号＃Ｎ（変調信号＃Ｎ）の周波数軸における位置を示している。
【０４６９】
＜衛星＞
図４５の衛星において、受信アンテナＢ５０１は、送信局が送信した信号を受信し、受信信号Ｂ５０２を出力する。なお、受信信号Ｂ５０２は、図４１、図４２、図４３、図４４における、変調信号＃１から変調信号＃Ｎの成分を含んでいることになる。
図４５のＢ５０３は無線処理部である。無線処理部Ｂ５０３は、無線処理Ｂ５０３＿１〜Ｂ５０３＿Ｎを含んでいるものとする。
【０４７０】
無線処理Ｂ５０３＿１は、受信信号Ｂ５０２を入力とし、図４１、図４２、図４３、図４４における、変調信号＃１の成分に対し、増幅、周波数変換等の信号処理を行い、信号処理後の変調信号＃１を出力する。
【０４７１】
同様に、無線処理Ｂ５０３＿２は、受信信号Ｂ５０２を入力とし、図４１、図４２、図４３、図４４における、変調信号＃２の成分に対し、増幅、周波数変換等の信号処理を行い、信号処理後の変調信号＃２を出力する。
・・・
【０４７２】
無線処理Ｂ５０３＿Ｎは、受信信号Ｂ５０２を入力とし、図４１、図４２、図４３、図４４における、変調信号＃Ｎの成分に対し、増幅、周波数変換等の信号処理を行い、信号処理後の変調信号＃Ｎを出力する。
【０４７３】
増幅器Ｂ５０４＿１は、信号処理後の変調信号＃１を入力とし、増幅し、増幅後の変調信号＃１を出力する。
【０４７４】
増幅器Ｂ５０４＿２は、信号処理後の変調信号＃２を入力とし、増幅し、増幅後の変調信号＃２を出力する。
・・・
【０４７５】
増幅器Ｂ５０４＿Ｎは、信号処理後の変調信号＃２を入力とし、増幅し、増幅後の変調信号＃Ｎを出力する。
【０４７６】
そして、各増幅後の変調信号はアンテナＢ５０５＿１〜Ｂ５０５＿Ｎを介して送信される。（送信された変調信号は、地上にある端末が受信することになる。）
【０４７７】
このとき、衛星（中継器）が送信する信号の周波数配置について、図４４を用いて説明する。
【０４７８】
前述のように、図４４において、Ｂ４０１＿１は図４１、図４２、図４３の送信信号＃１（変調信号＃１）の周波数軸における位置を示しており、Ｂ４０１＿２は図４１、図４２、図４３の送信信号＃２（変調信号＃２）の周波数軸における位置を示しており、・・・、Ｂ４０１＿Ｎは図４１、図４２、図４３の送信信号＃Ｎ（変調信号＃Ｎ）の周波数軸における位置を示している。このとき、使用している周波数帯は、α ＧＨｚ帯であるものとする。
【０４７９】
そして、図４４において、Ｂ４０１＿１は図４５の衛星（中継器）が送信する変調信号＃１の周波数軸における位置を示しており、Ｂ４０１＿２は図４５の衛星（中継器）が送信する変調信号＃２の周波数軸における位置を示しており、・・・、Ｂ４０１＿Ｎは図４５の衛星（中継器）が送信する変調信号＃Ｎの周波数軸における位置を示している。このとき、使用している周波数帯は、β ＧＨｚ帯であるものとする。
【０４８０】
図４６の衛星は、図４５とは、混合器Ｂ６０１で混合した後で送信する点が異なる。つまり、混合器Ｂ６０１は、増幅後の変調信号＃１、増幅後の変調信号＃２、・・・、増幅後の変調信号＃Ｎを入力とし、混合後の変調信号を生成する。なお、混合後の変調信号には、変調信号＃１の成分、変調信号＃２の成分、・・・、変調信号＃Ｎの成分を含み、周波数配置は、図４４のとおりであり、β ＧＨｚ帯の信号であるものとする。
【０４８１】
＜リング比の選択＞
図４１〜図４６で説明した衛星のシステムにおいて、チャネル＃１からチャネル＃Ｎにおいて、(4,12,16)32APSKの２つのリング比（半径比）（ｒ1，ｒ2）をチャネルごとに選
定をする態様を説明する。
【０４８２】
例えば、誤り訂正符号の符号長（ブロック長）がＸビットであり、選択可能な複数の符号化率の中から符号化率Ａ（例えば、３／４）を選択したものとする。
【０４８３】
図４５、図４６の衛星のシステムにおいて、増幅器Ｂ５０４＿１，Ｂ５０４＿２，．．．，Ｂ５０４＿Ｎの歪が小さい（入出力の線形性が高い）場合、(4,12,16)32APSKの２つのリング比（半径比）（ｒ1，ｒ2）は一意に定めても、好適な値に定めていれば（地上の）端末（受信装置）は高いデータの受信品質を得ることができる。
【０４８４】
衛星のシステムでは、地球上の端末に対して変調信号を送信しているため、高い出力を得ることができる増幅器を使用することになる。このため、歪が大きい（入出力の線形性が低い）増幅器を使用することになり、かつ、その歪には増幅器ごとに個体差が大きい可能性が高い（増幅器Ｂ５０４＿１，Ｂ５０４＿２，．．．，Ｂ５０４＿Ｎで歪特性（入出力特性）が異なる。）。
【０４８５】
この場合、各増幅器に好適な(4,12,16)32APSKの２つのリング比（半径比）（ｒ1，ｒ2）を使用する、つまり、各チャネルで好適な(4,12,16)32APSKの２つのリング比（半径比
）（ｒ1，ｒ2）に設定すると、端末では各チャネルで高いデータの受信品質を得ることができる。そして、このような設定となるように図４１、図４２、図４３の送信局は制御信号Ａ１００により行う。
【０４８６】
したがって、各変調信号（各チャネル）に含まれる、例えば、ＴＭＣＣのような制御情報に、(4,12,16)32APSKの２つのリング比（半径比）（ｒ1，ｒ2）に関する情報が含まれることになる。（この点については、他の実施の形態で説明したとおりである。）
【０４８７】
よって、図４１、図４２、図４３の（地上の）送信局は、変調信号＃１のデータシンボルの変調方式を(4,12,16)32APSKとした場合、そのときに使用した(4,12,16)32APSKの２つのリング比（半径比）（ｒ1，ｒ2）の情報を制御情報の一部として送信する。
【０４８８】
同様に、図４１、図４２、図４３の（地上の）送信局は、変調信号＃２のデータシンボルの変調方式を(4,12,16)32APSKとした場合、そのときに使用した(4,12,16)32APSKの２つのリング比（半径比）（ｒ1，ｒ2）の情報を制御情報の一部として送信する。
・・・
【０４８９】
同様に、図４１、図４２、図４３の（地上の）送信局は、変調信号＃Ｎのデータシンボルの変調方式を(4,12,16)32APSKとした場合、そのときに使用した(4,12,16)32APSKの２つのリング比（半径比）（ｒ1，ｒ2）の情報を制御情報の一部として送信する。
【０４９０】
なお、変調信号＃１で使用する誤り訂正符号の符号化率、変調信号＃２で使用する誤り訂正符号の符号化率、・・・、変調信号＃Ｎで使用する誤り訂正符号の符号化率は、同一であってもよい。
【０４９１】
＜受信装置＞
本実施の形態の送信方法に対応する受信装置について説明する。
【０４９２】
図４０の（端末の）受信装置Ａ２００は、図４１、図４２の送信局が送信し、送信局が送信した信号を衛星（中継局）が中継した無線信号を、アンテナＡ２０１で受信する。受信ＲＦＡ２０２は、受信した無線信号に対し、周波数変換、直交復調等の処理を施し、ベースバンド信号を出力する。
【０４９３】
復調部Ａ２０４は、ルートロールオフフィルタの処理等の処理を施し、フィルタ後のベースバンド信号を出力する。
【０４９４】
同期・チャネル推定部Ａ２１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
【０４９５】
制御情報推定部Ａ２１６は、フィルタ後のベースバンド信号を入力とし、「ＴＭＣＣ情報シンボル群」のような制御情報を含むシンボルを抽出し、復調・復号を行い、制御信号を出力する。なお、本実施の形態で重要になることは、「ＴＭＣＣ情報シンボル群」の情報を伝送するシンボルを、受信装置Ａ２００は、復調・復号する。そして、受信装置Ａ１０では、復号された値から誤り訂正符号の符号長、符号化率、変調方式およびチャネルごとのリング比の情報を特定する情報を生成し、制御信号の一部として、制御情報推定部Ａ２１６は出力する。
【０４９６】
デマッピング部Ａ２０６は、フィルタ後のベースバンド信号、制御信号、推定信号を入力とし、制御信号に基づき、「データシンボル群で構成されるスロット」が使用している変調方式（または、送信方法）およびリング比を判断し、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
【０４９７】
デインターリーブ部Ａ２０８は、対数尤度比、制御信号を入力とし、蓄積し、送信装置が用いたインターリーブに対応するデインターリーブ（データの並び換え）を行い、デインターリーブ後の対数尤度比を出力する。
【０４９８】
誤り訂正復号部Ａ２１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。以上が、反復検波を行わないときの動作となるが、図２の受信装置で説明したような反復検波を行う受信装置であってもよい。
【０４９９】
なお、制御情報に含まれるリング比の情報の生成方法は、本実施の形態の前で説明した実施の形態に限ったものではなく、リング比に関連する情報をどのように伝送してもよい。
【０５００】
（実施の形態Ｆ）
この実施の形態は、リング比（例えば、(4,12,16)32APSKの２つのリング比（半径比）
）を端末に通知するためのシグナリング（制御情報の伝送方法）について説明する。
【０５０１】
なお、リング比（例えば、(4,12,16)32APSKの２つのリング比（半径比））の定義につ
いては、本実施の形態以前に定義したものであり、リング比は別の名称として、「半径比」と呼んでもよい。
【０５０２】
このようなシグナリングは、本明細書中で説明している「ＴＭＣＣ情報シンボル群」に含まれるビットを利用して行うことができる。
【０５０３】
本実施の形態では、「高度広帯域衛星デジタル放送の伝送方式  標準規格  ARIB STD-B44 1.0版」に基づいて、「ＴＭＣＣ情報シンボル群」の構成方法の例を説明する。
【０５０４】
リング比に関する情報を、送信局が、衛星（中継器）を介し、端末に通知するために、図１８で説明した「ＴＭＣＣ情報シンボル群」内の「拡張情報」の３６１４ビットの利用を伴うことも考えられる。（この点については、「高度広帯域衛星デジタル放送の伝送方式  標準規格  ARIB STD-B44 1.0版」においても記載されている。）これを図４７に示す。
【０５０５】
図４７の拡張情報は、将来のＴＭＣＣ情報拡張のために使用するフィールドであり、１６ビットの拡張識別と３５９８ビットの拡張領域で構成されている。図４７のＴＭＣＣの「拡張情報」において、「方式Ａ」を採用する場合には、拡張識別をすべて"0"（16ビットすべてがゼロ）とし、拡張領域の３５９８ビットをすべて"1"とする。
【０５０６】
また、「方式Ｂ」を採用する場合には、ＴＭＣＣ情報を拡張するときであるとして、拡張識別をすべて"0"以外の値つまり"0000000000000000"以外の値をとるものとする。なお、方式Ａ，Ｂのいずれの方式を採用するかは例えばユーザ設定により決められる。
【０５０７】
「方式Ａ」は、誤り訂正符号の符号化率がある値に設定されるとリング比が決定する伝送方式（例えば、衛星デジタル放送）である。（使用する誤り訂正符号の符号化率が決定するとリング比が一意に決定する。）
【０５０８】
「方式Ｂ」は、誤り訂正符号の符号化率がある値に設定された際、複数のリング比から使用するリング比を選択することができる伝送方式（例えば、衛星デジタル放送）である。
【０５０９】
以下、図５９〜図６３を用いて送信局が行うシグナリングの例を説明するが、すべての例に共通して次のビットをシグナリングに用いる。
ｄ0：衛星放送の方式を示す。
ｃ0ｃ1ｃ2ｃ3（ｃ4ｃ5ｃ6ｃ7）：テーブルを示す。
ｂ0ｂ1ｂ2ｂ3：符号化率を示す（リング比も示すことがある）。
ｘ0ｘ1ｘ2ｘ3ｘ4ｘ5（ｘ6ｘ7ｘ8ｘ9ｘ10ｘ11）：リング比を示す。
ｙ0ｙ1ｙ2ｙ3ｙ4ｙ5（ｙ6ｙ7ｙ8ｙ9ｙ10ｙ11）：リング比の差分を示す。
上記のビットに関して、詳細については、以降で説明する。
【０５１０】
なお、図５９〜図６３に記載している「符号化率」とは、誤り訂正符号の符号化率であり、具体的には、４１／１２０、４９／１２０、６１／１２０、１０９／１２０という数値が記載されているが、これらの数値を近似的にあらわすと、４１／１２０≒１／３、４９／１２０≒２／５、６１／１２０≒１／２、１０９／１２０≒９／１０となる。
【０５１１】
以降では、＜例１＞〜＜例５＞の説明を行う。
【０５１２】
図４７の拡張情報において、拡張識別をすべて"0"（16ビットすべてがゼロ）とし、拡
張領域の３５９８ビットをすべて"1"とした場合、上述の「方式Ａ」を選択したことにな
る。
【０５１３】
まず、送信装置（送信局）が、「方式Ａ」を用いて変調信号を送信する場合について説明する。
【０５１４】
送信装置（送信局）が、変調方式として(4,12,16)32APSKが選択した場合、誤り訂正符
号の符号化率と(4,12,16)32APSKのリング比の関係は以下のとおりとなる。
【０５１５】
【表１８】
2020156094.tif 000047
【０５１６】
したがって、ＴＭＣＣの拡張識別をすべて"0"（16ビットすべてがゼロ）とし、ＴＭＣＣの拡張領域の３５９８ビットをすべて"1"とすること（送信装置は、これらの値を送信する）で、「方式Ａ」が選択されていることが、受信装置は判別することができ、また、ＴＭＣＣの一部で、使用している誤り訂正符号の符号化率の情報を伝送する。受信装置は、この情報から、変調方式として(4,12,16)32APSKを使用しているとき、(4,12,16)32APSKの２つのリング比（半径比）を判別することができる。
【０５１７】
具体的には、上記で記載したｂ0、ｂ1、ｂ2、ｂ3を使用する。ｂ0、ｂ1、ｂ2、ｂ3と誤り訂正符号の符号化率との関係は以下のとおりである。
【０５１８】
【表１９】
2020156094.tif 000048
【０５１９】
表１９のように、送信装置（送信局）が、誤り訂正符号の符号化率として４１／１２０を使用する場合、（ｂ0ｂ1ｂ2ｂ3）＝（００００）に設定する。また、誤り訂正符号の符号化率として４９／１２０を使用する場合、（ｂ0ｂ1ｂ2ｂ3）＝（０００１）に設定すし、・・・、誤り訂正符号の符号化率として１０９／１２０を使用する場合、（ｂ0ｂ1ｂ2ｂ3）＝（１００１）を設定することになる。そして、ＴＭＣＣの一部として、ｂ0、ｂ1、ｂ2、ｂ3を送信する。
【０５２０】
よって、以下の表（テーブル）を作成することができる。
【０５２１】
【表２０】
2020156094.tif 000049
【０５２２】
表２０からわかるように、
送信装置（送信局）が（ｂ0ｂ1ｂ2ｂ3）＝（００００）と設定した場合、誤り訂正符号の符号化率は４１／１２０であり、(4,12,16)32APSKを使用していた場合、リング比（半径比）ｒ1は３．０９、リング比（半径比）ｒ2は６．５３となる。
【０５２３】
送信装置（送信局）が（ｂ0ｂ1ｂ2ｂ3）＝（０００１）と設定した場合、誤り訂正符号の符号化率は４９／１２０であり、(4,12,16)32APSKを使用していた場合、リング比（半径比）ｒ1は２．９７、リング比（半径比）ｒ2は７．１７となる。
【０５２４】
送信装置（送信局）が（ｂ0ｂ1ｂ2ｂ3）＝（００１０）と設定した場合、誤り訂正符号の符号化率は６１／１２０であり、(4,12,16)32APSKを使用していた場合、リング比（半径比）ｒ1は３．９３、リング比（半径比）ｒ2は８．０３となる。
【０５２５】
送信装置（送信局）が（ｂ0ｂ1ｂ2ｂ3）＝（００１１）と設定した場合、誤り訂正符号の符号化率は７３／１２０であり、(4,12,16)32APSKを使用していた場合、リング比（半径比）ｒ1は２．８７、リング比（半径比）ｒ2は５．６１となる。
【０５２６】
送信装置（送信局）が（ｂ0ｂ1ｂ2ｂ3）＝（０１００）と設定した場合、誤り訂正符号の符号化率は８１／１２０であり、(4,12,16)32APSKを使用していた場合、リング比（半径比）ｒ1は２．９２、リング比（半径比）ｒ2は５．６８となる。
【０５２７】
送信装置（送信局）が（ｂ0ｂ1ｂ2ｂ3）＝（０１０１）と設定した場合、誤り訂正符号の符号化率は８９／１２０であり、(4,12,16)32APSKを使用していた場合、リング比（半径比）ｒ1は２．９７、リング比（半径比）ｒ2は５．５７となる。
【０５２８】
送信装置（送信局）が（ｂ0ｂ1ｂ2ｂ3）＝（０１１０）と設定した場合、誤り訂正符号の符号化率は９７／１２０であり、(4,12,16)32APSKを使用していた場合、リング比（半径比）ｒ1は２．７３、リング比（半径比）ｒ2は５．０５となる。
【０５２９】
送信装置（送信局）が（ｂ0ｂ1ｂ2ｂ3）＝（０１１１）と設定した場合、誤り訂正符号の符号化率は１０１／１２０であり、(4,12,16)32APSKを使用していた場合、リング比（半径比）ｒ1は２．６７、リング比（半径比）ｒ2は４．８０となる。
【０５３０】
送信装置（送信局）が（ｂ0ｂ1ｂ2ｂ3）＝（１０００）と設定した場合、誤り訂正符号の符号化率は１０５／１２０であり、(4,12,16)32APSKを使用していた場合、リング比（半径比）ｒ1は２．７６、リング比（半径比）ｒ2は４．８２となる。
【０５３１】
送信装置（送信局）が（ｂ0ｂ1ｂ2ｂ3）＝（１００１）と設定した場合、誤り訂正符号の符号化率は１０９／１２０であり、(4,12,16)32APSKを使用していた場合、リング比（半径比）ｒ1は２．６９、リング比（半径比）ｒ2は４．６６となる。
【０５３２】
よって、送信装置（送信局）は、
・「方式Ａ」を使用していることを通知するために、ＴＭＣＣの拡張識別をすべて"0"（16ビットすべてがゼロ）とし、ＴＭＣＣの拡張領域の３５９８ビットをすべて"1"と設定する。
・誤り訂正符号の符号化率、(4,12,16)32APSKのリング比を推定可能とするために、ｂ0ｂ1ｂ2ｂ3を送信する。
を実施することになる。
【０５３３】
次に、（送信局の）送信装置が、「方式Ｂ」を用いてデータを伝送する場合について説明する。
【０５３４】
上述の説明のように、「方式Ｂ」を採用する場合には、ＴＭＣＣ情報を拡張するときであるとして、拡張識別をすべて"0"以外の値つまり"0000000000000000"以外の値をとるものとする。ここでは、一例として、拡張識別として"0000000000000001"を送信した場合、（送信局の）送信装置が、「方式Ｂ」を用いてデータを伝送するものとする。
【０５３５】
なお、拡張識別の16ビットをｄ15, ｄ14, ｄ13, ｄ12, ｄ11, ｄ10, ｄ9, ｄ8, ｄ7, ｄ6, ｄ5, ｄ4, ｄ3, ｄ2, ｄ1, ｄ0であらわしたとき、「方式Ｂ」を採用する場合、（ｄ15, ｄ14, ｄ13, ｄ12, ｄ11, ｄ10, ｄ9, ｄ8, ｄ7, ｄ6, ｄ5, ｄ4, ｄ3, ｄ2, ｄ1, ｄ0）＝（０, ０, ０, ０, ０, ０, ０, ０, ０, ０, ０, ０, ０, ０, ０, １）と設定することになる。（なお、上述のとおり、「方式Ｂ」を採用する場合、（ｄ15, ｄ14, ｄ13, ｄ12, ｄ11, ｄ10, ｄ9, ｄ8, ｄ7, ｄ6, ｄ5, ｄ4, ｄ3, ｄ2, ｄ1, ｄ0）を（０, ０, ０, ０, ０, ０, ０, ０, ０, ０, ０, ０, ０, ０, ０, ０）以外の値に設定すればよいので、（ｄ15, ｄ14, ｄ13, ｄ12, ｄ11, ｄ10, ｄ9, ｄ8, ｄ7, ｄ6, ｄ5, ｄ4, ｄ3, ｄ2, ｄ1, ｄ0）＝（０, ０, ０, ０, ０, ０, ０, ０, ０, ０, ０, ０, ０, ０, ０, １）の例に限ったものではない。）
【０５３６】
そして、具体的な例として、＜例１＞〜＜例５＞を以下で説明する。
【０５３７】
＜例１＞
例１では、「方式Ｂ」において、(4,12,16)32APSKの２つのリング比（半径比）のテー
ブルは複数種類用意されることで、ひとつの符号化率に対して異なるリング比が設定可能となっている。
【０５３８】
例として、「衛星放送の方式を「方式Ｂ」、符号化率を４１/１２０、(4,12,16)32APSKのリング比ｒ1を３．５０、リング比ｒ2を７．２１」と設定する場合について説明する。（ただし、変調方式としては、(4,12,16)32APSKを選択していることを前提とする。）
【０５３９】
図５９に示すように、テーブル１、テーブル２、・・・、テーブル１６、つまり、テーブル１からテーブル１６の１６種類のテーブルを用意する。
【０５４０】
そして、各テーブルでは、上述で説明した（ｂ0ｂ1ｂ2ｂ3）、誤り訂正符号の符号化率、(4,12,16)32APSKのリング比ｒ1およびリング比ｒ2が関係付けられている。
【０５４１】
例えば、テーブル１では、データシンボルを生成するための誤り訂正符号の符号化率を４１／１２０、(4,12,16)32APSKのリング比ｒ1を３．０９、リング比ｒ2を６．５８とする場合、（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を２．９７、リング比ｒ2を７．１７とする場合、（ｂ0ｂ1ｂ2ｂ3）＝（０００１）と設定することになる。・・・データシンボルを生成するための誤り訂正符号の符号化率を１０９／１２０、(4,12,16)32APSKのリング比ｒ1を２．６９、リング比ｒ2を４．６６
とする場合、（ｂ0ｂ1ｂ2ｂ3）＝（１００１）と設定することになる。
【０５４２】
テーブル２では、データシンボルを生成するための誤り訂正符号の符号化率を４１／１２０、(4,12,16)32APSKのリング比ｒ1を３．５０、リング比ｒ2を７．２１とする場合（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を３．２０、リング比ｒ2を７．１５とする場合、（ｂ0ｂ1ｂ2ｂ3）＝（０００１）と設定す
ることになる。・・・データシンボルを生成するための誤り訂正符号の符号化率を１０９／１２０、(4,12,16)32APSKのリング比ｒ1を３．００、リング比ｒ2を５．２２とする場
合、（ｂ0ｂ1ｂ2ｂ3）＝（１００１）と設定することになる。
・・・
【０５４３】
テーブル１６では、データシンボルを生成するための誤り訂正符号の符号化率を４１／１２０、(4,12,16)32APSKのリング比ｒ1を３．８０、リング比ｒ2を７．３３とする場合、（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を３．５０、リング比ｒ2を７．２８とする場合、（ｂ0ｂ1ｂ2ｂ3）＝（０００１）と設定することになる。・・・データシンボルを生成するための誤り訂正符号の符号化率を１０９／１２０、(4,12,16)32APSKのリング比ｒ1を３．２０、リング比ｒ2を５．３３とする場合、（ｂ0ｂ1ｂ2ｂ3）＝（１００１）と設定することになる。
【０５４４】
なお、テーブル１からテーブル１６では、上述では記載していないが、誤り訂正符号の符号化率41/120、49/120、61/120、73/120、81/120、89/120、97/120、101/120、105/120、109/120それぞれに対し、ｂ0ｂ1ｂ2ｂ3の値、(4,12,16)32APSKの２つのリング比（半径比）の関連づけが行われている。
【０５４５】
また、図５９に示すように、ｃ0ｃ1ｃ2ｃ3の値と選択するテーブルについての関連付けが行われているものとする。テーブル１を選択する場合（ｃ0、ｃ1、ｃ2、ｃ3）＝（０，０，０，０）と設定し、テーブル２を選択する場合（ｃ0、ｃ1、ｃ2、ｃ3）＝（０，０，０，１）と設定し、・・・、テーブル１６を選択する場合（ｃ0、ｃ1、ｃ2、ｃ3）＝（１，１，１，１）と設定する。
【０５４６】
次に、例として、「衛星放送の方式を「方式Ｂ」、符号化率を４１/１２０、(4,12,16)32APSKのリング比ｒ1を３．５０、リング比ｒ2を７．２１」と設定する方法について説明する。
【０５４７】
まず、上述のように、「方式Ｂ」を選択することになるので、ｄ0="1"と設定する。
【０５４８】
また、図５９に示すように、テーブル２の１行目は符号化率４１/１２０および(4,12,16)32APSKのリング比ｒ1を３．５０、リング比ｒ2を７．２１であるので、ｂ0ｂ1ｂ2ｂ3="0000"とする。
【０５４９】
よって、16種類のテーブル１〜１６のうちのテーブル２を示すために値ｃ0ｃ1ｃ2ｃ3="0001"とする。
【０５５０】
したがって、送信装置（送信局）は、データシンボルを「衛星放送の方式を「方式Ｂ」、符号化率を４１/１２０、(4,12,16)32APSKのリング比ｒ1を３．５０、リング比ｒ2を７．２１」で送信する場合、ｄ0="1"、ｂ0ｂ1ｂ2ｂ3="0000"、ｃ0ｃ1ｃ2ｃ3="0001"とする制御情報（ＴＭＣＣの情報の一部）をデータシンボルとあわせて送信する。ただし、制御情報として、データシンボルの変調方式が(4,12,16)32APSKであることを示す制御情報を伝送する必要がある。
【０５５１】
つまり、＜例１＞では、
・誤り訂正符号の符号化率41/120、49/120、61/120、73/120、81/120、89/120、97/120、101/120、105/120、109/120それぞれに対し、ｂ0ｂ1ｂ2ｂ3の値、(12,4)16APSKのリング
比の関連づけが行われた複数のテーブルを用意する。
・使用したテーブルの情報を示すｃ0ｃ1ｃ2ｃ3を送信装置（送信局）は送信する。
とすることで、送信装置は、データシンボルを生成するのに使用した(4,12,16)32APSKの
２つのリング比（半径比）の情報を伝送することになる。
【０５５２】
なお、送信装置（送信局）が、「方式Ａ」を用いるときの(4,12,16)32APSKのリング比
の設定方法については、＜例１＞の説明以前に説明したとおりである。
【０５５３】
＜例２＞
例２は、＜例１＞の変形例である。
【０５５４】
ここでは、送信装置（送信局）が、「方式Ｂ」を選択する場合について説明する。このときは、送信装置（送信局）は「方式Ｂ」を選択することになるので、図６０に示すように、ｄ0="1"と設定する。
【０５５５】
そして、新たに、送信装置（送信局）はｚ0の設定を行う。「方式Ａ」と同様の方法で(12,4)16APSKのリング比を決定する場合、ｚ0＝０と設定する。ｚ0＝０と設定した場合、ｂ0、ｂ1、ｂ2、ｂ3により、表１９に基づき、誤り訂正符号の符号化率を指定し、表１８から、(4,12,16)32APSKの２つのリング比（半径比）が決定することになる。（表２０参照）
例１と同様の方法で(4,12,16)32APSKの２つのリング比（半径比）を決定する場合、ｚ0＝１と設定する。このとき、表１８に基づいて、(4,12,16)32APSKの２つのリング比（半径比）を決定するのではなく、例１と同様の手順で(4,12,16)32APSKの２つのリング比（半径比）を決定する。
【０５５６】
例として、「衛星放送の方式を「方式Ｂ」、符号化率を４１/１２０、(4,12,16)32APSKのリング比ｒ1を３．５０、リング比ｒ2を７．２１」と設定する場合について説明する。（ただし、変調方式としては、(4,12,16)32APSKを選択していることを前提とする。また、ｚ0＝１とする。）
【０５５７】
図６０に示すように、テーブル１、テーブル２、・・・、テーブル１６、つまり、テーブル１からテーブル１６の１６種類のテーブルを用意する。
【０５５８】
そして、各テーブルでは、上述で説明した（ｂ0ｂ1ｂ2ｂ3）、誤り訂正符号の符号化率、(4,12,16)32APSKの２つのリング比（半径比）が関係付けられている。
【０５５９】
例えば、テーブル１では、データシンボルを生成するための誤り訂正符号の符号化率を４１／１２０、(4,12,16)32APSKのリング比ｒ1を３．０９、リング比ｒ2を６．５８とする場合、（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を２．９７、リング比ｒ2を７．１７とする場合、（ｂ0ｂ1ｂ2ｂ3）＝（０００１）と設定することになる。・・・データシンボルを生成するための誤り訂正符号の符号化率を１０９／１２０、(4,12,16)32APSKのリング比ｒ1を２．６９、リング比ｒ2を４．６６とする場合、（ｂ0ｂ1ｂ2ｂ3）＝（１００１）と設定することになる。
【０５６０】
テーブル２では、データシンボルを生成するための誤り訂正符号の符号化率を４１／１２０、(4,12,16)32APSKのリング比ｒ1を３．５０、リング比ｒ2を７．２１とする場合、（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を３．２０、リング比ｒ2を７．１５とする場合、（ｂ0ｂ1ｂ2ｂ3）＝（０００１）と設定することになる。・・・データシンボルを生成するための誤り訂正符号の符号化率を１０９／１２０、(4,12,16)32APSKのリング比ｒ1を３．００、リング比ｒ2を５．２２とする場合、（ｂ0ｂ1ｂ2ｂ3）＝（１００１）と設定することになる。
・・・
【０５６１】
テーブル１６では、データシンボルを生成するための誤り訂正符号の符号化率を４１／１２０、(4,12,16)32APSKのリング比ｒ1を３．８０、リング比ｒ2を７．３３とする場合、（ｂ0ｂ1ｂ2ｂ3）＝（００００）と設定することになる。同様に、データシンボルを生成するための誤り訂正符号の符号化率を４９／１２０、(4,12,16)32APSKのリング比ｒ1を３．５０、リング比ｒ2を７．２８とする場合、（ｂ0ｂ1ｂ2ｂ3）＝（０００１）と設定
することになる。・・・データシンボルを生成するための誤り訂正符号の符号化率を１０９／１２０、(4,12,16)32APSKのリング比ｒ1を３．２０、リング比ｒ2を５．３３とする場合、（ｂ0ｂ1ｂ2ｂ3）＝（１００１）と設定することになる。
【０５６２】
なお、テーブル１からテーブル１６では、上述では記載していないが、誤り訂正符号の符号化率41/120、49/120、61/120、73/120、81/120、89/120、97/120、101/120、105/120、109/120それぞれに対し、ｂ0ｂ1ｂ2ｂ3の値、(4,12,16)32APSKの２つのリング比（半径比）の関連づけが行われている。
【０５６３】
また、図６０に示すように、ｃ0ｃ1ｃ2ｃ3の値と選択するテーブルについての関連付けが行われているものとする。テーブル１を選択する場合（ｃ0、ｃ1、ｃ2、ｃ3）＝（０，０，０，０）と設定し、テーブル２を選択する場合（ｃ0、ｃ1、ｃ2、ｃ3）＝（０，０，０，１）と設定し、・・・、テーブル１６を選択する場合（ｃ0、ｃ1、ｃ2、ｃ3）＝（１，１，１，１）と設定する。
【０５６４】
次に、例として、「衛星放送の方式を「方式Ｂ」、符号化率を４１/１２０、(4,12,16)32APSKのリング比ｒ1を３．５０、リング比ｒ2を７．２１」と設定する方法について説明する。
【０５６５】
まず、上述のように、「方式Ｂ」を選択することになるので、ｄ0="1"と設定する。ま
た、ｚ0＝１と設定する。
【０５６６】
また、図６０に示すように、テーブル２の１行目は符号化率４１/１２０および(4,12,1
6)32APSKのリング比ｒ1を３．５０、リング比ｒ2を７．２１であるので、ｂ0ｂ1ｂ2ｂ3="0000"とする。
【０５６７】
よって、16種類のテーブル１〜１６のうちのテーブル２を示すために値ｃ0ｃ1ｃ2ｃ3="0001"とする。
【０５６８】
したがって、送信装置（送信局）は、データシンボルを「衛星放送の方式を「方式Ｂ」、符号化率を４１/１２０、(4,12,16)32APSKのリング比ｒ1を３．５０、リング比ｒ2を７．２１」で送信する場合、ｄ0="1"、ｚ0＝１、ｂ0ｂ1ｂ2ｂ3="0000"、ｃ0ｃ1ｃ2ｃ3="0001"とする制御情報（ＴＭＣＣの情報の一部）をデータシンボルとあわせて送信する。ただし、制御情報として、データシンボルの変調方式が(4,12,16)32APSKであることを示す制御情報を伝送する必要がある。
【０５６９】
なお、送信装置（送信局）が、「方式Ａ」を用いるときの(4,12,16)32APSKの２つのリング比（半径比）の設定方法については、＜例１＞の説明以前に説明したとおりである。
【０５７０】
＜例３＞
例３は、リング比を示す値によりシグナリングを行うものであることを特徴としている。
【０５７１】
まず、＜例１＞＜例２＞と同様に、送信装置（送信局）が、「方式Ｂ」により、変調信号を送信することになるので、ｄ0="1"と設定する。
【０５７２】
そして、図６１に示すように、ｘ0ｘ1ｘ2ｘ3ｘ4ｘ5の値と(4,12,16)32APSKのリング比ｒ1に関連づけを行い、ｘ6ｘ7ｘ8ｘ9ｘ10ｘ11の値と(4,12,16)32APSKのリング比ｒ2に関
連づけを行う。
【０５７３】
例えば、図６１に示すように、送信装置（送信局）は、（ｘ0、ｘ1、ｘ2、ｘ3、ｘ4、ｘ5）＝（０，０，０，０，０，０）のとき(4,12,16)32APSKのリング比ｒ1を２．００と設定し、・・・、（ｘ0、ｘ1、ｘ2、ｘ3、ｘ4、ｘ5）＝（１，１，１，１，１，１）のとき、(4,12,16)32APSKのリング比ｒ1を４．００と設定することなる。
【０５７４】
また、送信装置（送信局）は、（ｘ6、ｘ7、ｘ8、ｘ9、ｘ10、ｘ11）＝（０，０，０，０，０，０）のとき(4,12,16)32APSKのリング比ｒ2を３．００と設定し、・・・、（ｘ6、ｘ7、ｘ8、ｘ9、ｘ10、ｘ11）＝（１，１，１，１，１，１）のとき、(4,12,16)32APSKのリング比ｒ2を７．００と設定することなる。
【０５７５】
例として、「衛星放送の方式を「方式Ｂ」、 (4,12,16)32APSKのリング比ｒ1を2.00、4,12,16)32APSKのリング比ｒ2を7.00」と設定する方法について説明する。
【０５７６】
このとき、図６１の「ｘ0ｘ1ｘ2ｘ3ｘ4ｘ5の値と(4,12,16)32APSKのリング比ｒ1の関係」から、送信装置（送信局）は、ｘ0ｘ1ｘ2ｘ3ｘ4ｘ5＝"000000"と設定する。
【０５７７】
また、「ｘ6ｘ7ｘ8ｘ9ｘ10ｘ11の値と(4,12,16)32APSKのリング比ｒ2の関係」から、送信装置（送信局）は、ｘ6ｘ7ｘ8ｘ9ｘ10ｘ11＝"111111"と設定する。
【０５７８】
したがって、送信装置（送信局）は、データシンボルを「衛星放送の方式を「方式Ｂ」、 (4,12,16)32APSKのリング比ｒ1を2.00、(4,12,16)32APSKのリング比ｒ2を7.00」で送信する場合、ｄ0="1"、ｘ0ｘ1ｘ2ｘ3ｘ4ｘ5＝"000000"、ｘ6ｘ7ｘ8ｘ9ｘ10ｘ11＝"111111"とする制御情報（ＴＭＣＣの情報の一部）をデータシンボルとあわせて送信する。ただし、制御情報として、データシンボルの変調方式が(4,12,16)32APSKであることを示す制御情報を伝送する必要がある。
【０５７９】
なお、送信装置（送信局）が、「方式Ａ」を用いるときの(4,12,16)32APSKの２つのリング比（半径比）の設定方法については、＜例１＞の説明以前に説明したとおりである。
【０５８０】
＜例４＞
例４は、メインテーブルにおける誤り訂正符号の符号化率および(4,12,16)32APSKの２のリング比（半径比）を示すｂ0ｂ1ｂ2ｂ3と、リング比ｒ1の差分を示すｙ0ｙ1ｙ2ｙ3ｙ4ｙ5とリング比ｒ2の差分を示すｙ6ｙ7ｙ8ｙ9ｙ10ｙ11により所望の(4,12,16)32APSKのリング比ｒ1、ｒ2のシグナリングを実現するものである。
【０５８１】
例４で重要な点の一つは、図６２に示しているメインテーブルが、表２０のテーブル、つまり、「方式Ａ」のときのｂ0、ｂ1、ｂ2、ｂ3と誤り訂正符号の符号化率、リング比ｒ1、リング比ｒ2の関係で構成されている点である。
【０５８２】
以下では、例４のさらなる特徴的な点について説明する。
【０５８３】
図６２に、リング比ｒ1用差分テーブル、リング比ｒ2用差分テーブルを示している。差分テーブルは、メインテーブルを用いて設定した(4,12,16)32APSKのリング比からの差分
情報のためのテーブルである。
【０５８４】
メインテーブルに基づき、例えば、(4,12,16)32APSKのリング比ｒ1をｈ1と設定したも
のとする。
すると、以下のようになる。
・・・
（ｙ0ｙ1ｙ2ｙ3ｙ4ｙ5）＝（０１１１１０）と送信装置（送信局）が設定した場合、(4,12,16)32APSKのリング比ｒ1はｈ1＋０．４と設定するものとする。
（ｙ0ｙ1ｙ2ｙ3ｙ4ｙ5）＝（０１１１１１）と送信装置（送信局）が設定した場合、(4,12,16)32APSKのリング比ｒ1はｈ1＋０．２と設定するものとする。
（ｙ0ｙ1ｙ2ｙ3ｙ4ｙ5）＝（１０００００）と送信装置（送信局）が設定した場合、(4,12,16)32APSKのリング比ｒ1はｈ1＋０と設定するものとする。
（ｙ0ｙ1ｙ2ｙ3ｙ4ｙ5）＝（１００００１）と送信装置（送信局）が設定した場合、(4,12,16)32APSKのリング比ｒ1はｈ1−０．２と設定するものとする。
（ｙ0ｙ1ｙ2ｙ3ｙ4ｙ5）＝（１０００１０）と送信装置（送信局）が設定した場合、(4,12,16)32APSKのリング比ｒ1はｈ1−０．４と設定するものとする。
・・・
【０５８５】
また、メインテーブルに基づき、例えば、(4,12,16)32APSKのリング比ｒ2をｈ2と設定
したものとする。
すると、以下のようになる。
・・・
（ｙ6ｙ7ｙ8ｙ9ｙ10ｙ11）＝（０１１１１０）と送信装置（送信局）が設定した場合、(4,12,16)32APSKのリング比ｒ2はｈ2＋０．４と設定するものとする。
（ｙ6ｙ7ｙ8ｙ9ｙ10ｙ11）＝（０１１１１１）と送信装置（送信局）が設定した場合、(4,12,16)32APSKのリング比ｒ2はｈ2＋０．２と設定するものとする。
（ｙ6ｙ7ｙ8ｙ9ｙ10ｙ11）＝（１０００００）と送信装置（送信局）が設定した場合、(4
,12,16)32APSKのリング比ｒ2はｈ2＋０と設定するものとする。
（ｙ6ｙ7ｙ8ｙ9ｙ10ｙ11）＝（１００００１）と送信装置（送信局）が設定した場合、(4,12,16)32APSKのリング比ｒ2はｈ2−０．２と設定するものとする。
（ｙ6ｙ7ｙ8ｙ9ｙ10ｙ11）＝（１０００１０）と送信装置（送信局）が設定した場合、(4,12,16)32APSKのリング比ｒ2はｈ2−０．４と設定するものとする。
・・・
【０５８６】
したがって、送信装置は、（ｙ0ｙ1ｙ2ｙ3ｙ4ｙ5）を決定することで、メインテーブルにより決定した(4,12,16)32APSKのリング比ｒ1の値ｈ1に対する補正値ｆ1が決定し、(4,12,16)32APSKのリング比ｒ1をｈ1＋ｆ1に設定する。
【０５８７】
そして、送信装置は、（ｙ6ｙ7ｙ8ｙ9ｙ10ｙ11）を決定することで、メインテーブルにより決定した(4,12,16)32APSKのリング比ｒ2の値ｈ2に対する補正値ｆ2が決定し、(4,12,16)32APSKのリング比ｒ2をｈ2＋ｆ2に設定する。
【０５８８】
例として、「衛星放送の方式を「方式Ｂ」、符号化率を４１／１２０、(4,12,16)32APSKのリング比ｒ1を3.49、リング比ｒ2を6.73」と設定する方法について説明する。
【０５８９】
まず、送信装置は、「方式Ｂ」を選択しているのでｄ0="1"と設定する。
【０５９０】
そして，図６２のメインテーブルから符号化率４１／１２０を選択するため、送信装置は、ｂ0ｂ1ｂ2ｂ3="0000"と設定する。
【０５９１】
メインテーブルにおいて値ｂ0ｂ1ｂ2ｂ3="0000"に対応する(4,12,16)32APSKのリング比ｒ1は3.09のため、設定したいリング比3.49との差分は、3.49-3.09=+0.40となる。
【０５９２】
このため、送信装置は、差分テーブルにおいて"+0.40"を示すｙ0ｙ1ｙ2ｙ3ｙ4ｙ5="011110"と設定する。
【０５９３】
そして、メインテーブルにおいて値ｂ0ｂ1ｂ2ｂ3="0000"に対応する(4,12,16)32APSKのリング比ｒ2は6.53のため、設定したいリング比6.73との差分は、6.73-6.53=+0.20となる。
【０５９４】
このため、送信装置は、差分テーブルにおいて"+0.20"を示すｙ6ｙ7ｙ8ｙ9ｙ10ｙ11="011111"と設定する。
【０５９５】
したがって、送信装置（送信局）は、データシンボルを「衛星放送の方式を「方式Ｂ」、符号化率を４１／１２０、(4,12,16)32APSKのリング比ｒ1を3.49、リング比ｒ2を6.73」で送信する場合、ｄ0="1"、ｂ0ｂ1ｂ2ｂ3="0000"、ｙ0ｙ1ｙ2ｙ3ｙ4ｙ5="011110"、ｙ6ｙ7ｙ8ｙ9ｙ10ｙ11="011111"とする制御情報（ＴＭＣＣの情報の一部）をデータシンボルとあわせて送信する。ただし、制御情報として、データシンボルの変調方式が(4,12,16)32APSKであることを示す制御情報を伝送する必要がある。
【０５９６】
この例４は、「方式Ｂ」の場合においても「方式Ａ」のメインテーブルの一部を利用する点で、「方式Ａ」での仕様の一部を「方式Ｂ」でも流用するときに適している。
【０５９７】
なお、送信装置（送信局）が、「方式Ａ」を用いるときの(4,12,16)32APSKの２つのリ
ング比（半径比）の設定方法については、＜例１＞の説明以前に説明したとおりである。
【０５９８】
なお、図６２では、リング比ｒ1用に一つの差分テーブルを用意しているが、リング比ｒ1用に複数の差分テーブルを用意してもよい。例えば、リング比ｒ1用に、差分テーブル１から差分テーブル１６を用意するものとする。そして、図５９、図６０と同様に、ｃ0ｃ1ｃ2ｃ3により、使用する差分テーブルを選択できるようにする。よって、送信装置は
、ｄ0、ｂ0ｂ1ｂ2ｂ3、ｙ0ｙ1ｙ2ｙ3ｙ4ｙ5に加えてｃ0ｃ1ｃ2ｃ3を設定し、ｄ0、ｂ0ｂ1ｂ2ｂ3、ｙ0ｙ1ｙ2ｙ3ｙ4ｙ5に加えてｃ0ｃ1ｃ2ｃ3を制御情報の一部として、データシンボルとあわせて送信する。
【０５９９】
また、使用する差分テーブルにおけるｙ0ｙ1ｙ2ｙ3ｙ4ｙ5の値から、メインテーブルを用いて決定した(4,12,16)32APSKのリング比ｒ1の値ｈ1からの補正値ｆ1を求めることになる。
【０６００】
同様に、図６２では、リング比ｒ2用に一つの差分テーブルを用意しているが、リング比ｒ2用に複数の差分テーブルを用意してもよい。例えば、リング比ｒ2用に、差分テーブル１から差分テーブル１６を用意するものとする。そして、図５９、図６０と同様に、ｃ0ｃ1ｃ2ｃ3に相当するｃ4ｃ5ｃ6ｃ7より、使用する差分テーブルを選択できるようにする。よって、送信装置は、ｄ0、ｂ0ｂ1ｂ2ｂ3、ｙ6ｙ7ｙ8ｙ9ｙ10ｙ11に加えてｃ4ｃ5ｃ6ｃ7を設定し、ｄ0、ｂ0ｂ1ｂ2ｂ3、ｙ6ｙ7ｙ8ｙ9ｙ10ｙ11に加えてｃ4ｃ5ｃ6ｃ7を制御情報の一部として、データシンボルとあわせて送信する。
【０６０１】
また、使用する差分テーブルにおけるｙ6ｙ7ｙ8ｙ9ｙ10ｙ11の値から、メインテーブルを用いて決定した(4,12,16)32APSKのリング比ｒ2の値ｈ2からの補正値ｆ2を求めることになる。
【０６０２】
なお、リング比ｒ1用に複数の差分テーブル、リング比ｒ2用に複数の差分テーブルを用意した場合、送信装置は、ｄ0、ｂ0ｂ1ｂ2ｂ3、ｙ0ｙ1ｙ2ｙ3ｙ4ｙ5、ｙ6ｙ7ｙ8ｙ9ｙ10
ｙ11に加えてｃ0ｃ1ｃ2ｃ3、ｃ4ｃ5ｃ6ｃ7を制御情報の一部として、データシンボルとあわせて送信することになる。
【０６０３】
＜例５＞
例５は、メインテーブルにおける誤り訂正符号の符号化率および(4,12,16)32APSKの２つのリング比（半径比）を示すｂ0ｂ1ｂ2ｂ3と、リング比ｒ1の差分を示すｙ0ｙ1ｙ2ｙ3
ｙ4ｙ5とリング比ｒ2の差分を示すｙ6ｙ7ｙ8ｙ9ｙ10ｙ11により所望の(4,12,16)32APSKのリング比ｒ1、ｒ2のシグナリングを実現するものである。
【０６０４】
例５で重要な点の一つは、図６３に示しているメインテーブルが、表２０のテーブル、つまり、「方式Ａ」のときのｂ0、ｂ1、ｂ2、ｂ3と誤り訂正符号の符号化率、リング比の関係で構成されている点である。
【０６０５】
以下では、例５のさらなる特徴的な点について説明する。
【０６０６】
図６３に、差分テーブル（乗算係数テーブル）を示している。差分テーブルは、メインテーブルを用いて設定した(4,12,16)32APSKのリング比からの差分情報のためのテーブルである。メインテーブルに基づき、例えば、(4,12,16)32APSKのリング比ｒ1をｈ1と設定したものとする。
【０６０７】
すると、以下のようになる。
・・・
（ｙ0ｙ1ｙ2ｙ3ｙ4ｙ5）＝（０１１１１０）と送信装置（送信局）が設定した場合、(4,12,16)32APSKのリング比ｒ1はｈ1×１．２と設定するものとする。
（ｙ0ｙ1ｙ2ｙ3ｙ4ｙ5）＝（０１１１１１）と送信装置（送信局）が設定した場合、(4,12,16)32APSKのリング比ｒ1はｈ1×１．１と設定するものとする。
（ｙ0ｙ1ｙ2ｙ3ｙ4ｙ5）＝（１０００００）と送信装置（送信局）が設定した場合、(4,12,16)32APSKのリング比ｒ1はｈ1×１．０と設定するものとする。
（ｙ0ｙ1ｙ2ｙ3ｙ4ｙ5）＝（１００００１）と送信装置（送信局）が設定した場合、(4,12,16)32APSKのリング比ｒ1はｈ1×０．９と設定するものとする。
（ｙ0ｙ1ｙ2ｙ3ｙ4ｙ5）＝（１０００１０）と送信装置（送信局）が設定した場合、(4,12,16)32APSKのリング比ｒ1はｈ1×０．８と設定するものとする。
・・・
【０６０８】
そして、メインテーブルに基づき、例えば、(4,12,16)32APSKのリング比ｒ2をｈ2と設
定したものとする。
すると、以下のようになる。
・・・
（ｙ6ｙ7ｙ8ｙ9ｙ10ｙ11）＝（０１１１１０）と送信装置（送信局）が設定した場合、(4,12,16)32APSKのリング比ｒ2はｈ2×１．２と設定するものとする。
（ｙ6ｙ7ｙ8ｙ9ｙ10ｙ11）＝（０１１１１１）と送信装置（送信局）が設定した場合、(4,12,16)32APSKのリング比ｒ2はｈ2×１．１と設定するものとする。
（ｙ6ｙ7ｙ8ｙ9ｙ10ｙ11）＝（１０００００）と送信装置（送信局）が設定した場合、(4,12,16)32APSKのリング比ｒ2はｈ2×１．０と設定するものとする。
（ｙ6ｙ7ｙ8ｙ9ｙ10ｙ11）＝（１００００１）と送信装置（送信局）が設定した場合、(4,12,16)32APSKのリング比ｒ2はｈ2×０．９と設定するものとする。
（ｙ6ｙ7ｙ8ｙ9ｙ10ｙ11）＝（１０００１０）と送信装置（送信局）が設定した場合、(4,12,16)32APSKのリング比ｒ2はｈ2×０．８と設定するものとする。
・・・
【０６０９】
したがって、送信装置は、（ｙ0ｙ1ｙ2ｙ3ｙ4ｙ5）を決定することで、メインテーブルにより決定した(4,12,16)32APSKのリング比ｒ1の値ｈ1に対する補正係数ｇ1が決定し、(4,12,16)32APSKのリング比ｒ1をｈ1×ｇ1に設定する。
【０６１０】
そして、送信装置は、（ｙ6ｙ7ｙ8ｙ9ｙ10ｙ11）を決定することで、メインテーブルにより決定した(4,12,16)32APSKのリング比ｒ2の値ｈ2に対する補正係数ｇ2が決定し、(4,12,16)32APSKのリング比ｒ2をｈ2×ｇ2に設定する。
【０６１１】
例として、「衛星放送の方式を「方式Ｂ」、符号化率を４１／１２０、(4,12,16)32APSKのリング比ｒ1を2.78、リング比ｒ2を7.183」と設定する方法について説明する。
【０６１２】
まず、送信装置は、「方式Ｂ」を選択しているのでｄ0="1"と設定する。
【０６１３】
そして，図６３のメインテーブルから符号化率４１／１２０を選択するため、送信装置は、ｂ0ｂ1ｂ2ｂ3="0000"と設定する。
【０６１４】
メインテーブルにおいて値ｂ0ｂ1ｂ2ｂ3="0000"に対応する(4,12,16)32APSKのリング比ｒ1は3.09のため、設定したいリング比2.78との乗算の形で示す差分は、2.78/3.09=0.9となる。
【０６１５】
このため、送信装置は、差分テーブルにおいて"×0.9"を示すｙ0ｙ1ｙ2ｙ3ｙ4ｙ5="100001"と設定する。
【０６１６】
また、メインテーブルにおいて値ｂ0ｂ1ｂ2ｂ3="0000"に対応する(4,12,16)32APSKのリング比ｒ2は6.53のため、設定したいリング比7.183との乗算の形で示す差分は、7.183/6.53=1.1となる。
【０６１７】
このため、送信装置は、差分テーブルにおいて"×1.1"を示すｙ6ｙ7ｙ8ｙ9ｙ10ｙ11="011111"と設定する。
【０６１８】
したがって、送信装置（送信局）は、データシンボルを「衛星放送の方式を「方式Ｂ」、符号化率を４１／１２０、(4,12,16)32APSKのリング比ｒ1を2.78、リング比ｒ2を7.183」で送信する場合、ｄ0="1"、ｂ0ｂ1ｂ2ｂ3="0000"、ｙ0ｙ1ｙ2ｙ3ｙ4ｙ5="100001"、ｙ6ｙ7ｙ8ｙ9ｙ10ｙ11="011111"とする制御情報（ＴＭＣＣの情報の一部）をデータシンボルとあわせて送信する。ただし、制御情報として、データシンボルの変調方式が(4,12,16)32APSKであることを示す制御情報を伝送する必要がある。
【０６１９】
この例５は、「方式Ｂ」の場合においても「方式Ａ」のメインテーブルの一部を利用する点で、「方式Ａ」での仕様の一部を「方式Ｂ」でも流用するときに適している。
【０６２０】
なお、送信装置（送信局）が、「方式Ａ」を用いるときの(4,12,16)32APSKの２つのリ
ング比（半径比）の設定方法については、＜例１＞の説明以前に説明したとおりである。
【０６２１】
なお、図６３では、リング比ｒ1用に一つの差分テーブルを用意しているが、リング比ｒ1用に複数の差分テーブルを用意してもよい。例えば、リング比ｒ1用に、差分テーブル１から差分テーブル１６を用意するものとする。そして、図５９、図６０と同様に、ｃ0ｃ1ｃ2ｃ3により、使用する差分テーブルを選択できるようにする。よって、送信装置は、ｄ0、ｂ0ｂ1ｂ2ｂ3、ｙ0ｙ1ｙ2ｙ3ｙ4ｙ5に加えてｃ0ｃ1ｃ2ｃ3を設定し、ｄ0、ｂ0ｂ1ｂ2ｂ3、ｙ0ｙ1ｙ2ｙ3ｙ4ｙ5に加えてｃ0ｃ1ｃ2ｃ3を制御情報の一部として、データシンボルとあわせて送信する。
【０６２２】
また、使用する差分テーブルにおけるｙ0ｙ1ｙ2ｙ3ｙ4ｙ5の値から、メインテーブルを用いて決定した(4,12,16)32APSKのリング比ｒ1の値ｈ1からの補正値ｇ1を求めることになる。
【０６２３】
同様に、図６３では、リング比ｒ2用に一つの差分テーブルを用意しているが、リング比ｒ2用に複数の差分テーブルを用意してもよい。例えば、リング比ｒ2用に、差分テーブル１から差分テーブル１６を用意するものとする。そして、図５９、図６０と同様に、ｃ0ｃ1ｃ2ｃ3に相当するｃ4ｃ5ｃ6ｃ7より、使用する差分テーブルを選択できるようにする。よって、送信装置は、ｄ0、ｂ0ｂ1ｂ2ｂ3、ｙ6ｙ7ｙ8ｙ9ｙ10ｙ11に加えてｃ4ｃ5ｃ6ｃ7を設定し、ｄ0、ｂ0ｂ1ｂ2ｂ3、ｙ6ｙ7ｙ8ｙ9ｙ10ｙ11に加えてｃ4ｃ5ｃ6ｃ7を制御情報の一部として、データシンボルとあわせて送信する。
【０６２４】
また、使用する差分テーブルにおけるｙ6ｙ7ｙ8ｙ9ｙ10ｙ11の値から、メインテーブルを用いて決定した(4,12,16)32APSKのリング比ｒ2の値ｈ2からの補正値ｇ2を求めることになる。
【０６２５】
なお、リング比ｒ1用に複数の差分テーブル、リング比ｒ2用に複数の差分テーブルを用意した場合、送信装置は、ｄ0、ｂ0ｂ1ｂ2ｂ3、ｙ0ｙ1ｙ2ｙ3ｙ4ｙ5、ｙ6ｙ7ｙ8ｙ9ｙ10
ｙ11に加えてｃ0ｃ1ｃ2ｃ3、ｃ4ｃ5ｃ6ｃ7を制御情報の一部として、データシンボルとあわせて送信することになる。
【０６２６】
＜受信装置＞
本実施の形態の送信方法に対応する受信装置について＜例１＞〜＜例５＞に共通する構
成について説明した後で各例の具体的な処理について説明する。
【０６２７】
図４０の地上の受信装置（端末）Ａ２００は、図３９の送信局が送信し、衛星（中継局）が中継した無線信号を、アンテナＡ２０１で受信する。受信ＲＦＡ２０２は、受信した無線信号に対し、周波数変換、直交復調等の処理を施し、ベースバンド信号を出力する。
【０６２８】
復調部Ａ２０４は、ルートロールオフフィルタの処理等の処理を施し、フィルタ後のベースバンド信号を出力する。
【０６２９】
同期・チャネル推定部Ａ２１４は、フィルタ後のベースバンド信号を入力とし、送信装置が送信した、例えば、「同期シンボル群」「パイロットシンボル群」を用いて、時間同期、周波数同期、チャネル推定を行い、推定信号を出力する。
【０６３０】
制御情報推定部Ａ２１６は、フィルタ後のベースバンド信号を入力とし、「ＴＭＣＣ情報シンボル群」のような制御情報を含むシンボルを抽出し、復調・復号を行い、制御信号を出力する。
【０６３１】
なお、本実施の形態で重要になることは、「ＴＭＣＣ情報シンボル群」に含まれる制御情報を制御情報推定部Ａ２１６は推定し、制御信号として出力する点であり、このとき、制御信号には、上述のｄ0、ｚ0、ｃ0ｃ1ｃ2ｃ3、ｂ0ｂ1ｂ2ｂ3、ｘ0ｘ1ｘ2ｘ3ｘ4ｘ5、ｙ0ｙ1ｙ2ｙ3ｙ4ｙ5、ｃ4ｃ5ｃ6ｃ7、ｘ6ｘ7ｘ8ｘ9ｘ10ｘ11、ｙ6ｙ7ｙ8ｙ9ｙ10ｙ11の情報を含んでいるという点である。
【０６３２】
デマッピング部Ａ２０６は、フィルタ後のベースバンド信号、制御信号、推定信号を入力とし、制御信号に基づき、「データシンボル群で構成されるスロット」が使用している変調方式（または、送信方法）およびリング比を判断し、この判断に基づき、フィルタ後のベースバンド信号、推定信号から、データシンボルに含まれる各ビットの対数尤度比（ＬＬＲ：Log-Likelihood Ratio）を算出し、出力する。（ただし、ＬＬＲのような軟判定値ではなく、高判定値を出力してもよいし、ＬＬＲに代わる軟判定値を出力してもよい。）
【０６３３】
デインターリーブ部Ａ２０８は、対数尤度比、制御信号を入力とし、蓄積し、送信装置が用いたインターリーブに対応するデインターリーブ（データの並び換え）を行い、デインターリーブ後の対数尤度比を出力する。
【０６３４】
誤り訂正復号部Ａ２１２は、デインターリーブ後の対数尤度比、制御信号を入力とし、用いられている誤り訂正方式（符号長、符号化率等）を判断し、この判断に基づき、誤り訂正復号を行い、推定情報ビットを得る。なお、用いている誤り訂正符号がＬＤＰＣ符号の場合、復号方法としては、sum-product復号、Shuffled BP（Belief Propagation）復号、Layered BP復号のような信頼度伝播復号（BP（Belief Propagation）復号）等の復号方法が用いられることになる。以上が、反復検波を行わないときの動作となるが、図２の受信装置で説明したような反復検波を行う受信装置であってもよい。
【０６３５】
このような、受信装置側では、上記で説明した＜例１＞〜＜例５＞で示すテーブルと同様のテーブルを保持しており、＜例１＞〜＜例５＞とは逆の手順を行うことで、衛星放送の方式、誤り訂正符号の符号化率および(12,4)16APSKのリング比を推定し、復調・復号の動作を行う。以下、各例に分けて説明する。
【０６３６】
なお、以下では、受信装置の制御情報推定部Ａ２１６は、ＴＭＣＣの情報から、データシンボルの変調方式は(12,4)16APSKのシンボルであると判断したことを前提として、記載をすすめる。
【０６３７】
＜＜例１に対応する受信装置＞＞
・送信装置（送信局）が「方式Ａ」で変調信号を送信した場合：
受信装置の制御情報推定部Ａ２１６は、ｄ0="0"と得られた場合、データシンボルは「方式Ａ」で送信されたシンボルであると判断する。そして、ｂ0ｂ1ｂ2ｂ3の値を得ることで、データシンボルが(4,12,16)32APSKのシンボルであるとき、(4,12,16)32APSKの２つのリング比（半径比）（ｒ1，ｒ2）を推定することになる。そして、デマッピング部Ａ２０６は、これらの推定情報に基づき、データシンボルの復調を行う。
【０６３８】
・送信装置（送信局）が「方式Ｂ」で変調信号を送信した場合：
図６４に示すように、受信装置の制御情報推定部Ａ２１６は、ｄ0="1"から「方式Ｂ」、ｃ0ｃ1ｃ2ｃ3="0001"およびｂ0ｂ1ｂ2ｂ3="0000"からテーブル２の１行目の誤り訂正符号の符号化率４１/１２０および(4,12,16)32APSKのリング比ｒ1を３．５０、リング比ｒ2を７．２１と推定する。そして、デマッピング部Ａ２０６は、これらの推定情報に基づき、データシンボルの復調を行う。
【０６３９】
＜＜例２に対応する受信装置＞＞
・送信装置（送信局）が「方式Ａ」で変調信号を送信した場合：
受信装置の制御情報推定部Ａ２１６は、ｄ0="0"と得られた場合、データシンボルは「方式Ａ」で送信されたシンボルであると判断する。そして、ｂ0ｂ1ｂ2ｂ3の値を得ることで、データシンボルが (4,12,16)32APSKのシンボルであるとき、(4,12,16)32APSKの２つのリング比（半径比）（ｒ1，ｒ2）を推定することになる。そして、デマッピング部Ａ２０６は、これらの推定情報に基づき、データシンボルの復調を行う。
【０６４０】
・送信装置（送信局）が「方式Ｂ」で変調信号を送信した場合：
図６５に示すように、受信装置の制御情報推定部Ａ２１６は、ｄ0="1"、ｚ0＝０と得たとき、「方式Ａのときと同様にリング比が設定されている」と判定し、ｂ0、ｂ1、ｂ2、ｂ3を得、表２０から誤り訂正符号の符号化率と(4,12,16)32APSKの２つのリング比（半径比）（ｒ1，ｒ2）を推定する。そして、デマッピング部Ａ２０６は、これらの推定情報に基づき、データシンボルの復調を行う。
【０６４１】
また、図６５に示すように、受信装置の制御情報推定部Ａ２１６は、ｄ0="1"、ｚ0＝１から「方式Ｂ」、ｃ0ｃ1ｃ2ｃ3="0001"およびｂ0ｂ1ｂ2ｂ3="0000"からテーブル２の１行目の誤り訂正符号の符号化率４１/１２０および(4,12,16)32APSKのリング比ｒ1を３．５
０、リング比ｒ2を７．２１と推定する。そして、デマッピング部Ａ２０６は、これらの
推定情報に基づき、データシンボルの復調を行う。
【０６４２】
＜＜例３に対応する受信装置＞＞
・送信装置（送信局）が「方式Ａ」で変調信号を送信した場合：
受信装置の制御情報推定部Ａ２１６は、ｄ0="0"と得られた場合、データシンボルは「方式Ａ」で送信されたシンボルであると判断する。そして、ｂ0ｂ1ｂ2ｂ3の値を得ることで、データシンボルが(4,12,16)32APSKのシンボルであるとき、(4,12,16)32APSKの２つのリング比（半径比）（ｒ1，ｒ2）を推定することになる。そして、デマッピング部Ａ２０６は、これらの推定情報に基づき、データシンボルの復調を行う。
【０６４３】
・送信装置（送信局）が「方式Ｂ」で変調信号を送信した場合：
図６６に示すように、受信装置の制御情報推定部Ａ２１６は、ｄ0="1"から「方式Ｂ」、ｘ0ｘ1ｘ2ｘ3ｘ4ｘ5＝"000000"から(4,12,16)32APSKのリング比ｒ1を2.00と推定し、ｘ6ｘ7ｘ8ｘ9ｘ10ｘ11＝"111111"から(4,12,16)32APSKのリング比ｒ2を7.00と推定する。そして、デマッピング部Ａ２０６は、これらの推定情報に基づき、データシンボルの復調を行う。
【０６４４】
＜＜例４に対応する受信装置＞＞
・送信装置（送信局）が「方式Ａ」で変調信号を送信した場合：
受信装置の制御情報推定部Ａ２１６は、ｄ0="0"と得られた場合、データシンボルは「方式Ａ」で送信されたシンボルであると判断する。そして、ｂ0ｂ1ｂ2ｂ3の値を得ることで、データシンボルが(4,12,16)32APSKのシンボルであるとき、(4,12,16)32APSKの２つのリング比（半径比）（ｒ1，ｒ2）を推定することになる。そして、デマッピング部Ａ２０６は、これらの推定情報に基づき、データシンボルの復調を行う。
【０６４５】
・送信装置（送信局）が「方式Ｂ」で変調信号を送信した場合：
図６７に示すように、受信装置の制御情報推定部Ａ２１６は、ｄ0="1"からデータシンボルは「方式Ｂ」のシンボルであると判断する。また、受信装置の制御情報推定部Ａ２１６は、ｙ0ｙ1ｙ2ｙ3ｙ4ｙ5="011110"から差分を+0.4と推定する。また、ｂ0ｂ1ｂ2ｂ3="0000"を基に、差分を考慮する前の(4,12,16)32APSKのリング比ｒ1を3.09と誤り訂正符号の符号化率を４１/１２０と推定する。そして、両者を加算して3.09+0.4=3.49より(4,12,16)32APSKのリング比ｒ1を3.49と推定する。そして、受信装置の制御情報推定部Ａ２１６は、ｙ6ｙ7ｙ8ｙ9ｙ10ｙ11="011111"から差分を+0.2と推定する。また、ｂ0ｂ1ｂ2ｂ3="0000"を基に、差分を考慮する前の(4,12,16)32APSKのリング比ｒ2を6.53と誤り訂正符号の符号化率を４１/１２０と推定する。そして、両者を加算して6.53+0.2=6.73より(4,12,16)32APSKのリング比ｒ2を6.73と推定する。そして、デマッピング部Ａ２０６は、これらの推定情報に基づき、データシンボルの復調を行う。
【０６４６】
＜＜例５に対応する受信装置＞＞
・送信装置（送信局）が「方式Ａ」で変調信号を送信した場合：
受信装置の制御情報推定部Ａ２１６は、ｄ0="0"と得られた場合、データシンボルは「方式Ａ」で送信されたシンボルであると判断する。そして、ｂ0ｂ1ｂ2ｂ3の値を得ることで、データシンボルが((4,12,16)32APSKのシンボルであるとき、(4,12,16)32APSKの２つのリング比（半径比）（ｒ1，ｒ2）を推定することになる。そして、デマッピング部Ａ２０６は、これらの推定情報に基づき、データシンボルの復調を行う。
【０６４７】
・送信装置（送信局）が「方式Ｂ」で変調信号を送信した場合：
図６８に示すように、受信装置の制御情報推定部Ａ２１６は、ｄ0="1"からデータシンボルは「方式Ｂ」のシンボルであると判断する。また、受信装置の制御情報推定部Ａ２１６は、ｙ0ｙ1ｙ2ｙ3ｙ4ｙ5="100001"を基に差分を×0.9と推定する。また、ｂ0ｂ1ｂ2ｂ3="0000"を基に、差分を考慮する前の(4,12,16)32APSKのリング比ｒ1を3.09と誤り訂正符号の符号化率を４１/１２０と推定する。そして、両者を乗算して3.09×0.9=2.78より((4,12,16)32APSKのリング比ｒ1を2.78と推定する。そして、受信装置の制御情報推定部Ａ２１６は、ｙ6ｙ7ｙ8ｙ9ｙ10ｙ11="011111"を基に差分を×1.1と推定する。また、ｂ0ｂ1ｂ2ｂ3="0000"を基に、差分を考慮する前の(4,12,16)32APSKのリング比ｒ2を6.53と誤り訂正符号の符号化率を４１/１２０と推定する。そして、両者を乗算して6.53×1.1=7.183より((4,12,16)32APSKのリング比ｒ2を7.183と推定する。そして、デマッピング部Ａ２０６は、これらの推定情報に基づき、データシンボルの復調を行う。
【０６４８】
（実施の形態Ｇ）
この実施の形態では、実施の形態Ｆに基づいたパイロットシンボルの送信方法について説明する。
【０６４９】
なお、リング比（例えば、(4,12,16)32APSKのリング比）の定義については、本実施の形態以前に定義したものであり、リング比は別の名称として、「半径比」と呼んでもよい。
【０６５０】
＜パイロットシンボルの例＞
本実施の形態では、上記の実施の形態Ｆで説明した送信方式（データシンボルの変調方式が(4,12,16)32APSK）におけるパイロットシンボルの構成例について説明する。
【０６５１】
なお、本実施の形態における送信装置の構成は、実施の形態１で説明したものと同様であるためその説明を省略する。
【０６５２】
送信装置の電力増幅器の非線形性から、変調信号は、符号間（シンボル間）干渉が発生する。受信装置では、この符号間干渉を低減させることで、高いデータの受信品質を得ることができる。
【０６５３】
本パイロットシンボルの構成例では、受信装置で、符号間（シンボル間）干渉を低減するために、送信装置が、データシンボルで使用した変調方式とリング比を用いてパイロットシンボルを送信する点である。
【０６５４】
したがって、送信装置（送信局）は、実施の形態Ｆの＜例１＞〜＜例５＞のいずれかの方法で、データシンボルの変調方式とリング比を決定したら、パイロットシンボルについても、データシンボルと同じ変調方式、リング比を用いてパイロットシンボルを生成し、送信することになる。
【０６５５】
以下では、具体的な例を示す。ただし、変調方式は(4,12,16)32APSKが選択されたこと
を前提で説明を続ける。
【０６５６】
実施の形態Ｆの＜例１＞の場合：
送信装置（送信局）は、データシンボルを「衛星放送の方式を「方式Ｂ」、符号化率を４１/１２０、(4,12,16)32APSKのリング比ｒ1を３．５０、リング比ｒ2を７．２１」で送信する場合、ｄ0="1"、ｂ0ｂ1ｂ2ｂ3="0000"、ｃ0ｃ1ｃ2ｃ3="0001"とする。そして、「ｄ0="1"、ｂ0ｂ1ｂ2ｂ3="0000"、ｃ0ｃ1ｃ2ｃ3="0001"」に基づき、送信装置（送信局）
は、パイロットシンボルの変調方式・リング比をそれぞれ、(4,12,16)32APSK・リング比
ｒ1の値を３．５０、リング比ｒ2を７．２１と設定する。
【０６５７】
したがって、送信装置（送信局）は、順に、
(4,12,16)32APSK、リング比ｒ1の値を３．５０、リング比ｒ2を７．２１の[b4b3b2b1b0]=[00000]に対応する信号点（ベースバンド信号）のシンボル、
(4,12,16)32APSK、リング比ｒ1の値を３．５０、リング比ｒ2を７．２１の[b4b3b2b1b0]=[00001]に対応する信号点（ベースバンド信号）のシンボル、
(4,12,16)32APSK、リング比ｒ1の値を３．５０、リング比ｒ2を７．２１の[b4b3b2b1b0]=[00010]に対応する信号点（ベースバンド信号）のシンボル、
(4,12,16)32APSK、リング比ｒ1の値を３．５０、リング比ｒ2を７．２１の[b4b3b2b1b0]=[00011]に対応する信号点（ベースバンド信号）のシンボル、
(4,12,16)32APSK、リング比ｒ1の値を３．５０、リング比ｒ2を７．２１の[b4b3b2b1b0]=[00100]に対応する信号点（ベースバンド信号）のシンボル、
(4,12,16)32APSK、リング比ｒ1の値を３．５０、リング比ｒ2を７．２１の[b4b3b2b1b0]=[00101]に対応する信号点（ベースバンド信号）のシンボル、
(4,12,16)32APSK、リング比ｒ1の値を３．５０、リング比ｒ2を７．２１の[b4b3b2b1b0]=[00110]に対応する信号点（ベースバンド信号）のシンボル、
(4,12,16)32APSK、リング比ｒ1の値を３．５０、リング比ｒ2を７．２１の[b4b3b2b1b0]=
[00111]に対応する信号点（ベースバンド信号）のシンボル、
(4,12,16)32APSK、リング比ｒ1の値を３．５０、リング比ｒ2を７．２１の[b4b3b2b1b0]=[01000]に対応する信号点（ベースバンド信号）のシンボル、
(4,12,16)32APSK、リング比ｒ1の値を３．５０、リング比ｒ2を７．２１の[b4b3b2b1b0]=[01001]に対応する信号点（ベースバンド信号）のシンボル、
(4,12,16)32APSK、リング比ｒ1の値を３．５０、リング比ｒ2を７．２１の[b4b3b2b1b0]=[01010]に対応する信号点（ベースバンド信号）のシンボル、
(4,12,16)32APSK、リング比ｒ1の値を３．５０、リング比ｒ2を７．２１の[b4b3b2b1b0]=[01011]に対応する信号点（ベースバンド信号）のシンボル、
(4,12,16)32APSK、リング比ｒ1の値を３．５０、リング比ｒ2を７．２１の[b4b3b2b1b0]=[01100]に対応する信号点（ベースバンド信号）のシンボル、
(4,12,16)32APSK、リング比ｒ1の値を３．５０、リング比ｒ2を７．２１の[b4b3b2b1b0]=[01101]に対応する信号点（ベースバンド信号）のシンボル、
(4,12,16)32APSK、リング比ｒ1の値を３．５０、リング比ｒ2を７．２１の[b4b3b2b1b0]=[01110]に対応する信号点（ベースバンド信号）のシンボル、
(4,12,16)32APSK、リング比ｒ1の値を３．５０、リング比ｒ2を７．２１の[b4b3b2b1b0]=[01111]に対応する信号点（ベースバンド信号）のシンボル、
(4,12,16)32APSK、リング比ｒ1の値を３．５０、リング比ｒ2を７．２１の[b4b3b2b1b0]=[10000]に対応する信号点（ベースバンド信号）のシンボル、
(4,12,16)32APSK、リング比ｒ1の値を３．５０、リング比ｒ2を７．２１の[b4b3b2b1b0]=[10001]に対応する信号点（ベースバンド信号）のシンボル、
(4,12,16)32APSK、リング比ｒ1の値を３．５０、リング比ｒ2を７．２１の[b4b3b2b1b0]=[10010]に対応する信号点（ベースバンド信号）のシンボル、
(4,12,16)32APSK、リング比ｒ1の値を３．５０、リング比ｒ2を７．２１の[b4b3b2b1b0]=[10011]に対応する信号点（ベースバンド信号）のシンボル、
(4,12,16)32APSK、リング比ｒ1の値を３．５０、リング比ｒ2を７．２１の[b4b3b2b1b0]=[10100]に対応する信号点（ベースバンド信号）のシンボル、
(4,12,16)32APSK、リング比ｒ1の値を３．５０、リング比ｒ2を７．２１の[b4b3b2b1b0]=[10101]に対応する信号点（ベースバンド信号）のシンボル、
(4,12,16)32APSK、リング比ｒ1の値を３．５０、リング比ｒ2を７．２１の[b4b3b2b1b0]=[10110]に対応する信号点（ベースバンド信号）のシンボル、
(4,12,16)32APSK、リング比ｒ1の値を３．５０、リング比ｒ2を７．２１の[b4b3b2b1b0]=[10111]に対応する信号点（ベースバンド信号）のシンボル、
(4,12,16)32APSK、リング比ｒ1の値を３．５０、リング比ｒ2を７．２１の[b4b3b2b1b0]=[11000]に対応する信号点（ベースバンド信号）のシンボル、
(4,12,16)32APSK、リング比ｒ1の値を３．５０、リング比ｒ2を７．２１の[b4b3b2b1b0]=[11001]に対応する信号点（ベースバンド信号）のシンボル、
(4,12,16)32APSK、リング比ｒ1の値を３．５０、リング比ｒ2を７．２１の[b4b3b2b1b0]=[11010]に対応する信号点（ベースバンド信号）のシンボル、
(4,12,16)32APSK、リング比ｒ1の値を３．５０、リング比ｒ2を７．２１の[b4b3b2b1b0]=[11011]に対応する信号点（ベースバンド信号）のシンボル、
(4,12,16)32APSK、リング比ｒ1の値を３．５０、リング比ｒ2を７．２１の[b4b3b2b1b0]=[11100]に対応する信号点（ベースバンド信号）のシンボル、
(4,12,16)32APSK、リング比ｒ1の値を３．５０、リング比ｒ2を７．２１の[b4b3b2b1b0]=[11101]に対応する信号点（ベースバンド信号）のシンボル、
(4,12,16)32APSK、リング比ｒ1の値を３．５０、リング比ｒ2を７．２１の[b4b